(57)【要約】      （修正有）【課題】ＦＤＤとＴＤＤのキャリアアグリゲーションにおけるアップリンク制御情報送信方法、基地局及びユーザ機器を提供する。【解決手段】基地局によって送られたダウンリンク制御チャネルをダウンリンクサブフレームＮでＵＥによって受信するステップと、ＰＵＣＣＨを使用することによって、ＵＥがダウンリンク制御チャネルに対応するハイブリッド自動再送要求確認応答をアップリンクサブフレームＮ＋４で基地局へ送信するステップと、を有する。アップリンクサブフレームＮ＋４が第１のアップリンクサブフレームセットに属する場合、ＰＵＣＣＨはＵＥの第２のサービングセルにおいて伝送され、アップリンクサブフレームＮ＋４が第２のアップリンクサブフレームセットに属する場合、ＰＵＣＣＨは第１のサービングセルにおいて伝送される。第１のサービングセルの複信モードは、第２のサービングセルの複信モードとは異なる。【選択図】図１
2018078638.tif 000002
【特許請求の範囲】
【請求項１】
アップリンク制御情報送信方法であって、
基地局によって送られたダウンリンク制御チャネルを、ダウンリンクサブフレームＮで、ユーザ機器ＵＥによって受信するステップであって、前記ダウンリンク制御チャネルは、前記ＵＥの第１のサービングセルにおいて伝送される、受信するステップと、
前記ダウンリンク制御チャネルに対応するハイブリッド自動再送要求確認応答を、前記ＵＥによって、物理アップリンク制御チャネルＰＵＣＣＨを使用することによって、アップリンクサブフレームＮ＋４で、前記基地局へ送信するステップであって、前記アップリンクサブフレームＮ＋４が、第１のアップリンクサブフレームセットに属する場合、前記ＰＵＣＣＨは、前記ＵＥの第２のサービングセルにおいて伝送され、前記アップリンクサブフレームＮ＋４が、第２のアップリンクサブフレームセットに属する場合、前記ＰＵＣＣＨは、前記第１のサービングセルにおいて伝送され、前記第１のサービングセルの複信モードは、前記第２のサービングセルの複信モードとは異なり、前記第１のアップリンクサブフレームセットに含まれたアップリンクサブフレームの量と、前記第２のアップリンクサブフレームセットに含まれたアップリンクサブフレームの量との合計は、無線フレームの量に等しく、前記第１のアップリンクサブフレームセットに含まれたアップリンクサブフレームと、前記第２のアップリンクサブフレームセットに含まれたアップリンクサブフレームとは、前記無線フレームにおける異なるサブフレームに対応する、送信するステップと
を備える方法。
【請求項２】
前記第１のサービングセルの前記複信モードが、時分割複信ＴＤＤであり、前記第２のサービングセルの前記複信モードが、周波数分割複信ＦＤＤである場合、前記第２のアップリンクサブフレームセットに含まれた前記アップリンクサブフレームは、前記第１のサービングセルの、無線フレームにおける、アップリンクサブフレームに対応し、前記第１のアップリンクサブフレームセットに含まれた前記アップリンクサブフレームは、前記無線フレームにおける、前記第２のアップリンクサブフレームセットに含まれた前記アップリンクサブフレームを除く、他のアップリンクサブフレームに対応するか、又は、
前記第１のサービングセルの前記複信モードが、ＦＤＤであり、前記第２のサービングセルの前記複信モードが、ＴＤＤである場合、前記第１のアップリンクサブフレームセットに含まれた前記アップリンクサブフレームは、前記第１のサービングセルの、無線フレームにおける、アップリンクサブフレームに対応し、前記第２のアップリンクサブフレームセットに含まれた前記アップリンクサブフレームは、前記無線フレームにおける、前記第１のアップリンクサブフレームセットに含まれた前記アップリンクサブフレームを除く、他のアップリンクサブフレームに対応する、請求項１に記載の方法。
【請求項３】
前記ダウンリンク制御チャネルは、物理ダウンリンク制御チャネルＰＤＣＣＨ、又は、拡張物理ダウンリンク制御チャネルＥＰＤＣＣＨであり、前記ダウンリンク制御チャネルは、前記第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用され、
前記ダウンリンク制御チャネルが、前記ＰＤＳＣＨ送信を示すために使用される場合、前記ダウンリンク制御チャネルに対応する前記ハイブリッド自動再送要求確認応答は、特に、前記ダウンリンク制御チャネルに対応するＰＤＳＣＨのハイブリッド自動再送要求確認応答であり、前記ダウンリンク制御チャネルが、前記ＳＰＳリリースを示すために使用される場合、前記ダウンリンク制御チャネルに対応する前記ハイブリッド自動再送要求確認応答は、特に、前記ＳＰＳリリースを示す前記ダウンリンク制御チャネルに対応するハイブリッド自動再送要求確認応答である、請求項１又は２に記載の方法。
【請求項４】
前記ＵＥによって、物理アップリンク制御チャネルＰＵＣＣＨを使用することによって、前記ダウンリンク制御チャネルに対応するハイブリッド自動再送要求確認応答を、アップリンクサブフレームＮ＋４で、前記基地局へ前記送信するステップの前に、さらに、
前記ＵＥによって、前記ＰＵＣＣＨのＰＵＣＣＨリソース及び／又はＰＵＣＣＨ送信電力を取得するステップを備える、請求項１から３のいずれか一項に記載の方法。
【請求項５】
前記アップリンクサブフレームＮ＋４が、前記第１のアップリンクサブフレームセットに属する場合、前記ＵＥによって、前記ＰＵＣＣＨのＰＵＣＣＨリソースを前記取得するステップは、
前記ＵＥによって、前記ダウンリンク制御チャネルのダウンリンク制御情報ＤＣＩフォーマットにおける送信電力制御ＴＰＣコマンドフィールドに従って、前記ＰＵＣＣＨリソースを決定するステップを備える、請求項４に記載の方法。
【請求項６】
前記アップリンクサブフレームＮ＋４が、前記第２のアップリンクサブフレームセットに属する場合、前記ＵＥによって、前記ＰＵＣＣＨのＰＵＣＣＨ送信電力を前記取得するステップは、
前記ＵＥによって、前記ダウンリンク制御チャネルのダウンリンク制御情報ＤＣＩフォーマットにおける送信電力制御ＴＰＣコマンドフィールドに従って、前記ＰＵＣＣＨ送信電力を決定するステップを備える、請求項４に記載の方法。
【請求項７】
アップリンク制御情報送信方法であって、
基地局によって、ダウンリンクサブフレームＮで、ユーザ機器ＵＥへダウンリンク制御チャネルを送信するステップであって、前記ダウンリンク制御チャネルは、前記ＵＥの第１のサービングセルにおいて伝送される、送信するステップと、
物理アップリンク制御チャネルＰＵＣＣＨを使用することによって前記ＵＥによって送られ、前記ダウンリンク制御チャネルに対応する、ハイブリッド自動再送要求確認応答を、アップリンクサブフレームＮ＋４で、前記基地局によって受信するステップであって、前記アップリンクサブフレームＮ＋４が、第１のアップリンクサブフレームセットに属する場合、前記ＰＵＣＣＨは、前記ＵＥの第２のサービングセルにおいて伝送され、前記アップリンクサブフレームＮ＋４が、第２のアップリンクサブフレームセットに属する場合、前記ＰＵＣＣＨは、前記第１のサービングセルにおいて伝送され、前記第１のサービングセルの複信モードは、前記第２のサービングセルの複信モードとは異なり、前記第１のアップリンクサブフレームセットに含まれたアップリンクサブフレームの量と、前記第２のアップリンクサブフレームセットに含まれたアップリンクサブフレームの量との合計は、無線フレームの量に等しく、前記第１のアップリンクサブフレームセットに含まれたアップリンクサブフレームと、前記第２のアップリンクサブフレームセットに含まれたアップリンクサブフレームとは、前記無線フレームにおける異なるサブフレームに対応する、受信するステップと
を備える方法。
【請求項８】
前記第１のサービングセルの前記複信モードが、時分割複信ＴＤＤであり、前記第２のサービングセルの前記複信モードが、周波数分割複信ＦＤＤである場合、前記第２のアップリンクサブフレームセットに含まれた前記アップリンクサブフレームは、前記第１のサービングセルの、無線フレームにおける、アップリンクサブフレームに対応し、前記第１のアップリンクサブフレームセットに含まれた前記アップリンクサブフレームは、前記無線フレームにおける、前記第２のアップリンクサブフレームセットに含まれた前記アップリンクサブフレームを除く、他のアップリンクサブフレームに対応するか、又は、
前記第１のサービングセルの前記複信モードが、ＦＤＤであり、前記第２のサービングセルの前記複信モードが、ＴＤＤである場合、前記第１のアップリンクサブフレームセットに含まれた前記アップリンクサブフレームは、前記第１のサービングセルの、無線フレームにおける、アップリンクサブフレームに対応し、前記第２のアップリンクサブフレームセットに含まれた前記アップリンクサブフレームは、前記無線フレームにおける、前記第１のアップリンクサブフレームセットに含まれた前記アップリンクサブフレームを除く、他のアップリンクサブフレームに対応する、請求項７に記載の方法。
【請求項９】
前記ダウンリンク制御チャネルは、物理ダウンリンク制御チャネルＰＤＣＣＨ、又は、拡張物理ダウンリンク制御チャネルＥＰＤＣＣＨであり、前記ダウンリンク制御チャネルは、前記第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用され、
前記ダウンリンク制御チャネルが、前記ＰＤＳＣＨ送信を示すために使用される場合、前記ダウンリンク制御チャネルに対応する前記ハイブリッド自動再送要求確認応答は、特に、前記ダウンリンク制御チャネルに対応するＰＤＳＣＨのハイブリッド自動再送要求確認応答であり、前記ダウンリンク制御チャネルが、前記ＳＰＳリリースを示すために使用される場合、前記ダウンリンク制御チャネルに対応する前記ハイブリッド自動再送要求確認応答は、特に、前記ＳＰＳリリースを示す前記ダウンリンク制御チャネルに対応するハイブリッド自動再送要求確認応答である、請求項７又は８に記載の方法。
【請求項１０】
アップリンク制御情報送信方法であって、
ダウンリンク制御チャネルを、ユーザ機器ＵＥによって、ダウンリンクサブフレームＮで受信するステップであって、前記ダウンリンク制御チャネルは、前記ＵＥの第１のサービングセルにおいて伝送され、前記第１のサービングセルの複信モードは、時分割複信ＴＤＤである、受信するステップと、
前記ダウンリンク制御チャネルに対応するハイブリッド自動再送要求確認応答を、物理アップリンク制御チャネルＰＵＣＣＨを使用することによって、アップリンクサブフレームＮ＋４で、前記ＵＥによって送信するステップであって、前記ＰＵＣＣＨは前記ＵＥの第２のサービングセルにおいて伝送され、前記第２のサービングセルの複信モードは、周波数分割複信ＦＤＤである、送信するステップと
を備える方法。
【請求項１１】
前記ダウンリンク制御チャネルは、物理ダウンリンク制御チャネルＰＤＣＣＨ、又は、拡張物理ダウンリンク制御チャネルＥＰＤＣＣＨであり、前記ダウンリンク制御チャネルは、前記第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用され、
前記ダウンリンク制御チャネルが、前記ＰＤＳＣＨ送信を示すために使用される場合、前記ダウンリンク制御チャネルに対応する前記ハイブリッド自動再送要求確認応答は、特に、前記ダウンリンク制御チャネルに対応するＰＤＳＣＨのハイブリッド自動再送要求確認応答であり、前記ダウンリンク制御チャネルが、前記ＳＰＳリリースを示すために使用される場合、前記ダウンリンク制御チャネルに対応する前記ハイブリッド自動再送要求確認応答は、特に、前記ＳＰＳリリースを示すダウンリンク制御チャネルに対応するハイブリッド自動再送要求確認応答である、請求項１０に記載の方法。
【請求項１２】
前記ＵＥによって、物理アップリンク制御チャネルＰＵＣＣＨを使用することによって、前記ダウンリンク制御チャネルに対応するハイブリッド自動再送要求確認応答を、アップリンクサブフレームＮ＋４で前記送信するステップの前に、さらに、
前記ＵＥによって、前記ＰＵＣＣＨのＰＵＣＣＨリソースを取得するステップを備える、請求項１０又は１１に記載の方法。
【請求項１３】
前記ＵＥによって、前記ＰＵＣＣＨのＰＵＣＣＨリソースを前記取得するステップは、
前記ＵＥによって、前記ダウンリンク制御チャネルのダウンリンク制御情報ＤＣＩフォーマットにおけるダウンリンク割当インジケーションＤＡＩ又は送信電力制御ＴＰＣコマンドに従って、前記ＰＵＣＣＨリソースを決定するステップを備える、請求項１２に記載の方法。
【請求項１４】
前記第１のサービングセルが、前記ＵＥのプライマリサービングセルであり、前記第２のサービングセルが、前記ＵＥのセカンダリサービングセルである、請求項１０から１３のいずれか一項に記載の方法。
【請求項１５】
前記第２のサービングセルは、前記ＵＥの、最も小さなセルインデクスを有する、ＦＤＤセカンダリサービングセルであるか、又は、前記第２のサービングセルは、より高いレイヤシグナリングによって示される、前記ＰＵＣＣＨを送信するために使用される、セカンダリサービングセルである、請求項１４に記載の方法。
【請求項１６】
アップリンク制御情報送信方法であって、
基地局によって、ダウンリンクサブフレームＮで、ユーザ機器ＵＥへダウンリンク制御チャネルを送信するステップであって、前記ダウンリンク制御チャネルは、前記ＵＥの第１のサービングセルにおいて伝送され、前記第１のサービングセルの複信モードは、時分割複信ＴＤＤであり、前記ダウンリンク制御チャネルのダウンリンク制御情報ＤＣＩフォーマットにおけるダウンリンク割当インジケーションＤＡＩ又は送信電力制御ＴＰＣコマンドは、物理アップリンク制御チャネルＰＵＣＣＨリソースを示すために使用される、送信するステップと、
ＰＵＣＣＨを使用することによって前記ＵＥによって送られ、前記ダウンリンク制御チャネルに対応する、ハイブリッド自動再送要求確認応答を、前記ＰＵＣＣＨリソースに従って、アップリンクサブフレームＮ＋４で、前記基地局によって受信するステップであって、前記ＰＵＣＣＨは、前記ＵＥの第２のサービングセルにおいて伝送され、前記第２のサービングセルの複信モードは、周波数分割複信ＦＤＤである、受信するステップと
を備える方法。
【請求項１７】
前記ダウンリンク制御チャネルは、物理ダウンリンク制御チャネルＰＤＣＣＨ、又は、拡張物理ダウンリンク制御チャネルＥＰＤＣＣＨであり、前記ダウンリンク制御チャネルは、前記第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用され、
前記ダウンリンク制御チャネルが、前記ＰＤＳＣＨ送信を示すために使用される場合、前記ダウンリンク制御チャネルに対応する前記ハイブリッド自動再送要求確認応答は、特に、前記ダウンリンク制御チャネルに対応するＰＤＳＣＨのハイブリッド自動再送要求確認応答であり、前記ダウンリンク制御チャネルが、前記ＳＰＳリリースを示すために使用される場合、前記ダウンリンク制御チャネルに対応する前記ハイブリッド自動再送要求確認応答は、特に、前記ＳＰＳリリースを示す前記ダウンリンク制御チャネルに対応するハイブリッド自動再送要求確認応答である、請求項１６に記載の方法。
【請求項１８】
前記第１のサービングセルが、前記ＵＥのプライマリサービングセルであり、前記第２のサービングセルが、前記ＵＥのセカンダリサービングセルである、請求項１６又は１７に記載の方法。
【請求項１９】
前記第２のサービングセルは、前記ＵＥの、最も小さなセルインデクスを有する、ＦＤＤセカンダリサービングセルであるか、又は、前記第２のサービングセルは、より高いレイヤシグナリングを使用することによって前記基地局によって示される、前記ＰＵＣＣＨを送信するために使用される、セカンダリサービングセルである、請求項１８に記載の方法。
【請求項２０】
アップリンク制御情報送信方法であって、
ダウンリンクサブフレームＮで、ダウンリンク制御チャネルを、ユーザ機器ＵＥによって受信するステップであって、前記ダウンリンク制御チャネルは、前記ＵＥの第１のサービングセルにおいて伝送され、前記ダウンリンク制御チャネルは、物理ダウンリンク制御チャネルＰＤＣＣＨ、又は、拡張物理ダウンリンク制御チャネルＥＰＤＣＣＨである、受信するステップと、
前記ダウンリンク制御チャネルに対応するハイブリッド自動再送要求確認応答が、前記ＵＥの第２のサービングセルで伝送された場合、前記ＵＥによって、前記ダウンリンク制御チャネルのダウンリンク制御情報ＤＣＩフォーマットにおける送信電力制御ＴＰＣコマンドフィールドに従って、物理アップリンク制御チャネルＰＵＣＣＨリソースを決定するステップと、
前記ダウンリンク制御チャネルに対応する前記ハイブリッド自動再送要求確認応答が、前記第１のサービングセルにおいて伝送された場合、前記ＵＥによって、前記ダウンリンク制御チャネルの前記ダウンリンク制御情報ＤＣＩフォーマットにおける前記送信電力制御ＴＰＣコマンドフィールドに従って、ＰＵＣＣＨの送信電力を決定するステップであって、前記第１のサービングセルの複信モードは、前記第２のサービングセルの複信モードとは異なる、決定するステップと、
前記ダウンリンク制御チャネルに対応する前記ハイブリッド自動再送要求確認応答を、前記ＰＵＣＣＨリソース又は前記ＰＵＣＣＨの前記送信電力に従って、前記ＰＵＣＣＨを使用することによって、前記ＵＥによって送信するステップと
を備える方法。
【請求項２１】
前記ダウンリンク制御チャネルは、前記第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用され、
前記ダウンリンク制御チャネルが、前記ＰＤＳＣＨ送信を示すために使用される場合、前記ダウンリンク制御チャネルに対応する前記ハイブリッド自動再送要求確認応答は、特に、前記ダウンリンク制御チャネルに対応するＰＤＳＣＨのハイブリッド自動再送要求確認応答であり、前記ダウンリンク制御チャネルが、前記ＳＰＳリリースを示すために使用される場合、前記ダウンリンク制御チャネルに対応する前記ハイブリッド自動再送要求確認応答は、特に、前記ＳＰＳリリースを示す前記ダウンリンク制御チャネルに対応するハイブリッド自動再送要求確認応答である、請求項２０に記載の方法。
【請求項２２】
前記第１のサービングセルが、前記ＵＥのプライマリサービングセルであり、前記第１のサービングセルの複信モードが、時分割複信ＴＤＤである場合、前記第２のサービングセルの複信モードは、周波数分割複信ＦＤＤであり、前記第２のサービングセルは、前記ＵＥの、最も小さなセルインデクスを有する、ＦＤＤセカンダリサービングセルである、請求項２０又は２１に記載の方法。
【請求項２３】
前記第１のサービングセルは、前記ＵＥのプライマリサービングセルであり、前記第１のサービングセルの複信モードは、時分割複信ＴＤＤであり、前記第２のサービングセルの複信モードは、周波数分割複信ＦＤＤであり、前記第２のサービングセルは、より高いレイヤシグナリングによって示される、前記ＰＵＣＣＨを送信するために使用される、セカンダリサービングセルである、請求項２０又は２１に記載の方法。
【請求項２４】
アップリンク制御情報送信方法であって、
基地局によって、ダウンリンクサブフレームＮで、ユーザ機器ＵＥへダウンリンク制御チャネルを送信するステップであって、前記ダウンリンクチャネルは、前記ＵＥの第１のサービングセルにおいて伝送され、前記ダウンリンク制御チャネルは、物理ダウンリンク制御チャネルＰＤＣＣＨ、又は、拡張物理ダウンリンク制御チャネルＥＰＤＣＣＨである、送信するステップと、
前記ダウンリンク制御チャネルに対応するハイブリッド自動再送要求確認応答が、前記ＵＥの第２のサービングセルで伝送された場合、前記基地局によって、前記ダウンリンク制御チャネルのダウンリンク制御情報ＤＣＩフォーマットにおける送信電力制御ＴＰＣコマンドフィールドを使用することによって、物理アップリンク制御チャネルＰＵＣＣＨリソースを示すステップと、
前記ダウンリンク制御チャネルに対応する前記ハイブリッド自動再送要求確認応答が、前記第１のサービングセルにおいて伝送された場合、前記基地局によって、前記ダウンリンク制御チャネルの前記ダウンリンク制御情報ＤＣＩフォーマットにおける送信電力制御ＴＰＣコマンドフィールドを使用することによって、ＰＵＣＣＨの送信電力を示すステップであって、前記第１のサービングセルの複信モードは、前記第２のサービングセルの複信モードとは異なる、示すステップと、
前記ＵＥによって送られ、前記ダウンリンク制御チャネルに対応する、前記ハイブリッド自動再送要求確認応答を、前記ＰＵＣＣＨリソースに従って、前記基地局によって受信するステップと、
を備える方法。
【請求項２５】
前記ダウンリンク制御チャネルは、前記第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用され、
前記ダウンリンク制御チャネルが、前記物理ダウンリンク共有チャネルＰＤＳＣＨ送信を示すために使用される場合、前記ダウンリンク制御チャネルに対応する前記ハイブリッド自動再送要求確認応答は、特に、前記ダウンリンク制御チャネルに対応するＰＤＳＣＨのハイブリッド自動再送要求確認応答であり、前記ダウンリンク制御チャネルが、前記ダウンリンクセミパーシステントスケジューリングＳＰＳリリースを示すために使用される場合、前記ダウンリンク制御チャネルに対応する前記ハイブリッド自動再送要求確認応答は、特に、前記ダウンリンクセミパーシステントスケジューリングＳＰＳリリースを示す前記ダウンリンク制御チャネルに対応するハイブリッド自動再送要求確認応答である、請求項２４に記載の方法。
【請求項２６】
前記第１のサービングセルは、前記ＵＥのプライマリサービングセルであり、前記第１のサービングセルの複信モードは、時分割複信ＴＤＤであり、前記第２のサービングセルの複信モードは、周波数分割複信ＦＤＤであり、前記第２のサービングセルは、前記ＵＥの、最も小さなセルインデクスを有する、ＦＤＤセカンダリサービングセルである、請求項２４又は２５に記載の方法。
【請求項２７】
前記第１のサービングセルが、前記ＵＥのプライマリサービングセルであり、前記第１のサービングセルの複信モードが、時分割複信ＴＤＤである場合、前記第２のサービングセルの複信モードは、周波数分割複信ＦＤＤであり、前記第２のサービングセルは、より高いレイヤシグナリングによって示される、前記ＰＵＣＣＨを送信するために使用される、セカンダリサービングセルである、請求項２４又は２５に記載の方法。
【請求項２８】
ユーザ機器ＵＥであって、
基地局によって送られたダウンリンク制御チャネルを、ダウンリンクサブフレームＮで受信するように構成された受信モジュールであって、前記ダウンリンク制御チャネルは、前記ＵＥの第１のサービングセルにおいて伝送される、受信モジュールと、
物理アップリンク制御チャネルＰＵＣＣＨを使用することによって、アップリンクサブフレームＮ＋４で、前記基地局へ、前記ダウンリンク制御チャネルに対応するハイブリッド自動再送要求確認応答を送信するように構成された送信モジュールであって、前記アップリンクサブフレームＮ＋４が、第１のアップリンクサブフレームセットに属する場合、前記ＰＵＣＣＨは、前記ＵＥの第２のサービングセルにおいて伝送され、前記アップリンクサブフレームＮ＋４が、第２のアップリンクサブフレームセットに属する場合、前記ＰＵＣＣＨは、前記第１のサービングセルにおいて伝送され、前記第１のサービングセルの複信モードは、前記第２のサービングセルの複信モードとは異なり、前記第１のアップリンクサブフレームセットに含まれたアップリンクサブフレームの量と、前記第２のアップリンクサブフレームセットに含まれたアップリンクサブフレームの量との合計は、無線フレームの量に等しく、前記第１のアップリンクサブフレームセットに含まれたアップリンクサブフレームと、前記第２のアップリンクサブフレームセットに含まれたアップリンクサブフレームとは、前記無線フレームにおける異なるサブフレームに対応する、送信モジュールと
を備えるユーザ機器。
【請求項２９】
前記第１のサービングセルの前記複信モードが、時分割複信ＴＤＤであり、前記第２のサービングセルの前記複信モードが、周波数分割複信ＦＤＤである場合、前記第２のアップリンクサブフレームセットに含まれた前記アップリンクサブフレームは、前記第１のサービングセルの、無線フレームにおける、アップリンクサブフレームに対応し、前記第１のアップリンクサブフレームセットに含まれた前記アップリンクサブフレームは、前記無線フレームにおける、前記第２のアップリンクサブフレームセットに含まれた前記アップリンクサブフレームを除く、他のアップリンクサブフレームに対応するか、又は、
前記第１のサービングセルの前記複信モードが、ＦＤＤであり、前記第２のサービングセルの前記複信モードが、ＴＤＤである場合、前記第１のアップリンクサブフレームセットに含まれた前記アップリンクサブフレームは、前記第１のサービングセルの、無線フレームにおける、アップリンクサブフレームに対応し、前記第２のアップリンクサブフレームセットに含まれた前記アップリンクサブフレームは、前記無線フレームにおける、前記第１のアップリンクサブフレームセットに含まれた前記アップリンクサブフレームを除く、他のアップリンクサブフレームに対応する、請求項２８に記載のユーザ機器。
【請求項３０】
前記ダウンリンク制御チャネルは、物理ダウンリンク制御チャネルＰＤＣＣＨ、又は、拡張物理ダウンリンク制御チャネルＥＰＤＣＣＨであり、前記ダウンリンク制御チャネルは、前記第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用され、
前記ダウンリンク制御チャネルが、前記ＰＤＳＣＨ送信を示すために使用される場合、前記ダウンリンク制御チャネルに対応する前記ハイブリッド自動再送要求確認応答は、特に、前記ダウンリンク制御チャネルに対応するＰＤＳＣＨのハイブリッド自動再送要求確認応答であり、前記ダウンリンク制御チャネルが、前記ＳＰＳリリースを示すために使用される場合、前記ダウンリンク制御チャネルに対応する前記ハイブリッド自動再送要求確認応答は、特に、前記ＳＰＳリリースを示す前記ダウンリンク制御チャネルに対応するハイブリッド自動再送要求確認応答である、請求項２８又は２９に記載のユーザ機器。
【請求項３１】
前記ＰＵＣＣＨのＰＵＣＣＨリソース及び／又はＰＵＣＣＨ送信電力を取得するように構成された取得モジュール
をさらに備える、請求項２８から３０のいずれか一項に記載のユーザ機器。
【請求項３２】
前記アップリンクサブフレームＮ＋４が、前記第１のアップリンクサブフレームセットに属する場合、前記取得モジュールは特に、
前記ダウンリンク制御チャネルのダウンリンク制御情報ＤＣＩフォーマットにおける送信電力制御ＴＰＣコマンドフィールドに従って、前記ＰＵＣＣＨリソースを決定するように構成された、請求項３１に記載のユーザ機器。
【請求項３３】
前記アップリンクサブフレームＮ＋４が、前記第２のアップリンクサブフレームセットに属する場合、前記取得モジュールは特に、
前記ダウンリンク制御チャネルの前記ダウンリンク制御情報ＤＣＩフォーマットにおける前記送信電力制御ＴＰＣコマンドフィールドに従って、前記ＰＵＣＣＨ送信電力を決定するように構成された、請求項３２に記載のユーザ機器。
【請求項３４】
基地局であって、
ダウンリンクサブフレームＮで、ユーザ機器ＵＥへダウンリンク制御チャネルを送信するように構成された送信モジュールであって、前記ダウンリンク制御チャネルは、前記ＵＥの第１のサービングセルにおいて伝送される、送信モジュールと、
物理アップリンク制御チャネルＰＵＣＣＨを使用することによって前記ＵＥによって送られ、前記ダウンリンク制御チャネルに対応する、ハイブリッド自動再送要求確認応答を、アップリンクサブフレームＮ＋４で受信するように構成された受信モジュールであって、前記アップリンクサブフレームＮ＋４が、第１のアップリンクサブフレームセットに属する場合、前記ＰＵＣＣＨは、前記ＵＥの第２のサービングセルにおいて伝送され、前記アップリンクサブフレームＮ＋４が、第２のアップリンクサブフレームセットに属する場合、前記ＰＵＣＣＨは、前記第１のサービングセルにおいて伝送され、前記第１のサービングセルの複信モードは、前記第２のサービングセルの複信モードとは異なり、前記第１のアップリンクサブフレームセットに含まれたアップリンクサブフレームの量と、前記第２のアップリンクサブフレームセットに含まれたアップリンクサブフレームの量との合計は、無線フレームの量に等しく、前記第１のアップリンクサブフレームセットに含まれたアップリンクサブフレームと、前記第２のアップリンクサブフレームセットに含まれたアップリンクサブフレームとは、前記無線フレームにおける異なるサブフレームに対応する、受信モジュールと
を備える基地局。
【請求項３５】
前記第１のサービングセルの前記複信モードが、時分割複信ＴＤＤであり、前記第２のサービングセルの前記複信モードが、周波数分割複信ＦＤＤである場合、前記第２のアップリンクサブフレームセットに含まれた前記アップリンクサブフレームは、前記第１のサービングセルの、無線フレームにおける、アップリンクサブフレームに対応し、前記第１のアップリンクサブフレームセットに含まれた前記アップリンクサブフレームは、前記無線フレームにおける、前記第２のアップリンクサブフレームセットに含まれた前記アップリンクサブフレームを除く、他のアップリンクサブフレームに対応するか、又は、
前記第１のサービングセルの前記複信モードが、ＦＤＤであり、前記第２のサービングセルの前記複信モードが、ＴＤＤである場合、前記第１のアップリンクサブフレームセットに含まれた前記アップリンクサブフレームは、前記第１のサービングセルの、無線フレームにおける、アップリンクサブフレームに対応し、前記第２のアップリンクサブフレームセットに含まれた前記アップリンクサブフレームは、前記無線フレームにおける、前記第１のアップリンクサブフレームセットに含まれた前記アップリンクサブフレームを除く、他のアップリンクサブフレームに対応する、請求項３４に記載の基地局。
【請求項３６】
前記ダウンリンク制御チャネルは、物理ダウンリンク制御チャネルＰＤＣＣＨ、又は、拡張物理ダウンリンク制御チャネルＥＰＤＣＣＨであり、前記ダウンリンク制御チャネルは、前記第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用され、
前記ダウンリンク制御チャネルが、前記ＰＤＳＣＨ送信を示すために使用される場合、前記ダウンリンク制御チャネルに対応する前記ハイブリッド自動再送要求確認応答は、特に、前記ダウンリンク制御チャネルに対応するＰＤＳＣＨのハイブリッド自動再送要求確認応答であり、前記ダウンリンク制御チャネルが、前記ＳＰＳリリースを示すために使用される場合、前記ダウンリンク制御チャネルに対応する前記ハイブリッド自動再送要求確認応答は、特に、前記ＳＰＳリリースを示すダウンリンク制御チャネルに対応するハイブリッド自動再送要求確認応答である、請求項３４又は３５に記載の基地局。
【請求項３７】
ユーザ機器ＵＥであって、
ダウンリンクサブフレームＮでダウンリンク制御チャネルを受信するように構成された受信モジュールであって、前記ダウンリンク制御チャネルは、前記ＵＥの第１のサービングセルにおいて伝送され、前記第１のサービングセルの複信モードは、時分割複信ＴＤＤである、受信モジュールと、
物理アップリンク制御チャネルＰＵＣＣＨを使用することによって、前記ダウンリンク制御チャネルに対応するハイブリッド自動再送要求確認応答を、アップリンクサブフレームＮ＋４で送信するように構成された送信モジュールであって、前記ＰＵＣＣＨは前記ＵＥの第２のサービングセルにおいて伝送され、前記第２のサービングセルの複信モードは、周波数分割複信ＦＤＤである、送信モジュールと
を備えるユーザ機器。
【請求項３８】
前記ダウンリンク制御チャネルは、物理ダウンリンク制御チャネルＰＤＣＣＨ、又は、拡張物理ダウンリンク制御チャネルＥＰＤＣＣＨであり、前記ダウンリンク制御チャネルは、前記第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用され、
前記ダウンリンク制御チャネルが、前記ＰＤＳＣＨ送信を示すために使用される場合、前記ダウンリンク制御チャネルに対応する前記ハイブリッド自動再送要求確認応答は、特に、前記ダウンリンク制御チャネルに対応するＰＤＳＣＨのハイブリッド自動再送要求確認応答であり、前記ダウンリンク制御チャネルが、前記ＳＰＳリリースを示すために使用される場合、前記ダウンリンク制御チャネルに対応する前記ハイブリッド自動再送要求確認応答は、特に、前記ＳＰＳリリースを示すダウンリンク制御チャネルに対応するハイブリッド自動再送要求確認応答である、請求項３７に記載のユーザ機器。
【請求項３９】
前記ＰＵＣＣＨのＰＵＣＣＨリソースを取得するように構成された取得モジュール
をさらに備える、請求項３７又は３８に記載のユーザ機器。
【請求項４０】
前記取得ユニットは特に、
前記ダウンリンク制御チャネルのダウンリンク制御情報ＤＣＩフォーマットにおけるダウンリンク割当インジケーションＤＡＩ又は送信電力制御ＴＰＣコマンドに従って、前記ＰＵＣＣＨリソースを決定するように構成された、請求項３９に記載のユーザ機器。
【請求項４１】
前記第１のサービングセルが、前記ＵＥのプライマリサービングセルであり、前記第２のサービングセルが、前記ＵＥのセカンダリサービングセルである、請求項３８から４０のいずれか一項に記載のユーザ機器。
【請求項４２】
前記第２のサービングセルは、前記ＵＥの、最も小さなセルインデクスを有する、ＦＤＤセカンダリサービングセルであるか、又は、前記第２のサービングセルは、より高いレイヤシグナリングによって示される、前記ＰＵＣＣＨを送信するために使用される、セカンダリサービングセルである、請求項４１に記載のユーザ機器。
【請求項４３】
基地局であって、
ダウンリンクサブフレームＮで、ユーザ機器ＵＥへダウンリンク制御チャネルを送信するように構成された送信モジュールであって、前記ダウンリンク制御チャネルは、前記ＵＥの第１のサービングセルにおいて伝送され、前記第１のサービングセルの複信モードは、時分割複信ＴＤＤであり、前記ダウンリンク制御チャネルのダウンリンク制御情報ＤＣＩフォーマットにおけるダウンリンク割当インジケーションＤＡＩ又は送信電力制御ＴＰＣコマンドは、物理アップリンク制御チャネルＰＵＣＣＨリソースを示すために使用される、送信モジュールと、
ＰＵＣＣＨを使用することによって前記ＵＥによって送られ、前記ダウンリンク制御チャネルに対応する、ハイブリッド自動再送要求確認応答を、前記ＰＵＣＣＨリソースに従って、アップリンクサブフレームＮ＋４で受信するように構成された受信モジュールであって、前記ＰＵＣＣＨは前記ＵＥの第２のサービングセルにおいて伝送され、前記第２のサービングセルの複信モードは、周波数分割複信ＦＤＤである、受信モジュールと
を備える基地局。
【請求項４４】
前記ダウンリンク制御チャネルは、物理ダウンリンク制御チャネルＰＤＣＣＨ、又は、拡張物理ダウンリンク制御チャネルＥＰＤＣＣＨであり、前記ダウンリンク制御チャネルは、前記第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用され、
前記ダウンリンク制御チャネルが、前記ＰＤＳＣＨ送信を示すために使用される場合、前記ダウンリンク制御チャネルに対応する前記ハイブリッド自動再送要求確認応答は、特に、前記ダウンリンク制御チャネルに対応するＰＤＳＣＨのハイブリッド自動再送要求確認応答であり、前記ダウンリンク制御チャネルが、前記ＳＰＳリリースを示すために使用される場合、前記ダウンリンク制御チャネルに対応する前記ハイブリッド自動再送要求確認応答は、特に、前記ＳＰＳリリースを示す前記ダウンリンク制御チャネルに対応するハイブリッド自動再送要求確認応答である、請求項４３に記載の基地局。
【請求項４５】
前記第１のサービングセルが、前記ＵＥのプライマリサービングセルであり、前記第２のサービングセルが、前記ＵＥのセカンダリサービングセルである、請求項４３又は４４に記載の基地局。
【請求項４６】
前記第２のサービングセルは、前記ＵＥの、最も小さなセルインデクスを有する、ＦＤＤセカンダリサービングセルであるか、又は、前記第２のサービングセルは、より高いレイヤシグナリングを使用することによって前記基地局によって示される、前記ＰＵＣＣＨを送信するために使用される、セカンダリサービングセルである、請求項４５に記載の基地局。
【請求項４７】
ユーザ機器ＵＥであって、
ダウンリンクサブフレームＮでダウンリンク制御チャネルを受信するように構成された受信モジュールであって、前記ダウンリンク制御チャネルは、前記ＵＥの第１のサービングセルにおいて伝送され、前記ダウンリンク制御チャネルは、物理ダウンリンク制御チャネルＰＤＣＣＨ、又は、拡張物理ダウンリンク制御チャネルＥＰＤＣＣＨである、受信モジュールと、
前記ダウンリンク制御チャネルに対応するハイブリッド自動再送要求確認応答が、前記ＵＥの第２のサービングセルで伝送された場合、前記ＵＥによって、前記ダウンリンク制御チャネルのダウンリンク制御情報ＤＣＩフォーマットにおける送信電力制御ＴＰＣコマンドフィールドに従って、物理アップリンク制御チャネルＰＵＣＣＨリソースを決定し、前記ダウンリンク制御チャネルに対応する前記ハイブリッド自動再送要求確認応答が、前記第１のサービングセルで伝送された場合、前記ＵＥによって、前記ダウンリンク制御チャネルの前記ダウンリンク制御情報ＤＣＩフォーマットにおける前記送信電力制御ＴＰＣコマンドフィールドに従って、ＰＵＣＣＨの送信電力を決定するように構成された決定モジュールであって、前記第１のサービングセルの複信モードは、前記第２のサービングセルの複信モードとは異なる、決定モジュールと、
前記ダウンリンク制御チャネルに対応する前記ハイブリッド自動再送要求確認応答を、前記ＰＵＣＣＨリソース又は前記ＰＵＣＣＨの前記送信電力に従って、前記ＰＵＣＣＨを使用することによって送信するように構成された送信モジュールと
を備えるユーザ機器。
【請求項４８】
前記ダウンリンク制御チャネルは、前記第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用され、
前記ダウンリンク制御チャネルが、前記ＰＤＳＣＨ送信を示すために使用される場合、前記ダウンリンク制御チャネルに対応する前記ハイブリッド自動再送要求確認応答は、特に、前記ダウンリンク制御チャネルに対応するＰＤＳＣＨのハイブリッド自動再送要求確認応答であり、前記ダウンリンク制御チャネルが、前記ＳＰＳリリースを示すために使用される場合、前記ダウンリンク制御チャネルに対応する前記ハイブリッド自動再送要求確認応答は、特に、前記ＳＰＳリリースを示す前記ダウンリンク制御チャネルに対応するハイブリッド自動再送要求確認応答である、請求項４７に記載のユーザ機器。
【請求項４９】
前記第１のサービングセルは、前記ＵＥのプライマリサービングセルであり、前記第１のサービングセルの複信モードは、時分割複信ＴＤＤであり、前記第２のサービングセルの複信モードは、周波数分割複信ＦＤＤであり、前記第２のサービングセルは、前記ＵＥの、最も小さなセルインデクスを有する、ＦＤＤセカンダリサービングセルである、請求項４７又は４８に記載のユーザ機器。
【請求項５０】
前記第１のサービングセルは、前記ＵＥのプライマリサービングセルであり、前記第１のサービングセルの複信モードは、時分割複信ＴＤＤであり、前記第２のサービングセルの複信モードは、周波数分割複信ＦＤＤであり、前記第２のサービングセルは、より高いレイヤシグナリングによって示される、前記ＰＵＣＣＨを送信するために使用される、セカンダリサービングセルである、請求項４７又は４８に記載のユーザ機器。
【請求項５１】
基地局であって、
ダウンリンクサブフレームＮで、ユーザ機器ＵＥへダウンリンク制御チャネルを送信するように構成された送信モジュールであって、前記ダウンリンクチャネルは、前記ＵＥの第１のサービングセルにおいて伝送され、前記ダウンリンク制御チャネルは、物理ダウンリンク制御チャネルＰＤＣＣＨ、又は、拡張物理ダウンリンク制御チャネルＥＰＤＣＣＨである、送信モジュールと、
前記ダウンリンク制御チャネルに対応するハイブリッド自動再送要求確認応答が、前記ＵＥの第２のサービングセルで伝送された場合、前記ダウンリンク制御チャネルのダウンリンク制御情報ＤＣＩフォーマットにおける送信電力制御ＴＰＣコマンドフィールドを使用することによって、物理アップリンク制御チャネルＰＵＣＣＨリソースを示し、
前記ダウンリンク制御チャネルに対応する前記ハイブリッド自動再送要求確認応答が、前記第１のサービングセルで伝送された場合、前記ダウンリンク制御チャネルの前記ダウンリンク制御情報ＤＣＩフォーマットにおける前記送信電力制御ＴＰＣコマンドフィールドを使用することによって、ＰＵＣＣＨの送信電力を示すように構成されたインジケーションモジュールであって、前記第１のサービングセルの複信モードは、前記第２のサービングセルの複信モードとは異なる、インジケーションモジュールと、
前記ＵＥによって送られ、前記ダウンリンク制御チャネルに対応する、前記ハイブリッド自動再送要求確認応答を、前記ＰＵＣＣＨリソースに従って受信するように構成された送信モジュールと
を備える基地局。
【請求項５２】
前記ダウンリンク制御チャネルは、前記第１のサービングセルで伝送された物理ダウンリンク共有チャネルＰＤＳＣＨ送信を示すために使用されるか、又は、ダウンリンクセミパーシステントスケジューリングＳＰＳリリースを示すために使用され、
前記ダウンリンク制御チャネルが、前記物理ダウンリンク共有チャネルＰＤＳＣＨ送信を示すために使用される場合、前記ダウンリンク制御チャネルに対応する前記ハイブリッド自動再送要求確認応答は、特に、前記ダウンリンク制御チャネルに対応するＰＤＳＣＨのハイブリッド自動再送要求確認応答であり、前記ダウンリンク制御チャネルが、前記ダウンリンクセミパーシステントスケジューリングＳＰＳリリースを示すために使用される場合、前記ダウンリンク制御チャネルに対応する前記ハイブリッド自動再送要求確認応答は、特に、前記ダウンリンクセミパーシステントスケジューリングＳＰＳリリースを示す前記ダウンリンク制御チャネルに対応するハイブリッド自動再送要求確認応答である、請求項５１に記載の基地局。
【請求項５３】
前記第１のサービングセルは、前記ＵＥのプライマリサービングセルであり、前記第１のサービングセルの複信モードは、時分割複信ＴＤＤであり、前記第２のサービングセルの複信モードは、周波数分割複信ＦＤＤであり、前記第２のサービングセルは、前記ＵＥの、最も小さなセルインデクスを有する、ＦＤＤセカンダリサービングセルである、請求項５１又は５２に記載の基地局。
【請求項５４】
前記第１のサービングセルは、前記ＵＥのプライマリサービングセルであり、前記第１のサービングセルの複信モードは、時分割複信ＴＤＤであり、前記第２のサービングセルの複信モードは、周波数分割複信ＦＤＤであり、前記第２のサービングセルは、より高いレイヤシグナリングによって示される、前記ＰＵＣＣＨを送信するために使用される、セカンダリサービングセルである、請求項５１又は５２に記載の基地局。
【発明の詳細な説明】
【技術分野】
【０００１】
本発明の実施形態は、データ通信技術に関し、特に、アップリンク制御情報送信方法、基地局、及びユーザ機器に関する。
【背景技術】
【０００２】
第３世代パートナシッププロジェクトロングタームエボリューション（Ｇｅｎｅｒａｔｉｏｎ  Ｐａｒｔｎｅｒｓｈｉｐ  Ｐｒｏｊｅｃｔ  ＬＴＥ  Ｌｏｎｇ  Ｔｅｒｍ  Ｅｖｏｌｕｔｉｏｎ，略して３ＧＰＰ  ＬＴＥ）システムは、２つのワーキングモード、すなわち周波数分割複信（Ｆｒｅｑｕｅｎｃｙ  Ｄｉｖｉｓｉｏｎ  Ｄｕｐｌｅｘｉｎｇ，略してＦＤＤ）と、時分割複信（Ｔｉｍｅ  Ｄｉｖｉｓｉｏｎ  Ｄｕｐｌｅｘｉｎｇ，略してＴＤＤ）とを含む。３ＧＰＰ  ＬＴＥシステムでは、ハイブリッド自動再送をサポートするために、端末は、物理アップリンク制御チャネル（Ｐｈｙｓｉｃａｌ  Ｕｐｌｉｎｋ  Ｃｏｎｔｒｏｌ  Ｃｈａｎｎｅｌ，略してＰＵＣＣＨ）と物理アップリンク共有チャネル（Ｐｈｙｓｉｃａｌ  Ｕｐｌｉｎｋ  Ｓｈａｒｅｄ  Ｃｈａｎｎｅｌ，略してＰＵＳＣＨ）とを使用することによって、ハイブリッド自動再送要求確認応答（Ｈｙｂｒｉｄ  Ａｕｔｏｍａｔｉｃ  Ｒｅｐｅａｔ  ｒｅｑｕｅｓｔ−Ａｃｋｎｏｗｌｅｄｇｅｍｅｎｔ，略してＨＡＲＱ−ＡＣＫ）を、基地局へフィードバックする必要がある。端末が基地局へ確認応答（Ａｃｋｎｏｗｌｅｄｇｅｍｅｎｔ，略してＡＣＫ）をフィードバックする場合、それは、端末が正しくメッセージを受信したことを示す。端末が基地局へ否定的確認応答（Ｎｅｇａｔｉｖｅ  Ａｃｋｎｏｗｌｅｄｇｅｍｅｎｔ，略してＮＡＣＫ）をフィードバックする場合、それは、端末における正しくない受信を示し、基地局は再送信を実行する必要がある。
【０００３】
３ＧＰＰ  ＬＴＥ  Ｒｅｌ  １０／１１では、第４世代通信技術のピークデータレートに関する国際電気通信連合の要件を満足するために、キャリアアグリゲーション（Ｃａｒｒｉｅｒ  Ａｇｇｒｅｇａｔｉｏｎ，略してＣＡ）が導入される。アグリゲートされたキャリアは、コンポーネントキャリア（Ｃｏｍｐｏｎｅｎｔ  Ｃａｒｒｉｅｒ，略してＣＣ）と称され、サービングセルとも称される。キャリアアグリゲーション技術では、より高い帯域幅を提供するために、２つ以上のコンポーネントキャリアがアグリゲートされる。ＬＴＥ  Ｒｅｌ−８／９では、ユーザ機器（ＵＥ）は、データ送受信を実行するために、１つのコンポーネントキャリアにのみアクセスし得る一方、ＬＴＥ−Ａでは、ＵＥは、データ送受信を実行するために、ＵＥの能力とサービス要件に従って、複数のコンポーネントキャリアにアクセスし得る。既存のキャリアアグリゲーションシステムでは、一般に、同じ基地局（Ｅｖｏｌｖｅｄ  ＮｏｄｅＢ，略してｅＮＢ）に配備されているキャリアがアグリゲートされるか、又は、理想的なバックホールリンク（Ｂａｃｋｈａｕｌ）を有するマクロセル及びミクロセルの下でキャリアがアグリゲートされる。既存のＣＡシステムでは、ハイブリッド自動再送要求確認応答情報は、プライマリキャリアのみにおいて送られ、アグリゲートされたコンポーネントキャリアの複信モードは同じであり、ＦＤＤ又はＴＤＤである。
【０００４】
後続するＬＴＥシステムでは、キャリアアグリゲーションは、異なる複信モードのアグリゲーションをサポートするために発展し得る。すなわち、アグリゲートされたコンポーネントキャリアの複信モードは異なり得、たとえば、いくつかのコンポーネントキャリアの複信モードはＦＤＤであり、他のコンポーネントキャリアの複信モードはＴＤＤである。既存のＣＡシステムでは、ＨＡＲＱ−ＡＣＫは、プライマリキャリアにおいてのみ送られ、異なる複信モードのアグリゲーションの場合、プライマリキャリアは、ＦＤＤキャリア又はＴＤＤキャリアであり得る。この発展方向では、プライマリキャリアがＴＤＤキャリアであり、別のコンポーネントキャリアがＦＤＤキャリアであれば、ＦＤＤキャリアに対応するＨＡＲＱ−ＡＣＫもまた、ＴＤＤキャリアへフィードバックされる必要がある。既存のシステムでは、ＦＤＤキャリアの場合、ＦＤＤキャリアのＨＡＲＱ−ＡＣＫタイミングはｎ＋４である。すなわち、ダウンリンクサブフレームｎで送信されたＰＤＳＣＨに対応するＨＡＲＱ−ＡＣＫが、アップリンクサブフレームｎ＋４でフィードバックされる。しかしながら、ＦＤＤキャリアに対応するＨＡＲＱ−ＡＣＫが、ＴＤＤキャリアでフィードバックされるのであれば、ＴＤＤキャリアにおける無線フレームのいくつかのサブフレームしか、アップリンク送信のために使用されないので、既存のＦＤＤのＨＡＲＱ−ＡＣＫタイミングが使用されるのであれば、いくつかのＦＤＤキャリアにおけるダウンリンクサブフレームについては、ＨＡＲＱ−ＡＣＫをフィードバックするために使用される対応するアップリンクサブフレームは存在しない。これらのダウンリンクサブフレームがスケジュールされないのであれば、リソースが浪費され得る。したがって、異なる複信モードのキャリアのアグリゲーション中に、どのようにしてＨＡＲＱ−ＡＣＫを送信するのかが、解決される必要がある。
【発明の概要】
【発明が解決しようとする課題】
【０００５】
本発明の実施形態は、複信モードのキャリアのアグリゲーション中に、どのようにしてＨＡＲＱ−ＡＣＫを送信するのかという問題を解決するような、アップリンク制御情報送信方法、基地局、及びユーザ機器を提供する。
【課題を解決するための手段】
【０００６】
本発明の第１の態様は、基地局によって送られたダウンリンク制御チャネルを、ダウンリンクサブフレームＮで、ユーザ機器ＵＥによって受信するステップであって、ダウンリンク制御チャネルは、ＵＥの第１のサービングセルにおいて伝送される、受信するステップと、
ダウンリンク制御チャネルに対応するハイブリッド自動再送要求確認応答を、ＵＥによって、物理アップリンク制御チャネルＰＵＣＣＨを使用することによって、アップリンクサブフレームＮ＋４で基地局へ送信するステップであって、アップリンクサブフレームＮ＋４が、第１のアップリンクサブフレームセットに属する場合、ＰＵＣＣＨは、ＵＥの第２のサービングセルにおいて伝送され、アップリンクサブフレームＮ＋４が、第２のアップリンクサブフレームセットに属する場合、ＰＵＣＣＨは、第１のサービングセルにおいて伝送され、第１のサービングセルの複信モードは、第２のサービングセルの複信モードとは異なり、第１のアップリンクサブフレームセットに含まれたアップリンクサブフレームの量と、第２のアップリンクサブフレームセットに含まれたアップリンクサブフレームの量との合計が、無線フレームの量に等しく、第１のアップリンクサブフレームセットに含まれたアップリンクサブフレームと、第２のアップリンクサブフレームセットに含まれたアップリンクサブフレームとは、無線フレームにおける異なるサブフレームに対応する、送信するステップと、を含むアップリンク制御情報送信方法を提供する。
【０００７】
本発明の第１の態様の第１の可能な実施方式では、第１のサービングセルの複信モードが、時分割複信ＴＤＤであり、第２のサービングセルの複信モードが、周波数分割複信ＦＤＤである場合、第２のアップリンクサブフレームセットに含まれたアップリンクサブフレームは、第１のサービングセルの、無線フレームにおける、アップリンクサブフレームに対応し、第１のアップリンクサブフレームセットに含まれたアップリンクサブフレームは、無線フレームにおける、第２のアップリンクサブフレームセットに含まれたアップリンクサブフレームを除く、他のアップリンクサブフレームに対応するか、又は、
第１のサービングセルの複信モードが、ＦＤＤであり、第２のサービングセルの複信モードが、ＴＤＤである場合、第１のアップリンクサブフレームセットに含まれたアップリンクサブフレームは、第１のサービングセルの、無線フレームにおける、アップリンクサブフレームに対応し、第２のアップリンクサブフレームセットに含まれたアップリンクサブフレームは、無線フレームにおける、第１のアップリンクサブフレームセットに含まれたアップリンクサブフレームを除く、他のアップリンクサブフレームに対応する。
【０００８】
本発明の第１の態様、及び、第１の態様の第１の可能な実施方式を参照して、本発明の第１の態様の第２の可能な実施方式では、ダウンリンク制御チャネルは、物理ダウンリンク制御チャネルＰＤＣＣＨ、又は、拡張物理ダウンリンク制御チャネルＥＰＤＣＣＨであり、ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用され、
ダウンリンク制御チャネルが、ＰＤＳＣＨ送信を示すために使用される場合、ダウンリンク制御チャネルに対応するハイブリッド自動再送要求確認応答は、特に、ダウンリンク制御チャネルに対応するＰＤＳＣＨのハイブリッド自動再送要求確認応答であり、ダウンリンク制御チャネルが、ＳＰＳリリースを示すために使用される場合、ダウンリンク制御チャネルに対応するハイブリッド自動再送要求確認応答は、特に、ＳＰＳリリースを示すダウンリンク制御チャネルに対応するハイブリッド自動再送要求確認応答である。
【０００９】
本発明の第１の態様、並びに、第１の態様の第１及び第２の可能な実施方式を参照して、本発明の第１の態様の第３の可能な実施方式では、ＵＥによって、物理アップリンク制御チャネルＰＵＣＣＨを使用することによって、ダウンリンク制御チャネルに対応するハイブリッド自動再送要求確認応答を、アップリンクサブフレームＮ＋４で、基地局へ送信する前に、方法はさらに、
ＵＥによって、ＰＵＣＣＨのＰＵＣＣＨリソース及び／又はＰＵＣＣＨ送信電力を取得するステップを含む。
【００１０】
本発明の第１の態様の第４の可能な実施方式では、アップリンクサブフレームＮ＋４が、第１のアップリンクサブフレームセットに属する場合、ＵＥによって、ＰＵＣＣＨのＰＵＣＣＨリソースを取得するステップは、
ＵＥによって、ダウンリンク制御チャネルのダウンリンク制御情報ＤＣＩフォーマットにおける送信電力制御ＴＰＣコマンドフィールドに従って、ＰＵＣＣＨリソースを決定するステップ、を含む。
【００１１】
本発明の第１の態様の第５の可能な実施方式では、アップリンクサブフレームＮ＋４が、第２のアップリンクサブフレームセットに属する場合、ＵＥによって、ＰＵＣＣＨのＰＵＣＣＨ送信電力を取得するステップは、
ＵＥによって、ダウンリンク制御チャネルのダウンリンク制御情報ＤＣＩフォーマットにおける送信電力制御ＴＰＣコマンドフィールドに従って、ＰＵＣＣＨ送信電力を決定するステップ、を含む。
【００１２】
本発明の第２の態様は、
基地局によって、ダウンリンクサブフレームＮで、ユーザ機器ＵＥへダウンリンク制御チャネルを送信するステップであって、ダウンリンク制御チャネルは、ＵＥの第１のサービングセルにおいて伝送される、送信するステップと、
物理アップリンク制御チャネルＰＵＣＣＨを使用することによってＵＥによって送られ、ダウンリンク制御チャネルに対応するハイブリッド自動再送要求確認応答を、アップリンクサブフレームＮ＋４で、基地局によって受信するステップであって、アップリンクサブフレームＮ＋４が、第１のアップリンクサブフレームセットに属する場合、ＰＵＣＣＨは、ＵＥの第２のサービングセルにおいて伝送され、アップリンクサブフレームＮ＋４が、第２のアップリンクサブフレームセットに属する場合、ＰＵＣＣＨは、第１のサービングセルにおいて伝送され、第１のサービングセルの複信モードは、第２のサービングセルの複信モードとは異なり、第１のアップリンクサブフレームセットに含まれたアップリンクサブフレームの量と、第２のアップリンクサブフレームセットに含まれたアップリンクサブフレームの量との合計が、無線フレームの量に等しく、第１のアップリンクサブフレームセットに含まれたアップリンクサブフレームと、第２のアップリンクサブフレームセットに含まれたアップリンクサブフレームとは、無線フレームにおける異なるサブフレームに対応する、受信するステップと、を含むアップリンク制御情報送信方法を提供する。
【００１３】
本発明の第２の態様の第１の可能な実施方式では、第１のサービングセルの複信モードが、時分割複信ＴＤＤであり、第２のサービングセルの複信モードが、周波数分割複信ＦＤＤである場合、第２のアップリンクサブフレームセットに含まれたアップリンクサブフレームは、第１のサービングセルの、無線フレームにおける、アップリンクサブフレームに対応し、第１のアップリンクサブフレームセットに含まれたアップリンクサブフレームは、無線フレームにおける、第２のアップリンクサブフレームセットに含まれたアップリンクサブフレームを除く、他のアップリンクサブフレームに対応するか、又は、
第１のサービングセルの複信モードが、ＦＤＤであり、第２のサービングセルの複信モードが、ＴＤＤである場合、第１のアップリンクサブフレームセットに含まれたアップリンクサブフレームは、第１のサービングセルの、無線フレームにおけるアップリンクサブフレームに対応し、第２のアップリンクサブフレームセットに含まれたアップリンクサブフレームは、無線フレームにおける、第１のアップリンクサブフレームセットに含まれたアップリンクサブフレームを除く、他のアップリンクサブフレームに対応する。
【００１４】
本発明の第２の態様、及び、第２の態様の第１の可能な実施方式を参照して、本発明の第２の態様の第２の可能な実施方式では、ダウンリンク制御チャネルは、物理ダウンリンク制御チャネルＰＤＣＣＨ、又は、拡張物理ダウンリンク制御チャネルＥＰＤＣＣＨであり、ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用され、
ダウンリンク制御チャネルが、ＰＤＳＣＨ送信を示すために使用される場合、ダウンリンク制御チャネルに対応するハイブリッド自動再送要求確認応答は、特に、ダウンリンク制御チャネルに対応するＰＤＳＣＨのハイブリッド自動再送要求確認応答であり、ダウンリンク制御チャネルが、ＳＰＳリリースを示すために使用される場合、ダウンリンク制御チャネルに対応するハイブリッド自動再送要求確認応答は、特に、ＳＰＳリリースを示すダウンリンク制御チャネルに対応するハイブリッド自動再送要求確認応答である。
【００１５】
本発明の第３の態様は、
ダウンリンクサブフレームＮで、ダウンリンク制御チャネルを、ユーザ機器ＵＥによって受信するステップであって、ダウンリンク制御チャネルは、ＵＥの第１のサービングセルにおいて伝送され、第１のサービングセルの複信モードは、時分割複信ＴＤＤである、受信するステップと、
ダウンリンク制御チャネルに対応するハイブリッド自動再送要求確認応答を、物理アップリンク制御チャネルＰＵＣＣＨを使用することによって、アップリンクサブフレームＮ＋４で、ＵＥによって送信するステップであって、ＰＵＣＣＨは、ＵＥの第２のサービングセルにおいて伝送され、第２のサービングセルの複信モードは、周波数分割複信ＦＤＤである、送信するステップと、を含むアップリンク制御情報送信方法を提供する。
【００１６】
本発明の第３の態様の第１の可能な実施方式では、ダウンリンク制御チャネルは、物理ダウンリンク制御チャネルＰＤＣＣＨ、又は、拡張物理ダウンリンク制御チャネルＥＰＤＣＣＨであり、ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用され、
ダウンリンク制御チャネルが、ＰＤＳＣＨ送信を示すために使用される場合、ダウンリンク制御チャネルに対応するハイブリッド自動再送要求確認応答は、特に、ダウンリンク制御チャネルに対応するＰＤＳＣＨのハイブリッド自動再送要求確認応答であり、ダウンリンク制御チャネルが、ＳＰＳリリースを示すために使用される場合、ダウンリンク制御チャネルに対応するハイブリッド自動再送要求確認応答は、特に、ＳＰＳリリースを示すダウンリンク制御チャネルに対応するハイブリッド自動再送要求確認応答である。
【００１７】
本発明の第３の態様、及び、第３の態様の第１の可能な実施方式を参照して、本発明の第３の態様の第２の可能な実施方式では、ＵＥによって、物理アップリンク制御チャネルＰＵＣＣＨを使用することによって、ダウンリンク制御チャネルに対応するハイブリッド自動再送要求確認応答を、アップリンクサブフレームＮ＋４で送信する前に、方法はさらに、
ＵＥによって、ＰＵＣＣＨのＰＵＣＣＨリソースを取得するステップを含む。
【００１８】
本発明の第３の態様の第３の可能な実施方式では、ＵＥによって、ＰＵＣＣＨのＰＵＣＣＨリソースを取得するステップは、
ＵＥによって、ダウンリンク制御チャネルのダウンリンク制御情報ＤＣＩフォーマットにおけるダウンリンク割当インジケーションＤＡＩ又は送信電力制御ＴＰＣコマンドに従って、ＰＵＣＣＨリソースを決定するステップを含む。
【００１９】
本発明の第３の態様、及び、第３の態様の第１乃至第３の可能な実施方式を参照して、本発明の第３の態様の第４の可能な実施方式では、第１のサービングセルは、ＵＥのプライマリサービングセルであり、第２のサービングセルは、ＵＥのセカンダリサービングセルである。
【００２０】
本発明の第３の態様の第５の可能な実施方式では、第２のサービングセルは、ＵＥの、最も小さなセルインデクスを有する、ＦＤＤセカンダリサービングセルであるか、又は、第２のサービングセルは、より高いレイヤシグナリングによって示される、ＰＵＣＣＨを送信するために使用される、セカンダリサービングセルである。
【００２１】
本発明の第４の態様は、
基地局によって、ダウンリンクサブフレームＮで、ユーザ機器ＵＥへダウンリンク制御チャネルを送信するステップであって、ダウンリンク制御チャネルは、ＵＥの第１のサービングセルにおいて伝送され、第１のサービングセルの複信モードは、時分割複信ＴＤＤであり、ダウンリンク制御チャネルのダウンリンク制御情報ＤＣＩフォーマットにおけるダウンリンク割当インジケーションＤＡＩ又は送信電力制御ＴＰＣコマンドは、物理アップリンク制御チャネルＰＵＣＣＨリソースを示すために使用される、送信するステップと、
ＰＵＣＣＨを使用することによってＵＥによって送られ、ダウンリンク制御チャネルに対応するハイブリッド自動再送要求確認応答を、ＰＵＣＣＨリソースに従って、アップリンクサブフレームＮ＋４で、基地局によって受信するステップであって、ＰＵＣＣＨはＵＥの第２のサービングセルにおいて伝送され、第２のサービングセルの複信モードは、周波数分割複信ＦＤＤである、受信するステップと、を含むアップリンク制御情報送信方法を提供する。
【００２２】
本発明の第４の態様の第１の可能な実施方式では、ダウンリンク制御チャネルは、物理ダウンリンク制御チャネルＰＤＣＣＨ、又は、拡張物理ダウンリンク制御チャネルＥＰＤＣＣＨであり、ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用され、
ダウンリンク制御チャネルが、ＰＤＳＣＨ送信を示すために使用される場合、ダウンリンク制御チャネルに対応するハイブリッド自動再送要求確認応答は、特に、ダウンリンク制御チャネルに対応するＰＤＳＣＨのハイブリッド自動再送要求確認応答であり、ダウンリンク制御チャネルが、ＳＰＳリリースを示すために使用される場合、ダウンリンク制御チャネルに対応するハイブリッド自動再送要求確認応答は、特に、ＳＰＳリリースを示すダウンリンク制御チャネルに対応するハイブリッド自動再送要求確認応答である。
【００２３】
本発明の第４の態様、及び、第４の態様の第１の可能な実施方式を参照して、本発明の第４の態様の第２の可能な実施方式では、第１のサービングセルは、ＵＥのプライマリサービングセルであり、第２のサービングセルは、ＵＥのセカンダリサービングセルである。
【００２４】
本発明の第４の態様の第３の可能な実施方式では、第２のサービングセルは、ＵＥの、最も小さなセルインデクスを有する、ＦＤＤセカンダリサービングセルであるか、又は、第２のサービングセルは、より高いレイヤシグナリングを使用することによって基地局によって示される、ＰＵＣＣＨを送信するために使用される、セカンダリサービングセルである。
【００２５】
本発明の第５の態様は、
ダウンリンクサブフレームＮで、ダウンリンク制御チャネルを、ユーザ機器ＵＥによって受信するステップであって、ダウンリンク制御チャネルは、ＵＥの第１のサービングセルにおいて伝送され、ダウンリンク制御チャネルは、物理ダウンリンク制御チャネルＰＤＣＣＨ、又は、拡張物理ダウンリンク制御チャネルＥＰＤＣＣＨである、受信するステップと、
ダウンリンク制御チャネルに対応するハイブリッド自動再送要求確認応答が、ＵＥの第２のサービングセルにおいて伝送された場合、ＵＥによって、ダウンリンク制御チャネルのダウンリンク制御情報ＤＣＩフォーマットにおける送信電力制御ＴＰＣコマンドフィールドに従って、物理アップリンク制御チャネルＰＵＣＣＨリソースを決定するステップと、
ダウンリンク制御チャネルに対応するハイブリッド自動再送要求確認応答が、第１のサービングセルにおいて伝送された場合、ＵＥによって、ダウンリンク制御チャネルのダウンリンク制御情報ＤＣＩフォーマットにおける送信電力制御ＴＰＣコマンドフィールドに従って、ＰＵＣＣＨの送信電力を決定するステップであって、第１のサービングセルの複信モードは、第２のサービングセルの複信モードとは異なる、決定するステップと、
ダウンリンク制御チャネルに対応するハイブリッド自動再送要求確認応答を、ＰＵＣＣＨリソース又はＰＵＣＣＨの送信電力に従って、ＰＵＣＣＨを使用することによってＵＥによって送信するステップと、を含むアップリンク制御情報送信方法を提供する。
【００２６】
本発明の第５の態様の第１の可能な実施方法では、ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用され、
ダウンリンク制御チャネルが、ＰＤＳＣＨ送信を示すために使用される場合、ダウンリンク制御チャネルに対応するハイブリッド自動再送要求確認応答は、特に、ダウンリンク制御チャネルに対応するＰＤＳＣＨのハイブリッド自動再送要求確認応答であり、ダウンリンク制御チャネルが、ＳＰＳリリースを示すために使用される場合、ダウンリンク制御チャネルに対応するハイブリッド自動再送要求確認応答は、特に、ＳＰＳリリースを示すダウンリンク制御チャネルに対応するハイブリッド自動再送要求確認応答である。
【００２７】
本発明の第５の態様、及び、第５の態様の第１の可能な実施方式を参照して、本発明の第５の態様の第２の可能な実施方式では、第１のサービングセルは、ＵＥのプライマリサービングセルであり、第１のサービングセルの複信モードは、時分割複信ＴＤＤであり、第２のサービングセルの複信モードは、周波数分割複信ＦＤＤであり、第２のサービングセルは、ＵＥの、最も小さなセルインデクスを有する、ＦＤＤセカンダリサービングセルである。
【００２８】
本発明の第５の態様、及び、第５の態様の第１の可能な実施方式を参照して、本発明の第５の態様の第３の可能な実施方式では、第１のサービングセルは、ＵＥのプライマリサービングセルであり、第１のサービングセルの複信モードは、時分割複信ＴＤＤであり、第２のサービングセルの複信モードは、周波数分割複信ＦＤＤであり、第２のサービングセルは、より高いレイヤシグナリングによって示される、ＰＵＣＣＨを送信するために使用される、セカンダリサービングセルである。
【００２９】
本発明の第６の態様は、
基地局によって、ダウンリンクサブフレームＮで、ユーザ機器ＵＥへダウンリンク制御チャネルを送信するステップであって、ダウンリンクチャネルは、ＵＥの第１のサービングセルにおいて伝送され、ダウンリンク制御チャネルは、物理ダウンリンク制御チャネルＰＤＣＣＨ、又は、拡張物理ダウンリンク制御チャネルＥＰＤＣＣＨである、送信するステップと、
ダウンリンク制御チャネルに対応するハイブリッド自動再送要求確認応答が、ＵＥの第２のサービングセルにおいて伝送された場合、基地局によって、ダウンリンク制御チャネルのダウンリンク制御情報ＤＣＩフォーマットにおける送信電力制御ＴＰＣコマンドフィールドを使用することによって、物理アップリンク制御チャネルＰＵＣＣＨリソースを示すステップと、
ダウンリンク制御チャネルに対応するハイブリッド自動再送要求確認応答が、第１のサービングセルにおいて伝送された場合、基地局によって、ダウンリンク制御チャネルのダウンリンク制御情報ＤＣＩフォーマットにおける送信電力制御ＴＰＣコマンドフィールドを使用することによって、ＰＵＣＣＨの送信電力を示すステップであって、第１のサービングセルの複信モードは、第２のサービングセルの複信モードとは異なる、示すステップと、
ＵＥによって送られ、ダウンリンク制御チャネルに対応するハイブリッド自動再送要求確認応答を、ＰＵＣＣＨリソースに従って、基地局によって受信するステップと、を含むアップリンク制御情報送信方法を提供する。
【００３０】
本発明の第６の態様の第１の可能な実施方式では、ダウンリンク制御チャネルが、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用され、
ダウンリンク制御チャネルが、物理ダウンリンク共有チャネルＰＤＳＣＨ送信を示すために使用される場合、ダウンリンク制御チャネルに対応するハイブリッド自動再送要求確認応答は、特に、ダウンリンク制御チャネルに対応するＰＤＳＣＨのハイブリッド自動再送要求確認応答であり、ダウンリンク制御チャネルが、ダウンリンクセミパーシステントスケジューリングＳＰＳリリースを示すために使用される場合、ダウンリンク制御チャネルに対応するハイブリッド自動再送要求確認応答は、特に、ダウンリンクセミパーシステントスケジューリングＳＰＳリリースを示すダウンリンク制御チャネルに対応するハイブリッド自動再送要求確認応答である。
【００３１】
本発明の第６の態様、及び、第６の態様の第１の可能な実施方式を参照して、本発明の第６の態様の第２の可能な実施方式では、第１のサービングセルは、ＵＥのプライマリサービングセルであり、第１のサービングセルの複信モードは、時分割複信ＴＤＤであり、第２のサービングセルの複信モードは、周波数分割複信ＦＤＤであり、第２のサービングセルは、ＵＥの、最も小さなセルインデクスを有する、ＦＤＤセカンダリサービングセルである。
【００３２】
本発明の第６の態様、及び、第６の態様の第１の可能な実施方式を参照して、本発明の第６の態様の第３の可能な実施方式では、第１のサービングセルは、ＵＥのプライマリサービングセルであり、第１のサービングセルの複信モードは、時分割複信ＴＤＤであり、第２のサービングセルの複信モードは、周波数分割複信ＦＤＤであり、第２のサービングセルは、より高いレイヤシグナリングによって示される、ＰＵＣＣＨを送信するために使用される、セカンダリサービングセルである。
【００３３】
本発明の第７の態様は、
基地局によって送られたダウンリンク制御チャネルを、ダウンリンクサブフレームＮで受信するように構成された受信モジュールであって、ダウンリンク制御チャネルは、ＵＥの第１のサービングセルにおいて伝送される、受信モジュールと、
ダウンリンク制御チャネルに対応するハイブリッド自動再送要求確認応答を、物理アップリンク制御チャネルＰＵＣＣＨを使用することによって、アップリンクサブフレームＮ＋４で基地局へ送信するように構成された送信モジュールであって、アップリンクサブフレームＮ＋４が、第１のアップリンクサブフレームセットに属する場合、ＰＵＣＣＨは、ＵＥの第２のサービングセルにおいて伝送され、アップリンクサブフレームＮ＋４が、第２のアップリンクサブフレームセットに属する場合、ＰＵＣＣＨは、第１のサービングセルにおいて伝送され、第１のサービングセルの複信モードは、第２のサービングセルの複信モードとは異なり、第１のアップリンクサブフレームセットに含まれたアップリンクサブフレームの量と、第２のアップリンクサブフレームセットに含まれたアップリンクサブフレームの量との合計が、無線フレームの量に等しく、第１のアップリンクサブフレームセットに含まれたアップリンクサブフレームと、第２のアップリンクサブフレームセットに含まれたアップリンクサブフレームとは、無線フレームにおける異なるサブフレームに対応する、送信モジュールと、を含むユーザ機器ＵＥを提供する。
【００３４】
本発明の第７の態様の第１の可能な実施方式では、第１のサービングセルの複信モードが、時分割複信ＴＤＤであり、第２のサービングセルの複信モードが、周波数分割複信ＦＤＤである場合、第２のアップリンクサブフレームセットに含まれたアップリンクサブフレームは、第１のサービングセルの、無線フレームにおける、アップリンクサブフレームに対応し、第１のアップリンクサブフレームセットに含まれたアップリンクサブフレームは、無線フレームにおける、第２のアップリンクサブフレームセットに含まれたアップリンクサブフレームを除く、他のアップリンクサブフレームに対応するか、又は、
第１のサービングセルの複信モードが、ＦＤＤであり、第２のサービングセルの複信モードが、ＴＤＤである場合、第１のアップリンクサブフレームセットに含まれたアップリンクサブフレームは、第１のサービングセルの、無線フレームにおける、アップリンクサブフレームに対応し、第２のアップリンクサブフレームセットに含まれたアップリンクサブフレームは、無線フレームにおける、第１のアップリンクサブフレームセットに含まれたアップリンクサブフレームを除く、他のアップリンクサブフレームに対応する。
【００３５】
本発明の第７の態様、及び、第７の態様の第１の可能な実施方式を参照して、本発明の第７の態様の第２の可能な実施方式では、ダウンリンク制御チャネルは、物理ダウンリンク制御チャネルＰＤＣＣＨ、又は、拡張物理ダウンリンク制御チャネルＥＰＤＣＣＨであり、ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用され、
ダウンリンク制御チャネルが、ＰＤＳＣＨ送信を示すために使用される場合、ダウンリンク制御チャネルに対応するハイブリッド自動再送要求確認応答は、特に、ダウンリンク制御チャネルに対応するＰＤＳＣＨのハイブリッド自動再送要求確認応答であり、ダウンリンク制御チャネルが、ＳＰＳリリースを示すために使用される場合、ダウンリンク制御チャネルに対応するハイブリッド自動再送要求確認応答は、特に、ＳＰＳリリースを示すダウンリンク制御チャネルに対応するハイブリッド自動再送要求確認応答である。
【００３６】
本発明の第７の態様、並びに、第７の態様の第１及び第２の可能な実施方式を参照して、本発明の第７の態様の第３の可能な実施方式では、ユーザ機器はさらに、
ＰＵＣＣＨのＰＵＣＣＨリソース及び／又はＰＵＣＣＨの送信電力を取得するように構成された取得モジュールを含む。
【００３７】
本発明の第７の態様の第４の可能な実施方式では、アップリンクサブフレームＮ＋４が、第１のアップリンクサブフレームセットに属する場合、取得モジュールは特に、
ダウンリンク制御チャネルのダウンリンク制御情報ＤＣＩフォーマットにおける送信電力制御ＴＰＣコマンドフィールドに従って、ＰＵＣＣＨリソースを決定するように構成される。
【００３８】
本発明の第７の態様の第５の可能な実施方式では、アップリンクサブフレームＮ＋４が、第２のアップリンクサブフレームセットに属する場合、取得モジュールは特に、
ダウンリンク制御チャネルのダウンリンク制御情報ＤＣＩフォーマットにおける送信電力制御ＴＰＣコマンドフィールドに従って、ＰＵＣＣＨ送信電力を決定するように構成される。
【００３９】
本発明の第８の態様は、
ダウンリンクサブフレームＮで、ユーザ機器ＵＥへダウンリンク制御チャネルを送信するように構成された送信モジュールであって、ダウンリンク制御チャネルは、ＵＥの第１のサービングセルにおいて伝送される、送信モジュールと、
物理アップリンク制御チャネルＰＵＣＣＨを使用することによってＵＥによって送られ、ダウンリンク制御チャネルに対応するハイブリッド自動再送要求確認応答を、アップリンクサブフレームＮ＋４で受信するように構成された受信モジュールであって、アップリンクサブフレームＮ＋４が、第１のアップリンクサブフレームセットに属する場合、ＰＵＣＣＨは、ＵＥの第２のサービングセルにおいて伝送され、アップリンクサブフレームＮ＋４が、第２のアップリンクサブフレームセットに属する場合、ＰＵＣＣＨは、第１のサービングセルにおいて伝送され、第１のサービングセルの複信モードは、第２のサービングセルの複信モードとは異なり、第１のアップリンクサブフレームセットに含まれたアップリンクサブフレームの量と、第２のアップリンクサブフレームセットに含まれたアップリンクサブフレームの量との合計が、無線フレームの量に等しく、第１のアップリンクサブフレームセットに含まれたアップリンクサブフレームと、第２のアップリンクサブフレームセットに含まれたアップリンクサブフレームとは、無線フレームにおける異なるサブフレームに対応する、受信モジュールと、を含む基地局を提供する。
【００４０】
本発明の第８の態様の第１の可能な実施方式では、第１のサービングセルの複信モードが、時分割複信ＴＤＤであり、第２のサービングセルの複信モードが、周波数分割複信ＦＤＤである場合、第２のアップリンクサブフレームセットに含まれたアップリンクサブフレームは、第１のサービングセルの、無線フレームにおける、アップリンクサブフレームに対応し、第１のアップリンクサブフレームセットに含まれたアップリンクサブフレームは、無線フレームにおける、第２のアップリンクサブフレームセットに含まれたアップリンクサブフレームを除く、他のアップリンクサブフレームに対応するか、又は、
第１のサービングセルの複信モードが、ＦＤＤであり、第２のサービングセルの複信モードが、ＴＤＤである場合、第１のアップリンクサブフレームセットに含まれたアップリンクサブフレームは、第１のサービングセルの、無線フレームにおけるアップリンクサブフレームに対応し、第２のアップリンクサブフレームセットに含まれたアップリンクサブフレームは、無線フレームにおける、第１のアップリンクサブフレームセットに含まれたアップリンクサブフレームを除く、他のアップリンクサブフレームに対応する。
【００４１】
本発明の第８の態様、及び、第８の態様の第１の可能な実施方式を参照して、本発明の第８の態様の第２の可能な実施方式では、ダウンリンク制御チャネルは、物理ダウンリンク制御チャネルＰＤＣＣＨ、又は、拡張物理ダウンリンク制御チャネルＥＰＤＣＣＨであり、ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用され、
ダウンリンク制御チャネルが、ＰＤＳＣＨ送信を示すために使用される場合、ダウンリンク制御チャネルに対応するハイブリッド自動再送要求確認応答は、特に、ダウンリンク制御チャネルに対応するＰＤＳＣＨのハイブリッド自動再送要求確認応答であり、ダウンリンク制御チャネルが、ＳＰＳリリースを示すために使用される場合、ダウンリンク制御チャネルに対応するハイブリッド自動再送要求確認応答は、特に、ＳＰＳリリースを示すダウンリンク制御チャネルに対応するハイブリッド自動再送要求確認応答である。
【００４２】
本発明の第９の態様は、
ダウンリンクサブフレームＮでダウンリンク制御チャネルを受信するように構成された受信モジュールであって、ダウンリンク制御チャネルは、ＵＥの第１のサービングセルにおいて伝送され、第１のサービングセルの複信モードは、時分割複信ＴＤＤである、受信モジュールと、
物理アップリンク制御チャネルＰＵＣＣＨを使用することによって、ダウンリンク制御チャネルに対応するハイブリッド自動再送要求確認応答を、アップリンクサブフレームＮ＋４で送信するように構成された送信モジュールであって、ＰＵＣＣＨはＵＥの第２のサービングセルにおいて伝送され、第２のサービングセルの複信モードは、周波数分割複信ＦＤＤである、送信モジュールと、を含むユーザ機器を提供する。
【００４３】
本発明の第９の態様の第１の可能な実施方式では、ダウンリンク制御チャネルは、物理ダウンリンク制御チャネルＰＤＣＣＨ、又は、拡張物理ダウンリンク制御チャネルＥＰＤＣＣＨであり、ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用され、
ダウンリンク制御チャネルが、ＰＤＳＣＨ送信を示すために使用される場合、ダウンリンク制御チャネルに対応するハイブリッド自動再送要求確認応答は、特に、ダウンリンク制御チャネルに対応するＰＤＳＣＨのハイブリッド自動再送要求確認応答であり、ダウンリンク制御チャネルが、ＳＰＳリリースを示すために使用される場合、ダウンリンク制御チャネルに対応するハイブリッド自動再送要求確認応答は、特に、ＳＰＳリリースを示すダウンリンク制御チャネルに対応するハイブリッド自動再送要求確認応答である。
【００４４】
本発明の第９の態様、及び、第９の態様の第１の可能な実施方式を参照して、本発明の第９の態様の第２の可能な実施方式では、ユーザ機器はさらに、
ＰＵＣＣＨのＰＵＣＣＨリソースを取得するように構成された取得モジュールを含む。
【００４５】
本発明の第９の態様の第３の可能な実施方式では、取得モジュールは特に、
ダウンリンク制御チャネルのダウンリンク制御情報ＤＣＩフォーマットにおけるダウンリンク割当インジケーションＤＡＩ又は送信電力制御ＴＰＣコマンドに従って、ＰＵＣＣＨリソースを決定するように構成される。
【００４６】
本発明の第９の態様、及び、第９の態様の第１乃至第３の可能な実施方式を参照して、本発明の第９の態様の第４の可能な実施方式では、第１のサービングセルは、ＵＥのプライマリサービングセルであり、第２のサービングセルは、ＵＥのセカンダリサービングセルである。
【００４７】
本発明の第９の態様の第５の可能な実施方式では、第２のサービングセルは、ＵＥの、最も小さなセルインデクスを有する、ＦＤＤセカンダリサービングセルであるか、又は、第２のサービングセルは、より高いレイヤシグナリングによって示される、ＰＵＣＣＨを送信するために使用される、セカンダリサービングセルである。
【００４８】
本発明の第１０の態様は、
ダウンリンクサブフレームＮで、ユーザ機器ＵＥへダウンリンク制御チャネルを送信するように構成された送信モジュールであって、ダウンリンク制御チャネルは、ＵＥの第１のサービングセルにおいて伝送され、第１のサービングセルの複信モードは、時分割複信ＴＤＤであり、ダウンリンク制御チャネルのダウンリンク制御情報ＤＣＩフォーマットにおけるダウンリンク割当インジケーションＤＡＩ又は送信電力制御ＴＰＣコマンドは、物理アップリンク制御チャネルＰＵＣＣＨリソースを示すために使用される、送信モジュールと、
ＰＵＣＣＨを使用することによってＵＥによって送られ、ダウンリンク制御チャネルに対応するハイブリッド自動再送要求確認応答を、ＰＵＣＣＨリソースに従って、アップリンクサブフレームＮ＋４で受信するように構成された受信モジュールであって、ＰＵＣＣＨはＵＥの第２のサービングセルにおいて伝送され、第２のサービングセルの複信モードは、周波数分割複信ＦＤＤである、受信モジュールと、を含む基地局を提供する。
【００４９】
本発明の第１０の態様の第１の可能な実施方式では、ダウンリンク制御チャネルは、物理ダウンリンク制御チャネルＰＤＣＣＨ、又は、拡張物理ダウンリンク制御チャネルＥＰＤＣＣＨであり、ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用され、
ダウンリンク制御チャネルが、ＰＤＳＣＨ送信を示すために使用される場合、ダウンリンク制御チャネルに対応するハイブリッド自動再送要求確認応答は、特に、ダウンリンク制御チャネルに対応するＰＤＳＣＨのハイブリッド自動再送要求確認応答であり、ダウンリンク制御チャネルが、ＳＰＳリリースを示すために使用される場合、ダウンリンク制御チャネルに対応するハイブリッド自動再送要求確認応答は、特に、ＳＰＳリリースを示すダウンリンク制御チャネルに対応するハイブリッド自動再送要求確認応答である。
【００５０】
本発明の第１０の態様、及び、第４の態様の第１の可能な実施方式を参照して、本発明の第１０の態様の第２の可能な実施方式では、第１のサービングセルは、ＵＥのプライマリサービングセルであり、第２のサービングセルは、ＵＥのセカンダリサービングセルである。
【００５１】
本発明の第１０の態様の第３の可能な実施方式では、第２のサービングセルは、ＵＥの、最も小さなセルインデクスを有する、ＦＤＤセカンダリサービングセルであるか、又は、第２のサービングセルは、より高いレイヤシグナリングを使用することによって基地局によって示される、ＰＵＣＣＨを送信するために使用される、セカンダリサービングセルである。
【００５２】
本発明の第１１の態様は、
ダウンリンクサブフレームＮでダウンリンク制御チャネルを受信するように構成された受信モジュールであって、ダウンリンク制御チャネルは、ＵＥの第１のサービングセルにおいて伝送され、ダウンリンク制御チャネルは、物理ダウンリンク制御チャネルＰＤＣＣＨ、又は、拡張物理ダウンリンク制御チャネルＥＰＤＣＣＨである、受信モジュールと、
ダウンリンク制御チャネルに対応するハイブリッド自動再送要求確認応答が、ＵＥの第２のサービングセルにおいて伝送された場合、ＵＥによって、ダウンリンク制御チャネルのダウンリンク制御情報ＤＣＩフォーマットにおける送信電力制御ＴＰＣコマンドフィールドに従って、物理アップリンク制御チャネルＰＵＣＣＨリソースを決定し、ダウンリンク制御チャネルに対応するハイブリッド自動再送要求確認応答が、第１のサービングセルにおいて伝送された場合、ＵＥによって、ダウンリンク制御チャネルのダウンリンク制御情報ＤＣＩフォーマットにおける送信電力制御ＴＰＣコマンドフィールドに従って、ＰＵＣＣＨの送信電力を決定するように構成された決定モジュールであって、第１のサービングセルの複信モードは、第２のサービングセルの複信モードとは異なる、決定モジュールと、
ダウンリンク制御チャネルに対応するハイブリッド自動再送要求確認応答を、ＰＵＣＣＨリソース又はＰＵＣＣＨの送信電力に従って、ＰＵＣＣＨを使用することによって送信するように構成された送信モジュールと、を含むユーザ機器ＵＥを提供する。
【００５３】
本発明の第１１の態様の第１の可能な実施方式では、ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用され、
ダウンリンク制御チャネルが、ＰＤＳＣＨ送信を示すために使用される場合、ダウンリンク制御チャネルに対応するハイブリッド自動再送要求確認応答は、特に、ダウンリンク制御チャネルに対応するＰＤＳＣＨのハイブリッド自動再送要求確認応答であり、ダウンリンク制御チャネルが、ＳＰＳリリースを示すために使用される場合、ダウンリンク制御チャネルに対応するハイブリッド自動再送要求確認応答は、特に、ＳＰＳリリースを示すダウンリンク制御チャネルに対応するハイブリッド自動再送要求確認応答である。
【００５４】
本発明の第１１の態様、及び、第１１の態様の第１の可能な実施方式を参照して、本発明の第１１の態様の第２の可能な実施方式では、第１のサービングセルは、ＵＥのプライマリサービングセルであり、第１のサービングセルの複信モードは、時分割複信ＴＤＤであり、第２のサービングセルの複信モードは、周波数分割複信ＦＤＤであり、第２のサービングセルは、ＵＥの、最も小さなセルインデクスを有する、ＦＤＤセカンダリサービングセルである。
【００５５】
本発明の第１１の態様、及び、第１１の態様の第１の可能な実施方式を参照して、本発明の第１１の態様の第３の可能な実施方式では、第１のサービングセルは、ＵＥのプライマリサービングセルであり、第１のサービングセルの複信モードは、時分割複信ＴＤＤであり、第２のサービングセルの複信モードは、周波数分割複信ＦＤＤであり、第２のサービングセルは、より高いレイヤシグナリングによって示される、ＰＵＣＣＨを送信するために使用される、セカンダリサービングセルである。
【００５６】
本発明の第１２の態様は、
ダウンリンクサブフレームＮで、ユーザ機器ＵＥへダウンリンク制御チャネルを送信するように構成された送信モジュールであって、ダウンリンクチャネルは、ＵＥの第１のサービングセルにおいて伝送され、ダウンリンク制御チャネルは、物理ダウンリンク制御チャネルＰＤＣＣＨ、又は、拡張物理ダウンリンク制御チャネルＥＰＤＣＣＨである、送信モジュールと、
ダウンリンク制御チャネルに対応するハイブリッド自動再送要求確認応答が、ＵＥの第２のサービングセルにおいて伝送された場合、ダウンリンク制御チャネルのダウンリンク制御情報ＤＣＩフォーマットにおける送信電力制御ＴＰＣコマンドフィールドを使用することによって、物理アップリンク制御チャネルＰＵＣＣＨリソースを示し、
ダウンリンク制御チャネルに対応するハイブリッド自動再送要求確認応答が、第１のサービングセルにおいて伝送された場合、ダウンリンク制御チャネルのダウンリンク制御情報ＤＣＩフォーマットにおける送信電力制御ＴＰＣコマンドフィールドを使用することによって、ＰＵＣＣＨの送信電力を示すように構成されたインジケーションモジュールであって、第１のサービングセルの複信モードは、第２のサービングセルの複信モードとは異なる、インジケーションモジュールと、
ＵＥによって送られ、ダウンリンク制御チャネルに対応するハイブリッド自動再送要求確認応答を、ＰＵＣＣＨリソースに従って受信するように構成された送信モジュールと、を含む基地局を提供する。
【００５７】
本発明の第１２の態様の第１の可能な実施方式では、ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用され、
ダウンリンク制御チャネルが、物理ダウンリンク共有チャネルＰＤＳＣＨ送信を示すために使用される場合、ダウンリンク制御チャネルに対応するハイブリッド自動再送要求確認応答は、特に、ダウンリンク制御チャネルに対応するＰＤＳＣＨのハイブリッド自動再送要求確認応答であり、ダウンリンク制御チャネルが、ダウンリンクセミパーシステントスケジューリングＳＰＳリリースを示すために使用される場合、ダウンリンク制御チャネルに対応するハイブリッド自動再送要求確認応答は、特に、ダウンリンクセミパーシステントスケジューリングＳＰＳリリースを示すダウンリンク制御チャネルに対応するハイブリッド自動再送要求確認応答である。
【００５８】
本発明の第１２の態様、及び、第１２の態様の第１の可能な実施方式を参照して、本発明の第１２の態様の第２の可能な実施方式では、第１のサービングセルは、ＵＥのプライマリサービングセルであり、第１のサービングセルの複信モードは、時分割複信ＴＤＤであり、第２のサービングセルの複信モードは、周波数分割複信ＦＤＤであり、第２のサービングセルは、ＵＥの、最も小さなセルインデクスを有する、ＦＤＤセカンダリサービングセルである。
【００５９】
本発明の第１２の態様、及び、第１２の態様の第１の可能な実施方式を参照して、本発明の第１２の態様の第３の可能な実施方式では、第１のサービングセルは、ＵＥのプライマリサービングセルであり、第１のサービングセルの複信モードは、時分割複信ＴＤＤであり、第２のサービングセルの複信モードは、周波数分割複信ＦＤＤであり、第２のサービングセルは、より高いレイヤシグナリングによって示される、ＰＵＣＣＨを送信するために使用される、セカンダリサービングセルである。
【００６０】
本発明の実施形態において提供されるアップリンク制御情報送信方法、基地局、及びユーザ機器では、ＵＥが、基地局によって送られたダウンリンク制御チャネルを、ダウンリンクサブフレームＮで受信し、物理アップリンク制御チャネルＰＵＣＣＨを使用することによって、ダウンリンク制御チャネルに対応するハイブリッド自動再送要求確認応答を、アップリンクサブフレームＮ＋４で基地局へ送り、アップリンクサブフレームＮ＋４が、第１のアップリンクサブフレームセットに属する場合、ＰＵＣＣＨは、ＵＥの第２のサービングセルにおいて伝送され、アップリンクサブフレームＮ＋４が、第２のアップリンクサブフレームセットに属する場合、ＰＵＣＣＨは、第１のサービングセルにおいて伝送される。前述した方法によって、異なる複信モードのキャリアのアグリゲーション中に、どのようにしてＨＡＲＱ−ＡＣＫを送信するのかという問題が解決され、これによって、（ＦＤＤダウンリンクサブフレームとＴＤＤダウンリンクサブフレームとを含む）すべてのダウンリンクサブフレームが、ＨＡＲＱ−ＡＣＫをフィードバックするために使用される対応するアップリンクサブフレームを有するようになる。これは、リソース利用を改善する。そして、ＦＤＤキャリアのＨＡＲＱ−ＡＣＫタイミングは変更されない。
【００６１】
本発明の実施形態又は従来技術における技術的解決策をより明確に記述するために、以下は、実施形態又は従来技術を記述するために必要とされる添付図面を簡単に記述する。明らかに、以下の記述における添付図面は、本発明のいくつかの実施形態を図示し、当業者は、創造的な努力無しで、これら添付図面から他の図面をさらに導出し得る。
【図面の簡単な説明】
【００６２】
【図１】本発明に従うアップリンク制御情報送信方法の実施形態１のフローチャートである。
【図２】本発明に従うＰＵＣＣＨ送信メカニズムの概略図である。
【図３】本発明に従うアップリンク制御情報送信方法の実施形態２のフローチャートである。
【図４】本発明に従うアップリンク制御情報送信方法の実施形態３のフローチャートである。
【図５】本発明に従うアップリンク制御情報送信方法の実施形態４のフローチャートである。
【図６】本発明に従うアップリンク制御情報送信方法の実施形態５のフローチャートである。
【図７】本発明に従うアップリンク制御情報送信方法の実施形態６のフローチャートである。
【図８】本発明に従うユーザ機器の実施形態１の概略構成図である。
【図９】本発明に従う基地局の実施形態１の概略構成図である。
【図１０】本発明に従うユーザ機器の実施形態２の概略構成図である。
【図１１】本発明に従う基地局の実施形態２の概略構成図である。
【図１２】本発明に従うユーザ機器の実施形態３の概略構成図である。
【図１３】本発明に従う基地局の実施形態３の概略構成図である。
【図１４】本発明に従うアップリンク制御情報送信方法の実施形態７のフローチャートである。
【図１５】本発明に従うアップリンク制御情報送信方法の実施形態８のフローチャートである。
【図１６】本発明に従うアップリンク制御情報送信方法の実施形態９のフローチャートである。
【図１７】本発明に従うアップリンク制御情報送信方法の実施形態１０のフローチャートである。
【図１８】本発明に従うアップリンク制御情報送信方法の実施形態１１のフローチャートである。
【図１９】本発明に従うアップリンク制御情報送信方法の実施形態１２のフローチャートである。
【図２０】本発明に従うアップリンク制御情報送信方法の実施形態１３のフローチャートである。
【図２１】本発明に従うアップリンク制御情報送信方法の実施形態１４のフローチャートである。
【図２２】本発明に従うユーザ機器の実施形態４の概略構成図である。
【図２３】本発明に従う基地局の実施形態４の概略構成図である。
【図２４】本発明に従うユーザ機器の実施形態５の概略構成図である。
【図２５】本発明に従う基地局の実施形態５の概略構成図である。
【図２６】本発明に従うユーザ機器の実施形態６の概略構成図である。
【図２７】本発明に従う基地局の実施形態６の概略構成図である。
【図２８】本発明に従うユーザ機器の実施形態７の概略構成図である。
【図２９】本発明に従う基地局の実施形態７の概略構成図である。
【図３０】本発明に従うユーザ機器の実施形態８の概略構成図である。
【図３１】本発明に従う基地局の実施形態８の概略構成図である。
【図３２】本発明に従うユーザ機器の実施形態９の概略構成図である。
【図３３】本発明に従う基地局の実施形態９の概略構成図である。
【図３４】本発明に従うユーザ機器の実施形態１０の概略構成図である。
【図３５】本発明に従う基地局の実施形態１０の概略構成図である。
【発明を実施するための形態】
【００６３】
本発明の実施形態の目的、技術的解決策、及び利点をより明確にするために、以下は、本発明の実施形態における添付図面を参照して、本発明の実施形態における技術的解決策をより明確かつ完全に記述する。明らかに、記述された実施形態は、本発明の実施形態のいくつかであって、すべてではない。創造的な努力無しで、本発明の実施形態に基づいて当業者によって得られた他のすべての実施形態は、本発明の保護範囲内にあるものとする。
【００６４】
図１は、本発明に従うアップリンク制御情報送信方法の実施形態１のフローチャートである。図１に図示されるように、この実施形態における方法は、以下を含み得る。
【００６５】
ステップ１０１：ＵＥは、ダウンリンクサブフレームＮでダウンリンク制御チャネルを受信する。ダウンリンク制御チャネルは、ＵＥの第１のサービングセルにおいて伝送される。
【００６６】
このステップは特に、基地局によって送られたダウンリンク制御チャネルを、ダウンリンクサブフレームＮで、ＵＥによって受信するステップであり得る。ダウンリンク制御チャネルは、ＵＥの第１のサービングセルにおいて伝送される。
【００６７】
本発明のすべての実施形態において、ユーザ機器（Ｕｓｅｒ  Ｅｑｕｉｐｍｅｎｔ，略してＵＥ）に対応するサービングセルは、ネットワーク側デバイス（たとえば、基地局）によってＵＥのために設定されたサービングセル、ＵＥにサービスを提供するサービングセル、又は、ＵＥによってアクセスされるサービングセル、を称し得る。ＵＥに対応するサービングセルは、第１のサービングセルと、第２のサービングセルとを含む。第１のサービングセル及び第２のサービングセルは、基地局によってＵＥのために設定されたサービングセルに含まれる第１のサービングセル及び第２のサービングセルであり得るか、又は、ＵＥによってアクセスされるサービングセルに含まれる第１のサービングセル及び第２のサービングセルであり得る。ＵＥに対応するサービングセルは、ＵＥのコンポーネントキャリアを称し（又はコンポーネントキャリアと称され）得、第１のサービングセルは、第１のコンポーネントキャリアと称され得、第２のサービングセルは、第２のコンポーネントキャリアと称され得ることに留意されたい。
【００６８】
本発明のすべての実施形態において、サブフレーム番号（ｎ）は、多数の無線フレームにおけるサブフレームのシーケンス番号を称し、かつ以下の方式で取得され得る。多数の無線フレームにおけるサブフレームを、ゼロから単調増加方式で、古い順にナンバリングする。すなわち、前の無線フレームの最後のサブフレームが、
【００６９】
（外１）
2018078638.tif 000003
とナンバリングされているのであれば、現在の無線フレームの最初のサブフレームは、
【００７０】
（外２）
2018078638.tif 000004
である。さらに、多数の無線フレームでは、各サブフレームはまた、サブフレームの、対応する無線フレームにおけるサブフレーム番号、すなわち、無線フレームにおけるサブフレームのサブフレーム番号を有する。
【００７１】
このステップでは、ＵＥは、第１のサービングセルにおいて伝送されたダウンリンク制御チャネルを、ダウンリンクサブフレームＮで受信する。第１のサービングセルは、ＵＥに対応するサービングセルであり、ダウンリンク制御チャネルは、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ，略してＰＤＣＣＨ）、又は、拡張物理ダウンリンク制御チャネル（Ｅｎｈａｎｃｅ  Ｐｈｙｓｉｃａｌ  Ｄｏｗｎｌｉｎｋ  Ｃｏｎｔｒｏｌ  Ｃｈａｎｎｅｌ，略してＥＰＤＣＣＨ）であり、第１のサービングセルにおいて送信された物理ダウンリンク共有チャネルＰＤＳＣＨを示すために、ダウンリンク制御チャネルが使用され得るか、又は、第１のサービングセルにおいて伝送されたＰＤＳＣＨ送信を示すために、ダウンリンク制御チャネルが使用され得るか、又は、ダウンリンクセミパーシステントスケジューリング（Ｓｅｍｉ−Ｐｅｒｓｉｓｔｅｎｔ  Ｓｃｈｅｄｕｌｉｎｇ，略してＳＰＳ）リリースを示すためにダウンリンク制御チャネルが使用され得る。ダウンリンク制御チャネルのダウンリンク制御情報（Ｄｏｗｎｌｉｎｋ  Ｃｏｎｔｒｏｌ  Ｉｎｆｏｒｍａｔｉｏｎ，略してＤＣＩ）フォーマットは、ＤＣＩフォーマット１、ＤＣＩフォーマット１Ａ、ＤＣＩフォーマット１Ｂ、ＤＣＩフォーマット１Ｄ、ＤＣＩフォーマット２Ａ、ＤＣＩフォーマット２Ｂ、ＤＣＩフォーマット２Ｃ、及びＤＣＩフォーマット２Ｄ、のうちの１つ又は複数であり得るが、これは、本発明において限定されない。
【００７２】
ステップ１０２：ＵＥは、物理アップリンク制御チャネルＰＵＣＣＨを使用することによって、ダウンリンク制御チャネルに対応するハイブリッド自動再送要求確認応答を、アップリンクサブフレームＮ＋４で送信する。
【００７３】
このステップは特に、物理アップリンク制御チャネルＰＵＣＣＨを使用することによって、ダウンリンク制御チャネルに対応するハイブリッド自動再送要求確認応答ＨＡＲＱ−ＡＣＫを、ＵＥによって、アップリンクサブフレームＮ＋４で、基地局へ送信するステップである。すなわち、ステップ１において受信されたダウンリンク制御チャネルに対応するハイブリッド自動再送要求確認応答を、基地局へ送信するステップである。
【００７４】
さらに、この実施形態では、アップリンクサブフレームＮ＋４が、第１のアップリンクサブフレームセットに属する場合、物理アップリンク制御チャネル（Ｐｈｙｓｉｃａｌ  Ｕｐｌｉｎｋ  Ｃｏｎｔｒｏｌ  Ｃｈａｎｎｅｌ，略してＰＵＣＣＨ）は、ＵＥの第２のサービングセルにおいて伝送され、アップリンクサブフレームＮ＋４が、第２のアップリンクサブフレームセットに属する場合、ＰＵＣＣＨは、第１のサービングセルにおいて伝送され、第１のサービングセルの複信モードは、第２のサービングセルの複信モードとは異なり、第１のアップリンクサブフレームセットに含まれたアップリンクサブフレームの量と、第２のアップリンクサブフレームセットに含まれたアップリンクサブフレームの量との合計が、無線フレームの量に等しく、第１のアップリンクサブフレームセットに含まれたアップリンクサブフレームと、第２のアップリンクサブフレームセットに含まれたアップリンクサブフレームとは、無線フレームにおける異なるサブフレームに対応する。
【００７５】
さらに、このステップでは、アップリンクサブフレームｎ＋４が、第１のアップリンクサブフレームセットに属する場合、ＰＵＣＣＨは、ユーザ機器の第２のサービングセルにおいて伝送され、ダウンリンク制御チャネルのダウンリンク制御情報ＤＣＩフォーマットにおける送信電力制御ＴＰＣコマンドフィールドは、ＰＵＣＣＨのＰＵＣＣＨリソースを示す。すなわち、ステップ１におけるダウンリンク制御チャネルのダウンリンク制御情報ＤＣＩフォーマットにおける送信電力制御ＴＰＣコマンドフィールドは、ＰＵＣＣＨのＰＵＣＣＨリソースを示す。このケースでは、ユーザ機器は、ステップ１におけるダウンリンク制御チャネルのダウンリンク制御情報ＤＣＩフォーマットにおける送信電力制御ＴＰＣコマンドフィールドに従って、ＰＵＣＣＨのＰＵＣＣＨリソースを決定し、その後、ＰＵＣＣＨリソースを使用することによって、ステップ１におけるダウンリンク制御チャネルに対応する物理ダウンリンク共有チャネルＰＤＳＣＨのハイブリッド自動再送要求確認応答ＨＡＲＱ−ＡＣＫを、ＰＵＣＣＨにおいて、アップリンクサブフレームｎ＋４でフィードバックし得る。アップリンクサブフレームｎ＋４が、第２のアップリンクサブフレームセットに属する場合、ＰＵＣＣＨは、ユーザ機器の第１のサービングセルにおいて伝送される。すなわち、ＰＵＣＣＨは、ステップ１において、第１のサービングセルにおいて伝送され得、ステップ１におけるダウンリンク制御チャネルのダウンリンク制御情報ＤＣＩフォーマットにおける送信電力制御ＴＰＣコマンドフィールドは、ＰＵＣＣＨの送信電力を示す。このケースでは、ユーザ機器は、ステップ１におけるダウンリンク制御チャネルのダウンリンク制御情報ＤＣＩフォーマットにおける送信電力制御ＴＰＣコマンドフィールドに従って、ＰＵＣＣＨの送信電力を決定し、その後、ＰＵＣＣＨの送信電力を使用することによって、ステップ１におけるダウンリンク制御チャネルに対応する物理ダウンリンク共有チャネルＰＤＳＣＨのハイブリッド自動再送要求確認応答ＨＡＲＱ−ＡＣＫを、ＰＵＣＣＨにおいて、アップリンクサブフレームｎ＋４でフィードバックし得る。
【００７６】
オプションとして、この実施形態では、ステップ１０２の前に、この方法はさらに、以下のステップ、すなわち、ＵＥによって、ＰＵＣＣＨのＰＵＣＣＨリソース及び／又はＰＵＣＣＨ送信電力を取得するステップ、を含み得る。この実施形態では、ＵＥは、ＰＵＣＣＨリソース若しくはＰＵＣＣＨ送信電力のみを取得し得るか、又は、ＵＥは、ＰＵＣＣＨリソースとＰＵＣＣＨ送信電力との両方を取得し得る。実現可能な実施方式では、アップリンクサブフレームＮ＋４が、第１のアップリンクサブフレームセットに属する場合、ＰＵＣＣＨは、ＵＥの第２のサービングセルにおいて伝送され、基地局は、ダウンリンク制御チャネルのダウンリンク制御情報ＤＣＩフォーマットにおける送信電力制御（Ｔｒａｎｓｍｉｔ  Ｐｏｗｅｒ  Ｃｏｎｔｒｏｌ，略してＴＰＣ）コマンドフィールドを使用することによって、ＰＵＣＣＨのＰＵＣＣＨリソースを示す。すなわち、ステップ１０１におけるダウンリンク制御チャネルのダウンリンク制御情報ＤＣＩフォーマットにおける送信電力制御ＴＰＣコマンドフィールドは、ＰＵＣＣＨのＰＵＣＣＨリソースを示す。このケースでは、ＵＥは、ステップ１０１におけるダウンリンク制御チャネルのダウンリンク制御情報ＤＣＩフォーマットにおける送信電力制御ＴＰＣコマンドフィールドに従って、ＰＵＣＣＨのＰＵＣＣＨリソースを決定し、その後、ＰＵＣＣＨリソースを使用することによって、ステップ１０１におけるダウンリンク制御チャネルに対応するハイブリッド自動再送要求確認応答（ＨＡＲＱ  Ｈｙｂｒｉｄ  Ａｕｔｏｍａｔｉｃ  Ｒｅｐｅａｔ  ｒｅｑｕｅｓｔ  Ａｃｋｎｏｗｌｅｄｇｅｍｅｎｔ，略してＨＡＲＱ−ＡＣＫ）を、ＰＵＣＣＨにおいて、アップリンクサブフレームＮ＋４でフィードバックし得る。アップリンクサブフレームＮ＋４が、第２のアップリンクサブフレームセットに属する場合、ＰＵＣＣＨは、ＵＥの第１のサービングセルにおいて伝送される。すなわち、ＰＵＣＣＨは、ステップ１０１において、第１のサービングセルにおいて伝送され、ステップ１０１におけるダウンリンク制御チャネルのＤＣＩフォーマットにおけるＴＰＣコマンドフィールドは、ＰＵＣＣＨの送信電力を決定するために使用され得る。このケースでは、ＵＥは、ステップ１０１におけるダウンリンク制御チャネルのＤＣＩフォーマットにおけるＴＰＣコマンドフィールドに従って、ＰＵＣＣＨの送信電力を決定し、その後、ＰＵＣＣＨの送信電力を使用することによって、ステップ１０１におけるダウンリンク制御チャネルに対応するハイブリッド自動再送要求確認応答メッセージを、ＰＵＣＣＨにおいて、アップリンクサブフレームＮ＋４で、フィードバックし得る。
【００７７】
さらに、この実施形態では、ダウンリンク制御チャネルが、第１のサービングセルにおいて伝送された物理ダウンリンク共有チャネル（Ｐｈｙｓｉｃａｌ  Ｄｏｗｎｌｉｎｋ  Ｓｈａｒｅｄ  Ｃｈａｎｎｅｌ，略してＰＤＳＣＨ）送信を示すために使用される場合、ダウンリンク制御チャネルに対応するハイブリッド自動再送要求確認応答は、特に、ダウンリンク制御チャネルに対応するＰＤＳＣＨのＨＡＲＱ−ＡＣＫであり、ダウンリンク制御チャネルが、ダウンリンクセミパーシステントスケジューリングＳＰＳリリースを示すために使用される場合、ダウンリンク制御チャネルに対応するハイブリッド自動再送要求確認応答は、特に、ＳＰＳリリースを示すダウンリンク制御チャネルに対応するＨＡＲＱ−ＡＣＫである。
【００７８】
さらに、この実施形態では、第１のサービングセルの複信モードは、第２のサービングセルの複信モードとは異なる。第１のサービングセルの複信モードがＴＤＤであり、第２のサービングセルの複信モードがＦＤＤである場合、第２のアップリンクサブフレームセットに含まれたアップリンクサブフレームは、第１のサービングセルの、無線フレームにおける、アップリンクサブフレームに対応し、第１のアップリンクサブフレームセットに含まれたアップリンクサブフレームは、無線フレームにおける、第２のアップリンクサブフレームセットに含まれたアップリンクサブフレームを除く、他のアップリンクサブフレームに対応する。第１のサービングセルの複信モードがＦＤＤであり、第２のサービングセルの複信モードがＴＤＤである場合、第１のアップリンクサブフレームセットに含まれたアップリンクサブフレームは、第１のサービングセルの、無線フレームにおける、アップリンクサブフレームに対応し、第２のアップリンクサブフレームセットに含まれたアップリンクサブフレームは、無線フレームにおける、第１のアップリンクサブフレームセットに含まれたアップリンクサブフレームを除く、他のアップリンクサブフレームに対応する。
【００７９】
さらに、第１のサービングセルが、ＵＥのプライマリサービングセルである場合、第２のサービングセルは、ＵＥの、最も小さなセルインデクスを有する、ＦＤＤセカンダリサービングセルであり得る。第２のサービングセルはまた、ＵＥのセカンダリサービングセルにおける、より高いレイヤシグナリングによって示されるセカンダリサービングセルであり得、特に、ＵＥのセカンダリサービングセルにおける、より高いレイヤシグナリングによって示され、ＰＵＣＣＨを送信するために使用される、セカンダリサービングセルであり得る。
【００８０】
一般に、無線フレームには、１０のサブフレームが存在する。したがって、第１のアップリンクサブフレームセットに含まれたアップリンクサブフレームの量と、第２のアップリンクサブフレームセットに含まれたアップリンクサブフレームの量との合計は、１０であり得る。第１のサービングセルの複信モードがＴＤＤであり、第２のサービングセルの複信モードが周波数分割複信ＦＤＤである場合、第２のアップリンクサブフレームセットに含まれたアップリンクサブフレームは、第１のサービングセルの、無線フレームにおける、アップリンクサブフレームに対応し、第１のアップリンクサブフレームセットに含まれたアップリンクサブフレームは、無線フレーム内の他のアップリンクサブフレーム、すなわち、無線フレームにおける、第２のアップリンクサブフレームセットに含まれたアップリンクサブフレームを除くアップリンクサブフレームに対応する。たとえば、第１のサービングセルのアップリンク−ダウンリンク構成比が、構成比２である場合、ＵＥは、図２に図示される方式で、ＰＵＣＣＨを送信し得る。図２は、本発明におけるＰＵＣＣＨ送信メカニズムの概略図である。ＵＥは、第１のサービングセルが、アップリンクサブフレームに対応する場合、第１のサービングセルにおいてＰＵＣＣＨを送信し、第１のサービングセルが、ダウンリンクサブフレームに対応する場合、第２のサービングセルにおいてＰＵＣＣＨを送信する。このケースでは、第２のアップリンクサブフレームセットは、無線フレームにおいて、第１のサービングセルに対応するアップリンクサブフレーム（図２における無線フレームにおいて、垂線を使用することによって印され、第１のサービングセルに対応するサブフレーム）を含み、第１のアップリンクサブフレームセットは、同じ無線フレームにおける他のアップリンクサブフレーム（図２における無線フレームにおいて、縦線を使用することによって印され、第２のサービングセルに対応するサブフレーム）、すなわち、無線フレームにおいて、第２のアップリンクサブフレームセットに含まれるアップリンクサブフレームを除くアップリンクサブフレーム、を含む。
【００８１】
本発明のこの実施形態では、たとえば、図２に図示される例では、プライマリキャリアがＴＤＤキャリアである場合、ＦＤＤキャリア及びＴＤＤキャリアの場合、ＨＡＲＱ−ＡＣＫは、ＦＤＤキャリアの既存のタイミングに従ってフィードバックされ得る。すなわち、ＵＥが、ダウンリンクサブフレームＮで制御チャネルを受信したのであれば、ＵＥは、アップリンクサブフレームＮ＋４で、ＦＤＤキャリア及び／又はＴＤＤキャリアのＨＡＲＱ−ＡＣＫをフィードバックし、アップリンクサブフレームＮ＋４が、ＴＤＤのアップリンクサブフレームに正確に対応するのであれば、ＴＤＤキャリアを使用することによって、ＨＡＲＱ−ＡＣＫがフィードバックされ、アップリンクサブフレームＮ＋４が、ＴＤＤのダウンリンクサブフレームに対応するのであれば、ＦＤＤキャリアを使用することによって、ＨＡＲＱ−ＡＣＫがフィードバックされる。一方では、ＦＤＤキャリアにおけるすべてのダウンリンクサブフレームは、ＨＡＲＱ−ＡＣＫをフィードバックするために使用される対応するアップリンクサブフレームを有する。これは、リソース利用を改善する。そして、ＦＤＤキャリアのＨＡＲＱ−ＡＣＫタイミングは変更されない。他方では、ＴＤＤキャリアの場合、ＦＤＤキャリアの既存のタイミングに従って、ＨＡＲＱ−ＡＣＫがフィードバックされる。これは、ＨＡＲＱ−ＡＣＫバンドリングを回避し、ＴＤＤキャリアのＲＴＴ遅れを低減する。
【００８２】
さらに、本発明のこの実施形態では、アップリンクサブフレームｎ＋４が、第１のアップリンクサブフレームセットに属する場合、ＰＵＣＣＨは、ユーザ機器の第２のサービングセルにおいて伝送され、ダウンリンク制御チャネルのダウンリンク制御情報ＤＣＩフォーマットにおける送信電力制御ＴＰＣコマンドフィールドは、ＰＵＣＣＨのＰＵＣＣＨリソースを示し、アップリンクサブフレームｎ＋４が、第２のアップリンクサブフレームセットに属する場合、ＰＵＣＣＨは、ユーザ機器の第１のサービングセルにおいて伝送され、ダウンリンク制御チャネルのダウンリンク制御情報ＤＣＩフォーマットにおける送信電力制御ＴＰＣコマンドフィールドが、ＰＵＣＣＨの送信電力を決定するために使用される。本発明のこの実施形態では、一方では、前述した特徴によって、ＴＰＣコマンドは、ＰＵＣＣＨを送信するために使用されるダウンリンクキャリア対応キャリアにおいて伝送され、これによって、このモードにおける個別の電力制御が実施され、電力制御がより容易になり、他方では、ＰＵＣＣＨが、他のサービングセルにおいて伝送される場合、ＴＰＣコマンドフィールドは、ＰＵＣＣＨリソースを示し、これによって、ＵＥは、ＰＵＣＣＨリソースに従ってＨＡＲＱ−ＡＣＫをフィードバックできるようになり、ＰＵＣＣＨリソースの利用が、動的なインジケーションによって改善される。
【００８３】
この実施形態において提供される解決策では、ＵＥは、基地局によって送られたダウンリンク制御チャネルを、ダウンリンクサブフレームＮで受信し、物理アップリンク制御チャネルＰＵＣＣＨを使用することによって、ダウンリンク制御チャネルに対応するハイブリッド自動再送要求確認応答を、アップリンクサブフレームＮ＋４で基地局へ送り、アップリンクサブフレームＮ＋４が、第１のアップリンクサブフレームセットに属する場合、ＰＵＣＣＨは、ＵＥの第２のサービングセルにおいて伝送され、アップリンクサブフレームＮ＋４が、第２のアップリンクサブフレームセットに属する場合、ＰＵＣＣＨは、第１のサービングセルにおいて伝送される。前述した方法によって、異なる複信モードのキャリアのアグリゲーション中に、どのようにしてＨＡＲＱ−ＡＣＫを送信するのかという問題が解決される。一方、アップリンクサブフレームＮ＋４が、第１のアップリンクサブフレームセットに属する場合、ＰＵＣＣＨは、第２のサービングセルにおいて伝送され、アップリンクサブフレームＮ＋４が、第２のアップリンクサブフレームセットに属する場合、ＰＵＣＣＨは、第１のサービングセルにおいて伝送され、これによって、（ＦＤＤダウンリンクサブフレームとＴＤＤダウンリンクサブフレームとを含む）すべてのダウンリンクサブフレームが、ＨＡＲＱ−ＡＣＫをフィードバックするために使用される対応するアップリンクサブフレームを有するようになる。これは、リソース利用を改善する。そして、ＦＤＤキャリアのＨＡＲＱ−ＡＣＫタイミングは変更されない。
【００８４】
図３は、本発明に従ったアップリンク制御情報送信方法の実施形態２のフローチャートである。図３に図示されるように、この実施形態において提供される方法は、以下のステップを含む。
【００８５】
ステップ２０１：基地局は、ダウンリンクサブフレームＮで、ＵＥへダウンリンク制御チャネルを送信する。ダウンリンク制御チャネルは、ＵＥの第１のサービングセルにおいて伝送される。
【００８６】
このステップでは、基地局は、ダウンリンクサブフレームＮで、第１のサービングセルにおいてＵＥへダウンリンク制御チャネルを送り、ダウンリンク制御チャネルは、物理ダウンリンク制御チャネルＰＤＣＣＨ、又は、拡張物理ダウンリンク制御チャネルＥＰＤＣＣＨであり、ダウンリンク制御チャネルは、第１のサービングセルにおいて伝送されたＰＤＳＣＨ送信を示すために使用されるか、又は、ダウンリンクセミパーシステントスケジューリングＳＰＳリリースを示すために使用される。このステップの他の記述のために、実施形態１におけるステップ１０１の記述に対する参照がなされ、本明細書では、詳細は再度記述されない。
【００８７】
ステップ２０２：基地局は、物理アップリンク制御チャネルＰＵＣＣＨを使用することによってＵＥによって送られ、ダウンリンク制御チャネルに対応する、ハイブリッド自動再送要求確認応答を、アップリンクサブフレームＮ＋４で受信する。
【００８８】
この実施形態では、ダウンリンク制御チャネルが、第１のサービングセルにおいて伝送されたＰＤＳＣＨ送信を示すために使用されるのであれば、ダウンリンク制御チャネルに対応するハイブリッド自動再送要求確認応答は、特に、ダウンリンク制御チャネルに対応するＰＤＳＣＨのハイブリッド自動再送要求確認応答ＨＡＲＱ−ＡＣＫであり、ダウンリンク制御チャネルが、ダウンリンクセミパーシステントスケジューリングＳＰＳリリースを示すために使用されるのであれば、ダウンリンク制御チャネルに対応するハイブリッド自動再送要求確認応答は、特に、ＳＰＳリリースを示すダウンリンク制御チャネルに対応するハイブリッド自動再送要求確認応答メッセージＨＡＲＱ−ＡＣＫである。
【００８９】
このステップではアップリンクサブフレームＮ＋４が、第１のアップリンクサブフレームセットに属する場合、ＰＵＣＣＨは、ＵＥの第２のサービングセルにおいて伝送され、アップリンクサブフレームＮ＋４が、第２のアップリンクサブフレームセットに属する場合、ＰＵＣＣＨは、第１のサービングセルにおいて伝送され、第１のサービングセルの複信モードは、第２のサービングセルの複信モードとは異なり、第１のアップリンクサブフレームセットに含まれたアップリンクサブフレームの量と、第２のアップリンクサブフレームセットに含まれたアップリンクサブフレームの量との合計が、無線フレームの量に等しく、第１のアップリンクサブフレームセットに含まれたアップリンクサブフレームと、第２のアップリンクサブフレームセットに含まれたアップリンクサブフレームとは、無線フレーム中の異なるサブフレームに対応する。
【００９０】
このステップでは、アップリンクサブフレームＮ＋４が、第１のアップリンクサブフレームセットに属する場合、ＰＵＣＣＨは、ＵＥの第２のサービングセルにおいて伝送され、ダウンリンク制御チャネルのダウンリンク制御情報ＤＣＩフォーマットにおける送信電力制御ＴＰＣコマンドフィールドは、ＰＵＣＣＨのＰＵＣＣＨリソースを示す。このケースでは、基地局は、ステップ２０１におけるダウンリンク制御チャネルのダウンリンク制御情報ＤＣＩフォーマットにおける送信電力制御ＴＰＣコマンドフィールドを使用することによって、ＰＵＣＣＨのＰＵＣＣＨリソースを示し得、その後、ＰＵＣＣＨリソースを使用することによって、ダウンリンク制御チャネルに対応するハイブリッド自動再送要求確認応答メッセージを、ＰＵＣＣＨにおいてアップリンクサブフレームＮ＋４で受信する。
【００９１】
アップリンクサブフレームＮ＋４が、第２のアップリンクサブフレームセットに属する場合、ＰＵＣＣＨは、ＵＥの第１のサービングセルにおいて伝送される。このケースでは、ＰＵＣＣＨの送信電力を決定するために、ステップ２０１におけるダウンリンク制御チャネルのダウンリンク制御情報ＤＣＩフォーマットにおける送信電力制御ＴＰＣコマンドフィールドが、ＵＥによって使用され得る。そして基地局は、ダウンリンク制御チャネルのダウンリンク制御情報ＤＣＩフォーマットにおける送信電力制御ＴＰＣコマンドフィールドに従って、ＰＵＣＣＨの送信電力を示し得る。
【００９２】
この実施形態では、第１のサービングセルの複信モードは、第２のサービングセルの複信モードとは異なる。第１のサービングセルの複信モードがＴＤＤであり、第２のサービングセルの複信モードがＦＤＤである場合、第２のアップリンクサブフレームセットに含まれたアップリンクサブフレームは、第１のサービングセルの、無線フレームにおける、アップリンクサブフレームに対応し、第１のアップリンクサブフレームセットに含まれたアップリンクサブフレームは、無線フレームにおける、第２のアップリンクサブフレームセットに含まれたアップリンクサブフレームを除く、他のアップリンクサブフレームに対応する。第１のサービングセルの複信モードがＦＤＤであり、第２のサービングセルの複信モードがＴＤＤである場合、第１のアップリンクサブフレームセットに含まれたアップリンクサブフレームは、第１のサービングセルの、無線フレームにおける、アップリンクサブフレームに対応し、第２のアップリンクサブフレームセットに含まれたアップリンクサブフレームは、無線フレームにおける、第１のアップリンクサブフレームセットに含まれたアップリンクサブフレームを除く、他のアップリンクサブフレームに対応する。
【００９３】
第１のサービングセルが、ＵＥのプライマリサービングセルである場合、第２のサービングセルは、ＵＥの、最も小さなセルインデクスを有する、ＦＤＤセカンダリサービングセルであり得、第２のサービングセルはまた、ＵＥのセカンダリサービングセルにおける、より高いレイヤシグナリングによって示されるセカンダリサービングセルであり得、特に、ＵＥのセカンダリサービングセルにおける、より高いレイヤシグナリングによって示され、ＰＵＣＣＨを送信するために使用される、セカンダリサービングセル、すなわち、ＵＥのサービングセルにおける基地局によって示され、ＰＵＣＣＨを送信するために使用されるセカンダリサービングセル、であり得る。
【００９４】
無線フレームに１０のサブフレームが存在するのであれば、第１のアップリンクサブフレームセットに含まれたアップリンクサブフレームの量と、第２のアップリンクサブフレームセットに含まれたアップリンクサブフレームの量との合計は、１０であり得る。第１のサービングセルの複信モードがＴＤＤであり、第２のサービングセルの複信モードが周波数分割複信ＦＤＤである場合、第２のアップリンクサブフレームセットに含まれたアップリンクサブフレームは、第１のサービングセルの、無線フレームにおける、アップリンクサブフレームに対応し、第１のアップリンクサブフレームセットに含まれたアップリンクサブフレームは、無線フレームにおける他のアップリンクサブフレーム、すなわち、無線フレームにおける、第２のアップリンクサブフレームセットに含まれたアップリンクサブフレームを除くアップリンクサブフレーム、に対応する。たとえば、第１のサービングセルのアップリンク−ダウンリンク構成比が、構成比２である場合、ＵＥは、図２に図示される方式で、ＰＵＣＣＨを送信し得る。図２は、本発明におけるＰＵＣＣＨ送信メカニズムの概略図である。ＵＥは、第１のサービングセルがアップリンクサブフレームに対応する場合、第１のサービングセルにおいてＰＵＣＣＨを送信し、第１のサービングセルがダウンリンクサブフレームに対応する場合、第２のサービングセルにおいてＰＵＣＣＨを送信する。このケースでは、第２のアップリンクサブフレームセットは、無線フレームにおいて、第１のサービングセルに対応するアップリンクサブフレーム（図２における無線フレームにおいて、垂線を使用することによって印され、第１のサービングセルに対応するサブフレーム）を含み、第１のアップリンクサブフレームセットは、同じ無線フレームにおける他のアップリンクサブフレーム（図２における無線フレームにおいて、縦線を使用することによって印され、第２のサービングセルに対応するサブフレーム）、すなわち、無線フレームにおいて、第２のアップリンクサブフレームセットに含まれるアップリンクサブフレームを除くアップリンクサブフレーム、を含む。
【００９５】
この実施形態で提供される方法では、基地局は、ダウンリンクサブフレームＮでダウンリンク制御チャネルを送り、ダウンリンク制御チャネルに対応するハイブリッド自動再送要求確認応答を、アップリンクサブフレームＮ＋４で受信し、アップリンクサブフレームＮ＋４が、異なるアップリンクサブフレームセットに属する場合、ＰＵＣＣＨは、異なるサービングセルにおいて伝送され、アップリンクサブフレームＮ＋４が、第１のアップリンクサブフレームセットに属する場合、ＰＵＣＣＨは、ＵＥの第２のサービングセルにおいて伝送され、アップリンクサブフレームＮ＋４が、第２のアップリンクサブフレームセットに属する場合、ＰＵＣＣＨは、第１のサービングセルにおいて伝送され、その結果、ＦＤＤキャリアとＴＤＤキャリアとをアグリゲートするシナリオにおいて、どのようにしてＨＡＲＱ−ＡＣＫを送信するのかという問題を解決する。一方、アップリンクサブフレームＮ＋４が、第１のアップリンクサブフレームセットに属する場合、ＰＵＣＣＨは、ＵＥの第２のサービングセルにおいて伝送され、アップリンクサブフレームＮ＋４が、第２のアップリンクサブフレームセットに属する場合、ＰＵＣＣＨは、第１のサービングセルにおいて伝送され、これによって、ＨＡＲＱ−ＡＣＫをフィードバックするために、各サブフレームが使用され得るようになり、また、ＦＤＤキャリアにおけるすべてのダウンリンクサブフレームが、ＨＡＲＱ−ＡＣＫをフィードバックするために使用される対応するアップリンクサブフレームを有するようになる。これは、リソース利用を改善する。そして、ＦＤＤキャリアのＨＡＲＱ−ＡＣＫタイミングは変更されない。本発明のこの実施形態の他の有益な効果は、実施形態１のものと同じであり、本明細書では、詳細は再度記述されない。
【００９６】
図４は、本発明に従うアップリンク制御情報送信方法の実施形態３のフローチャートである。図３に図示されるように、この実施形態と、図２に図示される実施形態との相違は、ＰＵＣＣＨは、ＵＥのセカンダリサービングセルにおいてのみ送信され得、セカンダリサービングセルの複信モードはＦＤＤであるという点にある。以下は、この実施形態の解決策を詳細に記述する。この実施形態における方法は、以下を含み得る。
【００９７】
ステップ３０１：ＵＥは、ダウンリンクサブフレームＮでダウンリンク制御チャネルを受信する。ダウンリンク制御チャネルは、ＵＥの第１のサービングセルにおいて伝送され、第１のサービングセルの複信モードは、時分割複信ＴＤＤである。
【００９８】
この実施形態では、ダウンリンク制御チャネルは、物理ダウンリンク制御チャネルＰＤＣＣＨ、又は、拡張物理ダウンリンク制御チャネルＥＰＤＣＣＨであり得る。ダウンリンク制御チャネルは、第１のサービングセルにおいて伝送された物理ダウンリンク共有チャネルＰＤＳＣＨ送信を示すために使用され得るか、又は、ダウンリンクセミパーシステントスケジューリングＳＰＳリリースを示すために使用され得る。
【００９９】
このステップはさらに、ＵＥの第２のサービングセルにおいて伝送されたＰＤＳＣＨを、ダウンリンクサブフレームＮで、ＵＥによって受信するステップを含み得る。第２のサービングセルの複信モードは、周波数分割複信ＦＤＤである。
【０１００】
ステップ３０２：ＵＥは、ダウンリンク制御チャネルのダウンリンク制御情報ＤＣＩフォーマットに従って、物理アップリンク制御チャネルＰＵＣＣＨリソースを決定する。
【０１０１】
このステップで、ＵＥは、以下の２つの方式で、ダウンリンク制御チャネルのダウンリンク制御情報ＤＣＩフォーマットに従って、物理アップリンク制御チャネルＰＵＣＣＨリソースを決定し得る。
【０１０２】
方式１：ＵＥは、ダウンリンク制御チャネルのダウンリンク制御情報ＤＣＩフォーマットにおけるダウンリンク割当インジケーションＤＡＩに従って、物理アップリンク制御チャネルＰＵＣＣＨリソースを決定する。
【０１０３】
方式１では、ＵＥは、ダウンリンク制御チャネルのダウンリンク制御情報ＤＣＩフォーマットにおけるダウンリンク割当インジケーションＤＡＩに従って、物理アップリンク制御チャネルＰＵＣＣＨリソースを決定する。すなわち、ＵＥは、ダウンリンク制御チャネルのダウンリンク制御情報ＤＣＩフォーマットにおけるダウンリンク割当インジケーションＤＡＩに従って、より高いレイヤシグナリングによって構成された４つのＰＵＣＣＨリソースから１つのＰＵＣＣＨリソースを決定する。より高いレイヤシグナリングによって構成された４つのＰＵＣＣＨリソースに対応する物理リソースブロックＰＲＢは、ＵＥの第２のサービングセルに位置する。
【０１０４】
この方式では、複信モードがＴＤＤである第１のサービングセルに対応するＨＡＲＱ−ＡＣＫが、複信モードがＦＤＤである第２のサービングセルにおいて送信される場合、ＴＤＤのＨＡＲＱ−ＡＣＫタイミングは、ＦＤＤのＨＡＲＱ−ＡＣＫタイミングを使用し得る。したがって、ＤＣＩフォーマットにおけるＤＡＩフィールドは、ＰＵＣＣＨリソースを示すために再使用され得る。一方では、既存のＤＣＩフォーマットにおけるフィールドは、より良好に使用され得る。これは、リリース利用を改善する。他方では、ダウンリンク制御チャネルは、第１のサービングセルにおいて伝送され、対応するＰＵＣＣＨは、第２のサービングセルにおいて伝送される。したがって、ＵＥは、ダウンリンク制御チャネルのリソースに従ってＰＵＣＣＨリソースを暗黙的に計算することができない。この実施形態では、ＰＵＣＣＨリソースは、ＤＣＩフォーマットにおけるＤＡＩを使用することによって示される。これによって、ＵＥは、ＨＡＲＱ−ＡＣＫをフィードバックすることができ、ＰＵＣＣＨリソース利用は、別のユーザの再使用によって改善され得る。さらに、インジケーションは、ＤＡＩを使用することによって実行される。これは、ＰＵＣＣＨリソースを示すために元々使用されていたＴＰＣをリリースすることができる。その結果、ＴＰＣは、いずれのケースでも取得され得るようになり、したがって、ＰＵＣＣＨの電力制御効率を改善する。
【０１０５】
方式２：ＵＥは、ダウンリンク制御チャネルのダウンリンク制御情報ＤＣＩフォーマットにおける送信電力制御ＴＰＣコマンドに従って、物理アップリンク制御チャネルＰＵＣＣＨリソースを決定する。
【０１０６】
方式２では、ＵＥは、第１のサービングセル（プライマリサービングセル）に対応するＤＣＩフォーマットにおけるＴＰＣコマンドを使用することによって、第２のサービングセル（セカンダリサービングセル）で伝送されたＰＵＣＣＨリソースを示す。このケースでは、第２のサービングセル（セカンダリサービングセル）に対応するＤＣＩフォーマットにおけるＴＰＣコマンドが、ＰＵＣＣＨリソースの送信電力制御コマンドを示すために使用される。
【０１０７】
ユーザ機器が、ステップ３０１において、ＵＥの第２のサービングセルにおいて伝送されたＰＤＳＣＨを受信した場合、ステップはさらに、第２のサービングセルにおいて伝送されたＰＤＳＣＨに対応するダウンリンク制御チャネルのＤＣＩフォーマットにおけるＴＰＣコマンドフィールドに従って、ＰＵＣＣＨの送信電力をＵＥによって決定するステップを含み得る。
【０１０８】
ステップ３０３：ＵＥは、ＰＵＣＣＨを使用することによって、アップリンクサブフレームＮ＋４で、ダウンリンク制御チャネルに対応するハイブリッド自動再送要求確認応答を送信する。ＰＵＣＣＨはＵＥの第２のサービングセルにおいて伝送され、第２のサービングセルの複信モードは、周波数分割複信ＦＤＤである。
【０１０９】
ＵＥは、ＰＵＣＣＨリソースを使用することによって、ダウンリンク制御チャネルに対応するハイブリッド自動再送要求確認応答を、アップリンクサブフレームＮ＋４で、第２のサービングセルにおいてフィードバックする。ダウンリンク制御チャネルは、第１のサービングセルにおいて伝送された物理ダウンリンク共有チャネルＰＤＳＣＨ送信を示すために使用され得るか、又は、ダウンリンクセミパーシステントスケジューリングＳＰＳリリースを示すために使用され得る。ダウンリンク制御チャネルが、ＰＤＳＣＨ送信を示すために使用される場合、ダウンリンク制御チャネルに対応するハイブリッド自動再送要求確認応答は、特に、ダウンリンク制御チャネルに対応するＰＤＳＣＨのハイブリッド自動再送要求確認応答であり、ダウンリンク制御チャネルが、ダウンリンクセミパーシステントスケジューリングＳＰＳリリースを示すために使用される場合、ダウンリンク制御チャネルに対応するハイブリッド自動再送要求確認応答は、特に、ダウンリンクセミパーシステントスケジューリングＳＰＳリリースを示すダウンリンク制御チャネルに対応するハイブリッド自動再送要求確認応答である。
【０１１０】
このステップでは、ユーザ機器が、ステップ３０１において、第２のサービングセルにおいて伝送されたＰＤＳＣＨを受信した場合、このステップはさらに、第２のサービングセルにおいて伝送されたＰＤＳＣＨのハイブリッド自動再送要求確認応答を、ＵＥによって、アップリンクサブフレームＮ＋４で、ＰＵＣＣＨにおいて送信するステップを含み得る。ＰＵＣＣＨは、ＵＥの第２のサービングセルにおいて伝送され、第２のサービングセルの複信モードは、周波数分割複信ＦＤＤである。すなわち、このケースでは、ユーザ機器は、第１のサービングセルにおいて伝送されたダウンリンク制御チャネルに対応するＨＡＲＱ−ＡＣＫ、及び、第２のサービングセルにおいて伝送されたＰＤＳＣＨのＨＡＲＱ−ＡＣＫを、第２のサービングセルにおいて伝送されたＰＵＣＣＨにおいてフィードバックする。
【０１１１】
この実施形態では、第１のサービングセルは、ＵＥのプライマリサービングセルであり、第２のサービングセルは、ＵＥのセカンダリサービングセルである。第２のサービングセルは、ＵＥの、最も小さなセルインデクスを有する、ＦＤＤのセカンダリサービングセルであるか、又は、第２のサービングセルは、ＰＵＣＣＨを送信するために使用され、より高いレイヤシグナリングによって示される、セカンダリサービングセルである。すなわち、より高いレイヤシグナリングは、ユーザ機器のセカンダリサービングセルのうちどのセカンダリサービングセルが、第２のサービングセルであるかを示すために使用され得る。
【０１１２】
この実施形態では、ＵＥのプライマリサービングセル（すなわち、第１のサービングセル）が、ＴＤＤである場合、ＰＵＣＣＨは、複信モードがＦＤＤであるセカンダリサービングセル（すなわち、第２のサービングセル）で送られ、これによって、ＨＡＲＱ−ＡＣＫは、ＦＤＤサービングセルの既存のＨＡＲＱ−ＡＣＫタイミングに従って、ＵＥのすべてのＦＤＤサービングセル及びＴＤＤサービングセルにおいてフィードバックされ得るようになる。一方では、ＦＤＤキャリアにおけるすべてのダウンリンクサブフレームは、ＨＡＲＱ−ＡＣＫをフィードバックするために使用される対応するアップリンクサブフレームを有する。これは、リソース利用を改善する。そして、ＦＤＤキャリアのＨＡＲＱ−ＡＣＫタイミングは変更されない。他方では、ＴＤＤサービングセルにおけるＨＡＲＱ−ＡＣＫバンドリングが低減され、ＴＤＤサービングセルのＲＴＴ遅れが短縮される。
【０１１３】
既存のアグリゲーションメカニズムでは、セカンダリサービングセルがＵＥのために設定された後、セカンダリサービングセルは、活性化又は非活性化され得る。しかしながら、プライマリサービングセルがＵＥのために設定された後、プライマリサービングセルは、非活性化されることはできない。セカンダリサービングセルが非活性化されると、信号は、セカンダリサービングセルのアップリンクで送られることはできない。本発明のこの実施形態では、ＰＵＣＣＨを伝送する第２のサービングセルがセカンダリサービングセルであるので、ＰＵＣＣＨを送信するセカンダリサービングセルが非活性化されると、ＰＵＣＣＨはセカンダリサービングセルにおいて送信されることはできない。このケースでは、ＵＥのプライマリサービングセルにおけるＰＤＳＣＨのスケジューリングが影響され得る。この問題を解決するために、以下の方法が使用され得る。
【０１１４】
方法１：ＰＵＣＣＨを送信するために使用される第２のサービングセル（セカンダリサービングセル）は、非活性化されることができない。
【０１１５】
この方法では、サービングセルがＵＥのために設定され、ＰＵＣＣＨを送信するためにセカンダリサービングセルが使用されていると判定されると、セカンダリサービングセルは非活性化されることができない。
【０１１６】
方法２：ユーザ機器がダウンリンクサブフレームＮで非活性化シグナリングを受信すると、ＵＥはサブフレームＮ＋Ｋの後に、第２のサービングセルにおいてＰＵＣＣＨを送信することをやめる。ここで、Ｋは、８よりも大きいか、又は、８に等しい。
【０１１７】
方法２はまた以下であってもよい。すなわち、ユーザ機器が、ダウンリンクサブフレームＮで、非活性化シグナリングを受信し、その後、ＵＥは、サブフレームＮ＋Ｋの後に、第３のサービングセルにおいてＰＵＣＣＨを送信する。第３のサービングセルは、ＵＥのセカンダリサービングセルであり、第３のサービングセルの複信モードは、ＦＤＤであり、第３のサービングセルは、活性化されたサービングセルであり、ここで、Ｋは８よりも大きいか、又は、８に等しい。
【０１１８】
方法２では、ＵＥは、サブフレームＮで受信された非活性化シグナリングに従って、サブフレームＮ＋Ｋの後に、ＵＥに対応するすべてのセカンダリサービングセルにおけるどのセカンダリサービングセルが、現在、活性化状態にあるのかを判定し、活性化状態にあるサービングセルから、ＰＵＣＣＨを伝送しているセカンダリサービングセルを判定する。その結果、ＰＵＣＣＨを伝送する新たなセカンダリサービングセルが決定される前に、プライマリサービングセルにおいてＰＤＳＣＨがスケジュールされることができないという問題を回避し、プライマリサービングセルにおける送信を保証する。
【０１１９】
方法３：ユーザ機器が、プライマリサービングセルにおいて伝送されたＰＤＳＣＨのみを受信すると、ＵＥは、プライマリサービングセルにおいてＰＵＣＣＨを送り、ユーザ機器が、セカンダリサービングセルにおいてＰＤＳＣＨを受信すると、ＵＥは、セカンダリサービングセルにおいてＰＵＣＣＨを送信する。
【０１２０】
セカンダリサービングセルは、ＦＤＤサービングセルであり、セカンダリサービングセルは、最も小さなセルインデクスを有するＦＤＤセカンダリサービングセルであるか、又は、セカンダリサービングセルは、より高いレイヤシグナリングによって示され、ＰＵＣＣＨを送信するために使用される、セカンダリサービングセルである。
【０１２１】
方法３では、セカンダリサービングセルが非活性化されると、基地局が、プライマリサービングセルのみにおいてＰＤＳＣＨをスケジュールし得る。このケースでは、ＵＥは、ＰＵＣＣＨを使用することによって、プライマリサービングセルにおいてプライマリサービングセルのＨＡＲＱ−ＡＣＫをフィードバックする。その結果、セカンダリサービングセルにおけるキャリアの非活性化によって引き起こされる影響を回避する。
【０１２２】
方法３では、ステップ３０３はさらに、方法３におけるステップを含み得る。
【０１２３】
上述された方式はまた、別の実施形態、特に、ＰＵＣＣＨがセカンダリサービングセルにおいて送信される必要のある実施形態、たとえば方法実施形態１に適用可能であることに留意されたい。
【０１２４】
この実施形態では、ＵＥは、基地局によって送られたダウンリンク制御チャネルを、ダウンリンクサブフレームＮで受信する。ダウンリンクチャネルは、ＵＥの第１のサービングセルにおいて伝送される。ＵＥはさらに、第２のサービングセルにおいて伝送されたＰＵＣＣＨを使用することによって、ダウンリンク制御チャネルに対応するハイブリッド自動再送要求確認応答メッセージを、アップリンクサブフレームＮ＋４で基地局へ送信する。第１のサービングセルの複信モードは、時分割複信ＴＤＤであり、第２のサービングセルの複信モードは、周波数分割複信ＦＤＤである。前述した方法によって、異なる複信モードのキャリアのアグリゲーション中に、どのようにしてＨＡＲＱ−ＡＣＫを送信するのかという問題が解決される。ＰＵＣＣＨは、周波数分割複信ＦＤＤキャリアにおいてフィードバックされる。これによって、ユーザ機器のＦＤＤサービングセルにおけるすべてのダウンリンクサブフレームは、ＨＡＲＱ−ＡＣＫをフィードバックするために使用される対応するアップリンクサブフレームを有するようになる。これは、リソース利用を改善する。そして、ＦＤＤサービングセルのＨＡＲＱ−ＡＣＫタイミングは変更されない。
【０１２５】
図５は、本発明に従うアップリンク制御情報送信方法の実施形態４のフローチャートである。実施形態３は、ＵＥの観点からアップリンク制御情報送信方法を記述しており、この実施形態は、基地局の観点から送信方法を記述する。図５に図示されるように、この実施形態において提供される方法は、以下のステップを含む。
【０１２６】
ステップ４０１：基地局は、ダウンリンクサブフレームＮでダウンリンク制御チャネルを送信する。ダウンリンク制御チャネルは、ＵＥの第１のサービングセルにおいて伝送され、第１のサービングセルの複信モードは、時分割複信ＴＤＤである。
【０１２７】
ダウンリンク制御チャネルは、物理ダウンリンク制御チャネルＰＤＣＣＨ、又は、拡張物理ダウンリンク制御チャネルＥＰＤＣＣＨであり得る。ダウンリンク制御チャネルは、第１のサービングセルにおいて伝送された物理ダウンリンク共有チャネルＰＤＳＣＨ送信を示すために使用され得るか、又は、ダウンリンクセミパーシステントスケジューリングＳＰＳリリースを示すために使用され得る。
【０１２８】
この実施形態では、ダウンリンク制御チャネルのダウンリンク制御情報ＤＣＩフォーマットにおけるダウンリンク割当インジケーションＤＡＩ又は送信電力制御ＴＰＣコマンドが、物理アップリンク制御チャネルＰＵＣＣＨリソースを示すために使用され得るか、又は、基地局が、ダウンリンク制御チャネルのダウンリンク制御情報ＤＣＩフォーマットにおけるあらかじめ定義されたフィールドを使用することによって、物理アップリンク制御チャネルＰＵＣＣＨリソースを示すこともあり得る。あらかじめ定義されたフィールドは、ダウンリンク割当インジケーションＤＡＩ又は送信電力制御ＴＰＣコマンドであり得る。それに相応して、このステップは、以下の通りであり得る。
【０１２９】
方式１：基地局が、ダウンリンクサブフレームＮで、ＵＥへダウンリンク制御チャネルを送信する。ダウンリンク制御チャネルに対応する物理ダウンリンク共有チャネルＰＤＳＣＨは、第１のサービングセルにおいて伝送されるか、又は、ダウンリンク制御チャネルが、第１のサービングセルにおいて伝送され、ダウンリンク制御チャネルは、ダウンリンクセミパーシステントスケジューリングＳＰＳリリースを示すダウンリンク制御チャネルであり、第１のサービングセルは、ＵＥのサービングセルであり、第１のサービングセルの複信モードは、時分割複信ＴＤＤであり、ダウンリンク制御チャネルのダウンリンク制御情報ＤＣＩフォーマットにおけるダウンリンク割当インジケーションＤＡＩは、物理アップリンク制御チャネルＰＵＣＣＨリソースを示す。
【０１３０】
このように、複信モードがＴＤＤである第１のサービングセルに対応するＨＡＲＱ−ＡＣＫが、複信モードがＦＤＤである第２のサービングセルにおいて送信される場合、ＴＤＤのＨＡＲＱ−ＡＣＫタイミングは、ＦＤＤのＨＡＲＱ−ＡＣＫタイミングを使用し得る。したがって、ＤＣＩフォーマットにおけるＤＡＩフィールドは、ＰＵＣＣＨリソースを示すために再使用され得る。一方では、既存のＤＣＩフォーマットにおけるフィールドは、より良好に使用され得る。これは、リソース利用を改善する。他方では、ダウンリンク制御チャネルは、第１のサービングセルにおいて伝送され、対応するＰＵＣＣＨは、第２のサービングセルにおいて伝送される。したがって、ＵＥは、ダウンリンク制御チャネルのリソースに従って、ＰＵＣＣＨリソースを暗黙的に計算することができない。この実施形態では、ＰＵＣＣＨリソースは、ＤＣＩフォーマットにおけるＤＡＩを使用することによって示される。これによって、ＵＥは、ＨＡＲＱ−ＡＣＫをフィードバックすることができ、ＰＵＣＣＨリソース利用は、別のユーザの再使用によって改善され得る。さらに、インジケーションは、ＤＡＩを使用することによって実行される。これは、ＰＵＣＣＨリソースを示すために元々使用されていたＴＰＣをリリースすることができ、これによって、ＴＰＣは、いずれのケースでも取得され得るようになる。その結果、ＰＵＣＣＨの電力制御効率を改善する。
【０１３１】
方式２：基地局は、ダウンリンクサブフレームＮでＵＥへダウンリンク制御チャネルを送信する。ダウンリンク制御チャネルに対応する物理ダウンリンク共有チャネルＰＤＳＣＨは、第１のサービングセルにおいて伝送されるか、又は、ダウンリンク制御チャネルが、第１のサービングセルにおいて伝送され、ダウンリンク制御チャネルは、ダウンリンクセミパーシステントスケジューリングＳＰＳリリースを示すダウンリンク制御チャネルであり、第１のサービングセルは、ＵＥのサービングセルであり、第１のサービングセルの複信モードは、時分割複信ＴＤＤであり、ダウンリンク制御チャネルのダウンリンク制御情報ＤＣＩフォーマットにおける送信電力制御ＴＰＣコマンドは、物理アップリンク制御チャネルＰＵＣＣＨリソースを示す。
【０１３２】
方式２では、基地局は、第１のサービングセル（プライマリサービングセル）に対応するＤＣＩフォーマットにおけるＴＰＣコマンドを使用することによって、第２サービングセル（セカンダリサービングセル）で伝送されたＰＵＣＣＨリソースを示す。このケースでは、第２のサービングセル（セカンダリサービングセル）に対応するＤＣＩフォーマットにおけるＴＰＣコマンドは、ＰＵＣＣＨリソースの送信電力制御コマンドを示すために使用され得る。
【０１３３】
ステップ４０１はさらに、ＵＥの第２のサービングセルにおけるユーザ機器へ、基地局によって、ダウンリンクサブフレームＮでＰＤＳＣＨを送信するステップを含み得る。第２のサービングセルの複信モードは、周波数分割複信ＦＤＤである。このケースでは、ステップの方式２はさらに、第２のサービングセルにおいて伝送されたＰＤＳＣＨに対応するダウンリンク制御チャネルのＤＣＩフォーマットにおけるＴＰＣコマンドフィールドを使用することによって、ＰＵＣＣＨの送信電力を、基地局によって示すステップを含み得る。
【０１３４】
ステップ４０２：基地局は、ＰＵＣＣＨを使用することによってＵＥによって送られ、ダウンリンク制御チャネルに対応する、ハイブリッド自動再送要求確認応答を、ＰＵＣＣＨリソースに従って、アップリンクサブフレームＮ＋４で受信する。ＰＵＣＣＨは、ＵＥの第２のサービングセルにおいて伝送され、第２のサービングセルの複信モードは、周波数分割複信ＦＤＤである。
【０１３５】
ダウンリンク制御チャネルが、ＰＤＳＣＨ送信を示すために使用される場合、ダウンリンク制御チャネルに対応するハイブリッド自動再送要求確認応答は、特に、ダウンリンク制御チャネルに対応するＰＤＳＣＨのハイブリッド自動再送要求確認応答であり、ダウンリンク制御チャネルが、ダウンリンクセミパーシステントスケジューリングＳＰＳリリースを示すために使用される場合、ダウンリンク制御チャネルに対応するハイブリッド自動再送要求確認応答は、特に、ダウンリンクセミパーシステントスケジューリングＳＰＳリリースを示すダウンリンク制御チャネルに対応するハイブリッド自動再送要求確認応答である。
【０１３６】
ステップ４０１がさらに、基地局によって、ダウンリンクサブフレームＮで、ＵＥの第２のサービングセルにおいてユーザ機器へＰＤＳＣＨを送信するステップを含み、第２のサービングセルの複信モードが、周波数分割複信ＦＤＤである場合、ステップ４０２はさらに、ＰＵＣＣＨを使用することによってＵＥによって送られ、第２のサービングセルにおいて伝送されたＰＤＳＣＨのＨＡＲＱ−ＡＣＫを、ＰＵＣＣＨリソースに従って、基地局によってアップリンクサブフレームＮ＋４で受信するステップを含み得る。
【０１３７】
この実施形態では、第１のサービングセルが、ＵＥのプライマリサービングセルであり、第２のサービングセルが、ＵＥのセカンダリサービングセルである。第２のサービングセルは、ＵＥの、最も小さなセルインデクスを有する、ＦＤＤのセカンダリサービングセルであるか、又は、第２のサービングセルは、ＰＵＣＣＨを送信するために使用され、基地局によって示された、セカンダリサービングセルであり、たとえば、基地局は、ユーザがＰＵＣＣＨを送信する第２のサービングセルを、ＲＲＣシグナリングを使用することによって示し得る。
【０１３８】
この実施形態では、ＵＥのプライマリサービングセル（すなわち、第１のサービングセル）が、ＴＤＤである場合、ＰＵＣＣＨは、複信モードがＦＤＤであるセカンダリサービングセル（すなわち、第２のサービングセル）で伝送され、これによって、ＨＡＲＱ−ＡＣＫは、ＦＤＤサービングセルの既存のＨＡＲＱ−ＡＣＫタイミングに従って、ＵＥのすべてのＦＤＤサービングセル及びＴＤＤサービングセルにおいてフィードバックされ得る。一方では、ＦＤＤキャリアにおけるすべてのダウンリンクサブフレームは、ＨＡＲＱ−ＡＣＫをフィードバックするために使用される対応するアップリンクサブフレームを有する。これは、リソース利用を改善し、ＦＤＤキャリアのＨＡＲＱ−ＡＣＫタイミングは変更されない。他方では、ＴＤＤサービングセルにおけるＨＡＲＱ−ＡＣＫバンドリングが低減され、ＴＤＤサービングセルのＲＴＴ遅れが短縮される。
【０１３９】
この実施形態では、基地局は、ダウンリンクサブフレームＮで、ユーザ機器ＵＥへダウンリンク制御チャネルを送信する。ダウンリンク制御チャネルは、ＵＥの第１のサービングセルにおいて伝送され、第１のサービングセルの複信モードは、時分割複信ＴＤＤであり、ダウンリンク制御チャネルのダウンリンク制御情報ＤＣＩフォーマットにおけるダウンリンク割当インジケーションＤＡＩ又は送信電力制御ＴＰＣコマンドは、物理アップリンク制御チャネルＰＵＣＣＨリソースを示すために使用され、基地局は、ＰＵＣＣＨを使用することによってＵＥによって送られ、ダウンリンク制御チャネルに対応する、ハイブリッド自動再送要求確認応答を、ＰＵＣＣＨリソースに従って、アップリンクサブフレームＮ＋４で受信する。ＰＵＣＣＨは、ＵＥの第２のサービングセルにおいて伝送され、第２のサービングセルの複信モードは、周波数分割複信ＦＤＤである。前述した方法によって、異なる複信モードのキャリアのアグリゲーション中に、どのようにしてＨＡＲＱ−ＡＣＫを送信するのかという問題が解決される。ＰＵＣＣＨは、周波数分割複信ＦＤＤキャリアにおいてフィードバックされ、これによって、ＦＤＤキャリアにおけるすべてのダウンリンクサブフレームが、ＨＡＲＱ−ＡＣＫをフィードバックするために使用される対応するアップリンクサブフレームを有するようになる。これは、リソース利用を改善し、ＦＤＤキャリアのＨＡＲＱ−ＡＣＫタイミングは変更されない。
【０１４０】
図６は、本発明に従うアップリンク制御情報送信方法の実施形態５のフローチャートである。この実施形態では、ＰＵＣＣＨは、ＵＥのプライマリサービングセル及びセカンダリサービングセルにおいて送信され得る。プライマリサービングセルが、アップリンクサブフレームに対応する場合、ＵＥは、プライマリサービングセルにおいてＰＵＣＣＨを送信し、プライマリサービングセルが、ダウンリンクサブフレームに対応する場合、ユーザ機器は、セカンダリサービングセルにおいてＰＵＣＣＨを送信する。以下は、本発明の解決策を詳細に記述する。図５に図示されるように、この実施形態において提供される方法は、以下のステップを含む。
【０１４１】
ステップ５０１：ＵＥが、ダウンリンクサブフレームＮで、ダウンリンク制御チャネルを受信する。ダウンリンク制御チャネルは、ＵＥの第１のサービングセルにおいて伝送される。
【０１４２】
このステップでは、ＵＥは、第１のサービングセルにおいて伝送されたダウンリンク制御チャネルを受信する。ダウンリンク制御チャネルは、物理ダウンリンク制御チャネルＰＤＣＣＨ、又は、拡張物理ダウンリンク制御チャネルＥＰＤＣＣＨであり、ダウンリンク制御チャネルは、第１のサービングセルにおいて伝送された物理ダウンリンク共有チャネルＰＤＳＣＨ送信を示すために使用され得るか、又は、ダウンリンクセミパーシステントスケジューリングＳＰＳリリースを示すために使用され得る。ダウンリンク制御チャネルのダウンリンク制御情報ＤＣＩフォーマットは、ＤＣＩフォーマット１、ＤＣＩフォーマット１Ａ、ＤＣＩフォーマット１Ｂ、ＤＣＩフォーマット１Ｄ、ＤＣＩフォーマット２Ａ、ＤＣＩフォーマット２Ｂ、ＤＣＩフォーマット２Ｃ、及びＤＣＩフォーマット２Ｄのうちの１つ又は複数であり得る。第１のサービングセルは、ＵＥに対応するサービングセルである。
【０１４３】
このステップはさらに、ＵＥの第２のサービングセルにおいて伝送されたＰＤＳＣＨを、ＵＥによって、ダウンリンクサブフレームＮで受信するステップを含み得る。
【０１４４】
ステップ５０２：ＵＥは、ダウンリンク制御チャネルのＤＣＩフォーマットに従って、物理アップリンク制御チャネルＰＵＣＣＨリソースを決定する。
【０１４５】
このステップでは、ＵＥは、ステップ１において第１のサービングセルにおいて伝送されたダウンリンク制御チャネルのＤＣＩフォーマットに従って、物理アップリンク制御チャネルＰＵＣＣＨリソースを決定する。
【０１４６】
さらに、ダウンリンク制御チャネルに対応するハイブリッド自動再送要求確認応答が、ＵＥの第２のサービングセルにおいて伝送される場合、ＵＥは、ダウンリンク制御チャネルのダウンリンク制御情報ＤＣＩフォーマットにおける送信電力制御ＴＰＣコマンドフィールドに従って、物理アップリンク制御チャネルＰＵＣＣＨリソースを決定する。
【０１４７】
ステップ５０３：ＵＥは、ダウンリンク制御チャネルのＤＣＩフォーマットに従って、物理アップリンク制御チャネルＰＵＣＣＨの送信電力を決定する。
【０１４８】
このステップにおいて、ＵＥは、ステップ１において第１のサービングセルにおいて伝送されたダウンリンク制御チャネルのＤＣＩフォーマットに従って、物理アップリンク制御チャネルＰＵＣＣＨの送信電力を決定する。
【０１４９】
さらに、ダウンリンク制御チャネルに対応するハイブリッド自動再送要求確認応答が、第１のサービングセルにおいて伝送された場合、ＵＥが、ダウンリンク制御チャネルのダウンリンク制御情報ＤＣＩフォーマットにおける送信電力制御ＴＰＣコマンドフィールドに従って、ＰＵＣＣＨの送信電力を決定する。
【０１５０】
第１のサービングセルと第２のサービングセルとの両方が、ＵＥに対応するサービングセルであり、第１のサービングセルの複信モードは、第２のサービングセルの複信モードとは異なる。１つのアップリンクサブフレームのために、ステップ５０２又はステップ５０３のうちのいずれかが存在する。
【０１５１】
この実施形態では、第１のサービングセルが、ＵＥのプライマリサービングセルであり、第１のサービングセルの複信モードが、時分割複信ＴＤＤである場合、第２のサービングセルの複信モードは、周波数分割複信ＦＤＤであり、第２のサービングセルは、ＵＥの、最も小さなセルインデクスを有する、ＦＤＤセカンダリサービングセルである。或いは、第１のサービングセルが、ＵＥのプライマリサービングセルであり、第１のサービングセルの複信モードが、時分割複信ＴＤＤである場合、第２のサービングセルの複信モードは、周波数分割複信ＦＤＤであり、第２のサービングセルは、ＰＵＣＣＨを送信するために使用され、より高いレイヤシグナリングによって示される、セカンダリサービングセルである。すなわち、より高いレイヤシグナリングは、ユーザ機器のセカンダリサービングセルのうちのどのセカンダリサービングセルが、第２のサービングセルであるかを示すために使用され得る。
【０１５２】
ステップ５０４：ＵＥは、ダウンリンク制御チャネルに対応するハイブリッド自動再送要求確認応答を、ＰＵＣＣＨリソース又はＰＵＣＣＨの送信電力に従って、ＰＵＣＣＨを使用することによって、基地局へ送信する。
【０１５３】
ダウンリンク制御チャネルが、物理ダウンリンク共有チャネルＰＤＳＣＨ送信を示すために使用される場合、ダウンリンク制御チャネルに対応するハイブリッド自動再送要求確認応答は、特に、ダウンリンク制御チャネルに対応するＰＤＳＣＨのハイブリッド自動再送要求確認応答であり、ダウンリンク制御チャネルが、ダウンリンクセミパーシステントスケジューリングＳＰＳリリースを示すために使用される場合、ダウンリンク制御チャネルに対応するハイブリッド自動再送要求確認応答は、特に、ダウンリンクセミパーシステントスケジューリングＳＰＳリリースを示すダウンリンク制御チャネルに対応するハイブリッド自動再送要求確認応答である。
【０１５４】
この実施形態において提供される解決策では、ユーザ機器ＵＥは、ダウンリンクサブフレームＮでダウンリンク制御チャネルを受信する。ダウンリンク制御チャネルは、ＵＥの第１のサービングセルにおいて伝送され、ダウンリンク制御チャネルは、物理ダウンリンク制御チャネルＰＤＣＣＨ、又は、拡張物理ダウンリンク制御チャネルＥＰＤＣＣＨである。ダウンリンク制御チャネルに対応するハイブリッド自動再送要求確認応答が、ＵＥの第２のサービングセルにおいて伝送される場合、ＵＥは、ダウンリンク制御チャネルのダウンリンク制御情報ＤＣＩフォーマットにおける送信電力制御ＴＰＣコマンドフィールドに従って、物理アップリンク制御チャネルＰＵＣＣＨリソースを決定し、ダウンリンク制御チャネルに対応するハイブリッド自動再送要求確認応答が、第１のサービングセルにおいて伝送される場合、ＵＥは、ダウンリンク制御チャネルのダウンリンク制御情報ＤＣＩフォーマットにおける送信電力制御ＴＰＣコマンドフィールドに従って、ＰＵＣＣＨの送信電力を決定し、第１のサービングセルの複信モードは、第２のサービングセルの複信モードとは異なり、ＵＥは、ダウンリンク制御チャネルに対応するハイブリッド自動再送要求確認応答を、ＰＵＣＣＨリソース又はＰＵＣＣＨの送信電力に従ってＰＵＣＣＨを使用することによって送信する。前述した方法によって、異なる複信モードのキャリアのアグリゲーション中に、どのようにしてＨＡＲＱ−ＡＣＫを送信するのかという問題が解決され、同時に、ＦＤＤキャリアとＴＤＤキャリアとをアグリゲートするシナリオにおいて、どのようにしてＨＡＲＱ−ＡＣＫを送信するのかという問題が解決される。これによって、ＦＤＤキャリアにおけるすべてのダウンリンクサブフレームが、ＨＡＲＱ−ＡＣＫをフィードバックするために使用される対応するアップリンクサブフレームを有するようになる。これは、リソース利用を改善する。そして、ＦＤＤキャリアのＨＡＲＱ−ＡＣＫタイミングは変更されない。
【０１５５】
図７は、本発明に従うアップリンク制御情報送信方法の実施形態６のフローチャートである。実施形態５は、ＵＥの観点からアップリンク制御情報送信方法を記述しており、この実施形態は、基地局の観点からの説明を与える。図７に図示されるように、この実施形態において提供される方法は、以下のステップを含む。
【０１５６】
ステップ６０１：基地局が、ダウンリンクサブフレームＮでユーザ機器ＵＥへダウンリンク制御チャネルを送信する。ダウンリンクチャネルは、ＵＥの第１のサービングセルにおいて伝送される。
【０１５７】
基地局は、第１のサービングセルにおけるＵＥへダウンリンク制御チャネルを送信する。ダウンリンク制御チャネルは、物理ダウンリンク制御チャネルＰＤＣＣＨ、又は、拡張物理ダウンリンク制御チャネルＥＰＤＣＣＨであり、ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用され、第１のサービングセルは、ユーザ機器に対応するサービングセルである。ダウンリンク制御チャネルのダウンリンク制御情報ＤＣＩフォーマットは、ＤＣＩフォーマット１、ＤＣＩフォーマット１Ａ、ＤＣＩフォーマット１Ｂ、ＤＣＩフォーマット１Ｄ、ＤＣＩフォーマット２Ａ、ＤＣＩフォーマット２Ｂ、ＤＣＩフォーマット２Ｃ、及びＤＣＩフォーマット２Ｄのうちの１つ又は複数であり得る。
【０１５８】
ステップ６０２：基地局は、ダウンリンク制御チャネルのＤＣＩフォーマットを使用することによって、物理アップリンク制御チャネルＰＵＣＣＨリソースを示す。
【０１５９】
ステップ６０２では、基地局は、ステップ６０１におけるダウンリンク制御チャネルのＤＣＩフォーマットを使用することによって、物理アップリンク制御チャネルＰＵＣＣＨリソースを示す。
【０１６０】
ダウンリンク制御チャネルに対応するハイブリッド自動再送要求確認応答が、ＵＥの第２のサービングセルにおいて伝送される場合、基地局は、ダウンリンク制御チャネルのダウンリンク制御情報ＤＣＩフォーマットにおける送信電力制御ＴＰＣコマンドフィールドを使用することによって、物理アップリンク制御チャネルＰＵＣＣＨリソースを示す。
【０１６１】
ステップ６０３：基地局は、ダウンリンク制御チャネルのＤＣＩフォーマットを使用することによって、物理アップリンク制御チャネルＰＵＣＣＨの送信電力を示す。
【０１６２】
ステップ６０３では、基地局は、ステップ６０１におけるダウンリンク制御チャネルのＤＣＩフォーマットを使用することによって、物理アップリンク制御チャネルＰＵＣＣＨの送信電力を示す。
【０１６３】
ダウンリンク制御チャネルに対応するハイブリッド自動再送要求確認応答が、第１のサービングセルにおいて伝送された場合、基地局は、ダウンリンク制御チャネルのダウンリンク制御情報ＤＣＩフォーマットにおける送信電力制御ＴＰＣコマンドフィールドを使用することによって、ＰＵＣＣＨの送信電力を示す。
【０１６４】
この実施形態では、第１のサービングセルと第２のサービングセルとの両方が、ＵＥに対応するサービングセルであり、第１のサービングセルの複信モードは、第２のサービングセルの複信モードとは異なる。第１のサービングセルが、ＵＥのプライマリサービングセルであり、第１のサービングセルの複信モードが、時分割複信ＴＤＤである場合、第２のサービングセルの複信モードは、周波数分割複信ＦＤＤであり、第２のサービングセルは、ＵＥの、最も小さなセルインデクスを有する、ＦＤＤセカンダリサービングセルである。第１のサービングセルが、ＵＥのプライマリサービングセルであり、第１のサービングセルの複信モードが、時分割複信ＴＤＤである場合、第２のサービングセルの複信モードは、周波数分割複信ＦＤＤであり、第２のサービングセルは、ＰＵＣＣＨを送信するために使用され、ＵＥのセカンダリサービングセルにおいてより高いレイヤシグナリングによって示される、セカンダリサービングセルであるか、又は、第２のサービングセルは、ＰＵＣＣＨを送信するために使用され、基地局によって示されるセカンダリサービングセルである。
【０１６５】
ステップ６０４：基地局は、ＵＥによって送られ、ダウンリンク制御チャネルに対応するハイブリッド自動再送要求確認応答を、ＰＵＣＣＨリソースに従って受信する。
【０１６６】
ダウンリンク制御チャネルが、物理ダウンリンク共有チャネルＰＤＳＣＨ送信を示すために使用される場合、ダウンリンク制御チャネルに対応するハイブリッド自動再送要求確認応答は、特に、ダウンリンク制御チャネルに対応するＰＤＳＣＨのハイブリッド自動再送要求確認応答であり、ダウンリンク制御チャネルが、ダウンリンクセミパーシステントスケジューリングＳＰＳリリースを示すために使用される場合、ダウンリンク制御チャネルに対応するハイブリッド自動再送要求確認応答は、特に、ダウンリンクセミパーシステントスケジューリングＳＰＳリリースを示すダウンリンク制御チャネルに対応するハイブリッド自動再送要求確認応答である。
【０１６７】
この実施形態において提供される方法によって、異なる複信モードのキャリアのアグリゲーション中に、どのようにしてＨＡＲＱ−ＡＣＫを送信するのかという問題が解決され、同時に、ＦＤＤキャリアとＴＤＤキャリアとをアグリゲートするシナリオにおいて、どのようにしてＨＡＲＱ−ＡＣＫを送信するのかという問題が解決される。これによって、ＦＤＤキャリアにおけるすべてのダウンリンクサブフレームが、ＨＡＲＱ−ＡＣＫをフィードバックするために使用される対応するアップリンクサブフレームを有するようになる。これは、リソース利用を改善する。そして、ＦＤＤキャリアのＨＡＲＱ−ＡＣＫタイミングは変更されない。
【０１６８】
図８は、本発明に従うユーザ機器の実施形態１の概略構成図である。図８に図示されるように、この実施形態において提供されるユーザ機器は、受信モジュール７１及び送信モジュール７２を含む。
受信モジュール７１は、基地局によって送られたダウンリンク制御チャネルを、ダウンリンクサブフレームＮで受信するように構成され、ダウンリンク制御チャネルは、ＵＥの第１のサービングセルにおいて伝送され、
送信モジュール７２は、ダウンリンク制御チャネルに対応するハイブリッド自動再送要求確認応答を、物理アップリンク制御チャネルＰＵＣＣＨを使用することによって、アップリンクサブフレームＮ＋４で基地局へ送信するように構成され、アップリンクサブフレームＮ＋４が、第１のアップリンクサブフレームセットに属する場合、ＰＵＣＣＨは、ＵＥの第２のサービングセルにおいて伝送され、アップリンクサブフレームＮ＋４が、第２のアップリンクサブフレームセットに属する場合、ＰＵＣＣＨは、第１のサービングセルにおいて伝送され、第１のサービングセルの複信モードは、第２のサービングセルの複信モードとは異なり、第１のアップリンクサブフレームセットに含まれたアップリンクサブフレームの量と、第２のアップリンクサブフレームセットに含まれたアップリンクサブフレームの量との合計が、無線フレームの量に等しく、第１のアップリンクサブフレームセットに含まれたアップリンクサブフレームと、第２のアップリンクサブフレームセットに含まれたアップリンクサブフレームとは、無線フレームにおける異なるサブフレームに対応する。
【０１６９】
この実施形態では、ダウンリンク制御チャネルが、物理ダウンリンク制御チャネルＰＤＣＣＨ、又は、拡張物理ダウンリンク制御チャネルＥＰＤＣＣＨである場合、ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用される。ダウンリンク制御チャネルが、ＰＤＳＣＨ送信を示すために使用される場合、ダウンリンク制御チャネルに対応するハイブリッド自動再送要求確認応答は、特に、ダウンリンク制御チャネルに対応するＰＤＳＣＨのハイブリッド自動再送要求確認応答であり、ダウンリンク制御チャネルが、ＳＰＳリリースを示すために使用される場合、ダウンリンク制御チャネルに対応するハイブリッド自動再送要求確認応答は、特に、ＳＰＳリリースを示すダウンリンク制御チャネルに対応するハイブリッド自動再送要求確認応答である。
【０１７０】
この実施形態では、第１のサービングセルと第２のサービングセルとの両方が、ＵＥにサービスを提供するが、第１のサービングセルの複信モードは、第２のサービングセルの複信モードとは異なる。第１のサービングセルの複信モードが、時分割複信ＴＤＤであり、第２のサービングセルの複信モードが、周波数分割複信ＦＤＤである場合、第２のアップリンクサブフレームセットに含まれたアップリンクサブフレームは、第１のサービングセルの、無線フレームにおける、アップリンクサブフレームに対応し、第１のアップリンクサブフレームセットに含まれたアップリンクサブフレームは、無線フレームにおける、第１のアップリンクサブフレームセットに含まれたアップリンクサブフレームを除く、他のアップリンクサブフレームに対応する。第１のサービングセルの複信モードがＦＤＤであり、第２のサービングセルの複信モードがＴＤＤである場合、第１のアップリンクサブフレームセットに含まれたアップリンクサブフレームは、第１のサービングセルの、無線フレームにおける、アップリンクサブフレームに対応し、第２のアップリンクサブフレームセットに含まれたアップリンクサブフレームは、無線フレームにおける、第１のアップリンクサブフレームセットに含まれたアップリンクサブフレームを除く、他のアップリンクサブフレームに対応する。
【０１７１】
さらに、この実施形態において提供されるユーザ機器はさらに、ＰＵＣＣＨのＰＵＣＣＨリソース及び／又はＰＵＣＣＨ送信電力を取得するように構成された取得モジュールを含み得る。特に、アップリンクサブフレームＮ＋４が、第１のアップリンクサブフレームセットに属する場合、取得モジュールは特に、ダウンリンク制御チャネルのダウンリンク制御情報ＤＣＩフォーマットにおける送信電力制御ＴＰＣコマンドフィールドに従って、ＰＵＣＣＨリソースを決定するように構成される。アップリンクサブフレームＮ＋４が、第２のアップリンクサブフレームセットに属する場合、取得モジュールは特に、ダウンリンク制御チャネルのダウンリンク制御情報ＤＣＩフォーマットにおける送信電力制御ＴＰＣコマンドフィールドに従って、ＰＵＣＣＨ送信電力を決定するように構成される。
【０１７２】
この実施形態において提供されるユーザ機器は、方法実施形態１において図示される技術的解決策を実行するように構成され得る。特定の実施方式及び技術的効果は、この方法のものに類似しており、本明細書では、詳細は再度記述されない。
【０１７３】
図９は、本発明に従う基地局の実施形態１の概略構成図である。図９に図示されるように、この実施形態において提供される基地局は、送信モジュール８１と受信モジュール８２とを含み、
送信モジュール８１は、ダウンリンクサブフレームＮで、ユーザ機器ＵＥへダウンリンク制御チャネルを送信するように構成され、ダウンリンク制御チャネルは、ＵＥの第１のサービングセルにおいて伝送され、
受信モジュール８２は、物理アップリンク制御チャネルＰＵＣＣＨを使用することによってＵＥによって送られ、ダウンリンク制御チャネルに対応するハイブリッド自動再送要求確認応答を、アップリンクサブフレームＮ＋４で受信するように構成され、アップリンクサブフレームＮ＋４が、第１のアップリンクサブフレームセットに属する場合、ＰＵＣＣＨは、ＵＥの第２のサービングセルにおいて伝送され、アップリンクサブフレームＮ＋４が、第２のアップリンクサブフレームセットに属する場合、ＰＵＣＣＨは、第１のサービングセルにおいて伝送され、第１のサービングセルの複信モードは、第２のサービングセルの複信モードとは異なり、第１のアップリンクサブフレームセットに含まれたアップリンクサブフレームの量と、第２のアップリンクサブフレームセットに含まれたアップリンクサブフレームの量との合計が、無線フレームの量に等しく、第１のアップリンクサブフレームセットに含まれたアップリンクサブフレーム、及び第２のアップリンクサブフレームセットに含まれたアップリンクサブフレームは、無線フレームにおける異なるサブフレームに対応する。
【０１７４】
この実施形態では、ダウンリンク制御チャネルは、物理ダウンリンク制御チャネルＰＤＣＣＨ、又は、拡張物理ダウンリンク制御チャネルＥＰＤＣＣＨであり、ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用される。ダウンリンク制御チャネルが、ＰＤＳＣＨ送信を示すために使用される場合、ダウンリンク制御チャネルに対応するハイブリッド自動再送要求確認応答は、特に、ダウンリンク制御チャネルに対応するＰＤＳＣＨのハイブリッド自動再送要求確認応答であり、ダウンリンク制御チャネルが、ＳＰＳリリースを示すために使用される場合、ダウンリンク制御チャネルに対応するハイブリッド自動再送要求確認応答は、特に、ＳＰＳリリースを示すダウンリンク制御チャネルに対応するハイブリッド自動再送要求確認応答である。
【０１７５】
この実施形態では、第１のサービングセルの複信モードは、第２のサービングセルの複信モードとは異なる。第１のサービングセルの複信モードが、時分割複信ＴＤＤであり、第２のサービングセルの複信モードが、周波数分割複信ＦＤＤである場合、第２のアップリンクサブフレームセットに含まれたアップリンクサブフレームは、第１のサービングセルの、無線フレームにおける、アップリンクサブフレームに対応し、第１のアップリンクサブフレームセットに含まれたアップリンクサブフレームは、無線フレームにおける、第２のアップリンクサブフレームセットに含まれたアップリンクサブフレームを除く、他のアップリンクサブフレームに対応する。第１のサービングセルの複信モードがＦＤＤであり、第２のサービングセルの複信モードがＴＤＤである場合、第１のアップリンクサブフレームセットに含まれたアップリンクサブフレームは、第１のサービングセルの、無線フレームにおける、アップリンクサブフレームに対応し、第２のアップリンクサブフレームセットに含まれたアップリンクサブフレームは、無線フレームにおける、第１のアップリンクサブフレームセットに含まれたアップリンクサブフレームを除く、他のアップリンクサブフレームに対応する。
【０１７６】
この実施形態において提供される基地局は、方法実施形態２における技術的解決策を実行するように構成され得る。特定の実施方式及び技術的効果は、この方法のものに類似しており、本明細書では、詳細は再度記述されない。
【０１７７】
図１０は、本発明に従うユーザ機器の実施形態２の概略構成図である。図１０に図示するように、この実施形態において提供されるユーザ機器は、受信モジュール９１と送信モジュール９２とを含み、
受信モジュール９１は、ダウンリンクサブフレームＮでダウンリンク制御チャネルを受信するように構成され、ダウンリンク制御チャネルは、ＵＥの第１のサービングセルにおいて伝送され、第１のサービングセルの複信モードは、時分割複信ＴＤＤであり、
送信モジュール９２は、物理アップリンク制御チャネルＰＵＣＣＨを使用することによって、ダウンリンク制御チャネルに対応するハイブリッド自動再送要求確認応答を、アップリンクサブフレームＮ＋４で送信するように構成され、ＰＵＣＣＨはＵＥの第２のサービングセルにおいて伝送され、第２のサービングセルの複信モードは、周波数分割複信ＦＤＤである。
【０１７８】
この実施形態では、ダウンリンク制御チャネルは、物理ダウンリンク制御チャネルＰＤＣＣＨ、又は、拡張物理ダウンリンク制御チャネルＥＰＤＣＣＨであり、ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用される。ダウンリンク制御チャネルが、ＰＤＳＣＨ送信を示すために使用される場合、ダウンリンク制御チャネルに対応するハイブリッド自動再送要求確認応答は、特に、ダウンリンク制御チャネルに対応するＰＤＳＣＨのハイブリッド自動再送要求確認応答であり、ダウンリンク制御チャネルが、ＳＰＳリリースを示すために使用される場合、ダウンリンク制御チャネルに対応するハイブリッド自動再送要求確認応答は、特に、ＳＰＳリリースを示すダウンリンク制御チャネルに対応するハイブリッド自動再送要求確認応答である。
【０１７９】
さらに、この実施形態におけるユーザ機器はさらに、ＰＵＣＣＨのＰＵＣＣＨリソースを取得するように構成された取得モジュールを含み得る。取得モジュールは特に、ダウンリンク制御チャネルのダウンリンク制御情報ＤＣＩフォーマットにおけるダウンリンク割当インジケーションＤＡＩ又は送信電力制御ＴＰＣコマンドに従って、ＰＵＣＣＨリソースを決定するように構成される。
【０１８０】
この実施形態では、第１のサービングセルは、ＵＥのプライマリサービングセルであり得る。そして、第２のサービングセルは、ＵＥのセカンダリサービングセルである。第２のサービングセルは特に、ＵＥの、最も小さなセルインデクスを有する、ＦＤＤセカンダリサービングセルであり得るか、又は、第２のサービングセルは、より高いレイヤシグナリングによって示される、ＰＵＣＣＨを送信するために使用される、セカンダリサービングセルである。
【０１８１】
この実施形態において提供されるユーザ機器は、方法実施形態３における技術的解決策を実行するように構成され得る。特定の実施方式及び技術的効果は、この方法のものに類似しており、本明細書では、詳細は再度記述されない。
【０１８２】
図１１は、本発明に従う基地局の実施形態２の概略構成図である。図１１に図示されるように、この実施形態において提供される基地局は、送信モジュール１１と受信モジュール１２とを含み、
送信モジュール１１は、ダウンリンクサブフレームＮで、ユーザ機器ＵＥへダウンリンク制御チャネルを送信するように構成され、ダウンリンク制御チャネルは、ＵＥの第１のサービングセルにおいて伝送され、第１のサービングセルの複信モードは、時分割複信ＴＤＤであり、ダウンリンク制御チャネルのダウンリンク制御情報ＤＣＩフォーマットにおけるダウンリンク割当インジケーションＤＡＩ又は送信電力制御ＴＰＣコマンドは、物理アップリンク制御チャネルＰＵＣＣＨリソースを示すために使用され、
受信モジュール１２は、ＰＵＣＣＨを使用することによってＵＥによって送られ、ダウンリンク制御チャネルに対応するハイブリッド自動再送要求確認応答を、ＰＵＣＣＨリソースに従って、アップリンクサブフレームＮ＋４で受信するように構成され、ＰＵＣＣＨはＵＥの第２のサービングセルにおいて伝送され、第２のサービングセルの複信モードは、周波数分割複信ＦＤＤである。
【０１８３】
この実施形態では、ダウンリンク制御チャネルは、物理ダウンリンク制御チャネルＰＤＣＣＨ、又は、拡張物理ダウンリンク制御チャネルＥＰＤＣＣＨであり、ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用される。ダウンリンク制御チャネルが、ＰＤＳＣＨ送信を示すために使用される場合、ダウンリンク制御チャネルに対応するハイブリッド自動再送要求確認応答は、特に、ダウンリンク制御チャネルに対応するＰＤＳＣＨのハイブリッド自動再送要求確認応答であり、ダウンリンク制御チャネルが、ＳＰＳリリースを示すために使用される場合、ダウンリンク制御チャネルに対応するハイブリッド自動再送要求確認応答は、特に、ＳＰＳリリースを示すダウンリンク制御チャネルに対応するハイブリッド自動再送要求確認応答である。
【０１８４】
この実施形態では、第１のサービングセルは、ＵＥのプライマリサービングセルであり得る。そして、第２のサービングセルは、ＵＥのセカンダリサービングセルである。特に、第２のサービングセルは、特に、ＵＥの、最も小さなセルインデクスを有する、ＦＤＤセカンダリサービングセルであり得るか、又は、第２のサービングセルは、より高いレイヤシグナリングを使用することによって基地局によって示される、ＰＵＣＣＨを送信するために使用される、セカンダリサービングセルである。
【０１８５】
この実施形態において提供される基地局は、方法実施形態４における技術的解決策を実行するように構成され得る。特定の実施方式及び技術的効果は、この方法のものに類似しており、本明細書では、詳細は再度記述されない。
【０１８６】
図１２は、本発明に従うユーザ機器の実施形態３の概略構成図である。図１２に図示されるように、この実施形態におけるユーザ機器は、受信モジュール２１、決定モジュール２２、及び送信モジュール２３を含み、
受信モジュール２１は、ダウンリンクサブフレームＮでダウンリンク制御チャネルを受信するように構成され、ダウンリンク制御チャネルは、ＵＥの第１のサービングセルにおいて伝送され、ダウンリンク制御チャネルは、物理ダウンリンク制御チャネルＰＤＣＣＨ、又は、拡張物理ダウンリンク制御チャネルＥＰＤＣＣＨであり、
決定モジュール２２は、ダウンリンク制御チャネルに対応するハイブリッド自動再送要求確認応答が、ＵＥの第２のサービングセルにおいて伝送された場合、ＵＥによって、ダウンリンク制御チャネルのダウンリンク制御情報ＤＣＩフォーマットにおける送信電力制御ＴＰＣコマンドフィールドに従って、物理アップリンク制御チャネルＰＵＣＣＨリソースを決定し、ダウンリンク制御チャネルに対応するハイブリッド自動再送要求確認応答が、第１のサービングセルにおいて伝送された場合、ＵＥによって、ダウンリンク制御チャネルのダウンリンク制御情報ＤＣＩフォーマットにおける送信電力制御ＴＰＣコマンドフィールドに従って、ＰＵＣＣＨの送信電力を決定するように構成され、第１のサービングセルの複信モードは、第２のサービングセルの複信モードとは異なり、
送信モジュール２３は、ダウンリンク制御チャネルに対応するハイブリッド自動再送要求確認応答を、ＰＵＣＣＨリソース又はＰＵＣＣＨの送信電力に従って、ＰＵＣＣＨを使用することによって送信するように構成される。
【０１８７】
この実施形態では、ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用される。ダウンリンク制御チャネルが、ＰＤＳＣＨ送信を示すために使用される場合、ダウンリンク制御チャネルに対応するハイブリッド自動再送要求確認応答は、特に、ダウンリンク制御チャネルに対応するＰＤＳＣＨのハイブリッド自動再送要求確認応答であり、ダウンリンク制御チャネルが、ＳＰＳリリースを示すために使用される場合、ダウンリンク制御チャネルに対応するハイブリッド自動再送要求確認応答は、特に、ＳＰＳリリースを示すダウンリンク制御チャネルに対応するハイブリッド自動再送要求確認応答である。
【０１８８】
この実施形態では、第１のサービングセルは、ＵＥのプライマリサービングセルであり得る。そして、第１のサービングセルの複信モードは、時分割複信ＴＤＤであり、第２のサービングセルの複信モードは、周波数分割複信ＦＤＤであり、第２のサービングセルは、ＵＥの、最も小さなセルインデクスを有する、ＦＤＤセカンダリサービングセルである。
【０１８９】
或いは、第１のサービングセルが、ＵＥのプライマリサービングセルであり、第１のサービングセルの複信モードが、時分割複信ＴＤＤである場合、第２のサービングセルの複信モードは、周波数分割複信ＦＤＤであり、第２のサービングセルは、より高いレイヤシグナリングによって示される、ＰＵＣＣＨを送信するために使用される、セカンダリサービングセルである。
【０１９０】
この実施形態において提供されるユーザ機器は、方法実施形態５における技術的解決策を実行するように構成され得る。特定の実施方式及び技術的効果は、この方法のものに類似しており、本明細書では、詳細は再度記述されない。
【０１９１】
図１３は、本発明に従う基地局の実施形態３の概略構成図である。図１３に図示されるように、この実施形態において提供される基地局は、送信モジュール３１、インジケーションモジュール３２、及び受信モジュール３３を含み、
送信モジュール３１は、ダウンリンクサブフレームＮで、ユーザ機器ＵＥへダウンリンク制御チャネルを送信するように構成され、ダウンリンクチャネルは、ＵＥの第１のサービングセルにおいて伝送され、ダウンリンク制御チャネルは、物理ダウンリンク制御チャネルＰＤＣＣＨ、又は、拡張物理ダウンリンク制御チャネルＥＰＤＣＣＨであり、
インジケーションモジュール３２は、ダウンリンク制御チャネルに対応するハイブリッド自動再送要求確認応答が、ＵＥの第２のサービングセルにおいて伝送された場合、ダウンリンク制御チャネルのダウンリンク制御情報ＤＣＩフォーマットにおける送信電力制御ＴＰＣコマンドフィールドを使用することによって、物理アップリンク制御チャネルＰＵＣＣＨリソースを示し、ダウンリンク制御チャネルに対応するハイブリッド自動再送要求確認応答が、第１のサービングセルにおいて伝送された場合、ダウンリンク制御チャネルのダウンリンク制御情報ＤＣＩフォーマットにおける送信電力制御ＴＰＣコマンドフィールドを使用することによって、ＰＵＣＣＨの送信電力を示すように構成され、第１のサービングセルの複信モードは、第２のサービングセルの複信モードとは異なり、
受信モジュール３３は、ＵＥによって送られ、ダウンリンク制御チャネルに対応するハイブリッド自動再送要求確認応答を、ＰＵＣＣＨリソースに従って受信するように構成される。
【０１９２】
ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用される。
【０１９３】
ダウンリンク制御チャネルが、物理ダウンリンク共有チャネルＰＤＳＣＨ送信を示すために使用される場合、ダウンリンク制御チャネルに対応するハイブリッド自動再送要求確認応答は、特に、ダウンリンク制御チャネルに対応するＰＤＳＣＨのハイブリッド自動再送要求確認応答であり、ダウンリンク制御チャネルが、ダウンリンクセミパーシステントスケジューリングＳＰＳリリースを示すために使用される場合、ダウンリンク制御チャネルに対応するハイブリッド自動再送要求確認応答は、特に、ダウンリンクセミパーシステントスケジューリングＳＰＳリリースを示すダウンリンク制御チャネルに対応するハイブリッド自動再送要求確認応答である。
【０１９４】
この実施形態では、第１のサービングセルは、ＵＥのプライマリサービングセルであり得、第１のサービングセルの複信モードは、時分割複信ＴＤＤであり、第２のサービングセルの複信モードは、周波数分割複信ＦＤＤであり、第２のサービングセルは、ＵＥの、最も小さなセルインデクスを有する、ＦＤＤセカンダリサービングセルである。或いは、第１のサービングセルが、ＵＥのプライマリサービングセルであり、第１のサービングセルの複信モードが、時分割複信ＴＤＤである場合、第２のサービングセルの複信モードは、周波数分割複信ＦＤＤであり、第２のサービングセルは、より高いレイヤシグナリングによって示される、ＰＵＣＣＨを送信するために使用される、セカンダリサービングセルである。
【０１９５】
この実施形態において提供される基地局は、方法実施形態６における技術的解決策を実行するように構成され得る。特定の実施方式及び技術的効果は、この方法のものに類似しており、本明細書では、詳細は再度記述されない。
【０１９６】
図１４は、本発明に従うアップリンク制御情報送信方法の実施形態７のフローチャートである。図１４に図示されるように、この実施形態において提供される方法は、以下のステップを含む。
【０１９７】
ステップ１４０１：ＵＥは、ＵＥの第１のサービングセルにおいて伝送されたダウンリンク制御チャネルを受信する。ダウンリンク制御チャネルは、ＵＥの第２のサービングセルにおいて伝送されたＰＤＳＣＨ送信を示すために使用され、第１のサービングセルの複信モードは、時分割複信ＴＤＤであり、第２のサービングセルの複信モードは、周波数分割複信ＦＤＤである。
【０１９８】
異なる複信モードのキャリアのアグリゲーション中に、ユーザ機器のために、キャリア間スケジューリングが設定されたのであれば、ＦＤＤサービングセルにおいて伝送されたＰＤＳＣＨに対応するダウンリンク制御チャネルが、ＴＤＤサービングセルにおいて伝送されることが生じ得る。
【０１９９】
このステップでは、第２のサービングセルのＨＡＲＱ−ＡＣＫタイミングが、第１のサービングセルのＨＡＲＱ−ＡＣＫタイミングに従って実行される場合、第２のサービングセルにおける多数のダウンリンクサブフレームに対応するＨＡＲＱ−ＡＣＫが、第１のサービングセルに対応する１つのアップリンクサブフレームでフィードバックされる。このケースでは、ステップ１４０１で受信されたダウンリンク制御チャネルは、多数のダウンリンクサブフレームで受信されたダウンリンク制御チャネルを含み得る。受信された第１のダウンリンク制御チャネルのＤＣＩフォーマットにおけるＤＡＩは１に等しく、受信された第２のダウンリンク制御チャネルのＤＣＩフォーマットにおけるＤＡＩは２に等しいという具合である。
【０２００】
このステップにおいて、第２のサービングセルのＨＡＲＱ−ＡＣＫタイミングが、第２のサービングセルのＨＡＲＱ−ＡＣＫタイミングに従って、すなわち、ＦＤＤサービングセルのＨＡＲＱ−ＡＣＫタイミングに従って、実行される場合、ステップ１４０１において受信されたダウンリンク制御チャネルは、１つのダウンリンクサブフレームにおいて受信されたダウンリンク制御チャネルのみに対応する。
【０２０１】
このステップにおけるダウンリンク制御チャネルは、ＰＤＣＣＨ又はＥＰＤＣＣＨであり得る。
【０２０２】
ステップ１４０２：ＵＥは、物理アップリンク制御チャネルＰＵＣＣＨリソースを決定する。
【０２０３】
このように、ＵＥは、以下のいくつかの方式で、ＰＵＣＣＨリソースを決定し得る。
【０２０４】
方式１：ＵＥは、第１のサービングセルにおいて伝送されたダウンリンク制御チャネルのＤＣＩフォーマットにおけるＴＰＣコマンドフィールドに従って、ＰＵＣＣＨリソースを決定する。
【０２０５】
特に、ＵＥは、第１のサービングセルにおいて伝送されたダウンリンク制御チャネルの、ＤＡＩが１に等しい、ＤＣＩフォーマットにおけるＴＰＣコマンドフィールドに従って、ＰＵＣＣＨリソースを決定する。ＰＵＣＣＨリソースに対応するＰＲＢは、ＵＥの第２のサービングセルに位置する。
【０２０６】
方式１では、ステップ１４０２はさらに、ＵＥによって、ＰＵＣＣＨの送信電力を決定するステップを含み得る。特に、ＵＥは、第１のサービングセルにおいて伝送されたダウンリンク制御チャネルの、ＤＡＩが１よりも大きい、ＤＣＩフォーマットにおけるＴＰＣコマンドフィールドに従って、ＰＵＣＣＨの送信電力を決定する。
【０２０７】
方式１は、第１のサービングセルのＨＡＲＱ−ＡＣＫタイミングに従って、第２のサービングセルのＨＡＲＱ−ＡＣＫタイミングが実行されるケースに適用可能である。
【０２０８】
方式１では、ＰＵＣＣＨリソースは、ＤＣＩフォーマットにおけるＴＰＣを使用することによって示され、ＰＵＣＣＨリソースは、動的な表示によって示され得、ユーザは、ＰＵＣＣＨリソースを再使用し得る。その結果、ＰＵＣＣＨリソースの利用を改善する。
【０２０９】
方式２：ＵＥは、より高いレイヤシグナリングに従って、ＰＵＣＣＨリソースを決定する。
【０２１０】
方式２では、ＵＥは、より高いレイヤシグナリングに従って、ＰＵＣＣＨリソースを決定する、すなわち、ＰＵＣＣＨリソースは、より高いレイヤシグナリングを使用することによって示される。より高いレイヤシグナリングは、無線リソース制御（Ｒａｄｉｏ  Ｒｅｓｏｕｒｃｅ  Ｃｏｎｔｒｏｌ，略してＲＲＣ）シグナリングであり得る。このケースでは、ＰＵＣＣＨリソースは、半静的に確保される。
【０２１１】
方式２では、ステップ１４０２はさらに、ＵＥによって、ＰＵＣＣＨの送信電力を決定するステップを含み得る。特に、ＵＥは、第１のサービングセルにおいて伝送されたダウンリンク制御チャネルのＤＣＩフォーマットにおけるＴＰＣコマンドフィールドに従って、ＰＵＣＣＨの送信電力を決定する。
【０２１２】
方式２では、ＰＵＣＣＨリソースが、半静的に確保される。これによって、方式２は、いずれのシナリオにも適用可能となり、ＰＵＣＣＨリソースのＴＰＣが常に取得され得る。その結果、電力制御効率を改善する。
【０２１３】
方式３：ＵＥは、第１のサービングセルにおいて伝送されたダウンリンク制御チャネルのＤＣＩフォーマットにおける、あらかじめ定義されたフィールドに従って、ＰＵＣＣＨリソースを決定する。
【０２１４】
方式３では、あらかじめ定義されたフィールドは、ＤＣＩフォーマットに追加された新たなフィールドであり得る。このフィールドは、２ビット情報に相当する。
【０２１５】
方式３では、ステップ１４０２はさらに、ＵＥによって、ＰＵＣＣＨの送信電力を決定するステップを含み得る。特に、ＵＥは、第１のサービングセルにおいて伝送されたダウンリンク制御チャネルのＤＣＩフォーマットにおけるＴＰＣコマンドフィールドに従って、ＰＵＣＣＨの送信電力を決定する。
【０２１６】
方式３では、ＰＵＣＣＨリソースは、ＤＣＩフォーマットにおけるＴＰＣを使用することによって示され、ＰＵＣＣＨリソースは、動的な表示によって示され得る。そして、ユーザは、ＰＵＣＣＨリソースを再使用し得る。その結果、ＰＵＣＣＨリソースの利用を改善する。その間、方式３は、いずれのシナリオにも適用可能である。
【０２１７】
方式４：ＵＥは、第１のサービングセルにおいて伝送されたダウンリンク制御チャネルのＤＣＩフォーマットにおけるＨＡＲＱ−ＡＣＫリソースオフセット（ｒｅｓｏｕｒｃｅ  ｏｆｆｓｅｔ）フィールドに従って、ＰＵＣＣＨリソースを決定する。
【０２１８】
方式４は、ダウンリンク制御チャネルがＥＰＤＣＣＨであるケースに適用可能である。方法４では、ステップ１４０２はさらに、ＵＥによって、ＰＵＣＣＨの送信電力を決定するステップを含み得る。特に、ＵＥは、第１のサービングセルにおいて伝送されたダウンリンク制御チャネルのＤＣＩフォーマットにおけるＴＰＣコマンドフィールドに従って、ＰＵＣＣＨの送信電力を決定する。
【０２１９】
方式４では、ＰＵＣＣＨリソースは、ＤＣＩフォーマットにおけるＴＰＣを使用することにより示され、ＰＵＣＣＨリソースは、動的な表示によって示され得る。そして、ユーザは、ＰＵＣＣＨリソースを再使用し得る。その結果、ＰＵＣＣＨリソースの利用を改善する。
【０２２０】
ステップ１４０３：ＵＥは、ＵＥの第２のサービングセルにおいて伝送されたＰＵＣＣＨを使用することによって、ＰＵＣＣＨリソースに従って、ＰＤＳＣＨのＨＡＲＱ−ＡＣＫを送信する。
【０２２１】
このステップでは、ＵＥは、ＵＥの第２のサービングセルにおいて伝送されたＰＵＣＣＨを使用することによって、ＰＵＣＣＨリソースに従って、ＰＤＳＣＨのＨＡＲＱ−ＡＣＫを送信する。すなわち、ＵＥの第２のサービングセルにおいて伝送されたＰＵＣＣＨを使用することによって、ＰＵＣＣＨリソースに従って、ステップ１４０１におけるＰＤＳＣＨのＨＡＲＱ−ＡＣＫを送信する。
【０２２２】
このステップはさらに、ＵＥの第２のサービングセルにおいて伝送されたＰＵＣＣＨを使用することによって、ＰＵＣＣＨリソース及びＰＵＣＣＨ送信電力に従って、ＰＤＳＣＨのＨＡＲＱ−ＡＣＫを、ＵＥによって送信するステップであり得る。
【０２２３】
本発明のこの実施形態は、異なる複信モードのキャリアのアグリゲーション中に、どのようにしてＨＡＲＱ−ＡＣＫを送信するのかという問題を解決し、同時に、キャリア間スケジューリングのケースにおいて、ＰＵＣＣＨリソースをどのようにして示すのかという問題を解決する。たとえば、異なる複信モードのキャリアのアグリゲーション中に、キャリア間スケジューリングが設定され、そして、ＰＤＳＣＨに対応するダウンリンク制御チャネルを伝送するサービングセルが、ＰＤＳＣＨに対応するＨＡＲＱ−ＡＣＫを伝送するサービングセルとは異なる場合、ＵＥは、ダウンリンク制御チャネルのリソースに従って、ＰＵＣＣＨリソースを暗黙的に計算することはできない。したがって、ＰＵＣＣＨリソースをどのようにして示すのかが解決される必要がある。
【０２２４】
図１５は、本発明に従うアップリンク制御情報送信方法の実施形態８のフローチャートである。この実施形態は、基地局の観点から実施形態７における方法を記述する。図１５に図示されるように、この実施形態において提供される方法は、以下のステップを含む。
【０２２５】
ステップ１５０１：基地局は、ダウンリンク制御チャネルを、ＵＥの第１のサービングセルにおいて、ＵＥへ送り、ダウンリンク制御チャネルは、ＵＥの第２のサービングセルにおいて伝送されたＰＤＳＣＨ送信を示すために使用され、第１のサービングセルの複信モードは、時分割複信ＴＤＤであり、第２のサービングセルの複信モードは、周波数分割複信ＦＤＤである。
【０２２６】
このステップでは、第２のサービングセルのＨＡＲＱ−ＡＣＫタイミングが、第１のサービングセルのＨＡＲＱ−ＡＣＫタイミングに従って実行される場合、第２のサービングセルにおける多数のダウンリンクサブフレームに対応するＨＡＲＱ−ＡＣＫが、第１のサービングセルに対応する１つのアップリンクサブフレームでフィードバックされる。このケースでは、ステップ１５０１において、基地局は、多数のダウンリンクサブフレームで、ＵＥの第１のサービングセルにおけるＵＥへ、ダウンリンク制御チャネルを送信する。送られた第１のダウンリンク制御チャネルのＤＣＩフォーマットにおけるＤＡＩは、１に等しく、送られた第２のダウンリンク制御チャネルのＤＣＩフォーマットにおけるＤＡＩは、２に等しいという具合である。
【０２２７】
このステップでは、第２のサービングセルのＨＡＲＱ−ＡＣＫタイミングが、第２のサービングセルのＨＡＲＱ−ＡＣＫタイミングに従って、すなわち、ＦＤＤサービングセルのＨＡＲＱ−ＡＣＫタイミングに従って、実行された場合、ステップ１５０１において、ＵＥの第１のサービングセルにおけるＵＥへ、基地局によって送られたダウンリンク制御チャネルは、１つのダウンリンクサブフレームで受信されたダウンリンク制御チャネルのみに対応する。
【０２２８】
このステップの他の記述のために、実施形態７におけるステップ１４０１の記述を参照し、本明細書では、詳細は再度記述されない。
【０２２９】
ステップ１５０２：基地局は、物理アップリンク制御チャネルＰＵＣＣＨリソースを示す。
【０２３０】
このように、基地局は、以下のいくつかの方式で、ＰＵＣＣＨリソースを示し得る。
【０２３１】
方式１：基地局は、第１のサービングセルにおいて伝送されたダウンリンク制御チャネルのＤＣＩフォーマットにおけるＴＰＣコマンドフィールドを使用することによって、ＰＵＣＣＨリソースを示す。
【０２３２】
特に、基地局は、第１のサービングセルにおいて伝送されたダウンリンク制御チャネルの、ＤＡＩが１に等しい、ＤＣＩフォーマットにおけるＴＰＣコマンドフィールドを使用することによって、ＰＵＣＣＨリソースを示す。ＰＵＣＣＨリソースに対応するＰＲＢは、ＵＥの第２のサービングセル上に位置する。
【０２３３】
方式１では、ステップ１５０２はさらに、基地局によって、ＰＵＣＣＨの送信電力を示すステップを含み得る。特に、基地局は、第１のサービングセルにおいて伝送されたダウンリンク制御チャネルの、ＤＡＩが１よりも大きい、ＤＣＩフォーマットにおけるＴＰＣコマンドフィールドを使用することによって、ＰＵＣＣＨの送信電力を示す。
【０２３４】
方式１は、第１のサービングセルのＨＡＲＱ−ＡＣＫタイミングに従って、第２のサービングセルのＨＡＲＱ−ＡＣＫタイミングが実行されるケースに適用可能である。
【０２３５】
方式１では、ＰＵＣＣＨリソースは、ＤＣＩフォーマットにおけるＴＰＣを使用することによって示され、ＰＵＣＣＨリソースは、動的な表示によって示され得、ユーザは、ＰＵＣＣＨリソースを再使用し得る。その結果、ＰＵＣＣＨリソースの利用を改善する。
【０２３６】
方式２：基地局は、より高いレイヤシグナリングを使用することによって、ＰＵＣＣＨリソースを示す。
【０２３７】
方式２では、基地局は、より高いレイヤシグナリングを使用することによってＰＵＣＣＨリソースを示す。より高いレイヤシグナリングは、無線リソース制御ＲＲＣシグナリングであり得る。このケースでは、ＰＵＣＣＨリソースは、半静的に確保される。
【０２３８】
方式２では、ステップ１５０２はさらに、基地局によって、ＰＵＣＣＨの送信電力を示すステップを含み得る。特に、基地局は、第１のサービングセルにおいて伝送されたダウンリンク制御チャネルのＤＣＩフォーマットにおけるＴＰＣコマンドフィールドを使用することによって、ＰＵＣＣＨの送信電力を示す。
【０２３９】
方式２では、ＰＵＣＣＨリソースは、半静的に確保される。これによって、方式２は、いずれのシナリオにも適用可能となり、ＰＵＣＣＨリソースのＴＰＣが常に取得され得、その結果、電力制御効率を改善する。
【０２４０】
方式３：基地局は、第１のサービングセルにおいて伝送されたダウンリンク制御チャネルのＤＣＩフォーマットにおけるあらかじめ定義されたフィールドを使用することによって、ＰＵＣＣＨリソースを示す。
【０２４１】
方式３では、あらかじめ定義されたフィールドは、ＤＣＩフォーマットに追加された新たなフィールドであり得る。このフィールドは、２ビット情報に相当する。
【０２４２】
方式３では、ステップ１５０２はさらに、基地局によって、ＰＵＣＣＨの送信電力を示すステップを含み得る。特に、基地局は、第１のサービングセルにおいて伝送されたダウンリンク制御チャネルのＤＣＩフォーマットにおけるＴＰＣコマンドフィールドを使用することによって、ＰＵＣＣＨの送信電力を示す。
【０２４３】
方式３では、ＰＵＣＣＨリソースは、ＤＣＩフォーマットにおけるＴＰＣを使用することによって示され、ＰＵＣＣＨリソースは、動的な表示によって示され得、ユーザは、ＰＵＣＣＨリソースを再使用し得る。その結果、ＰＵＣＣＨリソースの利用を改善する。その間、方式３は、いずれのシナリオにも適用可能である。
【０２４４】
方式４：基地局は、第１のサービングセルにおいて伝送されたダウンリンク制御チャネルのＤＣＩフォーマットにおけるＨＡＲＱ−ＡＣＫリソースオフセット（ｒｅｓｏｕｒｃｅ  ｏｆｆｓｅｔ）フィールドを使用することによって、ＰＵＣＣＨリソースを示す。
【０２４５】
方式４は、ダウンリンク制御チャネルがＥＰＤＣＣＨであるケースに適用可能である。方式４では、ステップ１５０２はさらに、基地局によって、ＰＵＣＣＨの送信電力を示すステップを含み得る。特に、基地局は、第１のサービングセルにおいて伝送されたダウンリンク制御チャネルのＤＣＩフォーマットにおけるＴＰＣコマンドフィールドを使用することによって、ＰＵＣＣＨの送信電力を示す。
【０２４６】
方式４では、ＰＵＣＣＨリソースは、ＤＣＩフォーマットにおけるＴＰＣを使用することによって示され、ＰＵＣＣＨリソースは、動的な表示によって示され得、ユーザは、ＰＵＣＣＨリソースを再使用し得る。その結果、ＰＵＣＣＨリソースの利用を改善する。
【０２４７】
ステップ１５０３：基地局は、ＵＥの第２のサービングセルにおいて伝送されたＰＵＣＣＨを使用することによって、ＵＥによって送られた、ＰＤＳＣＨのＨＡＲＱ−ＡＣＫを、ＰＵＣＣＨリソースに従って受信する。
【０２４８】
このステップにおいて、基地局は、ＵＥの第２のサービングセルにおいて伝送されたＰＵＣＣＨを使用することによって、ＵＥによって送られた、ＰＤＳＣＨのＨＡＲＱ−ＡＣＫを、ＰＵＣＣＨリソースに従って受信する。すなわち、ステップ１５０１において、ＵＥの第２のサービングセルにおいて伝送されたＰＵＣＣＨを使用することによって、ＵＥによって送られた、ＰＤＳＣＨのＨＡＲＱ−ＡＣＫを受信する。
【０２４９】
本発明のこの実施形態は、異なる複信モードのキャリアのアグリゲーション中に、ＨＡＲＱ−ＡＣＫをどのようにして送信するのかという問題を解決し、同時に、キャリア間スケジューリングのケースにおいて、ＰＵＣＣＨリソースをどのようにして示すのかという問題を解決する。たとえば、異なる複信モードのキャリアのアグリゲーション中に、キャリア間スケジューリングが設定され、そして、ＰＤＳＣＨに対応するダウンリンク制御チャネルを伝送するサービングセルが、ＰＤＳＣＨに対応するＨＡＲＱ−ＡＣＫを伝送するサービングセルとは異なる場合、ＵＥは、ダウンリンク制御チャネルのリソースに従って、ＰＵＣＣＨリソースを暗黙的に計算することはできない。したがって、ＰＵＣＣＨリソースをどのようにして示すのかが解決される必要がある。
【０２５０】
図１６は、本発明に従うアップリンク制御情報送信方法の実施形態９のフローチャートである。これは、ＦＤＤキャリアが、ＴＤＤキャリアにおいてキャリア間スケジューリングを実行し、ＴＤＤキャリアのＨＡＲＱ−ＡＣＫがＴＤＤキャリアで伝送されるシナリオに適用可能である。図１６に図示されるように、この実施形態において提供される方法は、以下のステップを含む。
【０２５１】
ステップ１６０１：ＵＥは、ＵＥの第１のサービングセルにおいて伝送されたダウンリンク制御チャネルを受信する。ダウンリンク制御チャネルは、ＵＥの第２のサービングセルにおいて伝送されたＰＤＳＣＨ送信を示すために使用され、第１のサービングセルの複信モードは、周波数分割複信ＦＤＤであり、第２のサービングセルの複信モードは、時分割複信ＴＤＤである。
【０２５２】
このステップでは、第２のサービングセルのＨＡＲＱ−ＡＣＫタイミングは、第２のサービングセルのＨＡＲＱ−ＡＣＫタイミングに従って、又は、ＰＵＣＣＨを伝送するサービングセルのＨＡＲＱ−ＡＣＫタイミングに従って、実行される。第２のサービングセルのＨＡＲＱ−ＡＣＫタイミングが、第２のサービングセルのＨＡＲＱ−ＡＣＫタイミング、又は、ＰＵＣＣＨを伝送するサービングセルのＨＡＲＱ−ＡＣＫタイミング、を使用するかに関わらず、ＨＡＲＱ−ＡＣＫタイミングは、ＴＤＤタイミングである。したがって、第２のサービングセルにおける多数のダウンリンクサブフレームに対応するＨＡＲＱ−ＡＣＫが、１つのアップリンクサブフレームでフィードバックされる。このケースでは、ステップ１６０１で受信されたダウンリンク制御チャネルは、多数のダウンリンクサブフレームで受信されたダウンリンク制御チャネルを含み得る。受信された第１のダウンリンク制御チャネルのＤＣＩフォーマットにおけるＤＡＩは、１に等しく、受信された第２のダウンリンク制御チャネルのＤＣＩフォーマットにおけるＤＡＩは、１に等しいという具合である。
【０２５３】
他の説明は、ステップ１４０１のものと同じであり、本明細書では、詳細は再度記載されない。
【０２５４】
ステップ１６０２：ＵＥは、物理アップリンク制御チャネルＰＵＣＣＨリソースを決定する。
【０２５５】
このステップは、実施形態７におけるステップ１４０２と同じであり、本明細書では、詳細は再度記載されない。しかしながら、この実施形態では、４つの方式のうち、方式１が典型的な方式である。
【０２５６】
ステップ１６０３：ＵＥは、ＵＥの第２のサービングセルにおいて伝送されたＰＵＣＣＨを使用することによって、ＰＵＣＣＨリソースに従って、ＰＤＳＣＨのＨＡＲＱ−ＡＣＫを送信する。
【０２５７】
このステップは、実施形態７におけるステップ１４０３と同じであり、本明細書では、詳細は再度記載されない。
【０２５８】
本発明のこの実施形態は、異なる複信モードのキャリアのアグリゲーション中に、ＨＡＲＱ−ＡＣＫをどのようにして送信するのかという問題を解決し、同時に、キャリア間スケジューリングのケースにおいて、ＰＵＣＣＨリソースをどのようにして示すのかという問題を解決する。たとえば、異なる複信モードのキャリアのアグリゲーション中に、キャリア間スケジューリングが設定され、ＰＤＳＣＨに対応するダウンリンク制御チャネルを伝送するサービングセルが、ＰＤＳＣＨに対応するＨＡＲＱ−ＡＣＫを伝送するサービングセルとは異なる場合、ＵＥは、ダウンリンク制御チャネルのリソースに従ってＰＵＣＣＨリソースを暗黙的に計算することができない。したがって、ＰＵＣＣＨリソースをどのようにして示すのかを解決する必要がある。
【０２５９】
図１７は、本発明に従うアップリンク制御情報送信方法の実施形態１０のフローチャートである。この実施形態は、基地局の観点から実施形態９における方法を記述する。図１７に図示されるように、この実施形態において提供される方法は、以下のステップを含む。
【０２６０】
ステップ１７０１：基地局は、ＵＥの第１のサービングセルにおいて、ＵＥへダウンリンク制御チャネルを送信する。ダウンリンク制御チャネルは、ＵＥの第２のサービングセルにおいて伝送されるＰＤＳＣＨ送信を示すために使用され、第１のサービングセルの複信モードは、周波数分割複信ＦＤＤであり、第２のサービングセルの複信モードは、時分割複信ＴＤＤである。
【０２６１】
このステップでは、第２のサービングセルのＨＡＲＱ−ＡＣＫタイミングは、第２のサービングセルのＨＡＲＱ−ＡＣＫタイミングに従って、又は、ＰＵＣＣＨを伝送するサービングセルのＨＡＲＱ−ＡＣＫタイミングに従って、実行される。第２のサービングセルのＨＡＲＱ−ＡＣＫタイミングが、第２のサービングセルのＨＡＲＱ−ＡＣＫタイミング、又は、ＰＵＣＣＨを伝送するサービングセルのＨＡＲＱ−ＡＣＫタイミング、を使用するかに関わらず、ＨＡＲＱ−ＡＣＫタイミングは、ＴＤＤタイミングである。したがって、第２のサービングセルにおける多数のダウンリンクサブフレームに対応するＨＡＲＱ−ＡＣＫが、１つのアップリンクサブフレームでフィードバックされる。このケースでは、基地局は、ステップ１７０１において、多数のダウンリンクサブフレームで、ＵＥの第１のサービングセルにおけるＵＥへダウンリンク制御チャネルを送信する。受信された第１のダウンリンク制御チャネルのＤＣＩフォーマットにおけるＤＡＩは１に等しく、受信された第２のダウンリンク制御チャネルのＤＣＩフォーマットにおけるＤＡＩは１に等しいという具合である。
【０２６２】
ステップ１７０２：基地局は、物理アップリンク制御チャネルＰＵＣＣＨリソースを示す。
【０２６３】
このステップは、実施形態８におけるステップ１５０２と同じであり、本明細書では、詳細は再度記載されない。この実施形態では、４つの方式のうち、方式１が典型的な方法である。
【０２６４】
ステップ１７０３：基地局は、ＰＤＳＣＨの、ＵＥの第２のサービングセルにおいて伝送されたＰＵＣＣＨを使用することによって、ＵＥによって送信されたＨＡＲＱ−ＡＣＫを、ＰＵＣＣＨリソースに従って受信する。
【０２６５】
このステップは実施形態８におけるステップ１５０３と同じであり、本明細書では、詳細は再度記載されない。
【０２６６】
本発明のこの実施形態は、異なる複信モードのキャリアのアグリゲーション中、ＨＡＲＱ−ＡＣＫをどのようにして送信するのかという問題を解決し、同時に、キャリア間スケジューリングのケースにおいてＰＵＣＣＨリソースをどのようにして示すのかという問題を解決する。たとえば、異なる複信モードのキャリアのアグリゲーション中に、キャリア間スケジューリングが設定され、そして、ＰＤＳＣＨに対応するダウンリンク制御チャネルを伝送するサービングセルが、ＰＤＳＣＨに対応するＨＡＲＱ−ＡＣＫを伝送するサービングセルとは異なる場合、ＵＥは、ダウンリンク制御チャネルのリソースに従って、ＰＵＣＣＨリソースを暗黙的に計算することができない。したがって、ＰＵＣＣＨリソースをどのようにして示すのかを解決する必要がある。
【０２６７】
図１８は、本発明に従うアップリンク制御情報送信方法の実施形態１１のフローチャートである。図１８に図示されるように、異なる複信モードのアグリゲーション、及び／又は、基地局間のアグリゲーション、のシナリオにおけるアップリンク制御情報送信のために、アップリンク制御情報送信方法は、特に、以下のステップを含み得る。
【０２６８】
ステップ１８０１：ユーザ機器が、物理アップリンク制御チャネル構成情報を受信する。
【０２６９】
このステップでは、ユーザ機器は、物理アップリンク制御チャネルＰＵＣＣＨ構成情報を受信し、ユーザ機器は、ＰＵＣＣＨ構成情報に従って、アップリンク制御情報を送信し得る。
【０２７０】
特に、ＰＵＣＣＨ構成情報は、物理アップリンク制御チャネルを伝送するサービングセルを示すインジケーション情報を含み得る。インジケーション情報は、ＰＵＣＣＨを伝送するサービングセルのセルインデクスであり得る。物理アップリンク制御チャネルを伝送するサービングセルを示すインジケーション情報は、ＰＵＣＣＨを送信するＮ個のサービングセルを示す。Ｎは、１よりも大きくてよく、このケースでは、インジケーション情報は、ＵＥに対して、多数のサービングセルにおいてＰＵＣＣＨを送信するように指示する。このケースでは、ＰＵＣＣＨ構成情報が、ＰＵＣＣＨを送信するＮ個のサービングセルを示す情報を含んでいないのであれば、ＵＥは、プライマリキャリアにおいてのみＰＵＣＣＨを送信する。Ｎはまた、１に等しくてもよく、このケースでは、ＰＵＣＣＨを送信するサービングセルは、ユーザ機器のプライマリサービングセルである。
【０２７１】
さらに、ＰＵＣＣＨ構成情報はさらに、ＰＵＣＣＨを送信するＮ個のサービングセルのうちの各サービングセルに対応するサービングセルセットにおけるサービングセルを示すインジケーション情報を含み得る。インジケーション情報は、サービングセルセットにおけるサービングセルのセルインデクスであり得る。インジケーション情報は、たとえばＨＡＲＱ−ＡＣＫのように、アップリンク制御情報が、ＰＵＣＣＨを送信する各サービングセルにおいて伝送される必要のあるサービングセルを示し得る。サービングセルセットは、多数のサービングセルを含み得る。そして、サービングセルセットが、１つのサービングセルしか含んでいない場合、サービングセルセットにおけるサービングセルは、ＰＵＣＣＨを送信するサービングセルと同じである。
【０２７２】
さらに、ＰＵＣＣＨ構成情報はさらに、ＰＵＣＣＨを送信するＮ個のサービングセルの各サービングセルに対応するＰＵＣＣＨフォーマットを含み得る。このフォーマットは、ＰＵＣＣＨフォーマット１ａ、ＰＵＣＣＨフォーマット１ｂ、チャネル選択、及びＰＵＣＣＨフォーマット３のうちの１つであり得る。
【０２７３】
ステップ１８０２：ユーザ機器は、物理アップリンク制御チャネル構成情報に従って、物理アップリンク制御チャネルを伝送するサービングセルを決定する。
【０２７４】
特に、ユーザ機器は、物理アップリンク制御チャネルを伝送するサービングセルを、物理アップリンク制御チャネル構成情報における物理アップリンク制御チャネルを伝送するサービングセルを示すインジケーション情報に従って決定し得る。
【０２７５】
このステップはさらに、ＰＵＣＣＨを送信する各サービングセルに対応するサービングセルセットにおけるサービングセルを、ＰＵＣＣＨ設定情報に従って、ＵＥによって決定するステップ、すなわち、たとえばＨＡＲＱ−ＡＣＫのように、アップリンク制御情報が、各ＰＵＣＣＨで伝送されるサービングセルを決定するステップ、を含み得る。
【０２７６】
ステップ１８０３：ユーザ機器は、物理アップリンク制御チャネルを伝送するサービングセルにおいて、物理アップリンク制御チャネルを使用することによって、アップリンク制御情報を送信する。
【０２７７】
このステップでは、ユーザ機器は、ＰＵＣＣＨを伝送する各サービングセルにおいて、対応するＰＵＣＣＨを使用することによって、対応するアップリンク制御情報を送信する。たとえば、アップリンク制御情報は、ＨＡＲＱ−ＡＣＫである。
【０２７８】
この実施形態は、アップリンク制御情報送信方法を提供する。それは、異なる複信モードのアグリゲーション、及び／又は、基地局間のアグリゲーションのシナリオにおいて、アップリンク制御情報をどのようにして送信するのかという問題を解決する。この方法では、基地局は、ＰＵＣＣＨを送信するサービングセルを、実際のシナリオに従って、フレキシブルに設定し得る。これによって、各サービングセルのＨＡＲＱ−ＡＣＫタイミングが再使用され得、標準的な作業は導入されなくなる。したがって、この方法は、基地局間のキャリアアグリゲーションに適用可能である。
【０２７９】
図１９は、本発明に従うアップリンク制御情報送信方法の実施形態１２のフローチャートである。この実施形態は、基地局の観点から実施形態１１に対応する方法を記述する。図１９に図示されるように、異なる複信モードのアグリゲーション、及び／又は、基地局間のアグリゲーションのシナリオにおけるアップリンク制御情報送信のために、この送信方法は、特に、以下のステップを含み得る。
【０２８０】
ステップ１９０１：基地局は、ユーザ機器へ、物理アップリンク制御チャネル構成情報を送信する。
【０２８１】
このステップでは、基地局は、物理アップリンク制御チャネル構成情報をユーザ機器へ送信する。これによって、ユーザ機器は、物理アップリンク制御チャネル構成情報に従って、アップリンク制御情報を送信することができるようになる。
【０２８２】
ＰＵＣＣＨ構成情報の他の説明に関しては、前述した実施形態におけるステップ１８０１の説明を参照されたい。詳細は本明細書では再度記述されない。
【０２８３】
ステップ１９０２：基地局は、ユーザ機器によって送られたアップリンク制御情報を、アップリンク制御チャネルを伝送するサービングセルにおいてアップリンク制御チャネルを使用することによって受信する。
【０２８４】
このステップでは、ユーザ機器は、ＰＵＣＣＨを伝送する各サービングセルにおける対応するＰＵＣＣＨを使用することによって、対応するアップリンク制御情報を送信する。たとえば、アップリンク制御情報は、ＨＡＲＱ−ＡＣＫである。
【０２８５】
この実施形態は、アップリンク制御情報送信方法を提供する。これは、異なる複信モードのアグリゲーション、及び／又は、基地局間のアグリゲーションのシナリオにおいて、アップリンク制御情報をどのようにして送信するのかという問題を解決する。この方法では、基地局は、ＰＵＣＣＨを送信するサービングセルを、実際のシナリオに従って、フレキシブルに設定し得る。これによって、各サービングセルのＨＡＲＱ−ＡＣＫタイミングが再使用され得、標準的なフレキシビリティは導入されないようになる。したがって、この方法は、基地局間のキャリアアグリゲーションに適用可能である。
【０２８６】
図２０は、本発明に従うアップリンク制御情報送信方法の実施形態１３のフローチャートである。図２０に図示されるように、異なる複信モードのアグリゲーション、及び／又は、基地局間のアグリゲーションのシナリオにおけるアップリンク制御情報送信のために、アップリンク制御情報送信方法は特に、以下のステップを含み得る。
【０２８７】
ステップ２００１：ユーザ機器が、物理アップリンク制御チャネル構成情報を受信する。
【０２８８】
このステップにおいて、ユーザ機器は、物理アップリンク制御チャネルＰＵＣＣＨ構成情報を受信し、ユーザ機器は、ＰＵＣＣＨ構成情報に従ってアップリンク制御情報を送信し得る。
【０２８９】
特に、ＰＵＣＣＨ構成情報は、第１の物理アップリンク制御チャネルを伝送するサービングセルを示すインジケーション情報を含み得る。インジケーション情報は、第１の物理アップリンク制御チャネルを伝送するサービングセルのセルインデクスであり得る。第１の物理アップリンク制御チャネルを伝送するサービングセルは、ユーザ機器のセカンダリサービングセルであり得る。さらに、第１の物理アップリンク制御チャネルを伝送するサービングセルを示すインジケーション情報に従って、ユーザ機器の第１の物理アップリンク制御チャネル及び第２の物理アップリンク制御チャネルが、ユーザ機器のアップリンク制御情報をともに送信するために使用されることが設定され得る。たとえば、このケースでは、ユーザ機器の第２の物理アップリンク制御チャネルは、ユーザ機器のプライマリサービングセルにおいて送信された物理アップリンク制御チャネルである。第１の物理アップリンク制御チャネルが、ＰＵＣＣＨ構成情報に従って設定されると、ユーザ機器は、第１の物理アップリンク制御チャネル及び第２の物理アップリンク制御チャネルを使用することによって、アップリンク制御情報を送信する。ユーザ機器のプライマリサービングセル上でのみＰＵＣＣＨが送信されるケースと比較して、この方式では、各サービングセルのＨＡＲＱ−ＡＣＫタイミングは変更されないことがあり得る。ＰＵＣＣＨ構成情報が、第１の物理アップリンク制御チャネルの構成情報を含んでいないのであれば、ユーザ機器は、プライマリサービングセルのみにおいてアップリンク制御情報を送信する。ユーザ機器は、以下のように、第１の物理アップリンク制御チャネル及び第２の物理アップリンク制御チャネルを使用することによって、アップリンク制御情報を送信し得る。プライマリサービングセルが、アップリンクサブフレームに対応していれば、ユーザ機器は、第２の物理アップリンク制御チャネルでアップリンク制御情報を送信し、対応していない場合には、ユーザ機器は、第１の物理アップリンク制御チャネルでアップリンク制御情報を送信する。
【０２９０】
ＰＵＣＣＨ構成情報はさらに、第１の物理アップリンク制御チャネルのフォーマットを示すインジケーション情報を含み得る。第１の物理アップリンク制御チャネルのフォーマットは、ＰＵＣＣＨフォーマット１ａ、ＰＵＣＣＨフォーマット１ｂ、チャネル選択、及びＰＵＣＣＨフォーマット３のうちの１つであり得る。
【０２９１】
ステップ２００２：ユーザ機器は、物理アップリンク制御チャネル構成情報に従って、第１の物理アップリンク制御チャネルを伝送するサービングセルを決定する。
【０２９２】
このステップでは、ユーザ機器は、ステップ２００１で受信された物理アップリンク制御チャネル構成情報に従って、第１の物理アップリンク制御チャネルを伝送するサービングセルを決定する。
【０２９３】
特に、ユーザ機器は、物理アップリンク制御チャネル構成情報における第１の物理アップリンク制御チャネルを伝送するサービングセルを示すインジケーション情報に従って、第１の物理アップリンク制御チャネルを伝送するサービングセルを決定し得る。さらに、ユーザ機器は、物理アップリンク制御チャネル構成情報における第１のアップリンク制御チャネルを伝送するサービングサービングセルのセルインデクスに従って、第１の物理アップリンク制御チャネルを伝送するサービングセルを決定し得る。第１の物理アップリンク制御チャネルを伝送するサービングセルは、ユーザ機器のセカンダリサービングセルである。
【０２９４】
ステップ２００３：ユーザ機器は、第１の物理アップリンク制御チャネルを伝送するサービングセルにおいて、第１の物理アップリンク制御チャネルを使用することによって、アップリンク制御情報を送信する。
【０２９５】
このステップは、プライマリサービングセルが、アップリンクサブフレームに対応する場合、ユーザ機器は、第２の物理アップリンク制御チャネルでアップリンク制御情報を送信し、対応していない場合には、ユーザ機器は、第１の物理アップリンク制御チャネルでアップリンク制御情報を送信することであり得る。
【０２９６】
このステップにおけるアップリンク制御情報（Ｕｐｌｉｎｋ  Ｃｏｎｔｒｏｌ  Ｉｎｆｏｒｍａｔｉｏｎ，略してＵＣＩ）は、ハイブリッド自動再送要求ＨＡＲＱ−ＡＣＫ、チャネル状態情報（Ｃｈａｎｎｅｌ  Ｓｔａｔｅ  Ｉｎｆｏｒｍａｔｉｏｎ，略してＣＳＩ）、スケジューリング要求（Ｓｃｈｅｄｕｌｉｎｇ  Ｒｅｑｕｅｓｔ，略してＳＲ）等であり得ることに留意されたい。第１のアップリンク制御情報のタイプは、第２のアップリンク制御情報のタイプと同じ又は異なり得る。
【０２９７】
この実施形態は、アップリンク制御情報送信方法を提供する。これは、異なる複信モードのアグリゲーション、及び／又は、基地局間のアグリゲーションのシナリオにおいて、アップリンク制御情報をどのようにして送信するのかという問題を解決する。
【０２９８】
図２１は、本発明に従うアップリンク制御情報送信方法の実施形態１４のフローチャートである。図２１に図示されるように、異なる複信モードのアグリゲーション、及び／又は、基地局間のアグリゲーションのシナリオにおけるアップリンク制御情報送信のために、アップリンク制御情報送信方法は、特に、以下のステップを含み得る。
【０２９９】
ステップ２１０１：基地局が、ユーザ機器へ、物理アップリンク制御チャネル構成情報を送信する。物理アップリンク制御チャネル構成情報は、第１の物理アップリンク制御チャネルを伝送するサービングセルを示すインジケーション情報を含み、サービングセルは、ユーザ機器に対応するサービングセルである。
【０３００】
このステップでは、基地局は、ユーザ機器へ物理アップリンク制御チャネル構成情報を送り、これによって、ユーザ機器は、物理アップリンク制御チャネル構成情報に従って、アップリンク制御情報を送信することができるようになる。
【０３０１】
特に、第１の物理アップリンク制御チャネルを伝送するサービングセルを示すインジケーション情報は、第１の物理アップリンク制御チャネルを伝送するサービングセルのセルインデクスであり得る。そして、第１の物理アップリンク制御チャネルを伝送するサービングセルは、ユーザ機器のセカンダリサービングセルであり得る。
【０３０２】
ＰＵＣＣＨ構成情報の他の説明については、ステップ２００１の説明を参照されたい。そして、詳細は本明細書では再度記述されない。
【０３０３】
ステップ２１０２：基地局は、ユーザ機器によって送られたアップリンク制御情報を、第１の物理アップリンク制御チャネルを伝送するサービングセルにおいて、第１の物理アップリンク制御チャネルを使用することによって、受信する。
【０３０４】
このステップは、プライマリサービングセルが、アップリンクサブフレームに対応する場合、基地局によって、第２の物理アップリンク制御チャネルにおいてアップリンク制御情報を受信し、対応しない場合には、基地局によって、第１の物理アップリンク制御チャネルにおいてアップリンク制御情報を受信することであり得る。
【０３０５】
このステップにおけるアップリンク制御情報ＵＣＩは、ハイブリッド自動再送要求ＨＡＲＱ−ＡＣＫ、チャネル状態情報ＣＳＩ、スケジューリング要求等であり得ることに留意されたい。第１のアップリンク制御情報のタイプは、第２のアップリンク制御情報のタイプと同じか、又は、異なり得る。
【０３０６】
この実施形態は、アップリンク制御情報送信方法を提供する。これは、異なる複信モードのアグリゲーション、及び／又は、基地局間のアグリゲーションのシナリオにおいて、アップリンク制御情報をどのようにして送信するのかという問題を解決する。
【０３０７】
図２２は、本発明に従うユーザ機器の実施形態４の概略構成図である。図２２に図示されるように、この実施形態において提供されるユーザ機器は、受信モジュール２２１、決定モジュール２２２、及び送信モジュール２２３を含み、
受信モジュール２２１は、ＵＥの第１のサービングセルにおいて伝送されたダウンリンク制御チャネルを受信するように構成され、ダウンリンク制御チャネルは、ＵＥの第２のサービングセルにおいて伝送されたＰＤＳＣＨ送信を示すために使用され、第１のサービングセルの複信モードは、時分割複信ＴＤＤであり、第２のサービングセルの複信モードは、周波数分割複信ＦＤＤであり、
決定モジュール２２２は、物理アップリンク制御チャネルＰＵＣＣＨリソースを決定するように構成され、
送信モジュール２２３は、ＵＥの第２のサービングセルにおいて伝送されたＰＵＣＣＨを使用することによって、ＰＵＣＣＨリソースに従って、ＰＤＳＣＨのＨＡＲＱ−ＡＣＫを送信するように構成される。
【０３０８】
オプションで、決定モジュール２２２は特に、第１のサービングセルにおいて伝送されたダウンリンク制御チャネルのＤＣＩフォーマットにおけるＴＰＣコマンドフィールドに従って、ＰＵＣＣＨリソースを決定するように構成される。
【０３０９】
オプションで、決定モジュール２２２は特に、より高いレイヤシグナリングに従って、ＰＵＣＣＨリソースを決定するように構成される。
【０３１０】
オプションで、決定モジュール２２は特に、第１のサービングセルにおいて伝送されたダウンリンク制御チャネルのＤＣＩフォーマットにおけるあらかじめ定義されたフィールドに従って、ＰＵＣＣＨリソースを決定するように構成される。
【０３１１】
オプションで、決定モジュール２２２は特に、第１のサービングセルにおいて伝送されたダウンリンク制御チャネルのＤＣＩフォーマットにおけるＨＡＲＱ−ＡＣＫリソースオフセットフィールドに従って、ＰＵＣＣＨリソースを決定するように構成される。
【０３１２】
この実施形態では、ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用される。ダウンリンク制御チャネルが、物理ダウンリンク共有チャネルＰＤＳＣＨ送信を示すために使用される場合、ダウンリンク制御チャネルに対応するハイブリッド自動再送要求確認応答は特に、ダウンリンク制御チャネルに対応するＰＤＳＣＨのハイブリッド自動再送要求確認応答であり、ダウンリンク制御チャネルが、ダウンリンクセミパーシステントスケジューリングＳＰＳリリースを示すために使用される場合、ダウンリンク制御チャネルに対応するハイブリッド自動再送要求確認応答は、特に、ダウンリンクセミパーシステントスケジューリングＳＰＳリリースを示すダウンリンク制御チャネルに対応するハイブリッド自動再送要求確認応答である。
【０３１３】
この実施形態では、第１のサービングセルは、ＵＥのプライマリサービングセルであり得、第１のサービングセルの複信モードは、時分割複信ＴＤＤであり、第２のサービングセルの複信モードは、周波数分割複信ＦＤＤであり、第２のサービングセルは、より高いレイヤシグナリングによって示され、ＰＵＣＣＨを送信するために使用される、セカンダリサービングセルであるか、又は、第２のサービングセルは、ＵＥの、最も小さなセルインデクスを有する、セカンダリサービングセルである。
【０３１４】
この実施形態において提供されるユーザ機器は、方法実施形態７において提供される技術的解決策を実行するように構成され得る。特定の実施方式及び技術的効果は、この方法のものに類似しており、本明細書では、詳細は再度記述されない。
【０３１５】
図２３に図示されるように、この実施形態において提供される基地局は、送信モジュール２３１、インジケーションモジュール２３２、及び受信モジュール２３３を含み、
送信モジュール２３１は、ＵＥの第１のサービングセルにおいて、ＵＥへダウンリンク制御チャネルを送信するように構成され、ダウンリンク制御チャネルは、ＵＥの第２のサービングセルにおいて伝送されたＰＤＳＣＨ送信を示すために使用され、第１のサービングセルの複信モードは、時分割複信ＴＤＤであり、第２のサービングセルの複信モードは、周波数分割複信ＦＤＤであり、
インジケーションモジュール２３２は、物理アップリンク制御チャネルＰＵＣＣＨリソースを示すように構成され、
受信モジュール２３３は、ＵＥの第２のサービングセルにおいて伝送されたＰＵＣＣＨを使用することによってＵＥによって送られた、ＰＤＳＣＨのＨＡＲＱ−ＡＣＫを、ＰＵＣＣＨリソースに従って受信するように構成される。
【０３１６】
オプションで、インジケーションモジュール２３２は特に、第１のサービングセルにおいて伝送されたダウンリンク制御チャネルのＤＣＩフォーマットにおけるＴＰＣコマンドフィールドを使用することによって、ＰＵＣＣＨリソースを示すように構成される。
【０３１７】
オプションで、インジケーションモジュール２３２は特に、より高いレイヤシグナリングを使用することによって、ＰＵＣＣＨリソースを示すように構成される。
【０３１８】
オプションで、インジケーションモジュール２３２は特に、第１のサービングセルにおいて伝送されたダウンリンク制御チャネルのＤＣＩフォーマットにおけるあらかじめ定義されたフィールドを使用することによって、ＰＵＣＣＨリソースを示すように構成される。
【０３１９】
オプションで、インジケーションモジュール２３２は特に、第１のサービングセルにおいて伝送されたダウンリンク制御チャネルのＤＣＩフォーマットにおけるＨＡＲＱ−ＡＣＫリソースオフセットフィールドを使用することによって、ＰＵＣＣＨリソースを示すように構成される。
【０３２０】
この実施形態では、ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用される。ダウンリンク制御チャネルが、物理ダウンリンク共有チャネルＰＤＳＣＨ送信を示すために使用される場合、ダウンリンク制御チャネルに対応するハイブリッド自動再送要求確認応答は特に、ダウンリンク制御チャネルに対応するＰＤＳＣＨのハイブリッド自動再送要求確認応答であり、ダウンリンク制御チャネルが、ダウンリンクセミパーシステントスケジューリングＳＰＳリリースを示すために使用される場合、ダウンリンク制御チャネルに対応するハイブリッド自動再送要求確認応答は、特に、ダウンリンクセミパーシステントスケジューリングＳＰＳリリースを示すダウンリンク制御チャネルに対応するハイブリッド自動再送要求確認応答である。
【０３２１】
この実施形態では、第１のサービングセルは、ＵＥのプライマリサービングセルであり得、第１のサービングセルの複信モードは、時分割複信ＴＤＤであり、第２のサービングセルの複信モードは、周波数分割複信ＦＤＤであり、第２のサービングセルは、より高いレイヤシグナリングによって示され、ＰＵＣＣＨを送信するために使用される、セカンダリサービングセルであるか、又は、第２のサービングセルは、ＵＥの、最も小さなセルインデクスを有する、セカンダリサービングセルである。
【０３２２】
この実施形態において提供される基地局は、方法実施形態８において提供される技術的解決策を実行するように構成され得る。特定の実施方式及び技術的効果は、この方法のものに類似しており、本明細書では、詳細は再度記述されない。
【０３２３】
図２４は、本発明に従うユーザ機器の実施形態５の概略構成図である。図２４に図示されるように、この実施形態において提供されるユーザ機器は、受信モジュール２４１、決定モジュール２４２、及び送信モジュール２４３を含み、
受信モジュール２４１は、ＵＥの第１のサービングセルにおいて伝送されたダウンリンク制御チャネルを受信するように構成され、ダウンリンク制御チャネルは、ＵＥの第２のサービングセルにおいて伝送されたＰＤＳＣＨ送信を示すために使用され、第１のサービングセルの複信モードは、時分割複信ＴＤＤであり、第２のサービングセルの複信モードは、周波数分割複信ＦＤＤであり、
決定モジュール２４２は、物理アップリンク制御チャネルＰＵＣＣＨリソースを決定するように構成され、
送信モジュール２４３は、ＵＥの第２のサービングセルにおいて伝送されたＰＵＣＣＨを使用することによって、ＰＵＣＣＨリソースに従って、ＰＤＳＣＨのＨＡＲＱ−ＡＣＫを送信するように構成される。
【０３２４】
オプションで、決定モジュール２４２は特に、第１のサービングセルにおいて伝送されたダウンリンク制御チャネルのＤＣＩフォーマットにおけるＴＰＣコマンドフィールドに従って、ＰＵＣＣＨリソースを決定するように構成される。
【０３２５】
オプションで、決定モジュール２４２は特に、より高いレイヤシグナリングに従ってＰＵＣＣＨリソースを決定するように構成される。
【０３２６】
オプションで、決定モジュール２４２は特に、第１のサービングセルにおいて伝送されたダウンリンク制御チャネルのＤＣＩフォーマットにおけるあらかじめ定義されたフィールドに従って、ＰＵＣＣＨリソースを決定するように構成される。
【０３２７】
オプションで、決定モジュール２４２は特に、第１のサービングセルにおいて伝送されたダウンリンク制御チャネルのＤＣＩフォーマットにおけるＨＡＲＱ−ＡＣＫリソースオフセットフィールドに従って、ＰＵＣＣＨリソースを決定するように構成される。
【０３２８】
この実施形態において提供されるユーザ機器は、方法実施形態９において提供される技術的解決策を実行するように構成され得る。特定の実施方式及び技術的効果は、この方法のものに類似しており、本明細書では、詳細は再度記述されない。
【０３２９】
図２５は、本発明に従う基地局の実施形態５の概略構成図である。図２５に図示されるように、この実施形態において提供される基地局は、送信モジュール２５１、インジケーションモジュール２５２、及び受信モジュール２５３を含み、
送信モジュール２５１は、ＵＥの第１のサービングセルにおいて、ＵＥへダウンリンク制御チャネルを送信するように構成され、ダウンリンク制御チャネルは、ＵＥの第２のサービングセルにおいて伝送されたＰＤＳＣＨ送信を示すために使用され、第１のサービングセルの複信モードは、時分割複信ＴＤＤであり、第２のサービングセルの複信モードは、周波数分割複信ＦＤＤであり、
インジケーションモジュール２５２は、物理アップリンク制御チャネルＰＵＣＣＨリソースを示すように構成され、
受信モジュール２５３は、ＰＤＳＣＨの、ＵＥの第２のサービングセルにおいて伝送されたＰＵＣＣＨを使用することによってＵＥによって送られたＨＡＲＱ−ＡＣＫを、ＰＵＣＣＨリソースに従って受信するように構成される。
【０３３０】
オプションで、インジケーションモジュール２３２は特に、第１のサービングセルにおいて伝送されたダウンリンク制御チャネルのＤＣＩフォーマットにおけるＴＰＣコマンドフィールドを使用することによって、ＰＵＣＣＨリソースを示すように構成される。
【０３３１】
オプションで、インジケーションモジュール２５２は特に、より高いレイヤシグナリングを使用することによって、ＰＵＣＣＨリソースを示すように構成される。
【０３３２】
オプションで、インジケーションモジュール２５２は特に、第１のサービングセルにおいて伝送されたダウンリンク制御チャネルのＤＣＩフォーマットにおけるあらかじめ定義されたフィールドを使用することによって、ＰＵＣＣＨリソースを示すように構成される。
【０３３３】
オプションで、インジケーションモジュール２５２は特に、第１のサービングセルにおいて伝送されたダウンリンク制御チャネルのＤＣＩフォーマットにおけるＨＡＲＱ−ＡＣＫリソースオフセットフィールドを使用することによって、ＰＵＣＣＨリソースを示すように構成される。
【０３３４】
この実施形態では、ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用される。ダウンリンク制御チャネルが、物理ダウンリンク共有チャネルＰＤＳＣＨ送信を示すために使用される場合、ダウンリンク制御チャネルに対応するハイブリッド自動再送要求確認応答は特に、ダウンリンク制御チャネルに対応するＰＤＳＣＨのハイブリッド自動再送要求確認応答であり、ダウンリンク制御チャネルが、ダウンリンクセミパーシステントスケジューリングＳＰＳリリースを示すために使用される場合、ダウンリンク制御チャネルに対応するハイブリッド自動再送要求確認応答は、特に、ダウンリンクセミパーシステントスケジューリングＳＰＳリリースを示すダウンリンク制御チャネルに対応するハイブリッド自動再送要求確認応答である。
【０３３５】
この実施形態では、第１のサービングセルは、ＵＥのプライマリサービングセルであり得、第１のサービングセルの複信モードは、時分割複信ＴＤＤであり、第２のサービングセルの複信モードは、周波数分割複信ＦＤＤであり、第２のサービングセルは、より高いレイヤシグナリングによって示され、ＰＵＣＣＨを送信するために使用される、セカンダリサービングセルであるか、又は、第２のサービングセルは、ＵＥの、最も小さなセルインデクスを有する、セカンダリサービングセルである。
【０３３６】
この実施形態において提供される基地局は、方法実施形態１０において提供される技術的解決策を実行するように構成され得る。特定の実施方式及び技術的効果は、この方法のものに類似しており、本明細書では、詳細は再度記述されない。
【０３３７】
図２６は、本発明に従うユーザ機器の実施形態６の概略構成図である。図２６に図示されるように、この実施形態において提供されるユーザ機器は、受信モジュール２６１、決定モジュール２６２、及び送信モジュール２６３を含み、
受信モジュール２６１は、物理アップリンク制御チャネル構成情報を受信するように構成され、
決定モジュール２６２は、物理アップリンク制御チャネルを伝送するサービングセルを、物理アップリンク制御チャネル構成情報に従って決定するように構成され、
送信モジュール２６３は、物理アップリンク制御チャネルを伝送するサービングセルにおいて物理アップリンク制御チャネルを使用することによって、アップリンク制御情報を送信するように構成される。
【０３３８】
オプションで、ＰＵＣＣＨ構成情報は、物理アップリンク制御チャネルを伝送するサービングセルを示すインジケーション情報を含み得る。インジケーション情報は、ＰＵＣＣＨを伝送するサービングセルのセルインデクスであり得る。
【０３３９】
オプションで、ＰＵＣＣＨ構成情報はさらに、ＰＵＣＣＨを送信するＮ個のサービングセルの各サービングセルに対応するサービングセルセットにおけるサービングセルを示すインジケーション情報を含み得る。インジケーション情報は、サービングセルセットにおけるサービングセルのセルインデクスであり得る。インジケーション情報は、アップリンク制御情報が、ＰＵＣＣＨを送信する各サービングセルにおいて伝送される必要のある、サービングセルを示し得る。
【０３４０】
オプションで、ＰＵＣＣＨ構成情報はさらに、ＰＵＣＣＨを送信するＮ個のサービングセルの各サービングセルに対応するＰＵＣＣＨフォーマットを含み得る。
【０３４１】
この実施形態では、ユーザ機器は、物理アップリンク制御チャネルＰＵＣＣＨ構成情報を受信し、その後、ＰＵＣＣＨ構成情報に従って、アップリンク制御情報を送信する。
【０３４２】
この実施形態において提供されるユーザ機器は、方法実施形態１１において提供される技術的解決策を実行するように構成され得る。特定の実施方式及び技術的効果は、この方法のものに類似しており、本明細書では、詳細は再度記述されない。
【０３４３】
図２７は、本発明に従った基地局の実施形態６の概略構成図である。図２７に図示されるように、この実施形態において提供される基地局は、送信モジュール２７１及びインジケーションモジュール２７２を含み、
送信モジュール２７１は、ユーザ機器へ物理アップリンク制御チャネル構成情報を送信するように構成され、
受信モジュール２７２は、ユーザ機器によって送られたアップリンク制御情報を、アップリンク制御チャネルを伝送するサービングセルにおけるアップリンク制御チャネルを使用することによって受信するように構成される。
【０３４４】
オプションで、ＰＵＣＣＨ構成情報は、物理アップリンク制御チャネルを伝送するサービングセルを示すインジケーション情報を含み得る。インジケーション情報は、ＰＵＣＣＨを伝送するサービングセルのセルインデクスであり得る。
【０３４５】
オプションで、ＰＵＣＣＨ構成情報はさらに、ＰＵＣＣＨを送信するＮ個のサービングセルの各サービングセルに対応するサービングセルセットにおけるサービングセルを示すインジケーション情報を含み得る。インジケーション情報は、サービングセルセットにおけるサービングセルのセルインデクスであり得る。そして、インジケーション情報は、アップリンク制御情報が、ＰＵＣＣＨを送信する各サービングセルにおいて伝送される必要のある、サービングセルを示し得る。
【０３４６】
オプションで、ＰＵＣＣＨ構成情報はさらに、ＰＵＣＣＨを送信するＮ個のサービングセルの各サービングセルに対応するＰＵＣＣＨフォーマットを含み得る。
【０３４７】
基地局は、ユーザ機器へ、物理アップリンク制御チャネル構成情報を送信する。これによって、ユーザ機器は、物理アップリンク制御チャネル構成情報に従って、アップリンク制御情報を送信することができるようになる。
【０３４８】
この実施形態において提供される基地局は、方法実施形態１２において提供される技術的解決策を実行するように構成され得る。特定の実施方式及び技術的効果は、この方法のものに類似しており、本明細書では、詳細は再度記述されない。
【０３４９】
図２８は、本発明に従うユーザ機器の実施形態７の概略構成図である。図２８に図示されるように、この実施形態において提供されるユーザ機器は、受信モジュール２８１、決定モジュール２８２、及び送信モジュール２８３を含み、
受信モジュール２８１は、物理アップリンク制御チャネル構成情報を受信するように構成され、
決定モジュール２８２は、第１の物理アップリンク制御チャネルを伝送するサービングセルを、物理アップリンク制御チャネル構成情報に従って決定するように構成され、
送信モジュール２８３は、第１の物理アップリンク制御チャネルを伝送するサービングセルにおける第１の物理アップリンク制御チャネルを使用することによって、アップリンク制御情報を送信するように構成される。
【０３５０】
ユーザ機器は、物理アップリンク制御チャネルＰＵＣＣＨ構成情報を受信し、ＰＵＣＣＨ構成情報に従ってアップリンク制御情報を送信する。
【０３５１】
ＰＵＣＣＨ構成情報は、第１の物理アップリンク制御チャネルを伝送するサービングセルを示すインジケーション情報を含み得る。インジケーション情報は、第１のＰＵＣＣＨを伝送するサービングセルのセルインデクスであり得る。
【０３５２】
オプションで、ＰＵＣＣＨ構成情報はさらに、ＰＵＣＣＨフォーマットのインジケーション情報を含み得る。第１の物理アップリンク制御チャネルのフォーマットは、ＰＵＣＣＨフォーマット１ａ、ＰＵＣＣＨフォーマット１ｂ、チャネル選択、及びＰＵＣＣＨフォーマット３、のうちのいずれか１つであり得る。
【０３５３】
この実施形態において提供されるユーザ機器は、方法実施形態１３において提供される技術的解決策を実行するように構成され得る。特定の実施方式及び技術的効果は、この方法のものに類似している。
【０３５４】
図２９は、本発明に従う基地局の実施形態７の概略構成図である。図２９に図示されるように、この実施形態において提供される基地局は、送信モジュール２９１及び受信モジュール２９２を含み、
送信モジュール２９１は、ユーザ機器へ物理アップリンク制御チャネル構成情報を送信するように構成され、物理アップリンク制御チャネル構成情報は、第１の物理アップリンク制御チャネルを伝送するサービングセルを示すインジケーション情報を含み、サービングセルは、ユーザ機器に対応するサービングセルであり、
受信モジュール２９２は、ユーザ機器によって送られたアップリンク制御情報を、第１の物理アップリンク制御チャネルを伝送するサービングセルにおいて第１の物理アップリンク制御チャネルを使用することによって受信するように構成される。
【０３５５】
第１の物理アップリンク制御チャネルを伝送するサービングセルを示すインジケーション情報は、第１の物理アップリンク制御チャネルを伝送するサービングセルのセルインデクスであり、第１の物理アップリンク制御チャネルを伝送するサービングセルは、ユーザ機器のセカンダリサービングセルである。
【０３５６】
ＰＵＣＣＨ構成情報は、第１の物理アップリンク制御チャネルを伝送するサービングセルを示すインジケーション情報を含み得る。インジケーション情報は、第１のＰＵＣＣＨを伝送するサービングセルのセルインデクスであり得る。
【０３５７】
オプションで、ＰＵＣＣＨ構成情報はさらに、ＰＵＣＣＨフォーマットのインジケーション情報を含み得る。第１の物理アップリンク制御チャネルのフォーマットは、ＰＵＣＣＨフォーマット１ａ、ＰＵＣＣＨフォーマット１ｂ、チャネル選択、及びＰＵＣＣＨフォーマット３、のうちのいずれか１つであり得る。
【０３５８】
この実施形態において提供される基地局は、方法実施形態１４において提供される技術的解決策を実行するように構成され得る。特定の実施方式及び技術的効果は、この方法のものに類似しており、本明細書では、詳細は再度記述されない。
【０３５９】
図３０は、本発明に従うユーザ機器の実施形態８の概略構成図である。図３０に図示されるように、この実施形態において提供されるユーザ機器ＵＥ  ３１００は、メモリ３１１及びプロセッサ３１２を含み得る。メモリ３１１は、プログラムコードのグループを記憶し、プロセッサ３１２は、メモリ３１１に記憶されたプログラムコードを起動し、以下の動作、
基地局によって送られたダウンリンク制御チャネルを、ダウンリンクサブフレームＮで受信するステップであって、ダウンリンク制御チャネルは、ＵＥの第１のサービングセルにおいて伝送される、受信するステップと、
物理アップリンク制御チャネルＰＵＣＣＨを使用することによって、アップリンクサブフレームＮ＋４で、基地局へ、ダウンリンク制御チャネルに対応するハイブリッド自動再送要求確認応答を送信するステップであって、アップリンクサブフレームＮ＋４が、第１のアップリンクサブフレームセットに属する場合、ＰＵＣＣＨは、ＵＥの第２のサービングセルにおいて伝送され、アップリンクサブフレームＮ＋４が、第２のアップリンクサブフレームセットに属する場合、ＰＵＣＣＨは、第１のサービングセルにおいて伝送され、第１のサービングセルの複信モードは、第２のサービングセルの複信モードとは異なり、第１のアップリンクサブフレームセットに含まれたアップリンクサブフレームの量と、第２のアップリンクサブフレームセットに含まれたアップリンクサブフレームの量との合計が、無線フレームの量に等しく、第１のアップリンクサブフレームセットに含まれたアップリンクサブフレームと、第２のアップリンクサブフレームセットに含まれたアップリンクサブフレームとは、無線フレームにおける異なるサブフレームに対応する、送信するステップと、を実行するように構成される。
【０３６０】
第１のサービングセルの複信モードが、時分割複信ＴＤＤであり、第２のサービングセルの複信モードが、周波数分割複信ＦＤＤである場合、第２のアップリンクサブフレームセットに含まれたアップリンクサブフレームは、第１のサービングセルの、無線フレームにおける、アップリンクサブフレームに対応し、第１のアップリンクサブフレームセットに含まれたアップリンクサブフレームは、無線フレームにおける、第２のアップリンクサブフレームセットに含まれたアップリンクサブフレームを除く、他のアップリンクサブフレームに対応し、第１のサービングセルの複信モードがＦＤＤであり、第２のサービングセルの複信モードがＴＤＤである場合、第１のアップリンクサブフレームセットに含まれたアップリンクサブフレームは、第１のサービングセルの、無線フレームにおける、アップリンクサブフレームに対応し、第２のアップリンクサブフレームセットに含まれたアップリンクサブフレームは、無線フレームにおける、第１のアップリンクサブフレームセットに含まれたアップリンクサブフレームを除く、他のアップリンクサブフレームに対応する。
【０３６１】
この実施形態では、ダウンリンク制御チャネルは、物理ダウンリンク制御チャネルＰＤＣＣＨ、又は、拡張物理ダウンリンク制御チャネルＥＰＤＣＣＨであり、ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用される。ダウンリンク制御チャネルが、ＰＤＳＣＨ送信を示すために使用される場合、ダウンリンク制御チャネルに対応するハイブリッド自動再送要求確認応答は特に、ダウンリンク制御チャネルに対応するＰＤＳＣＨのハイブリッド自動再送要求確認応答であり、ダウンリンク制御チャネルが、ＳＰＳリリースを示すために使用される場合、ダウンリンク制御チャネルに対応するハイブリッド自動再送要求確認応答は、特に、ＳＰＳリリースを示すダウンリンク制御チャネルに対応するハイブリッド自動再送要求確認応答である。
【０３６２】
プロセッサ３１２はさらに、ＰＵＣＣＨのＰＵＣＣＨリソース及び／又はＰＵＣＣＨ送信電力を取得するように構成される。アップリンクサブフレームＮ＋４が、第１のアップリンクサブフレームセットに属する場合、プロセッサ３１２は特に、ダウンリンク制御チャネルのダウンリンク制御情報ＤＣＩフォーマットにおける送信電力制御ＴＰＣコマンドフィールドに従って、ＰＵＣＣＨリソースを決定するように構成される。アップリンクサブフレームＮ＋４が、第２のアップリンクサブフレームセットに属する場合、プロセッサ３１２は特に、ダウンリンク制御チャネルのダウンリンク制御情報ＤＣＩフォーマットにおける送信電力制御ＴＰＣコマンドフィールドに従って、ＰＵＣＣＨ送信電力を決定するように構成される。
【０３６３】
この実施形態において提供されるユーザ機器は、方法実施形態１における技術的解決策を実行するように構成され得る。特定の実施方式及び技術的効果は、この方法のものに類似しており、本明細書では、詳細は再度記述されない。
【０３６４】
図３１は、本発明に従う基地局の実施形態８の概略構成図である。図３１に図示されるように、この実施形態において提供される基地局３２００は、メモリ３２１及びプロセッサ３２２を含み得る。メモリ３２１は、プログラムコードのグループを記憶し、プロセッサ３２２は、メモリ３２１に記憶されたプログラムコードを起動し、以下の動作、
ダウンリンクサブフレームＮで、ユーザ機器ＵＥへ、ダウンリンク制御チャネルを送信するステップであって、ダウンリンク制御チャネルは、ＵＥの第１のサービングセルにおいて伝送される送信するステップと、
物理アップリンク制御チャネルＰＵＣＣＨを使用することによってＵＥによって送られ、ダウンリンク制御チャネルに対応する、ハイブリッド自動再送要求確認応答を、アップリンクサブフレームＮ＋４で受信するステップであって、アップリンクサブフレームＮ＋４が、第１のアップリンクサブフレームセットに属する場合、ＰＵＣＣＨは、ＵＥの第２のサービングセルにおいて伝送され、アップリンクサブフレームＮ＋４が、第２のアップリンクサブフレームセットに属する場合、ＰＵＣＣＨは、第１のサービングセルにおいて伝送され、第１のサービングセルの複信モードは、第２のサービングセルの複信モードとは異なり、第１のアップリンクサブフレームセットに含まれたアップリンクサブフレームの量と、第２のアップリンクサブフレームセットに含まれたアップリンクサブフレームの量との合計が、無線フレームの量に等しく、第１のアップリンクサブフレームセットに含まれたアップリンクサブフレームと、第２のアップリンクサブフレームセットに含まれたアップリンクサブフレームとは、無線フレームにおける異なるサブフレームに対応する、受信するステップと、を実行するように構成される。
【０３６５】
第１のサービングセルの複信モードが、時分割複信ＴＤＤであり、第２のサービングセルの複信モードが、周波数分割複信ＦＤＤである場合、第２のアップリンクサブフレームセットに含まれたアップリンクサブフレームは、第１のサービングセルの、無線フレームにおける、アップリンクサブフレームに対応し、第１のアップリンクサブフレームセットに含まれたアップリンクサブフレームは、無線フレームにおける、第２のアップリンクサブフレームセットに含まれたアップリンクサブフレームを除く、他のアップリンクサブフレームに対応し、第１のサービングセルの複信モードがＦＤＤであり、第２のサービングセルの複信モードがＴＤＤである場合、第１のアップリンクサブフレームセットに含まれたアップリンクサブフレームは、第１のサービングセルの、無線フレームにおける、アップリンクサブフレームに対応し、第２のアップリンクサブフレームセットに含まれたアップリンクサブフレームは、無線フレームにおける、第１のアップリンクサブフレームセットに含まれたアップリンクサブフレームを除く、他のアップリンクサブフレームに対応する。
【０３６６】
この実施形態では、ダウンリンク制御チャネルは、物理ダウンリンク制御チャネルＰＤＣＣＨ、又は、拡張物理ダウンリンク制御チャネルＥＰＤＣＣＨであり、ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用される。ダウンリンク制御チャネルが、ＰＤＳＣＨ送信を示すために使用される場合、ダウンリンク制御チャネルに対応するハイブリッド自動再送要求確認応答は特に、ダウンリンク制御チャネルに対応するＰＤＳＣＨのハイブリッド自動再送要求確認応答であり、ダウンリンク制御チャネルが、ＳＰＳリリースを示すために使用される場合、ダウンリンク制御チャネルに対応するハイブリッド自動再送要求確認応答は、特に、ＳＰＳリリースを示すダウンリンク制御チャネルに対応するハイブリッド自動再送要求確認応答である。
【０３６７】
この実施形態において提供される基地局は、方法実施形態２において提供される技術的解決策を実行するように構成され得る。特定の実施方式及び技術的効果は、この方法のものに類似しており、本明細書では、詳細は再度記述されない。
【０３６８】
図３２は、本発明に従うユーザ機器の実施形態９の概略構成図である。図３２に図示されるように、この実施形態において提供されるユーザ機器ＵＥ  ３３００は、メモリ３３１及びプロセッサ３３２を含み得る。メモリ３３１は、プログラムコードのグループを記憶し、プロセッサ３３２は、メモリ３３１に記憶されたプログラムコードを起動し、以下の動作、
ダウンリンクサブフレームＮで、ダウンリンク制御チャネルを受信するステップであって、ダウンリンク制御チャネルは、ＵＥの第１のサービングセルにおいて伝送され、第１のサービングセルの複信モードは、時分割複信ＴＤＤである、受信するステップと、
物理アップリンク制御チャネルＰＵＣＣＨを使用することによって、ダウンリンク制御チャネルに対応するハイブリッド自動再送要求確認応答を、アップリンクサブフレームＮ＋４で送信するステップであって、ＰＵＣＣＨはＵＥの第２のサービングセルにおいて伝送され、第２のサービングセルの複信モードは、周波数分割複信ＦＤＤである、送信するステップと、を実行するように構成される。
【０３６９】
ダウンリンク制御チャネルは、物理ダウンリンク制御チャネルＰＤＣＣＨ、又は、拡張物理ダウンリンク制御チャネルＥＰＤＣＣＨであり、ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用される。ダウンリンク制御チャネルが、ＰＤＳＣＨ送信を示すために使用される場合、ダウンリンク制御チャネルに対応するハイブリッド自動再送要求確認応答は特に、ダウンリンク制御チャネルに対応するＰＤＳＣＨのハイブリッド自動再送要求確認応答であり、ダウンリンク制御チャネルが、ＳＰＳリリースを示すために使用される場合、ダウンリンク制御チャネルに対応するハイブリッド自動再送要求確認応答は、特に、ＳＰＳリリースを示すダウンリンク制御チャネルに対応するハイブリッド自動再送要求確認応答である。
【０３７０】
この実施形態では、物理アップリンク制御チャネルＰＵＣＣＨを使用することによって、ダウンリンク制御チャネルに対応するハイブリッド自動再送要求確認応答を、アップリンクサブフレームＮ＋４で送信する前に、プロセッサ３３２はさらに、ＰＵＣＣＨのＰＵＣＣＨリソースを取得するように構成される。プロセッサ３３２によって、ＰＵＣＣＨのＰＵＣＣＨリソースを取得するステップは特に、ダウンリンク制御チャネルのダウンリンク制御情報ＤＣＩフォーマットにおけるダウンリンク割当インジケーションＤＡＩ又は送信電力制御ＴＰＣコマンドに従って、ＰＵＣＣＨリソースを決定するステップである。
【０３７１】
この実施形態では、第１のサービングセルが、ＵＥのプライマリサービングセルであり、第２のサービングセルが、ＵＥのセカンダリサービングセルである。特に、第２のサービングセルは、特に、ＵＥの、最も小さなセルインデクスを有する、セカンダリサービングセルであり得るか、又は、第２のサービングセルは、より高いレイヤシグナリングによって示される、ＰＵＣＣＨを送信するために使用される、セカンダリサービングセルである。
【０３７２】
この実施形態において提供されるユーザ機器は、方法実施形態３において提供される技術的解決策を実行するように構成され得る。特定の実施方式及び技術的効果は、この方法のものに類似しており、本明細書では、詳細は再度記述されない。
【０３７３】
図３３は、本発明に従う基地局の実施形態９の概略構成図である。図３３に図示されるように、この実施形態において提供される基地局３４００は、メモリ３４１及びプロセッサ３４２を含み得る。メモリ３４１は、プログラムコードのグループを記憶し、プロセッサ３４２は、メモリ３４１に記憶されたプログラムコードを起動し、以下の動作、
ダウンリンクサブフレームＮで、ユーザ機器ＵＥへダウンリンク制御チャネルを送信するステップであって、ダウンリンク制御チャネルは、ＵＥの第１のサービングセルにおいて伝送され、第１のサービングセルの複信モードは、時分割複信ＴＤＤであり、ダウンリンク制御チャネルのダウンリンク制御情報ＤＣＩフォーマットにおけるダウンリンク割当インジケーションＤＡＩ又は送信電力制御ＴＰＣコマンドは、物理アップリンク制御チャネルＰＵＣＣＨリソースを示すために使用される、送信するステップと、
ＰＵＣＣＨを使用することによってＵＥによって送られ、ダウンリンク制御チャネルに対応する、ハイブリッド自動再送要求確認応答を、ＰＵＣＣＨリソースに従って、アップリンクサブフレームＮ＋４で受信するステップであって、ＰＵＣＣＨは、ＵＥの第２のサービングセルにおいて伝送され、第２のサービングセルの複信モードは、周波数分割複信ＦＤＤである、受信するステップと、を実行するように構成される。
【０３７４】
ダウンリンク制御チャネルは、物理ダウンリンク制御チャネルＰＤＣＣＨ、又は、拡張物理ダウンリンク制御チャネルＥＰＤＣＣＨであり、ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用される。ダウンリンク制御チャネルが、ＰＤＳＣＨ送信を示すために使用される場合、ダウンリンク制御チャネルに対応するハイブリッド自動再送要求確認応答は、特に、ダウンリンク制御チャネルに対応するＰＤＳＣＨのハイブリッド自動再送要求確認応答であり、ダウンリンク制御チャネルが、ＳＰＳリリースを示すために使用される場合、ダウンリンク制御チャネルに対応するハイブリッド自動再送要求確認応答は、特に、ＳＰＳリリースを示すダウンリンク制御チャネルに対応するハイブリッド自動再送要求確認応答である。
【０３７５】
この実施形態では、第１のサービングセルが、ＵＥのプライマリサービングセルであり、第２のサービングセルが、ＵＥのセカンダリサービングセルである。特に、第２のサービングセルは特に、ＵＥの、最も小さなセルインデクスを有する、セカンダリサービングセルであり得るか、又は、第２のサービングセルは、より高いレイヤシグナリングを使用することによって基地局によって示される、ＰＵＣＣＨを送信するために使用される、セカンダリサービングセルである。
【０３７６】
この実施形態において提供される基地局は、方法実施形態４における技術的解決策を実行するように構成され得る。特定の実施方式及び技術的効果は、この方法のものに類似しており、本明細書では、詳細は再度記述されない。
【０３７７】
図３４は、本発明に従うユーザ機器の実施形態１０の概略構成図である。図３４に図示されるように、この実施形態において提供されるユーザ機器ＵＥ  ３５００は、メモリ３５１及びプロセッサ３５２を含み得る。メモリ３５１は、プログラムコードのグループを記憶し、プロセッサ３５２は、メモリ３５１に記憶されたプログラムコードを起動し、以下の動作、
ダウンリンクサブフレームＮで、ダウンリンク制御チャネルを受信するステップであって、ダウンリンク制御チャネルは、ＵＥの第１のサービングセルにおいて伝送され、ダウンリンク制御チャネルは、物理ダウンリンク制御チャネルＰＤＣＣＨ、又は、拡張物理ダウンリンク制御チャネルＥＰＤＣＣＨである、受信するステップと、
ダウンリンク制御チャネルに対応するハイブリッド自動再送要求確認応答が、ＵＥの第２のサービングセルにおいて伝送された場合、プロセッサ８１２によって、ダウンリンク制御チャネルのダウンリンク制御情報ＤＣＩフォーマットにおける送信電力制御ＴＰＣコマンドフィールドに従って、物理アップリンク制御チャネルＰＵＣＣＨリソースを決定するステップと、
ダウンリンク制御チャネルに対応するハイブリッド自動再送要求確認応答が、第１のサービングセルにおいて伝送された場合、プロセッサ８１２によって、ダウンリンク制御チャネルのダウンリンク制御情報ＤＣＩフォーマットにおける送信電力制御ＴＰＣコマンドフィールドに従って、ＰＵＣＣＨの送信電力を決定するステップであって、第１のサービングセルの複信モードは、第２のサービングセルの複信モードとは異なる、決定するステップと、
ダウンリンク制御チャネルに対応するハイブリッド自動再送要求確認応答を、ＰＵＣＣＨリソース又はＰＵＣＣＨの送信電力に従って、ＰＵＣＣＨを使用することによって送信するステップと、を実行するように構成される。
【０３７８】
ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用される。ダウンリンク制御チャネルが、ＰＤＳＣＨ送信を示すために使用される場合、ダウンリンク制御チャネルに対応するハイブリッド自動再送要求確認応答は特に、ダウンリンク制御チャネルに対応するＰＤＳＣＨのハイブリッド自動再送要求確認応答であり、ダウンリンク制御チャネルが、ＳＰＳリリースを示すために使用される場合、ダウンリンク制御チャネルに対応するハイブリッド自動再送要求確認応答は、特に、ＳＰＳリリースを示すダウンリンク制御チャネルに対応するハイブリッド自動再送要求確認応答である。
【０３７９】
この実施形態では、第１のサービングセルは、ＵＥのプライマリサービングセルであり、第１のサービングセルの複信モードは、時分割複信ＴＤＤであり、第２のサービングセルの複信モードは、周波数分割複信ＦＤＤであり、第２のサービングセルは、ＵＥの、最も小さなセルインデクスを有する、セカンダリサービングセルである。或いは、第１のサービングセルは、ＵＥのプライマリサービングセルであり、第１のサービングセルの複信モードは、時分割複信ＴＤＤであり、第２のサービングセルの複信モードは、周波数分割複信ＦＤＤであり、第２のサービングセルは、より高いレイヤシグナリングによって示される、ＰＵＣＣＨを送信するために使用される、セカンダリサービングセルである。
【０３８０】
この実施形態において提供されるユーザ機器は、方法実施形態５における技術的解決策を実行するように構成され得る。特定の実施方式及び技術的効果は、この方法のものに類似しており、本明細書では、詳細は再度記述されない。
【０３８１】
図３５は、本発明に従う基地局の実施形態１０の概略構成図である。図３５に図示されるように、この実施形態において提供される基地局３６００は、メモリ３６１及びプロセッサ３６２を含み得る。メモリ３６１は、プログラムコードのグループを記憶し、プロセッサ３６２は、メモリ３６１に記憶されたプログラムコードを起動し、以下の動作、
ダウンリンクサブフレームＮで、ユーザ機器ＵＥへダウンリンク制御チャネルを送信するステップであって、ダウンリンクチャネルは、ＵＥの第１のサービングセルにおいて伝送され、ダウンリンク制御チャネルは、物理ダウンリンク制御チャネルＰＤＣＣＨ、又は、拡張物理ダウンリンク制御チャネルＥＰＤＣＣＨである、送信するステップと、
ダウンリンク制御チャネルに対応するハイブリッド自動再送要求確認応答が、ＵＥの第２のサービングセルにおいて伝送された場合、ダウンリンク制御チャネルのダウンリンク制御情報ＤＣＩフォーマットにおける送信電力制御ＴＰＣコマンドフィールドを使用することによって、物理アップリンク制御チャネルＰＵＣＣＨリソースを示すステップと、
ダウンリンク制御チャネルに対応するハイブリッド自動再送要求確認応答が、第１のサービングセルにおいて伝送された場合、ダウンリンク制御チャネルのダウンリンク制御情報ＤＣＩフォーマットにおける送信電力制御ＴＰＣコマンドフィールドに従って、ＰＵＣＣＨの送信電力を示すステップであって、第１のサービングセルの複信モードは、第２のサービングセルの複信モードとは異なる、示すステップと、
ＵＥによって送られ、ダウンリンク制御チャネルに対応する、ハイブリッド自動再送要求確認応答を、ＰＵＣＣＨリソースに従って受信するステップと、を実行するように構成される。
【０３８２】
ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用される。ダウンリンク制御チャネルが、物理ダウンリンク共有チャネルＰＤＳＣＨ送信を示すために使用される場合、ダウンリンク制御チャネルに対応するハイブリッド自動再送要求確認応答は特に、ダウンリンク制御チャネルに対応するＰＤＳＣＨのハイブリッド自動再送要求確認応答であり、ダウンリンク制御チャネルが、ダウンリンクセミパーシステントスケジューリングＳＰＳリリースを示すために使用される場合、ダウンリンク制御チャネルに対応するハイブリッド自動再送要求確認応答は、特に、ダウンリンクセミパーシステントスケジューリングＳＰＳリリースを示すダウンリンク制御チャネルに対応するハイブリッド自動再送要求確認応答である。
【０３８３】
この実施形態では、第１のサービングセルは、ＵＥのプライマリサービングセルであり得、第１のサービングセルの複信モードは、時分割複信ＴＤＤであり、第２のサービングセルの複信モードは、周波数分割複信ＦＤＤであり、第２のサービングセルは、ＵＥの、最も小さなセルインデクスを有する、セカンダリサービングセルである。或いは、第１のサービングセルは、ＵＥのプライマリサービングセルであり、第１のサービングセルの複信モードは、時分割複信ＴＤＤであり、第２のサービングセルの複信モードは、周波数分割複信ＦＤＤであり、第２のサービングセルは、より高いレイヤシグナリングによって示され、ＰＵＣＣＨを送信するために使用される、セカンダリサービングセルである。
【０３８４】
この実施形態において提供される基地局は、方法実施形態６における技術的解決策を実行するように構成され得る。特定の実施方式及び技術的効果は、この方法のものに類似しており、本明細書では、詳細は再度記述されない。
【０３８５】
当業者であれば、方法実施形態のステップのすべて又はいくつかが、関連するハードウェアに指示するプログラムによって実施され得ることを理解するであろう。このプログラムは、コンピュータ読取可能な記憶媒体に記憶され得る。プログラムが動作している場合、方法実施形態のステップが実行される。前述した記憶媒体は、ＲＯＭ、ＲＡＭ、磁気ディスク、又は光ディスクのようなプログラムコードを記憶し得る任意の媒体を含む。
【０３８６】
最後に、前述した実施形態は単に、本発明の技術的解決策を記述するためであり、本発明を限定するためではないことが意図されていることに留意されたい。本発明は、前述した実施形態を参照して詳細に記述されているが、当業者であれば、当業者が、本発明の実施形態の技術的解決策の範囲から逸脱することなくなお、前述した実施形態において記述された技術的解決策に対する修正を行い得るか、又は、そのいくつか又はすべての技術的特徴に対する等価の置換えを行い得ることを理解されたい。
【図１】
2018078638.tif 000005
【図２】
2018078638.tif 000006
【図３】
2018078638.tif 000007
【図４】
2018078638.tif 000008
【図５】
2018078638.tif 000009
【図６】
2018078638.tif 000010
【図７】
2018078638.tif 000011
【図８】
2018078638.tif 000012
【図９】
2018078638.tif 000013
【図１０】
2018078638.tif 000014
【図１１】
2018078638.tif 000015
【図１２】
2018078638.tif 000016
【図１３】
2018078638.tif 000017
【図１４】
2018078638.tif 000018
【図１５】
2018078638.tif 000019
【図１６】
2018078638.tif 000020
【図１７】
2018078638.tif 000021
【図１８】
2018078638.tif 000022
【図１９】
2018078638.tif 000023
【図２０】
2018078638.tif 000024
【図２１】
2018078638.tif 000025
【図２２】
2018078638.tif 000026
【図２３】
2018078638.tif 000027
【図２４】
2018078638.tif 000028
【図２５】
2018078638.tif 000029
【図２６】
2018078638.tif 000030
【図２７】
2018078638.tif 000031
【図２８】
2018078638.tif 000032
【図２９】
2018078638.tif 000033
【図３０】
2018078638.tif 000034
【図３１】
2018078638.tif 000035
【図３２】
2018078638.tif 000036
【図３３】
2018078638.tif 000037
【図３４】
2018078638.tif 000038
【図３５】
2018078638.tif 000039
【手続補正書】
【提出日】平成30年1月11日(2018.1.11)
【手続補正１】
【補正対象書類名】明細書
【補正対象項目名】全文
【補正方法】変更
【補正の内容】
【発明の詳細な説明】
【技術分野】
【０００１】
本発明の実施形態は、データ通信技術に関し、特に、アップリンク制御情報送信方法、基地局、及びユーザ機器に関する。
【背景技術】
【０００２】
第３世代パートナシッププロジェクトロングタームエボリューション（３ｒｄ  Ｇｅｎｅｒａｔｉｏｎ  Ｐａｒｔｎｅｒｓｈｉｐ  Ｐｒｏｊｅｃｔ  ＬＴＥ  Ｌｏｎｇ  Ｔｅｒｍ  Ｅｖｏｌｕｔｉｏｎ，略して３ＧＰＰ  ＬＴＥ）システムは、２つのワーキングモード、すなわち周波数分割複信（Ｆｒｅｑｕｅｎｃｙ  Ｄｉｖｉｓｉｏｎ  Ｄｕｐｌｅｘｉｎｇ，略してＦＤＤ）と、時分割複信（Ｔｉｍｅ  Ｄｉｖｉｓｉｏｎ  Ｄｕｐｌｅｘｉｎｇ，略してＴＤＤ）とを含む。３ＧＰＰ  ＬＴＥシステムでは、ハイブリッド自動再送をサポートするために、端末は、物理アップリンク制御チャネル（Ｐｈｙｓｉｃａｌ  Ｕｐｌｉｎｋ  Ｃｏｎｔｒｏｌ  Ｃｈａｎｎｅｌ，略してＰＵＣＣＨ）と物理アップリンク共有チャネル（Ｐｈｙｓｉｃａｌ  Ｕｐｌｉｎｋ  Ｓｈａｒｅｄ  Ｃｈａｎｎｅｌ，略してＰＵＳＣＨ）とを使用することによって、ハイブリッド自動再送要求確認応答（Ｈｙｂｒｉｄ  Ａｕｔｏｍａｔｉｃ  Ｒｅｐｅａｔ  ｒｅｑｕｅｓｔ−Ａｃｋｎｏｗｌｅｄｇｅｍｅｎｔ，略してＨＡＲＱ−ＡＣＫ）を、基地局へフィードバックする必要がある。端末が基地局へ確認応答（Ａｃｋｎｏｗｌｅｄｇｅｍｅｎｔ，略してＡＣＫ）をフィードバックする場合、それは、端末が正しくメッセージを受信したことを示す。端末が基地局へ否定的確認応答（Ｎｅｇａｔｉｖｅ  Ａｃｋｎｏｗｌｅｄｇｅｍｅｎｔ，略してＮＡＣＫ）をフィードバックする場合、それは、端末における正しくない受信を示し、基地局は再送信を実行する必要がある。
【０００３】
３ＧＰＰ  ＬＴＥ  Ｒｅｌ  １０／１１では、第４世代通信技術のピークデータレートに関する国際電気通信連合の要件を満足するために、キャリアアグリゲーション（Ｃａｒｒｉｅｒ  Ａｇｇｒｅｇａｔｉｏｎ，略してＣＡ）が導入される。アグリゲートされたキャリアは、コンポーネントキャリア（Ｃｏｍｐｏｎｅｎｔ  Ｃａｒｒｉｅｒ，略してＣＣ）と称され、サービングセルとも称される。キャリアアグリゲーション技術では、より高い帯域幅を提供するために、２つ以上のコンポーネントキャリアがアグリゲートされる。ＬＴＥ  Ｒｅｌ−８／９では、ユーザ機器（ＵＥ）は、データ送受信を実行するために、１つのコンポーネントキャリアにのみアクセスし得る一方、ＬＴＥ−Ａでは、ＵＥは、データ送受信を実行するために、ＵＥの能力とサービス要件に従って、複数のコンポーネントキャリアにアクセスし得る。既存のキャリアアグリゲーションシステムでは、一般に、同じ基地局（Ｅｖｏｌｖｅｄ  ＮｏｄｅＢ，略してｅＮＢ）に配備されているキャリアがアグリゲートされるか、又は、理想的なバックホールリンク（Ｂａｃｋｈａｕｌ）を有するマクロセル及びミクロセルの下でキャリアがアグリゲートされる。既存のＣＡシステムでは、ハイブリッド自動再送要求確認応答情報は、プライマリキャリアのみにおいて送られ、アグリゲートされたコンポーネントキャリアの複信モードは同じであり、ＦＤＤ又はＴＤＤである。
【０００４】
後続するＬＴＥシステムでは、キャリアアグリゲーションは、異なる複信モードのアグリゲーションをサポートするために発展し得る。すなわち、アグリゲートされたコンポーネントキャリアの複信モードは異なり得、たとえば、いくつかのコンポーネントキャリアの複信モードはＦＤＤであり、他のコンポーネントキャリアの複信モードはＴＤＤである。既存のＣＡシステムでは、ＨＡＲＱ−ＡＣＫは、プライマリキャリアにおいてのみ送られ、異なる複信モードのアグリゲーションの場合、プライマリキャリアは、ＦＤＤキャリア又はＴＤＤキャリアであり得る。この発展方向では、プライマリキャリアがＴＤＤキャリアであり、別のコンポーネントキャリアがＦＤＤキャリアであれば、ＦＤＤキャリアに対応するＨＡＲＱ−ＡＣＫもまた、ＴＤＤキャリアへフィードバックされる必要がある。既存のシステムでは、ＦＤＤキャリアの場合、ＦＤＤキャリアのＨＡＲＱ−ＡＣＫタイミングはｎ＋４である。すなわち、ダウンリンクサブフレームｎで送信されたＰＤＳＣＨに対応するＨＡＲＱ−ＡＣＫが、アップリンクサブフレームｎ＋４でフィードバックされる。しかしながら、ＦＤＤキャリアに対応するＨＡＲＱ−ＡＣＫが、ＴＤＤキャリアでフィードバックされるのであれば、ＴＤＤキャリアにおける無線フレームのいくつかのサブフレームしか、アップリンク送信のために使用されないので、既存のＦＤＤのＨＡＲＱ−ＡＣＫタイミングが使用されるのであれば、いくつかのＦＤＤキャリアにおけるダウンリンクサブフレームについては、ＨＡＲＱ−ＡＣＫをフィードバックするために使用される対応するアップリンクサブフレームは存在しない。これらのダウンリンクサブフレームがスケジュールされないのであれば、リソースが浪費され得る。したがって、異なる複信モードのキャリアのアグリゲーション中に、どのようにしてＨＡＲＱ−ＡＣＫを送信するのかが、解決される必要がある。
【発明の概要】
【発明が解決しようとする課題】
【０００５】
本発明の実施形態は、複信モードのキャリアのアグリゲーション中に、どのようにしてＨＡＲＱ−ＡＣＫを送信するのかという問題を解決するような、アップリンク制御情報送信方法、基地局、及びユーザ機器を提供する。
【課題を解決するための手段】
【０００６】
本発明の第１の態様は、基地局によって送られたダウンリンク制御チャネルを、ダウンリンクサブフレームＮで、ユーザ機器ＵＥによって受信するステップであって、ダウンリンク制御チャネルは、ＵＥの第１のサービングセルにおいて伝送される、受信するステップと、
ダウンリンク制御チャネルに対応するハイブリッド自動再送要求確認応答を、ＵＥによって、物理アップリンク制御チャネルＰＵＣＣＨを使用することによって、アップリンクサブフレームＮ＋４で基地局へ送信するステップであって、アップリンクサブフレームＮ＋４が、第１のアップリンクサブフレームセットに属する場合、ＰＵＣＣＨは、ＵＥの第２のサービングセルにおいて伝送され、アップリンクサブフレームＮ＋４が、第２のアップリンクサブフレームセットに属する場合、ＰＵＣＣＨは、第１のサービングセルにおいて伝送され、第１のサービングセルの複信モードは、第２のサービングセルの複信モードとは異なり、第１のアップリンクサブフレームセットに含まれたアップリンクサブフレームの量と、第２のアップリンクサブフレームセットに含まれたアップリンクサブフレームの量との合計が、無線フレームにおけるサブフレームの量に等しく、第１のアップリンクサブフレームセットに含まれたアップリンクサブフレームと、第２のアップリンクサブフレームセットに含まれたアップリンクサブフレームとは、無線フレームにおける異なるサブフレームに対応する、送信するステップと、を含むアップリンク制御情報送信方法を提供する。
【０００７】
本発明の第１の態様の第１の可能な実施方式では、第１のサービングセルの複信モードが、時分割複信ＴＤＤであり、第２のサービングセルの複信モードが、周波数分割複信ＦＤＤである場合、第２のアップリンクサブフレームセットに含まれたアップリンクサブフレームは、第１のサービングセルの、無線フレームにおける、アップリンクサブフレームに対応し、第１のアップリンクサブフレームセットに含まれたアップリンクサブフレームは、無線フレームにおける、第２のアップリンクサブフレームセットに含まれたアップリンクサブフレームを除く、他のアップリンクサブフレームに対応するか、又は、
第１のサービングセルの複信モードが、ＦＤＤであり、第２のサービングセルの複信モードが、ＴＤＤである場合、第１のアップリンクサブフレームセットに含まれたアップリンクサブフレームは、第１のサービングセルの、無線フレームにおける、アップリンクサブフレームに対応し、第２のアップリンクサブフレームセットに含まれたアップリンクサブフレームは、無線フレームにおける、第１のアップリンクサブフレームセットに含まれたアップリンクサブフレームを除く、他のアップリンクサブフレームに対応する。
【０００８】
本発明の第１の態様、及び、第１の態様の第１の可能な実施方式を参照して、本発明の第１の態様の第２の可能な実施方式では、ダウンリンク制御チャネルは、物理ダウンリンク制御チャネルＰＤＣＣＨ、又は、拡張物理ダウンリンク制御チャネルＥＰＤＣＣＨであり、ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用され、
ダウンリンク制御チャネルが、ＰＤＳＣＨ送信を示すために使用される場合、ダウンリンク制御チャネルに対応するハイブリッド自動再送要求確認応答は、特に、ダウンリンク制御チャネルに対応するＰＤＳＣＨのハイブリッド自動再送要求確認応答であり、ダウンリンク制御チャネルが、ＳＰＳリリースを示すために使用される場合、ダウンリンク制御チャネルに対応するハイブリッド自動再送要求確認応答は、特に、ＳＰＳリリースを示すダウンリンク制御チャネルに対応するハイブリッド自動再送要求確認応答である。
【０００９】
本発明の第１の態様、並びに、第１の態様の第１及び第２の可能な実施方式を参照して、本発明の第１の態様の第３の可能な実施方式では、ＵＥによって、物理アップリンク制御チャネルＰＵＣＣＨを使用することによって、ダウンリンク制御チャネルに対応するハイブリッド自動再送要求確認応答を、アップリンクサブフレームＮ＋４で、基地局へ送信する前に、方法はさらに、
ＵＥによって、ＰＵＣＣＨのＰＵＣＣＨリソース及び／又はＰＵＣＣＨ送信電力を取得するステップを含む。
【００１０】
本発明の第１の態様の第４の可能な実施方式では、アップリンクサブフレームＮ＋４が、第１のアップリンクサブフレームセットに属する場合、ＵＥによって、ＰＵＣＣＨのＰＵＣＣＨリソースを取得するステップは、
ＵＥによって、ダウンリンク制御チャネルのダウンリンク制御情報ＤＣＩフォーマットにおける送信電力制御ＴＰＣコマンドフィールドに従って、ＰＵＣＣＨリソースを決定するステップ、を含む。
【００１１】
本発明の第１の態様の第５の可能な実施方式では、アップリンクサブフレームＮ＋４が、第２のアップリンクサブフレームセットに属する場合、ＵＥによって、ＰＵＣＣＨのＰＵＣＣＨ送信電力を取得するステップは、
ＵＥによって、ダウンリンク制御チャネルのダウンリンク制御情報ＤＣＩフォーマットにおける送信電力制御ＴＰＣコマンドフィールドに従って、ＰＵＣＣＨ送信電力を決定するステップ、を含む。
【００１２】
本発明の第２の態様は、
基地局によって、ダウンリンクサブフレームＮで、ユーザ機器ＵＥへダウンリンク制御チャネルを送信するステップであって、ダウンリンク制御チャネルは、ＵＥの第１のサービングセルにおいて伝送される、送信するステップと、
物理アップリンク制御チャネルＰＵＣＣＨを使用することによってＵＥによって送られ、ダウンリンク制御チャネルに対応するハイブリッド自動再送要求確認応答を、アップリンクサブフレームＮ＋４で、基地局によって受信するステップであって、アップリンクサブフレームＮ＋４が、第１のアップリンクサブフレームセットに属する場合、ＰＵＣＣＨは、ＵＥの第２のサービングセルにおいて伝送され、アップリンクサブフレームＮ＋４が、第２のアップリンクサブフレームセットに属する場合、ＰＵＣＣＨは、第１のサービングセルにおいて伝送され、第１のサービングセルの複信モードは、第２のサービングセルの複信モードとは異なり、第１のアップリンクサブフレームセットに含まれたアップリンクサブフレームの量と、第２のアップリンクサブフレームセットに含まれたアップリンクサブフレームの量との合計が、無線フレームにおけるサブフレームの量に等しく、第１のアップリンクサブフレームセットに含まれたアップリンクサブフレームと、第２のアップリンクサブフレームセットに含まれたアップリンクサブフレームとは、無線フレームにおける異なるサブフレームに対応する、受信するステップと、を含むアップリンク制御情報送信方法を提供する。
【００１３】
本発明の第２の態様の第１の可能な実施方式では、第１のサービングセルの複信モードが、時分割複信ＴＤＤであり、第２のサービングセルの複信モードが、周波数分割複信ＦＤＤである場合、第２のアップリンクサブフレームセットに含まれたアップリンクサブフレームは、第１のサービングセルの、無線フレームにおける、アップリンクサブフレームに対応し、第１のアップリンクサブフレームセットに含まれたアップリンクサブフレームは、無線フレームにおける、第２のアップリンクサブフレームセットに含まれたアップリンクサブフレームを除く、他のアップリンクサブフレームに対応するか、又は、
第１のサービングセルの複信モードが、ＦＤＤであり、第２のサービングセルの複信モードが、ＴＤＤである場合、第１のアップリンクサブフレームセットに含まれたアップリンクサブフレームは、第１のサービングセルの、無線フレームにおけるアップリンクサブフレームに対応し、第２のアップリンクサブフレームセットに含まれたアップリンクサブフレームは、無線フレームにおける、第１のアップリンクサブフレームセットに含まれたアップリンクサブフレームを除く、他のアップリンクサブフレームに対応する。
【００１４】
本発明の第２の態様、及び、第２の態様の第１の可能な実施方式を参照して、本発明の第２の態様の第２の可能な実施方式では、ダウンリンク制御チャネルは、物理ダウンリンク制御チャネルＰＤＣＣＨ、又は、拡張物理ダウンリンク制御チャネルＥＰＤＣＣＨであり、ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用され、
ダウンリンク制御チャネルが、ＰＤＳＣＨ送信を示すために使用される場合、ダウンリンク制御チャネルに対応するハイブリッド自動再送要求確認応答は、特に、ダウンリンク制御チャネルに対応するＰＤＳＣＨのハイブリッド自動再送要求確認応答であり、ダウンリンク制御チャネルが、ＳＰＳリリースを示すために使用される場合、ダウンリンク制御チャネルに対応するハイブリッド自動再送要求確認応答は、特に、ＳＰＳリリースを示すダウンリンク制御チャネルに対応するハイブリッド自動再送要求確認応答である。
【００１５】
本発明の第３の態様は、
ダウンリンクサブフレームＮで、ダウンリンク制御チャネルを、ユーザ機器ＵＥによって受信するステップであって、ダウンリンク制御チャネルは、ＵＥの第１のサービングセルにおいて伝送され、第１のサービングセルの複信モードは、時分割複信ＴＤＤである、受信するステップと、
ダウンリンク制御チャネルに対応するハイブリッド自動再送要求確認応答を、物理アップリンク制御チャネルＰＵＣＣＨを使用することによって、アップリンクサブフレームＮ＋４で、ＵＥによって送信するステップであって、ＰＵＣＣＨは、ＵＥの第２のサービングセルにおいて伝送され、第２のサービングセルの複信モードは、周波数分割複信ＦＤＤである、送信するステップと、を含むアップリンク制御情報送信方法を提供する。
【００１６】
本発明の第３の態様の第１の可能な実施方式では、ダウンリンク制御チャネルは、物理ダウンリンク制御チャネルＰＤＣＣＨ、又は、拡張物理ダウンリンク制御チャネルＥＰＤＣＣＨであり、ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用され、
ダウンリンク制御チャネルが、ＰＤＳＣＨ送信を示すために使用される場合、ダウンリンク制御チャネルに対応するハイブリッド自動再送要求確認応答は、特に、ダウンリンク制御チャネルに対応するＰＤＳＣＨのハイブリッド自動再送要求確認応答であり、ダウンリンク制御チャネルが、ＳＰＳリリースを示すために使用される場合、ダウンリンク制御チャネルに対応するハイブリッド自動再送要求確認応答は、特に、ＳＰＳリリースを示すダウンリンク制御チャネルに対応するハイブリッド自動再送要求確認応答である。
【００１７】
本発明の第３の態様、及び、第３の態様の第１の可能な実施方式を参照して、本発明の第３の態様の第２の可能な実施方式では、ＵＥによって、物理アップリンク制御チャネルＰＵＣＣＨを使用することによって、ダウンリンク制御チャネルに対応するハイブリッド自動再送要求確認応答を、アップリンクサブフレームＮ＋４で送信する前に、方法はさらに、
ＵＥによって、ＰＵＣＣＨのＰＵＣＣＨリソースを取得するステップを含む。
【００１８】
本発明の第３の態様の第３の可能な実施方式では、ＵＥによって、ＰＵＣＣＨのＰＵＣＣＨリソースを取得するステップは、
ＵＥによって、ダウンリンク制御チャネルのダウンリンク制御情報ＤＣＩフォーマットにおけるダウンリンク割当インジケーションＤＡＩ又は送信電力制御ＴＰＣコマンドに従って、ＰＵＣＣＨリソースを決定するステップを含む。
【００１９】
本発明の第３の態様、及び、第３の態様の第１乃至第３の可能な実施方式を参照して、本発明の第３の態様の第４の可能な実施方式では、第１のサービングセルは、ＵＥのプライマリサービングセルであり、第２のサービングセルは、ＵＥのセカンダリサービングセルである。
【００２０】
本発明の第３の態様の第５の可能な実施方式では、第２のサービングセルは、ＵＥの、最も小さなセルインデクスを有する、ＦＤＤセカンダリサービングセルであるか、又は、第２のサービングセルは、より高いレイヤシグナリングによって示される、ＰＵＣＣＨを送信するために使用される、セカンダリサービングセルである。
【００２１】
本発明の第４の態様は、
基地局によって、ダウンリンクサブフレームＮで、ユーザ機器ＵＥへダウンリンク制御チャネルを送信するステップであって、ダウンリンク制御チャネルは、ＵＥの第１のサービングセルにおいて伝送され、第１のサービングセルの複信モードは、時分割複信ＴＤＤであり、ダウンリンク制御チャネルのダウンリンク制御情報ＤＣＩフォーマットにおけるダウンリンク割当インジケーションＤＡＩ又は送信電力制御ＴＰＣコマンドは、物理アップリンク制御チャネルＰＵＣＣＨリソースを示すために使用される、送信するステップと、
ＰＵＣＣＨを使用することによってＵＥによって送られ、ダウンリンク制御チャネルに対応するハイブリッド自動再送要求確認応答を、ＰＵＣＣＨリソースに従って、アップリンクサブフレームＮ＋４で、基地局によって受信するステップであって、ＰＵＣＣＨはＵＥの第２のサービングセルにおいて伝送され、第２のサービングセルの複信モードは、周波数分割複信ＦＤＤである、受信するステップと、を含むアップリンク制御情報送信方法を提供する。
【００２２】
本発明の第４の態様の第１の可能な実施方式では、ダウンリンク制御チャネルは、物理ダウンリンク制御チャネルＰＤＣＣＨ、又は、拡張物理ダウンリンク制御チャネルＥＰＤＣＣＨであり、ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用され、
ダウンリンク制御チャネルが、ＰＤＳＣＨ送信を示すために使用される場合、ダウンリンク制御チャネルに対応するハイブリッド自動再送要求確認応答は、特に、ダウンリンク制御チャネルに対応するＰＤＳＣＨのハイブリッド自動再送要求確認応答であり、ダウンリンク制御チャネルが、ＳＰＳリリースを示すために使用される場合、ダウンリンク制御チャネルに対応するハイブリッド自動再送要求確認応答は、特に、ＳＰＳリリースを示すダウンリンク制御チャネルに対応するハイブリッド自動再送要求確認応答である。
【００２３】
本発明の第４の態様、及び、第４の態様の第１の可能な実施方式を参照して、本発明の第４の態様の第２の可能な実施方式では、第１のサービングセルは、ＵＥのプライマリサービングセルであり、第２のサービングセルは、ＵＥのセカンダリサービングセルである。
【００２４】
本発明の第４の態様の第３の可能な実施方式では、第２のサービングセルは、ＵＥの、最も小さなセルインデクスを有する、ＦＤＤセカンダリサービングセルであるか、又は、第２のサービングセルは、より高いレイヤシグナリングを使用することによって基地局によって示される、ＰＵＣＣＨを送信するために使用される、セカンダリサービングセルである。
【００２５】
本発明の第５の態様は、
ダウンリンクサブフレームＮで、ダウンリンク制御チャネルを、ユーザ機器ＵＥによって受信するステップであって、ダウンリンク制御チャネルは、ＵＥの第１のサービングセルにおいて伝送され、ダウンリンク制御チャネルは、物理ダウンリンク制御チャネルＰＤＣＣＨ、又は、拡張物理ダウンリンク制御チャネルＥＰＤＣＣＨである、受信するステップと、
ダウンリンク制御チャネルに対応するハイブリッド自動再送要求確認応答が、ＵＥの第２のサービングセルにおいて伝送された場合、ＵＥによって、ダウンリンク制御チャネルのダウンリンク制御情報ＤＣＩフォーマットにおける送信電力制御ＴＰＣコマンドフィールドに従って、物理アップリンク制御チャネルＰＵＣＣＨリソースを決定するステップと、
ダウンリンク制御チャネルに対応するハイブリッド自動再送要求確認応答が、第１のサービングセルにおいて伝送された場合、ＵＥによって、ダウンリンク制御チャネルのダウンリンク制御情報ＤＣＩフォーマットにおける送信電力制御ＴＰＣコマンドフィールドに従って、ＰＵＣＣＨの送信電力を決定するステップであって、第１のサービングセルの複信モードは、第２のサービングセルの複信モードとは異なる、決定するステップと、
ダウンリンク制御チャネルに対応するハイブリッド自動再送要求確認応答を、ＰＵＣＣＨリソース又はＰＵＣＣＨの送信電力に従って、ＰＵＣＣＨを使用することによってＵＥによって送信するステップと、を含むアップリンク制御情報送信方法を提供する。
【００２６】
本発明の第５の態様の第１の可能な実施方法では、ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用され、
ダウンリンク制御チャネルが、ＰＤＳＣＨ送信を示すために使用される場合、ダウンリンク制御チャネルに対応するハイブリッド自動再送要求確認応答は、特に、ダウンリンク制御チャネルに対応するＰＤＳＣＨのハイブリッド自動再送要求確認応答であり、ダウンリンク制御チャネルが、ＳＰＳリリースを示すために使用される場合、ダウンリンク制御チャネルに対応するハイブリッド自動再送要求確認応答は、特に、ＳＰＳリリースを示すダウンリンク制御チャネルに対応するハイブリッド自動再送要求確認応答である。
【００２７】
本発明の第５の態様、及び、第５の態様の第１の可能な実施方式を参照して、本発明の第５の態様の第２の可能な実施方式では、第１のサービングセルは、ＵＥのプライマリサービングセルであり、第１のサービングセルの複信モードは、時分割複信ＴＤＤであり、第２のサービングセルの複信モードは、周波数分割複信ＦＤＤであり、第２のサービングセルは、ＵＥの、最も小さなセルインデクスを有する、ＦＤＤセカンダリサービングセルである。
【００２８】
本発明の第５の態様、及び、第５の態様の第１の可能な実施方式を参照して、本発明の第５の態様の第３の可能な実施方式では、第１のサービングセルは、ＵＥのプライマリサービングセルであり、第１のサービングセルの複信モードは、時分割複信ＴＤＤであり、第２のサービングセルの複信モードは、周波数分割複信ＦＤＤであり、第２のサービングセルは、より高いレイヤシグナリングによって示される、ＰＵＣＣＨを送信するために使用される、セカンダリサービングセルである。
【００２９】
本発明の第６の態様は、
基地局によって、ダウンリンクサブフレームＮで、ユーザ機器ＵＥへダウンリンク制御チャネルを送信するステップであって、ダウンリンクチャネルは、ＵＥの第１のサービングセルにおいて伝送され、ダウンリンク制御チャネルは、物理ダウンリンク制御チャネルＰＤＣＣＨ、又は、拡張物理ダウンリンク制御チャネルＥＰＤＣＣＨである、送信するステップと、
ダウンリンク制御チャネルに対応するハイブリッド自動再送要求確認応答が、ＵＥの第２のサービングセルにおいて伝送された場合、基地局によって、ダウンリンク制御チャネルのダウンリンク制御情報ＤＣＩフォーマットにおける送信電力制御ＴＰＣコマンドフィールドを使用することによって、物理アップリンク制御チャネルＰＵＣＣＨリソースを示すステップと、
ダウンリンク制御チャネルに対応するハイブリッド自動再送要求確認応答が、第１のサービングセルにおいて伝送された場合、基地局によって、ダウンリンク制御チャネルのダウンリンク制御情報ＤＣＩフォーマットにおける送信電力制御ＴＰＣコマンドフィールドを使用することによって、ＰＵＣＣＨの送信電力を示すステップであって、第１のサービングセルの複信モードは、第２のサービングセルの複信モードとは異なる、示すステップと、
ＵＥによって送られ、ダウンリンク制御チャネルに対応するハイブリッド自動再送要求確認応答を、ＰＵＣＣＨリソースに従って、基地局によって受信するステップと、を含むアップリンク制御情報送信方法を提供する。
【００３０】
本発明の第６の態様の第１の可能な実施方式では、ダウンリンク制御チャネルが、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用され、
ダウンリンク制御チャネルが、物理ダウンリンク共有チャネルＰＤＳＣＨ送信を示すために使用される場合、ダウンリンク制御チャネルに対応するハイブリッド自動再送要求確認応答は、特に、ダウンリンク制御チャネルに対応するＰＤＳＣＨのハイブリッド自動再送要求確認応答であり、ダウンリンク制御チャネルが、ダウンリンクセミパーシステントスケジューリングＳＰＳリリースを示すために使用される場合、ダウンリンク制御チャネルに対応するハイブリッド自動再送要求確認応答は、特に、ダウンリンクセミパーシステントスケジューリングＳＰＳリリースを示すダウンリンク制御チャネルに対応するハイブリッド自動再送要求確認応答である。
【００３１】
本発明の第６の態様、及び、第６の態様の第１の可能な実施方式を参照して、本発明の第６の態様の第２の可能な実施方式では、第１のサービングセルは、ＵＥのプライマリサービングセルであり、第１のサービングセルの複信モードは、時分割複信ＴＤＤであり、第２のサービングセルの複信モードは、周波数分割複信ＦＤＤであり、第２のサービングセルは、ＵＥの、最も小さなセルインデクスを有する、ＦＤＤセカンダリサービングセルである。
【００３２】
本発明の第６の態様、及び、第６の態様の第１の可能な実施方式を参照して、本発明の第６の態様の第３の可能な実施方式では、第１のサービングセルは、ＵＥのプライマリサービングセルであり、第１のサービングセルの複信モードは、時分割複信ＴＤＤであり、第２のサービングセルの複信モードは、周波数分割複信ＦＤＤであり、第２のサービングセルは、より高いレイヤシグナリングによって示される、ＰＵＣＣＨを送信するために使用される、セカンダリサービングセルである。
【００３３】
本発明の第７の態様は、
基地局によって送られたダウンリンク制御チャネルを、ダウンリンクサブフレームＮで受信するように構成された受信モジュールであって、ダウンリンク制御チャネルは、ＵＥの第１のサービングセルにおいて伝送される、受信モジュールと、
ダウンリンク制御チャネルに対応するハイブリッド自動再送要求確認応答を、物理アップリンク制御チャネルＰＵＣＣＨを使用することによって、アップリンクサブフレームＮ＋４で基地局へ送信するように構成された送信モジュールであって、アップリンクサブフレームＮ＋４が、第１のアップリンクサブフレームセットに属する場合、ＰＵＣＣＨは、ＵＥの第２のサービングセルにおいて伝送され、アップリンクサブフレームＮ＋４が、第２のアップリンクサブフレームセットに属する場合、ＰＵＣＣＨは、第１のサービングセルにおいて伝送され、第１のサービングセルの複信モードは、第２のサービングセルの複信モードとは異なり、第１のアップリンクサブフレームセットに含まれたアップリンクサブフレームの量と、第２のアップリンクサブフレームセットに含まれたアップリンクサブフレームの量との合計が、無線フレームにおけるサブフレームの量に等しく、第１のアップリンクサブフレームセットに含まれたアップリンクサブフレームと、第２のアップリンクサブフレームセットに含まれたアップリンクサブフレームとは、無線フレームにおける異なるサブフレームに対応する、送信モジュールと、を含むユーザ機器ＵＥを提供する。
【００３４】
本発明の第７の態様の第１の可能な実施方式では、第１のサービングセルの複信モードが、時分割複信ＴＤＤであり、第２のサービングセルの複信モードが、周波数分割複信ＦＤＤである場合、第２のアップリンクサブフレームセットに含まれたアップリンクサブフレームは、第１のサービングセルの、無線フレームにおける、アップリンクサブフレームに対応し、第１のアップリンクサブフレームセットに含まれたアップリンクサブフレームは、無線フレームにおける、第２のアップリンクサブフレームセットに含まれたアップリンクサブフレームを除く、他のアップリンクサブフレームに対応するか、又は、
第１のサービングセルの複信モードが、ＦＤＤであり、第２のサービングセルの複信モードが、ＴＤＤである場合、第１のアップリンクサブフレームセットに含まれたアップリンクサブフレームは、第１のサービングセルの、無線フレームにおける、アップリンクサブフレームに対応し、第２のアップリンクサブフレームセットに含まれたアップリンクサブフレームは、無線フレームにおける、第１のアップリンクサブフレームセットに含まれたアップリンクサブフレームを除く、他のアップリンクサブフレームに対応する。
【００３５】
本発明の第７の態様、及び、第７の態様の第１の可能な実施方式を参照して、本発明の第７の態様の第２の可能な実施方式では、ダウンリンク制御チャネルは、物理ダウンリンク制御チャネルＰＤＣＣＨ、又は、拡張物理ダウンリンク制御チャネルＥＰＤＣＣＨであり、ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用され、
ダウンリンク制御チャネルが、ＰＤＳＣＨ送信を示すために使用される場合、ダウンリンク制御チャネルに対応するハイブリッド自動再送要求確認応答は、特に、ダウンリンク制御チャネルに対応するＰＤＳＣＨのハイブリッド自動再送要求確認応答であり、ダウンリンク制御チャネルが、ＳＰＳリリースを示すために使用される場合、ダウンリンク制御チャネルに対応するハイブリッド自動再送要求確認応答は、特に、ＳＰＳリリースを示すダウンリンク制御チャネルに対応するハイブリッド自動再送要求確認応答である。
【００３６】
本発明の第７の態様、並びに、第７の態様の第１及び第２の可能な実施方式を参照して、本発明の第７の態様の第３の可能な実施方式では、ユーザ機器はさらに、
ＰＵＣＣＨのＰＵＣＣＨリソース及び／又はＰＵＣＣＨの送信電力を取得するように構成された取得モジュールを含む。
【００３７】
本発明の第７の態様の第４の可能な実施方式では、アップリンクサブフレームＮ＋４が、第１のアップリンクサブフレームセットに属する場合、取得モジュールは特に、
ダウンリンク制御チャネルのダウンリンク制御情報ＤＣＩフォーマットにおける送信電力制御ＴＰＣコマンドフィールドに従って、ＰＵＣＣＨリソースを決定するように構成される。
【００３８】
本発明の第７の態様の第５の可能な実施方式では、アップリンクサブフレームＮ＋４が、第２のアップリンクサブフレームセットに属する場合、取得モジュールは特に、
ダウンリンク制御チャネルのダウンリンク制御情報ＤＣＩフォーマットにおける送信電力制御ＴＰＣコマンドフィールドに従って、ＰＵＣＣＨ送信電力を決定するように構成される。
【００３９】
本発明の第８の態様は、
ダウンリンクサブフレームＮで、ユーザ機器ＵＥへダウンリンク制御チャネルを送信するように構成された送信モジュールであって、ダウンリンク制御チャネルは、ＵＥの第１のサービングセルにおいて伝送される、送信モジュールと、
物理アップリンク制御チャネルＰＵＣＣＨを使用することによってＵＥによって送られ、ダウンリンク制御チャネルに対応するハイブリッド自動再送要求確認応答を、アップリンクサブフレームＮ＋４で受信するように構成された受信モジュールであって、アップリンクサブフレームＮ＋４が、第１のアップリンクサブフレームセットに属する場合、ＰＵＣＣＨは、ＵＥの第２のサービングセルにおいて伝送され、アップリンクサブフレームＮ＋４が、第２のアップリンクサブフレームセットに属する場合、ＰＵＣＣＨは、第１のサービングセルにおいて伝送され、第１のサービングセルの複信モードは、第２のサービングセルの複信モードとは異なり、第１のアップリンクサブフレームセットに含まれたアップリンクサブフレームの量と、第２のアップリンクサブフレームセットに含まれたアップリンクサブフレームの量との合計が、無線フレームにおけるサブフレームの量に等しく、第１のアップリンクサブフレームセットに含まれたアップリンクサブフレームと、第２のアップリンクサブフレームセットに含まれたアップリンクサブフレームとは、無線フレームにおける異なるサブフレームに対応する、受信モジュールと、を含む基地局を提供する。
【００４０】
本発明の第８の態様の第１の可能な実施方式では、第１のサービングセルの複信モードが、時分割複信ＴＤＤであり、第２のサービングセルの複信モードが、周波数分割複信ＦＤＤである場合、第２のアップリンクサブフレームセットに含まれたアップリンクサブフレームは、第１のサービングセルの、無線フレームにおける、アップリンクサブフレームに対応し、第１のアップリンクサブフレームセットに含まれたアップリンクサブフレームは、無線フレームにおける、第２のアップリンクサブフレームセットに含まれたアップリンクサブフレームを除く、他のアップリンクサブフレームに対応するか、又は、
第１のサービングセルの複信モードが、ＦＤＤであり、第２のサービングセルの複信モードが、ＴＤＤである場合、第１のアップリンクサブフレームセットに含まれたアップリンクサブフレームは、第１のサービングセルの、無線フレームにおけるアップリンクサブフレームに対応し、第２のアップリンクサブフレームセットに含まれたアップリンクサブフレームは、無線フレームにおける、第１のアップリンクサブフレームセットに含まれたアップリンクサブフレームを除く、他のアップリンクサブフレームに対応する。
【００４１】
本発明の第８の態様、及び、第８の態様の第１の可能な実施方式を参照して、本発明の第８の態様の第２の可能な実施方式では、ダウンリンク制御チャネルは、物理ダウンリンク制御チャネルＰＤＣＣＨ、又は、拡張物理ダウンリンク制御チャネルＥＰＤＣＣＨであり、ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用され、
ダウンリンク制御チャネルが、ＰＤＳＣＨ送信を示すために使用される場合、ダウンリンク制御チャネルに対応するハイブリッド自動再送要求確認応答は、特に、ダウンリンク制御チャネルに対応するＰＤＳＣＨのハイブリッド自動再送要求確認応答であり、ダウンリンク制御チャネルが、ＳＰＳリリースを示すために使用される場合、ダウンリンク制御チャネルに対応するハイブリッド自動再送要求確認応答は、特に、ＳＰＳリリースを示すダウンリンク制御チャネルに対応するハイブリッド自動再送要求確認応答である。
【００４２】
本発明の第９の態様は、
ダウンリンクサブフレームＮでダウンリンク制御チャネルを受信するように構成された受信モジュールであって、ダウンリンク制御チャネルは、ＵＥの第１のサービングセルにおいて伝送され、第１のサービングセルの複信モードは、時分割複信ＴＤＤである、受信モジュールと、
物理アップリンク制御チャネルＰＵＣＣＨを使用することによって、ダウンリンク制御チャネルに対応するハイブリッド自動再送要求確認応答を、アップリンクサブフレームＮ＋４で送信するように構成された送信モジュールであって、ＰＵＣＣＨはＵＥの第２のサービングセルにおいて伝送され、第２のサービングセルの複信モードは、周波数分割複信ＦＤＤである、送信モジュールと、を含むユーザ機器を提供する。
【００４３】
本発明の第９の態様の第１の可能な実施方式では、ダウンリンク制御チャネルは、物理ダウンリンク制御チャネルＰＤＣＣＨ、又は、拡張物理ダウンリンク制御チャネルＥＰＤＣＣＨであり、ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用され、
ダウンリンク制御チャネルが、ＰＤＳＣＨ送信を示すために使用される場合、ダウンリンク制御チャネルに対応するハイブリッド自動再送要求確認応答は、特に、ダウンリンク制御チャネルに対応するＰＤＳＣＨのハイブリッド自動再送要求確認応答であり、ダウンリンク制御チャネルが、ＳＰＳリリースを示すために使用される場合、ダウンリンク制御チャネルに対応するハイブリッド自動再送要求確認応答は、特に、ＳＰＳリリースを示すダウンリンク制御チャネルに対応するハイブリッド自動再送要求確認応答である。
【００４４】
本発明の第９の態様、及び、第９の態様の第１の可能な実施方式を参照して、本発明の第９の態様の第２の可能な実施方式では、ユーザ機器はさらに、
ＰＵＣＣＨのＰＵＣＣＨリソースを取得するように構成された取得モジュールを含む。
【００４５】
本発明の第９の態様の第３の可能な実施方式では、取得モジュールは特に、
ダウンリンク制御チャネルのダウンリンク制御情報ＤＣＩフォーマットにおけるダウンリンク割当インジケーションＤＡＩ又は送信電力制御ＴＰＣコマンドに従って、ＰＵＣＣＨリソースを決定するように構成される。
【００４６】
本発明の第９の態様、及び、第９の態様の第１乃至第３の可能な実施方式を参照して、本発明の第９の態様の第４の可能な実施方式では、第１のサービングセルは、ＵＥのプライマリサービングセルであり、第２のサービングセルは、ＵＥのセカンダリサービングセルである。
【００４７】
本発明の第９の態様の第５の可能な実施方式では、第２のサービングセルは、ＵＥの、最も小さなセルインデクスを有する、ＦＤＤセカンダリサービングセルであるか、又は、第２のサービングセルは、より高いレイヤシグナリングによって示される、ＰＵＣＣＨを送信するために使用される、セカンダリサービングセルである。
【００４８】
本発明の第１０の態様は、
ダウンリンクサブフレームＮで、ユーザ機器ＵＥへダウンリンク制御チャネルを送信するように構成された送信モジュールであって、ダウンリンク制御チャネルは、ＵＥの第１のサービングセルにおいて伝送され、第１のサービングセルの複信モードは、時分割複信ＴＤＤであり、ダウンリンク制御チャネルのダウンリンク制御情報ＤＣＩフォーマットにおけるダウンリンク割当インジケーションＤＡＩ又は送信電力制御ＴＰＣコマンドは、物理アップリンク制御チャネルＰＵＣＣＨリソースを示すために使用される、送信モジュールと、
ＰＵＣＣＨを使用することによってＵＥによって送られ、ダウンリンク制御チャネルに対応するハイブリッド自動再送要求確認応答を、ＰＵＣＣＨリソースに従って、アップリンクサブフレームＮ＋４で受信するように構成された受信モジュールであって、ＰＵＣＣＨはＵＥの第２のサービングセルにおいて伝送され、第２のサービングセルの複信モードは、周波数分割複信ＦＤＤである、受信モジュールと、を含む基地局を提供する。
【００４９】
本発明の第１０の態様の第１の可能な実施方式では、ダウンリンク制御チャネルは、物理ダウンリンク制御チャネルＰＤＣＣＨ、又は、拡張物理ダウンリンク制御チャネルＥＰＤＣＣＨであり、ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用され、
ダウンリンク制御チャネルが、ＰＤＳＣＨ送信を示すために使用される場合、ダウンリンク制御チャネルに対応するハイブリッド自動再送要求確認応答は、特に、ダウンリンク制御チャネルに対応するＰＤＳＣＨのハイブリッド自動再送要求確認応答であり、ダウンリンク制御チャネルが、ＳＰＳリリースを示すために使用される場合、ダウンリンク制御チャネルに対応するハイブリッド自動再送要求確認応答は、特に、ＳＰＳリリースを示すダウンリンク制御チャネルに対応するハイブリッド自動再送要求確認応答である。
【００５０】
本発明の第１０の態様、及び、第１０の態様の第１の可能な実施方式を参照して、本発明の第１０の態様の第２の可能な実施方式では、第１のサービングセルは、ＵＥのプライマリサービングセルであり、第２のサービングセルは、ＵＥのセカンダリサービングセルである。
【００５１】
本発明の第１０の態様の第３の可能な実施方式では、第２のサービングセルは、ＵＥの、最も小さなセルインデクスを有する、ＦＤＤセカンダリサービングセルであるか、又は、第２のサービングセルは、より高いレイヤシグナリングを使用することによって基地局によって示される、ＰＵＣＣＨを送信するために使用される、セカンダリサービングセルである。
【００５２】
本発明の第１１の態様は、
ダウンリンクサブフレームＮでダウンリンク制御チャネルを受信するように構成された受信モジュールであって、ダウンリンク制御チャネルは、ＵＥの第１のサービングセルにおいて伝送され、ダウンリンク制御チャネルは、物理ダウンリンク制御チャネルＰＤＣＣＨ、又は、拡張物理ダウンリンク制御チャネルＥＰＤＣＣＨである、受信モジュールと、
ダウンリンク制御チャネルに対応するハイブリッド自動再送要求確認応答が、ＵＥの第２のサービングセルにおいて伝送された場合、ＵＥによって、ダウンリンク制御チャネルのダウンリンク制御情報ＤＣＩフォーマットにおける送信電力制御ＴＰＣコマンドフィールドに従って、物理アップリンク制御チャネルＰＵＣＣＨリソースを決定し、ダウンリンク制御チャネルに対応するハイブリッド自動再送要求確認応答が、第１のサービングセルにおいて伝送された場合、ＵＥによって、ダウンリンク制御チャネルのダウンリンク制御情報ＤＣＩフォーマットにおける送信電力制御ＴＰＣコマンドフィールドに従って、ＰＵＣＣＨの送信電力を決定するように構成された決定モジュールであって、第１のサービングセルの複信モードは、第２のサービングセルの複信モードとは異なる、決定モジュールと、
ダウンリンク制御チャネルに対応するハイブリッド自動再送要求確認応答を、ＰＵＣＣＨリソース又はＰＵＣＣＨの送信電力に従って、ＰＵＣＣＨを使用することによって送信するように構成された送信モジュールと、を含むユーザ機器ＵＥを提供する。
【００５３】
本発明の第１１の態様の第１の可能な実施方式では、ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用され、
ダウンリンク制御チャネルが、ＰＤＳＣＨ送信を示すために使用される場合、ダウンリンク制御チャネルに対応するハイブリッド自動再送要求確認応答は、特に、ダウンリンク制御チャネルに対応するＰＤＳＣＨのハイブリッド自動再送要求確認応答であり、ダウンリンク制御チャネルが、ＳＰＳリリースを示すために使用される場合、ダウンリンク制御チャネルに対応するハイブリッド自動再送要求確認応答は、特に、ＳＰＳリリースを示すダウンリンク制御チャネルに対応するハイブリッド自動再送要求確認応答である。
【００５４】
本発明の第１１の態様、及び、第１１の態様の第１の可能な実施方式を参照して、本発明の第１１の態様の第２の可能な実施方式では、第１のサービングセルは、ＵＥのプライマリサービングセルであり、第１のサービングセルの複信モードは、時分割複信ＴＤＤであり、第２のサービングセルの複信モードは、周波数分割複信ＦＤＤであり、第２のサービングセルは、ＵＥの、最も小さなセルインデクスを有する、ＦＤＤセカンダリサービングセルである。
【００５５】
本発明の第１１の態様、及び、第１１の態様の第１の可能な実施方式を参照して、本発明の第１１の態様の第３の可能な実施方式では、第１のサービングセルは、ＵＥのプライマリサービングセルであり、第１のサービングセルの複信モードは、時分割複信ＴＤＤであり、第２のサービングセルの複信モードは、周波数分割複信ＦＤＤであり、第２のサービングセルは、より高いレイヤシグナリングによって示される、ＰＵＣＣＨを送信するために使用される、セカンダリサービングセルである。
【００５６】
本発明の第１２の態様は、
ダウンリンクサブフレームＮで、ユーザ機器ＵＥへダウンリンク制御チャネルを送信するように構成された送信モジュールであって、ダウンリンクチャネルは、ＵＥの第１のサービングセルにおいて伝送され、ダウンリンク制御チャネルは、物理ダウンリンク制御チャネルＰＤＣＣＨ、又は、拡張物理ダウンリンク制御チャネルＥＰＤＣＣＨである、送信モジュールと、
ダウンリンク制御チャネルに対応するハイブリッド自動再送要求確認応答が、ＵＥの第２のサービングセルにおいて伝送された場合、ダウンリンク制御チャネルのダウンリンク制御情報ＤＣＩフォーマットにおける送信電力制御ＴＰＣコマンドフィールドを使用することによって、物理アップリンク制御チャネルＰＵＣＣＨリソースを示し、
ダウンリンク制御チャネルに対応するハイブリッド自動再送要求確認応答が、第１のサービングセルにおいて伝送された場合、ダウンリンク制御チャネルのダウンリンク制御情報ＤＣＩフォーマットにおける送信電力制御ＴＰＣコマンドフィールドを使用することによって、ＰＵＣＣＨの送信電力を示すように構成されたインジケーションモジュールであって、第１のサービングセルの複信モードは、第２のサービングセルの複信モードとは異なる、インジケーションモジュールと、
ＵＥによって送られ、ダウンリンク制御チャネルに対応するハイブリッド自動再送要求確認応答を、ＰＵＣＣＨリソースに従って受信するように構成された受信モジュールと、を含む基地局を提供する。
【００５７】
本発明の第１２の態様の第１の可能な実施方式では、ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用され、
ダウンリンク制御チャネルが、物理ダウンリンク共有チャネルＰＤＳＣＨ送信を示すために使用される場合、ダウンリンク制御チャネルに対応するハイブリッド自動再送要求確認応答は、特に、ダウンリンク制御チャネルに対応するＰＤＳＣＨのハイブリッド自動再送要求確認応答であり、ダウンリンク制御チャネルが、ダウンリンクセミパーシステントスケジューリングＳＰＳリリースを示すために使用される場合、ダウンリンク制御チャネルに対応するハイブリッド自動再送要求確認応答は、特に、ダウンリンクセミパーシステントスケジューリングＳＰＳリリースを示すダウンリンク制御チャネルに対応するハイブリッド自動再送要求確認応答である。
【００５８】
本発明の第１２の態様、及び、第１２の態様の第１の可能な実施方式を参照して、本発明の第１２の態様の第２の可能な実施方式では、第１のサービングセルは、ＵＥのプライマリサービングセルであり、第１のサービングセルの複信モードは、時分割複信ＴＤＤであり、第２のサービングセルの複信モードは、周波数分割複信ＦＤＤであり、第２のサービングセルは、ＵＥの、最も小さなセルインデクスを有する、ＦＤＤセカンダリサービングセルである。
【００５９】
本発明の第１２の態様、及び、第１２の態様の第１の可能な実施方式を参照して、本発明の第１２の態様の第３の可能な実施方式では、第１のサービングセルは、ＵＥのプライマリサービングセルであり、第１のサービングセルの複信モードは、時分割複信ＴＤＤであり、第２のサービングセルの複信モードは、周波数分割複信ＦＤＤであり、第２のサービングセルは、より高いレイヤシグナリングによって示される、ＰＵＣＣＨを送信するために使用される、セカンダリサービングセルである。
【００６０】
本発明の実施形態において提供されるアップリンク制御情報送信方法、基地局、及びユーザ機器では、ＵＥが、基地局によって送られたダウンリンク制御チャネルを、ダウンリンクサブフレームＮで受信し、物理アップリンク制御チャネルＰＵＣＣＨを使用することによって、ダウンリンク制御チャネルに対応するハイブリッド自動再送要求確認応答を、アップリンクサブフレームＮ＋４で基地局へ送り、アップリンクサブフレームＮ＋４が、第１のアップリンクサブフレームセットに属する場合、ＰＵＣＣＨは、ＵＥの第２のサービングセルにおいて伝送され、アップリンクサブフレームＮ＋４が、第２のアップリンクサブフレームセットに属する場合、ＰＵＣＣＨは、第１のサービングセルにおいて伝送される。前述した方法によって、異なる複信モードのキャリアのアグリゲーション中に、どのようにしてＨＡＲＱ−ＡＣＫを送信するのかという問題が解決され、これによって、（ＦＤＤダウンリンクサブフレームとＴＤＤダウンリンクサブフレームとを含む）すべてのダウンリンクサブフレームが、ＨＡＲＱ−ＡＣＫをフィードバックするために使用される対応するアップリンクサブフレームを有するようになる。これは、リソース利用を改善する。そして、ＦＤＤキャリアのＨＡＲＱ−ＡＣＫタイミングは変更されない。
【００６１】
本発明の実施形態又は従来技術における技術的解決策をより明確に記述するために、以下は、実施形態又は従来技術を記述するために必要とされる添付図面を簡単に記述する。明らかに、以下の記述における添付図面は、本発明のいくつかの実施形態を図示し、当業者は、創造的な努力無しで、これら添付図面から他の図面をさらに導出し得る。
【図面の簡単な説明】
【００６２】
【図１】本発明に従うアップリンク制御情報送信方法の実施形態１のフローチャートである。
【図２】本発明に従うＰＵＣＣＨ送信メカニズムの概略図である。
【図３】本発明に従うアップリンク制御情報送信方法の実施形態２のフローチャートである。
【図４】本発明に従うアップリンク制御情報送信方法の実施形態３のフローチャートである。
【図５】本発明に従うアップリンク制御情報送信方法の実施形態４のフローチャートである。
【図６】本発明に従うアップリンク制御情報送信方法の実施形態５のフローチャートである。
【図７】本発明に従うアップリンク制御情報送信方法の実施形態６のフローチャートである。
【図８】本発明に従うユーザ機器の実施形態１の概略構成図である。
【図９】本発明に従う基地局の実施形態１の概略構成図である。
【図１０】本発明に従うユーザ機器の実施形態２の概略構成図である。
【図１１】本発明に従う基地局の実施形態２の概略構成図である。
【図１２】本発明に従うユーザ機器の実施形態３の概略構成図である。
【図１３】本発明に従う基地局の実施形態３の概略構成図である。
【図１４】本発明に従うアップリンク制御情報送信方法の実施形態７のフローチャートである。
【図１５】本発明に従うアップリンク制御情報送信方法の実施形態８のフローチャートである。
【図１６】本発明に従うアップリンク制御情報送信方法の実施形態９のフローチャートである。
【図１７】本発明に従うアップリンク制御情報送信方法の実施形態１０のフローチャートである。
【図１８】本発明に従うアップリンク制御情報送信方法の実施形態１１のフローチャートである。
【図１９】本発明に従うアップリンク制御情報送信方法の実施形態１２のフローチャートである。
【図２０】本発明に従うアップリンク制御情報送信方法の実施形態１３のフローチャートである。
【図２１】本発明に従うアップリンク制御情報送信方法の実施形態１４のフローチャートである。
【図２２】本発明に従うユーザ機器の実施形態４の概略構成図である。
【図２３】本発明に従う基地局の実施形態４の概略構成図である。
【図２４】本発明に従うユーザ機器の実施形態５の概略構成図である。
【図２５】本発明に従う基地局の実施形態５の概略構成図である。
【図２６】本発明に従うユーザ機器の実施形態６の概略構成図である。
【図２７】本発明に従う基地局の実施形態６の概略構成図である。
【図２８】本発明に従うユーザ機器の実施形態７の概略構成図である。
【図２９】本発明に従う基地局の実施形態７の概略構成図である。
【図３０】本発明に従うユーザ機器の実施形態８の概略構成図である。
【図３１】本発明に従う基地局の実施形態８の概略構成図である。
【図３２】本発明に従うユーザ機器の実施形態９の概略構成図である。
【図３３】本発明に従う基地局の実施形態９の概略構成図である。
【図３４】本発明に従うユーザ機器の実施形態１０の概略構成図である。
【図３５】本発明に従う基地局の実施形態１０の概略構成図である。
【発明を実施するための形態】
【００６３】
本発明の実施形態の目的、技術的解決策、及び利点をより明確にするために、以下は、本発明の実施形態における添付図面を参照して、本発明の実施形態における技術的解決策をより明確かつ完全に記述する。明らかに、記述された実施形態は、本発明の実施形態のいくつかであって、すべてではない。創造的な努力無しで、本発明の実施形態に基づいて当業者によって得られた他のすべての実施形態は、本発明の保護範囲内にあるものとする。
【００６４】
図１は、本発明に従うアップリンク制御情報送信方法の実施形態１のフローチャートである。図１に図示されるように、この実施形態における方法は、以下を含み得る。
【００６５】
ステップ１０１：ＵＥは、ダウンリンクサブフレームＮでダウンリンク制御チャネルを受信する。ダウンリンク制御チャネルは、ＵＥの第１のサービングセルにおいて伝送される。
【００６６】
このステップは特に、基地局によって送られたダウンリンク制御チャネルを、ダウンリンクサブフレームＮで、ＵＥによって受信するステップであり得る。ダウンリンク制御チャネルは、ＵＥの第１のサービングセルにおいて伝送される。
【００６７】
本発明のすべての実施形態において、ユーザ機器（Ｕｓｅｒ  Ｅｑｕｉｐｍｅｎｔ，略してＵＥ）に対応するサービングセルは、ネットワーク側デバイス（たとえば、基地局）によってＵＥのために設定されたサービングセル、ＵＥにサービスを提供するサービングセル、又は、ＵＥによってアクセスされるサービングセル、を称し得る。ＵＥに対応するサービングセルは、第１のサービングセルと、第２のサービングセルとを含む。第１のサービングセル及び第２のサービングセルは、基地局によってＵＥのために設定されたサービングセルに含まれる第１のサービングセル及び第２のサービングセルであり得るか、又は、ＵＥによってアクセスされるサービングセルに含まれる第１のサービングセル及び第２のサービングセルであり得る。ＵＥに対応するサービングセルは、ＵＥのコンポーネントキャリアを称し（又はコンポーネントキャリアと称され）得、第１のサービングセルは、第１のコンポーネントキャリアと称され得、第２のサービングセルは、第２のコンポーネントキャリアと称され得ることに留意されたい。
【００６８】
本発明のすべての実施形態において、サブフレーム番号（ｎ）は、多数の無線フレームにおけるサブフレームのシーケンス番号を称し、かつ以下の方式で取得され得る。多数の無線フレームにおけるサブフレームを、ゼロから単調増加方式で、古い順にナンバリングする。すなわち、前の無線フレームの最後のサブフレームが、
【００６９】
（外１）
2018078638.tif 000040
とナンバリングされているのであれば、現在の無線フレームの最初のサブフレームは、
【００７０】
（外２）
2018078638.tif 000041
である。さらに、多数の無線フレームでは、各サブフレームはまた、サブフレームの、対応する無線フレームにおけるサブフレーム番号、すなわち、無線フレームにおけるサブフレームのサブフレーム番号を有する。
【００７１】
このステップでは、ＵＥは、第１のサービングセルにおいて伝送されたダウンリンク制御チャネルを、ダウンリンクサブフレームＮで受信する。第１のサービングセルは、ＵＥに対応するサービングセルであり、ダウンリンク制御チャネルは、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ，略してＰＤＣＣＨ）、又は、拡張物理ダウンリンク制御チャネル（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ，略してＥＰＤＣＣＨ）であり、第１のサービングセルにおいて送信された物理ダウンリンク共有チャネルＰＤＳＣＨを示すために、ダウンリンク制御チャネルが使用され得るか、又は、第１のサービングセルにおいて伝送されたＰＤＳＣＨ送信を示すために、ダウンリンク制御チャネルが使用され得るか、又は、ダウンリンクセミパーシステントスケジューリング（Ｓｅｍｉ−Ｐｅｒｓｉｓｔｅｎｔ  Ｓｃｈｅｄｕｌｉｎｇ，略してＳＰＳ）リリースを示すためにダウンリンク制御チャネルが使用され得る。ダウンリンク制御チャネルのダウンリンク制御情報（Ｄｏｗｎｌｉｎｋ  Ｃｏｎｔｒｏｌ  Ｉｎｆｏｒｍａｔｉｏｎ，略してＤＣＩ）フォーマットは、ＤＣＩフォーマット１、ＤＣＩフォーマット１Ａ、ＤＣＩフォーマット１Ｂ、ＤＣＩフォーマット１Ｄ、ＤＣＩフォーマット２Ａ、ＤＣＩフォーマット２Ｂ、ＤＣＩフォーマット２Ｃ、及びＤＣＩフォーマット２Ｄ、のうちの１つ又は複数であり得るが、これは、本発明において限定されない。
【００７２】
ステップ１０２：ＵＥは、物理アップリンク制御チャネルＰＵＣＣＨを使用することによって、ダウンリンク制御チャネルに対応するハイブリッド自動再送要求確認応答を、アップリンクサブフレームＮ＋４で送信する。
【００７３】
このステップは特に、物理アップリンク制御チャネルＰＵＣＣＨを使用することによって、ダウンリンク制御チャネルに対応するハイブリッド自動再送要求確認応答ＨＡＲＱ−ＡＣＫを、ＵＥによって、アップリンクサブフレームＮ＋４で、基地局へ送信するステップである。すなわち、ステップ１０１において受信されたダウンリンク制御チャネルに対応するハイブリッド自動再送要求確認応答を、基地局へ送信するステップである。
【００７４】
さらに、この実施形態では、アップリンクサブフレームＮ＋４が、第１のアップリンクサブフレームセットに属する場合、物理アップリンク制御チャネル（Ｐｈｙｓｉｃａｌ  Ｕｐｌｉｎｋ  Ｃｏｎｔｒｏｌ  Ｃｈａｎｎｅｌ，略してＰＵＣＣＨ）は、ＵＥの第２のサービングセルにおいて伝送され、アップリンクサブフレームＮ＋４が、第２のアップリンクサブフレームセットに属する場合、ＰＵＣＣＨは、第１のサービングセルにおいて伝送され、第１のサービングセルの複信モードは、第２のサービングセルの複信モードとは異なり、第１のアップリンクサブフレームセットに含まれたアップリンクサブフレームの量と、第２のアップリンクサブフレームセットに含まれたアップリンクサブフレームの量との合計が、無線フレームにおけるサブフレームの量に等しく、第１のアップリンクサブフレームセットに含まれたアップリンクサブフレームと、第２のアップリンクサブフレームセットに含まれたアップリンクサブフレームとは、無線フレームにおける異なるサブフレームに対応する。
【００７５】
さらに、このステップでは、アップリンクサブフレームＮ＋４が、第１のアップリンクサブフレームセットに属する場合、ＰＵＣＣＨは、ユーザ機器の第２のサービングセルにおいて伝送され、ダウンリンク制御チャネルのダウンリンク制御情報ＤＣＩフォーマットにおける送信電力制御ＴＰＣコマンドフィールドは、ＰＵＣＣＨのＰＵＣＣＨリソースを示す。すなわち、ステップ１０１におけるダウンリンク制御チャネルのダウンリンク制御情報ＤＣＩフォーマットにおける送信電力制御ＴＰＣコマンドフィールドは、ＰＵＣＣＨのＰＵＣＣＨリソースを示す。このケースでは、ユーザ機器は、ステップ１０１におけるダウンリンク制御チャネルのダウンリンク制御情報ＤＣＩフォーマットにおける送信電力制御ＴＰＣコマンドフィールドに従って、ＰＵＣＣＨのＰＵＣＣＨリソースを決定し、その後、ＰＵＣＣＨリソースを使用することによって、ステップ１０１におけるダウンリンク制御チャネルに対応する物理ダウンリンク共有チャネルＰＤＳＣＨのハイブリッド自動再送要求確認応答ＨＡＲＱ−ＡＣＫを、ＰＵＣＣＨにおいて、アップリンクサブフレームＮ＋４でフィードバックし得る。アップリンクサブフレームＮ＋４が、第２のアップリンクサブフレームセットに属する場合、ＰＵＣＣＨは、ユーザ機器の第１のサービングセルにおいて伝送される。すなわち、ＰＵＣＣＨは、ステップ１０１において、第１のサービングセルにおいて伝送され得、ステップ１０１におけるダウンリンク制御チャネルのダウンリンク制御情報ＤＣＩフォーマットにおける送信電力制御ＴＰＣコマンドフィールドは、ＰＵＣＣＨの送信電力を示す。このケースでは、ユーザ機器は、ステップ１０１におけるダウンリンク制御チャネルのダウンリンク制御情報ＤＣＩフォーマットにおける送信電力制御ＴＰＣコマンドフィールドに従って、ＰＵＣＣＨの送信電力を決定し、その後、ＰＵＣＣＨの送信電力を使用することによって、ステップ１０１におけるダウンリンク制御チャネルに対応する物理ダウンリンク共有チャネルＰＤＳＣＨのハイブリッド自動再送要求確認応答ＨＡＲＱ−ＡＣＫを、ＰＵＣＣＨにおいて、アップリンクサブフレームＮ＋４でフィードバックし得る。
【００７６】
オプションとして、この実施形態では、ステップ１０２の前に、この方法はさらに、以下のステップ、すなわち、ＵＥによって、ＰＵＣＣＨのＰＵＣＣＨリソース及び／又はＰＵＣＣＨ送信電力を取得するステップ、を含み得る。この実施形態では、ＵＥは、ＰＵＣＣＨリソース若しくはＰＵＣＣＨ送信電力のみを取得し得るか、又は、ＵＥは、ＰＵＣＣＨリソースとＰＵＣＣＨ送信電力との両方を取得し得る。実現可能な実施方式では、アップリンクサブフレームＮ＋４が、第１のアップリンクサブフレームセットに属する場合、ＰＵＣＣＨは、ＵＥの第２のサービングセルにおいて伝送され、基地局は、ダウンリンク制御チャネルのダウンリンク制御情報ＤＣＩフォーマットにおける送信電力制御（Ｔｒａｎｓｍｉｔ  Ｐｏｗｅｒ  Ｃｏｎｔｒｏｌ，略してＴＰＣ）コマンドフィールドを使用することによって、ＰＵＣＣＨのＰＵＣＣＨリソースを示す。すなわち、ステップ１０１におけるダウンリンク制御チャネルのダウンリンク制御情報ＤＣＩフォーマットにおける送信電力制御ＴＰＣコマンドフィールドは、ＰＵＣＣＨのＰＵＣＣＨリソースを示す。このケースでは、ＵＥは、ステップ１０１におけるダウンリンク制御チャネルのダウンリンク制御情報ＤＣＩフォーマットにおける送信電力制御ＴＰＣコマンドフィールドに従って、ＰＵＣＣＨのＰＵＣＣＨリソースを決定し、その後、ＰＵＣＣＨリソースを使用することによって、ステップ１０１におけるダウンリンク制御チャネルに対応するハイブリッド自動再送要求確認応答（ＨＡＲＱ  Ｈｙｂｒｉｄ  Ａｕｔｏｍａｔｉｃ  Ｒｅｐｅａｔ  ｒｅｑｕｅｓｔ  Ａｃｋｎｏｗｌｅｄｇｅｍｅｎｔ，略してＨＡＲＱ−ＡＣＫ）を、ＰＵＣＣＨにおいて、アップリンクサブフレームＮ＋４でフィードバックし得る。アップリンクサブフレームＮ＋４が、第２のアップリンクサブフレームセットに属する場合、ＰＵＣＣＨは、ＵＥの第１のサービングセルにおいて伝送される。すなわち、ＰＵＣＣＨは、ステップ１０１において、第１のサービングセルにおいて伝送され、ステップ１０１におけるダウンリンク制御チャネルのＤＣＩフォーマットにおけるＴＰＣコマンドフィールドは、ＰＵＣＣＨの送信電力を決定するために使用され得る。このケースでは、ＵＥは、ステップ１０１におけるダウンリンク制御チャネルのＤＣＩフォーマットにおけるＴＰＣコマンドフィールドに従って、ＰＵＣＣＨの送信電力を決定し、その後、ＰＵＣＣＨの送信電力を使用することによって、ステップ１０１におけるダウンリンク制御チャネルに対応するハイブリッド自動再送要求確認応答メッセージを、ＰＵＣＣＨにおいて、アップリンクサブフレームＮ＋４で、フィードバックし得る。
【００７７】
さらに、この実施形態では、ダウンリンク制御チャネルが、第１のサービングセルにおいて伝送された物理ダウンリンク共有チャネル（Ｐｈｙｓｉｃａｌ  Ｄｏｗｎｌｉｎｋ  Ｓｈａｒｅｄ  Ｃｈａｎｎｅｌ，略してＰＤＳＣＨ）送信を示すために使用される場合、ダウンリンク制御チャネルに対応するハイブリッド自動再送要求確認応答は、特に、ダウンリンク制御チャネルに対応するＰＤＳＣＨのＨＡＲＱ−ＡＣＫであり、ダウンリンク制御チャネルが、ダウンリンクセミパーシステントスケジューリングＳＰＳリリースを示すために使用される場合、ダウンリンク制御チャネルに対応するハイブリッド自動再送要求確認応答は、特に、ＳＰＳリリースを示すダウンリンク制御チャネルに対応するＨＡＲＱ−ＡＣＫである。
【００７８】
さらに、この実施形態では、第１のサービングセルの複信モードは、第２のサービングセルの複信モードとは異なる。第１のサービングセルの複信モードがＴＤＤであり、第２のサービングセルの複信モードがＦＤＤである場合、第２のアップリンクサブフレームセットに含まれたアップリンクサブフレームは、第１のサービングセルの、無線フレームにおける、アップリンクサブフレームに対応し、第１のアップリンクサブフレームセットに含まれたアップリンクサブフレームは、無線フレームにおける、第２のアップリンクサブフレームセットに含まれたアップリンクサブフレームを除く、他のアップリンクサブフレームに対応する。第１のサービングセルの複信モードがＦＤＤであり、第２のサービングセルの複信モードがＴＤＤである場合、第１のアップリンクサブフレームセットに含まれたアップリンクサブフレームは、第１のサービングセルの、無線フレームにおける、アップリンクサブフレームに対応し、第２のアップリンクサブフレームセットに含まれたアップリンクサブフレームは、無線フレームにおける、第１のアップリンクサブフレームセットに含まれたアップリンクサブフレームを除く、他のアップリンクサブフレームに対応する。
【００７９】
さらに、第１のサービングセルが、ＵＥのプライマリサービングセルである場合、第２のサービングセルは、ＵＥの、最も小さなセルインデクスを有する、ＦＤＤセカンダリサービングセルであり得る。第２のサービングセルはまた、ＵＥのセカンダリサービングセルにおける、より高いレイヤシグナリングによって示されるセカンダリサービングセルであり得、特に、ＵＥのセカンダリサービングセルにおける、より高いレイヤシグナリングによって示され、ＰＵＣＣＨを送信するために使用される、セカンダリサービングセルであり得る。
【００８０】
一般に、無線フレームには、１０のサブフレームが存在する。したがって、第１のアップリンクサブフレームセットに含まれたアップリンクサブフレームの量と、第２のアップリンクサブフレームセットに含まれたアップリンクサブフレームの量との合計は、１０であり得る。第１のサービングセルの複信モードがＴＤＤであり、第２のサービングセルの複信モードが周波数分割複信ＦＤＤである場合、第２のアップリンクサブフレームセットに含まれたアップリンクサブフレームは、第１のサービングセルの、無線フレームにおける、アップリンクサブフレームに対応し、第１のアップリンクサブフレームセットに含まれたアップリンクサブフレームは、無線フレーム内の他のアップリンクサブフレーム、すなわち、無線フレームにおける、第２のアップリンクサブフレームセットに含まれたアップリンクサブフレームを除くアップリンクサブフレームに対応する。たとえば、第１のサービングセルのアップリンク−ダウンリンク構成比が、構成比２である場合、ＵＥは、図２に図示される方式で、ＰＵＣＣＨを送信し得る。図２は、本発明におけるＰＵＣＣＨ送信メカニズムの概略図である。ＵＥは、第１のサービングセルが、アップリンクサブフレームに対応する場合、第１のサービングセルにおいてＰＵＣＣＨを送信し、第１のサービングセルが、ダウンリンクサブフレームに対応する場合、第２のサービングセルにおいてＰＵＣＣＨを送信する。このケースでは、第２のアップリンクサブフレームセットは、無線フレームにおいて、第１のサービングセルに対応するアップリンクサブフレーム（図２における無線フレームにおいて、垂線を使用することによって印され、第１のサービングセルに対応するサブフレーム）を含み、第１のアップリンクサブフレームセットは、同じ無線フレームにおける他のアップリンクサブフレーム（図２における無線フレームにおいて、横線を使用することによって印され、第２のサービングセルに対応するサブフレーム）、すなわち、無線フレームにおいて、第２のアップリンクサブフレームセットに含まれるアップリンクサブフレームを除くアップリンクサブフレーム、を含む。
【００８１】
本発明のこの実施形態では、たとえば、図２に図示される例では、プライマリキャリアがＴＤＤキャリアである場合、ＦＤＤキャリア及びＴＤＤキャリアの場合、ＨＡＲＱ−ＡＣＫは、ＦＤＤキャリアの既存のタイミングに従ってフィードバックされ得る。すなわち、ＵＥが、ダウンリンクサブフレームＮで制御チャネルを受信したのであれば、ＵＥは、アップリンクサブフレームＮ＋４で、ＦＤＤキャリア及び／又はＴＤＤキャリアのＨＡＲＱ−ＡＣＫをフィードバックし、アップリンクサブフレームＮ＋４が、ＴＤＤのアップリンクサブフレームに正確に対応するのであれば、ＴＤＤキャリアを使用することによって、ＨＡＲＱ−ＡＣＫがフィードバックされ、アップリンクサブフレームＮ＋４が、ＴＤＤのダウンリンクサブフレームに対応するのであれば、ＦＤＤキャリアを使用することによって、ＨＡＲＱ−ＡＣＫがフィードバックされる。一方では、ＦＤＤキャリアにおけるすべてのダウンリンクサブフレームは、ＨＡＲＱ−ＡＣＫをフィードバックするために使用される対応するアップリンクサブフレームを有する。これは、リソース利用を改善する。そして、ＦＤＤキャリアのＨＡＲＱ−ＡＣＫタイミングは変更されない。他方では、ＴＤＤキャリアの場合、ＦＤＤキャリアの既存のタイミングに従って、ＨＡＲＱ−ＡＣＫがフィードバックされる。これは、ＨＡＲＱ−ＡＣＫバンドリングを回避し、ＴＤＤキャリアのＲＴＴ遅れを低減する。
【００８２】
さらに、本発明のこの実施形態では、アップリンクサブフレームＮ＋４が、第１のアップリンクサブフレームセットに属する場合、ＰＵＣＣＨは、ユーザ機器の第２のサービングセルにおいて伝送され、ダウンリンク制御チャネルのダウンリンク制御情報ＤＣＩフォーマットにおける送信電力制御ＴＰＣコマンドフィールドは、ＰＵＣＣＨのＰＵＣＣＨリソースを示し、アップリンクサブフレームＮ＋４が、第２のアップリンクサブフレームセットに属する場合、ＰＵＣＣＨは、ユーザ機器の第１のサービングセルにおいて伝送され、ダウンリンク制御チャネルのダウンリンク制御情報ＤＣＩフォーマットにおける送信電力制御ＴＰＣコマンドフィールドが、ＰＵＣＣＨの送信電力を決定するために使用される。本発明のこの実施形態では、一方では、前述した特徴によって、ＴＰＣコマンドは、ＰＵＣＣＨを送信するために使用されるダウンリンクキャリア対応キャリアにおいて伝送され、これによって、このモードにおける個別の電力制御が実施され、電力制御がより容易になり、他方では、ＰＵＣＣＨが、他のサービングセルにおいて伝送される場合、ＴＰＣコマンドフィールドは、ＰＵＣＣＨリソースを示し、これによって、ＵＥは、ＰＵＣＣＨリソースに従ってＨＡＲＱ−ＡＣＫをフィードバックできるようになり、ＰＵＣＣＨリソースの利用が、動的なインジケーションによって改善される。
【００８３】
この実施形態において提供される解決策では、ＵＥは、基地局によって送られたダウンリンク制御チャネルを、ダウンリンクサブフレームＮで受信し、物理アップリンク制御チャネルＰＵＣＣＨを使用することによって、ダウンリンク制御チャネルに対応するハイブリッド自動再送要求確認応答を、アップリンクサブフレームＮ＋４で基地局へ送り、アップリンクサブフレームＮ＋４が、第１のアップリンクサブフレームセットに属する場合、ＰＵＣＣＨは、ＵＥの第２のサービングセルにおいて伝送され、アップリンクサブフレームＮ＋４が、第２のアップリンクサブフレームセットに属する場合、ＰＵＣＣＨは、第１のサービングセルにおいて伝送される。前述した方法によって、異なる複信モードのキャリアのアグリゲーション中に、どのようにしてＨＡＲＱ−ＡＣＫを送信するのかという問題が解決される。一方、アップリンクサブフレームＮ＋４が、第１のアップリンクサブフレームセットに属する場合、ＰＵＣＣＨは、第２のサービングセルにおいて伝送され、アップリンクサブフレームＮ＋４が、第２のアップリンクサブフレームセットに属する場合、ＰＵＣＣＨは、第１のサービングセルにおいて伝送され、これによって、（ＦＤＤダウンリンクサブフレームとＴＤＤダウンリンクサブフレームとを含む）すべてのダウンリンクサブフレームが、ＨＡＲＱ−ＡＣＫをフィードバックするために使用される対応するアップリンクサブフレームを有するようになる。これは、リソース利用を改善する。そして、ＦＤＤキャリアのＨＡＲＱ−ＡＣＫタイミングは変更されない。
【００８４】
図３は、本発明に従ったアップリンク制御情報送信方法の実施形態２のフローチャートである。図３に図示されるように、この実施形態において提供される方法は、以下のステップを含む。
【００８５】
ステップ２０１：基地局は、ダウンリンクサブフレームＮで、ＵＥへダウンリンク制御チャネルを送信する。ダウンリンク制御チャネルは、ＵＥの第１のサービングセルにおいて伝送される。
【００８６】
このステップでは、基地局は、ダウンリンクサブフレームＮで、第１のサービングセルにおいてＵＥへダウンリンク制御チャネルを送り、ダウンリンク制御チャネルは、物理ダウンリンク制御チャネルＰＤＣＣＨ、又は、拡張物理ダウンリンク制御チャネルＥＰＤＣＣＨであり、ダウンリンク制御チャネルは、第１のサービングセルにおいて伝送されたＰＤＳＣＨ送信を示すために使用されるか、又は、ダウンリンクセミパーシステントスケジューリングＳＰＳリリースを示すために使用される。このステップの他の記述のために、実施形態１におけるステップ１０１の記述に対する参照がなされ、本明細書では、詳細は再度記述されない。
【００８７】
ステップ２０２：基地局は、物理アップリンク制御チャネルＰＵＣＣＨを使用することによってＵＥによって送られ、ダウンリンク制御チャネルに対応する、ハイブリッド自動再送要求確認応答を、アップリンクサブフレームＮ＋４で受信する。
【００８８】
この実施形態では、ダウンリンク制御チャネルが、第１のサービングセルにおいて伝送されたＰＤＳＣＨ送信を示すために使用されるのであれば、ダウンリンク制御チャネルに対応するハイブリッド自動再送要求確認応答は、特に、ダウンリンク制御チャネルに対応するＰＤＳＣＨのハイブリッド自動再送要求確認応答ＨＡＲＱ−ＡＣＫであり、ダウンリンク制御チャネルが、ダウンリンクセミパーシステントスケジューリングＳＰＳリリースを示すために使用されるのであれば、ダウンリンク制御チャネルに対応するハイブリッド自動再送要求確認応答は、特に、ＳＰＳリリースを示すダウンリンク制御チャネルに対応するハイブリッド自動再送要求確認応答メッセージＨＡＲＱ−ＡＣＫである。
【００８９】
このステップではアップリンクサブフレームＮ＋４が、第１のアップリンクサブフレームセットに属する場合、ＰＵＣＣＨは、ＵＥの第２のサービングセルにおいて伝送され、アップリンクサブフレームＮ＋４が、第２のアップリンクサブフレームセットに属する場合、ＰＵＣＣＨは、第１のサービングセルにおいて伝送され、第１のサービングセルの複信モードは、第２のサービングセルの複信モードとは異なり、第１のアップリンクサブフレームセットに含まれたアップリンクサブフレームの量と、第２のアップリンクサブフレームセットに含まれたアップリンクサブフレームの量との合計が、無線フレームにおけるサブフレームの量に等しく、第１のアップリンクサブフレームセットに含まれたアップリンクサブフレームと、第２のアップリンクサブフレームセットに含まれたアップリンクサブフレームとは、無線フレーム中の異なるサブフレームに対応する。
【００９０】
このステップでは、アップリンクサブフレームＮ＋４が、第１のアップリンクサブフレームセットに属する場合、ＰＵＣＣＨは、ＵＥの第２のサービングセルにおいて伝送され、ダウンリンク制御チャネルのダウンリンク制御情報ＤＣＩフォーマットにおける送信電力制御ＴＰＣコマンドフィールドは、ＰＵＣＣＨのＰＵＣＣＨリソースを示す。このケースでは、基地局は、ステップ２０１におけるダウンリンク制御チャネルのダウンリンク制御情報ＤＣＩフォーマットにおける送信電力制御ＴＰＣコマンドフィールドを使用することによって、ＰＵＣＣＨのＰＵＣＣＨリソースを示し得、その後、ＰＵＣＣＨリソースを使用することによって、ダウンリンク制御チャネルに対応するハイブリッド自動再送要求確認応答メッセージを、ＰＵＣＣＨにおいてアップリンクサブフレームＮ＋４で受信する。
【００９１】
アップリンクサブフレームＮ＋４が、第２のアップリンクサブフレームセットに属する場合、ＰＵＣＣＨは、ＵＥの第１のサービングセルにおいて伝送される。このケースでは、ＰＵＣＣＨの送信電力を決定するために、ステップ２０１におけるダウンリンク制御チャネルのダウンリンク制御情報ＤＣＩフォーマットにおける送信電力制御ＴＰＣコマンドフィールドが、ＵＥによって使用され得る。そして基地局は、ダウンリンク制御チャネルのダウンリンク制御情報ＤＣＩフォーマットにおける送信電力制御ＴＰＣコマンドフィールドに従って、ＰＵＣＣＨの送信電力を示し得る。
【００９２】
この実施形態では、第１のサービングセルの複信モードは、第２のサービングセルの複信モードとは異なる。第１のサービングセルの複信モードがＴＤＤであり、第２のサービングセルの複信モードがＦＤＤである場合、第２のアップリンクサブフレームセットに含まれたアップリンクサブフレームは、第１のサービングセルの、無線フレームにおける、アップリンクサブフレームに対応し、第１のアップリンクサブフレームセットに含まれたアップリンクサブフレームは、無線フレームにおける、第２のアップリンクサブフレームセットに含まれたアップリンクサブフレームを除く、他のアップリンクサブフレームに対応する。第１のサービングセルの複信モードがＦＤＤであり、第２のサービングセルの複信モードがＴＤＤである場合、第１のアップリンクサブフレームセットに含まれたアップリンクサブフレームは、第１のサービングセルの、無線フレームにおける、アップリンクサブフレームに対応し、第２のアップリンクサブフレームセットに含まれたアップリンクサブフレームは、無線フレームにおける、第１のアップリンクサブフレームセットに含まれたアップリンクサブフレームを除く、他のアップリンクサブフレームに対応する。
【００９３】
第１のサービングセルが、ＵＥのプライマリサービングセルである場合、第２のサービングセルは、ＵＥの、最も小さなセルインデクスを有する、ＦＤＤセカンダリサービングセルであり得、第２のサービングセルはまた、ＵＥのセカンダリサービングセルにおける、より高いレイヤシグナリングによって示されるセカンダリサービングセルであり得、特に、ＵＥのセカンダリサービングセルにおける、より高いレイヤシグナリングによって示され、ＰＵＣＣＨを送信するために使用される、セカンダリサービングセル、すなわち、ＵＥのサービングセルにおける基地局によって示され、ＰＵＣＣＨを送信するために使用されるセカンダリサービングセル、であり得る。
【００９４】
無線フレームに１０のサブフレームが存在するのであれば、第１のアップリンクサブフレームセットに含まれたアップリンクサブフレームの量と、第２のアップリンクサブフレームセットに含まれたアップリンクサブフレームの量との合計は、１０であり得る。第１のサービングセルの複信モードがＴＤＤであり、第２のサービングセルの複信モードが周波数分割複信ＦＤＤである場合、第２のアップリンクサブフレームセットに含まれたアップリンクサブフレームは、第１のサービングセルの、無線フレームにおける、アップリンクサブフレームに対応し、第１のアップリンクサブフレームセットに含まれたアップリンクサブフレームは、無線フレームにおける他のアップリンクサブフレーム、すなわち、無線フレームにおける、第２のアップリンクサブフレームセットに含まれたアップリンクサブフレームを除くアップリンクサブフレーム、に対応する。たとえば、第１のサービングセルのアップリンク−ダウンリンク構成比が、構成比２である場合、ＵＥは、図２に図示される方式で、ＰＵＣＣＨを送信し得る。図２は、本発明におけるＰＵＣＣＨ送信メカニズムの概略図である。ＵＥは、第１のサービングセルがアップリンクサブフレームに対応する場合、第１のサービングセルにおいてＰＵＣＣＨを送信し、第１のサービングセルがダウンリンクサブフレームに対応する場合、第２のサービングセルにおいてＰＵＣＣＨを送信する。このケースでは、第２のアップリンクサブフレームセットは、無線フレームにおいて、第１のサービングセルに対応するアップリンクサブフレーム（図２における無線フレームにおいて、垂線を使用することによって印され、第１のサービングセルに対応するサブフレーム）を含み、第１のアップリンクサブフレームセットは、同じ無線フレームにおける他のアップリンクサブフレーム（図２における無線フレームにおいて、横線を使用することによって印され、第２のサービングセルに対応するサブフレーム）、すなわち、無線フレームにおいて、第２のアップリンクサブフレームセットに含まれるアップリンクサブフレームを除くアップリンクサブフレーム、を含む。
【００９５】
この実施形態で提供される方法では、基地局は、ダウンリンクサブフレームＮでダウンリンク制御チャネルを送り、ダウンリンク制御チャネルに対応するハイブリッド自動再送要求確認応答を、アップリンクサブフレームＮ＋４で受信し、アップリンクサブフレームＮ＋４が、異なるアップリンクサブフレームセットに属する場合、ＰＵＣＣＨは、異なるサービングセルにおいて伝送され、アップリンクサブフレームＮ＋４が、第１のアップリンクサブフレームセットに属する場合、ＰＵＣＣＨは、ＵＥの第２のサービングセルにおいて伝送され、アップリンクサブフレームＮ＋４が、第２のアップリンクサブフレームセットに属する場合、ＰＵＣＣＨは、第１のサービングセルにおいて伝送され、その結果、ＦＤＤキャリアとＴＤＤキャリアとをアグリゲートするシナリオにおいて、どのようにしてＨＡＲＱ−ＡＣＫを送信するのかという問題を解決する。一方、アップリンクサブフレームＮ＋４が、第１のアップリンクサブフレームセットに属する場合、ＰＵＣＣＨは、ＵＥの第２のサービングセルにおいて伝送され、アップリンクサブフレームＮ＋４が、第２のアップリンクサブフレームセットに属する場合、ＰＵＣＣＨは、第１のサービングセルにおいて伝送され、これによって、ＨＡＲＱ−ＡＣＫをフィードバックするために、各サブフレームが使用され得るようになり、また、ＦＤＤキャリアにおけるすべてのダウンリンクサブフレームが、ＨＡＲＱ−ＡＣＫをフィードバックするために使用される対応するアップリンクサブフレームを有するようになる。これは、リソース利用を改善する。そして、ＦＤＤキャリアのＨＡＲＱ−ＡＣＫタイミングは変更されない。本発明のこの実施形態の他の有益な効果は、実施形態１のものと同じであり、本明細書では、詳細は再度記述されない。
【００９６】
図４は、本発明に従うアップリンク制御情報送信方法の実施形態３のフローチャートである。図３に図示されるように、この実施形態と、図２に図示される実施形態との相違は、ＰＵＣＣＨは、ＵＥのセカンダリサービングセルにおいてのみ送信され得、セカンダリサービングセルの複信モードはＦＤＤであるという点にある。以下は、この実施形態の解決策を詳細に記述する。この実施形態における方法は、以下を含み得る。
【００９７】
ステップ３０１：ＵＥは、ダウンリンクサブフレームＮでダウンリンク制御チャネルを受信する。ダウンリンク制御チャネルは、ＵＥの第１のサービングセルにおいて伝送され、第１のサービングセルの複信モードは、時分割複信ＴＤＤである。
【００９８】
この実施形態では、ダウンリンク制御チャネルは、物理ダウンリンク制御チャネルＰＤＣＣＨ、又は、拡張物理ダウンリンク制御チャネルＥＰＤＣＣＨであり得る。ダウンリンク制御チャネルは、第１のサービングセルにおいて伝送された物理ダウンリンク共有チャネルＰＤＳＣＨ送信を示すために使用され得るか、又は、ダウンリンクセミパーシステントスケジューリングＳＰＳリリースを示すために使用され得る。
【００９９】
このステップはさらに、ＵＥの第２のサービングセルにおいて伝送されたＰＤＳＣＨを、ダウンリンクサブフレームＮで、ＵＥによって受信するステップを含み得る。第２のサービングセルの複信モードは、周波数分割複信ＦＤＤである。
【０１００】
ステップ３０２：ＵＥは、ダウンリンク制御チャネルのダウンリンク制御情報ＤＣＩフォーマットに従って、物理アップリンク制御チャネルＰＵＣＣＨリソースを決定する。
【０１０１】
このステップで、ＵＥは、以下の２つの方式で、ダウンリンク制御チャネルのダウンリンク制御情報ＤＣＩフォーマットに従って、物理アップリンク制御チャネルＰＵＣＣＨリソースを決定し得る。
【０１０２】
方式１：ＵＥは、ダウンリンク制御チャネルのダウンリンク制御情報ＤＣＩフォーマットにおけるダウンリンク割当インジケーションＤＡＩに従って、物理アップリンク制御チャネルＰＵＣＣＨリソースを決定する。
【０１０３】
方式１では、ＵＥは、ダウンリンク制御チャネルのダウンリンク制御情報ＤＣＩフォーマットにおけるダウンリンク割当インジケーションＤＡＩに従って、物理アップリンク制御チャネルＰＵＣＣＨリソースを決定する。すなわち、ＵＥは、ダウンリンク制御チャネルのダウンリンク制御情報ＤＣＩフォーマットにおけるダウンリンク割当インジケーションＤＡＩに従って、より高いレイヤシグナリングによって構成された４つのＰＵＣＣＨリソースから１つのＰＵＣＣＨリソースを決定する。より高いレイヤシグナリングによって構成された４つのＰＵＣＣＨリソースに対応する物理リソースブロックＰＲＢは、ＵＥの第２のサービングセルに位置する。
【０１０４】
この方式では、複信モードがＴＤＤである第１のサービングセルに対応するＨＡＲＱ−ＡＣＫが、複信モードがＦＤＤである第２のサービングセルにおいて送信される場合、ＴＤＤのＨＡＲＱ−ＡＣＫタイミングは、ＦＤＤのＨＡＲＱ−ＡＣＫタイミングを使用し得る。したがって、ＤＣＩフォーマットにおけるＤＡＩフィールドは、ＰＵＣＣＨリソースを示すために再使用され得る。一方では、既存のＤＣＩフォーマットにおけるフィールドは、より良好に使用され得る。これは、リリース利用を改善する。他方では、ダウンリンク制御チャネルは、第１のサービングセルにおいて伝送され、対応するＰＵＣＣＨは、第２のサービングセルにおいて伝送される。したがって、ＵＥは、ダウンリンク制御チャネルのリソースに従ってＰＵＣＣＨリソースを暗黙的に計算することができない。この実施形態では、ＰＵＣＣＨリソースは、ＤＣＩフォーマットにおけるＤＡＩを使用することによって示される。これによって、ＵＥは、ＨＡＲＱ−ＡＣＫをフィードバックすることができ、ＰＵＣＣＨリソース利用は、別のユーザの再使用によって改善され得る。さらに、インジケーションは、ＤＡＩを使用することによって実行される。これは、ＰＵＣＣＨリソースを示すために元々使用されていたＴＰＣをリリースすることができる。その結果、ＴＰＣは、いずれのケースでも取得され得るようになり、したがって、ＰＵＣＣＨの電力制御効率を改善する。
【０１０５】
方式２：ＵＥは、ダウンリンク制御チャネルのダウンリンク制御情報ＤＣＩフォーマットにおける送信電力制御ＴＰＣコマンドに従って、物理アップリンク制御チャネルＰＵＣＣＨリソースを決定する。
【０１０６】
方式２では、ＵＥは、第１のサービングセル（プライマリサービングセル）に対応するＤＣＩフォーマットにおけるＴＰＣコマンドを使用することによって、第２のサービングセル（セカンダリサービングセル）で伝送されたＰＵＣＣＨリソースを示す。このケースでは、第２のサービングセル（セカンダリサービングセル）に対応するＤＣＩフォーマットにおけるＴＰＣコマンドが、ＰＵＣＣＨリソースの送信電力制御コマンドを示すために使用される。
【０１０７】
ユーザ機器が、ステップ３０１において、ＵＥの第２のサービングセルにおいて伝送されたＰＤＳＣＨを受信した場合、ステップはさらに、第２のサービングセルにおいて伝送されたＰＤＳＣＨに対応するダウンリンク制御チャネルのＤＣＩフォーマットにおけるＴＰＣコマンドフィールドに従って、ＰＵＣＣＨの送信電力をＵＥによって決定するステップを含み得る。
【０１０８】
ステップ３０３：ＵＥは、ＰＵＣＣＨを使用することによって、アップリンクサブフレームＮ＋４で、ダウンリンク制御チャネルに対応するハイブリッド自動再送要求確認応答を送信する。ＰＵＣＣＨはＵＥの第２のサービングセルにおいて伝送され、第２のサービングセルの複信モードは、周波数分割複信ＦＤＤである。
【０１０９】
ＵＥは、ＰＵＣＣＨリソースを使用することによって、ダウンリンク制御チャネルに対応するハイブリッド自動再送要求確認応答を、アップリンクサブフレームＮ＋４で、第２のサービングセルにおいてフィードバックする。ダウンリンク制御チャネルは、第１のサービングセルにおいて伝送された物理ダウンリンク共有チャネルＰＤＳＣＨ送信を示すために使用され得るか、又は、ダウンリンクセミパーシステントスケジューリングＳＰＳリリースを示すために使用され得る。ダウンリンク制御チャネルが、ＰＤＳＣＨ送信を示すために使用される場合、ダウンリンク制御チャネルに対応するハイブリッド自動再送要求確認応答は、特に、ダウンリンク制御チャネルに対応するＰＤＳＣＨのハイブリッド自動再送要求確認応答であり、ダウンリンク制御チャネルが、ダウンリンクセミパーシステントスケジューリングＳＰＳリリースを示すために使用される場合、ダウンリンク制御チャネルに対応するハイブリッド自動再送要求確認応答は、特に、ダウンリンクセミパーシステントスケジューリングＳＰＳリリースを示すダウンリンク制御チャネルに対応するハイブリッド自動再送要求確認応答である。
【０１１０】
このステップでは、ユーザ機器が、ステップ３０１において、第２のサービングセルにおいて伝送されたＰＤＳＣＨを受信した場合、このステップはさらに、第２のサービングセルにおいて伝送されたＰＤＳＣＨのハイブリッド自動再送要求確認応答を、ＵＥによって、アップリンクサブフレームＮ＋４で、ＰＵＣＣＨにおいて送信するステップを含み得る。ＰＵＣＣＨは、ＵＥの第２のサービングセルにおいて伝送され、第２のサービングセルの複信モードは、周波数分割複信ＦＤＤである。すなわち、このケースでは、ユーザ機器は、第１のサービングセルにおいて伝送されたダウンリンク制御チャネルに対応するＨＡＲＱ−ＡＣＫ、及び、第２のサービングセルにおいて伝送されたＰＤＳＣＨのＨＡＲＱ−ＡＣＫを、第２のサービングセルにおいて伝送されたＰＵＣＣＨにおいてフィードバックする。
【０１１１】
この実施形態では、第１のサービングセルは、ＵＥのプライマリサービングセルであり、第２のサービングセルは、ＵＥのセカンダリサービングセルである。第２のサービングセルは、ＵＥの、最も小さなセルインデクスを有する、ＦＤＤのセカンダリサービングセルであるか、又は、第２のサービングセルは、ＰＵＣＣＨを送信するために使用され、より高いレイヤシグナリングによって示される、セカンダリサービングセルである。すなわち、より高いレイヤシグナリングは、ユーザ機器のセカンダリサービングセルのうちどのセカンダリサービングセルが、第２のサービングセルであるかを示すために使用され得る。
【０１１２】
この実施形態では、ＵＥのプライマリサービングセル（すなわち、第１のサービングセル）が、ＴＤＤである場合、ＰＵＣＣＨは、複信モードがＦＤＤであるセカンダリサービングセル（すなわち、第２のサービングセル）で送られ、これによって、ＨＡＲＱ−ＡＣＫは、ＦＤＤサービングセルの既存のＨＡＲＱ−ＡＣＫタイミングに従って、ＵＥのすべてのＦＤＤサービングセル及びＴＤＤサービングセルにおいてフィードバックされ得るようになる。一方では、ＦＤＤキャリアにおけるすべてのダウンリンクサブフレームは、ＨＡＲＱ−ＡＣＫをフィードバックするために使用される対応するアップリンクサブフレームを有する。これは、リソース利用を改善する。そして、ＦＤＤキャリアのＨＡＲＱ−ＡＣＫタイミングは変更されない。他方では、ＴＤＤサービングセルにおけるＨＡＲＱ−ＡＣＫバンドリングが低減され、ＴＤＤサービングセルのＲＴＴ遅れが短縮される。
【０１１３】
既存のアグリゲーションメカニズムでは、セカンダリサービングセルがＵＥのために設定された後、セカンダリサービングセルは、活性化又は非活性化され得る。しかしながら、プライマリサービングセルがＵＥのために設定された後、プライマリサービングセルは、非活性化されることはできない。セカンダリサービングセルが非活性化されると、信号は、セカンダリサービングセルのアップリンクで送られることはできない。本発明のこの実施形態では、ＰＵＣＣＨを伝送する第２のサービングセルがセカンダリサービングセルであるので、ＰＵＣＣＨを送信するセカンダリサービングセルが非活性化されると、ＰＵＣＣＨはセカンダリサービングセルにおいて送信されることはできない。このケースでは、ＵＥのプライマリサービングセルにおけるＰＤＳＣＨのスケジューリングが影響され得る。この問題を解決するために、以下の方法が使用され得る。
【０１１４】
方法１：ＰＵＣＣＨを送信するために使用される第２のサービングセル（セカンダリサービングセル）は、非活性化されることができない。
【０１１５】
この方法では、サービングセルがＵＥのために設定され、ＰＵＣＣＨを送信するためにセカンダリサービングセルが使用されていると判定されると、セカンダリサービングセルは非活性化されることができない。
【０１１６】
方法２：ユーザ機器がダウンリンクサブフレームＮで非活性化シグナリングを受信すると、ＵＥはサブフレームＮ＋Ｋの後に、第２のサービングセルにおいてＰＵＣＣＨを送信することをやめる。ここで、Ｋは、８よりも大きいか、又は、８に等しい。
【０１１７】
方法２はまた以下であってもよい。すなわち、ユーザ機器が、ダウンリンクサブフレームＮで、非活性化シグナリングを受信し、その後、ＵＥは、サブフレームＮ＋Ｋの後に、第３のサービングセルにおいてＰＵＣＣＨを送信する。第３のサービングセルは、ＵＥのセカンダリサービングセルであり、第３のサービングセルの複信モードは、ＦＤＤであり、第３のサービングセルは、活性化されたサービングセルであり、ここで、Ｋは８よりも大きいか、又は、８に等しい。
【０１１８】
方法２では、ＵＥは、サブフレームＮで受信された非活性化シグナリングに従って、サブフレームＮ＋Ｋの後に、ＵＥに対応するすべてのセカンダリサービングセルにおけるどのセカンダリサービングセルが、現在、活性化状態にあるのかを判定し、活性化状態にあるサービングセルから、ＰＵＣＣＨを伝送しているセカンダリサービングセルを判定する。その結果、ＰＵＣＣＨを伝送する新たなセカンダリサービングセルが決定される前に、プライマリサービングセルにおいてＰＤＳＣＨがスケジュールされることができないという問題を回避し、プライマリサービングセルにおける送信を保証する。
【０１１９】
方法３：ユーザ機器が、プライマリサービングセルにおいて伝送されたＰＤＳＣＨのみを受信すると、ＵＥは、プライマリサービングセルにおいてＰＵＣＣＨを送り、ユーザ機器が、セカンダリサービングセルにおいてＰＤＳＣＨを受信すると、ＵＥは、セカンダリサービングセルにおいてＰＵＣＣＨを送信する。
【０１２０】
セカンダリサービングセルは、ＦＤＤサービングセルであり、セカンダリサービングセルは、最も小さなセルインデクスを有するＦＤＤセカンダリサービングセルであるか、又は、セカンダリサービングセルは、より高いレイヤシグナリングによって示され、ＰＵＣＣＨを送信するために使用される、セカンダリサービングセルである。
【０１２１】
方法３では、セカンダリサービングセルが非活性化されると、基地局が、プライマリサービングセルのみにおいてＰＤＳＣＨをスケジュールし得る。このケースでは、ＵＥは、ＰＵＣＣＨを使用することによって、プライマリサービングセルにおいてプライマリサービングセルのＨＡＲＱ−ＡＣＫをフィードバックする。その結果、セカンダリサービングセルにおけるキャリアの非活性化によって引き起こされる影響を回避する。
【０１２２】
方法３では、ステップ３０３はさらに、方法３におけるステップを含み得る。
【０１２３】
上述された方式はまた、別の実施形態、特に、ＰＵＣＣＨがセカンダリサービングセルにおいて送信される必要のある実施形態、たとえば方法実施形態１に適用可能であることに留意されたい。
【０１２４】
この実施形態では、ＵＥは、基地局によって送られたダウンリンク制御チャネルを、ダウンリンクサブフレームＮで受信する。ダウンリンクチャネルは、ＵＥの第１のサービングセルにおいて伝送される。ＵＥはさらに、第２のサービングセルにおいて伝送されたＰＵＣＣＨを使用することによって、ダウンリンク制御チャネルに対応するハイブリッド自動再送要求確認応答メッセージを、アップリンクサブフレームＮ＋４で基地局へ送信する。第１のサービングセルの複信モードは、時分割複信ＴＤＤであり、第２のサービングセルの複信モードは、周波数分割複信ＦＤＤである。前述した方法によって、異なる複信モードのキャリアのアグリゲーション中に、どのようにしてＨＡＲＱ−ＡＣＫを送信するのかという問題が解決される。ＰＵＣＣＨは、周波数分割複信ＦＤＤキャリアにおいてフィードバックされる。これによって、ユーザ機器のＦＤＤサービングセルにおけるすべてのダウンリンクサブフレームは、ＨＡＲＱ−ＡＣＫをフィードバックするために使用される対応するアップリンクサブフレームを有するようになる。これは、リソース利用を改善する。そして、ＦＤＤサービングセルのＨＡＲＱ−ＡＣＫタイミングは変更されない。
【０１２５】
図５は、本発明に従うアップリンク制御情報送信方法の実施形態４のフローチャートである。実施形態３は、ＵＥの観点からアップリンク制御情報送信方法を記述しており、この実施形態は、基地局の観点から送信方法を記述する。図５に図示されるように、この実施形態において提供される方法は、以下のステップを含む。
【０１２６】
ステップ４０１：基地局は、ダウンリンクサブフレームＮでダウンリンク制御チャネルを送信する。ダウンリンク制御チャネルは、ＵＥの第１のサービングセルにおいて伝送され、第１のサービングセルの複信モードは、時分割複信ＴＤＤである。
【０１２７】
ダウンリンク制御チャネルは、物理ダウンリンク制御チャネルＰＤＣＣＨ、又は、拡張物理ダウンリンク制御チャネルＥＰＤＣＣＨであり得る。ダウンリンク制御チャネルは、第１のサービングセルにおいて伝送された物理ダウンリンク共有チャネルＰＤＳＣＨ送信を示すために使用され得るか、又は、ダウンリンクセミパーシステントスケジューリングＳＰＳリリースを示すために使用され得る。
【０１２８】
この実施形態では、ダウンリンク制御チャネルのダウンリンク制御情報ＤＣＩフォーマットにおけるダウンリンク割当インジケーションＤＡＩ又は送信電力制御ＴＰＣコマンドが、物理アップリンク制御チャネルＰＵＣＣＨリソースを示すために使用され得るか、又は、基地局が、ダウンリンク制御チャネルのダウンリンク制御情報ＤＣＩフォーマットにおけるあらかじめ定義されたフィールドを使用することによって、物理アップリンク制御チャネルＰＵＣＣＨリソースを示すこともあり得る。あらかじめ定義されたフィールドは、ダウンリンク割当インジケーションＤＡＩ又は送信電力制御ＴＰＣコマンドであり得る。それに相応して、このステップは、以下の通りであり得る。
【０１２９】
方式１：基地局が、ダウンリンクサブフレームＮで、ＵＥへダウンリンク制御チャネルを送信する。ダウンリンク制御チャネルに対応する物理ダウンリンク共有チャネルＰＤＳＣＨは、第１のサービングセルにおいて伝送されるか、又は、ダウンリンク制御チャネルが、第１のサービングセルにおいて伝送され、ダウンリンク制御チャネルは、ダウンリンクセミパーシステントスケジューリングＳＰＳリリースを示すダウンリンク制御チャネルであり、第１のサービングセルは、ＵＥのサービングセルであり、第１のサービングセルの複信モードは、時分割複信ＴＤＤであり、ダウンリンク制御チャネルのダウンリンク制御情報ＤＣＩフォーマットにおけるダウンリンク割当インジケーションＤＡＩは、物理アップリンク制御チャネルＰＵＣＣＨリソースを示す。
【０１３０】
このように、複信モードがＴＤＤである第１のサービングセルに対応するＨＡＲＱ−ＡＣＫが、複信モードがＦＤＤである第２のサービングセルにおいて送信される場合、ＴＤＤのＨＡＲＱ−ＡＣＫタイミングは、ＦＤＤのＨＡＲＱ−ＡＣＫタイミングを使用し得る。したがって、ＤＣＩフォーマットにおけるＤＡＩフィールドは、ＰＵＣＣＨリソースを示すために再使用され得る。一方では、既存のＤＣＩフォーマットにおけるフィールドは、より良好に使用され得る。これは、リソース利用を改善する。他方では、ダウンリンク制御チャネルは、第１のサービングセルにおいて伝送され、対応するＰＵＣＣＨは、第２のサービングセルにおいて伝送される。したがって、ＵＥは、ダウンリンク制御チャネルのリソースに従って、ＰＵＣＣＨリソースを暗黙的に計算することができない。この実施形態では、ＰＵＣＣＨリソースは、ＤＣＩフォーマットにおけるＤＡＩを使用することによって示される。これによって、ＵＥは、ＨＡＲＱ−ＡＣＫをフィードバックすることができ、ＰＵＣＣＨリソース利用は、別のユーザの再使用によって改善され得る。さらに、インジケーションは、ＤＡＩを使用することによって実行される。これは、ＰＵＣＣＨリソースを示すために元々使用されていたＴＰＣをリリースすることができ、これによって、ＴＰＣは、いずれのケースでも取得され得るようになる。その結果、ＰＵＣＣＨの電力制御効率を改善する。
【０１３１】
方式２：基地局は、ダウンリンクサブフレームＮでＵＥへダウンリンク制御チャネルを送信する。ダウンリンク制御チャネルに対応する物理ダウンリンク共有チャネルＰＤＳＣＨは、第１のサービングセルにおいて伝送されるか、又は、ダウンリンク制御チャネルが、第１のサービングセルにおいて伝送され、ダウンリンク制御チャネルは、ダウンリンクセミパーシステントスケジューリングＳＰＳリリースを示すダウンリンク制御チャネルであり、第１のサービングセルは、ＵＥのサービングセルであり、第１のサービングセルの複信モードは、時分割複信ＴＤＤであり、ダウンリンク制御チャネルのダウンリンク制御情報ＤＣＩフォーマットにおける送信電力制御ＴＰＣコマンドは、物理アップリンク制御チャネルＰＵＣＣＨリソースを示す。
【０１３２】
方式２では、基地局は、第１のサービングセル（プライマリサービングセル）に対応するＤＣＩフォーマットにおけるＴＰＣコマンドを使用することによって、第２サービングセル（セカンダリサービングセル）で伝送されたＰＵＣＣＨリソースを示す。このケースでは、第２のサービングセル（セカンダリサービングセル）に対応するＤＣＩフォーマットにおけるＴＰＣコマンドは、ＰＵＣＣＨリソースの送信電力制御コマンドを示すために使用され得る。
【０１３３】
ステップ４０１はさらに、ＵＥの第２のサービングセルにおけるユーザ機器へ、基地局によって、ダウンリンクサブフレームＮでＰＤＳＣＨを送信するステップを含み得る。第２のサービングセルの複信モードは、周波数分割複信ＦＤＤである。このケースでは、ステップの方式２はさらに、第２のサービングセルにおいて伝送されたＰＤＳＣＨに対応するダウンリンク制御チャネルのＤＣＩフォーマットにおけるＴＰＣコマンドフィールドを使用することによって、ＰＵＣＣＨの送信電力を、基地局によって示すステップを含み得る。
【０１３４】
ステップ４０２：基地局は、ＰＵＣＣＨを使用することによってＵＥによって送られ、ダウンリンク制御チャネルに対応する、ハイブリッド自動再送要求確認応答を、ＰＵＣＣＨリソースに従って、アップリンクサブフレームＮ＋４で受信する。ＰＵＣＣＨは、ＵＥの第２のサービングセルにおいて伝送され、第２のサービングセルの複信モードは、周波数分割複信ＦＤＤである。
【０１３５】
ダウンリンク制御チャネルが、ＰＤＳＣＨ送信を示すために使用される場合、ダウンリンク制御チャネルに対応するハイブリッド自動再送要求確認応答は、特に、ダウンリンク制御チャネルに対応するＰＤＳＣＨのハイブリッド自動再送要求確認応答であり、ダウンリンク制御チャネルが、ダウンリンクセミパーシステントスケジューリングＳＰＳリリースを示すために使用される場合、ダウンリンク制御チャネルに対応するハイブリッド自動再送要求確認応答は、特に、ダウンリンクセミパーシステントスケジューリングＳＰＳリリースを示すダウンリンク制御チャネルに対応するハイブリッド自動再送要求確認応答である。
【０１３６】
ステップ４０１がさらに、基地局によって、ダウンリンクサブフレームＮで、ＵＥの第２のサービングセルにおいてユーザ機器へＰＤＳＣＨを送信するステップを含み、第２のサービングセルの複信モードが、周波数分割複信ＦＤＤである場合、ステップ４０２はさらに、ＰＵＣＣＨを使用することによってＵＥによって送られ、第２のサービングセルにおいて伝送されたＰＤＳＣＨのＨＡＲＱ−ＡＣＫを、ＰＵＣＣＨリソースに従って、基地局によってアップリンクサブフレームＮ＋４で受信するステップを含み得る。
【０１３７】
この実施形態では、第１のサービングセルが、ＵＥのプライマリサービングセルであり、第２のサービングセルが、ＵＥのセカンダリサービングセルである。第２のサービングセルは、ＵＥの、最も小さなセルインデクスを有する、ＦＤＤのセカンダリサービングセルであるか、又は、第２のサービングセルは、ＰＵＣＣＨを送信するために使用され、基地局によって示された、セカンダリサービングセルであり、たとえば、基地局は、ユーザがＰＵＣＣＨを送信する第２のサービングセルを、ＲＲＣシグナリングを使用することによって示し得る。
【０１３８】
この実施形態では、ＵＥのプライマリサービングセル（すなわち、第１のサービングセル）が、ＴＤＤである場合、ＰＵＣＣＨは、複信モードがＦＤＤであるセカンダリサービングセル（すなわち、第２のサービングセル）で伝送され、これによって、ＨＡＲＱ−ＡＣＫは、ＦＤＤサービングセルの既存のＨＡＲＱ−ＡＣＫタイミングに従って、ＵＥのすべてのＦＤＤサービングセル及びＴＤＤサービングセルにおいてフィードバックされ得る。一方では、ＦＤＤキャリアにおけるすべてのダウンリンクサブフレームは、ＨＡＲＱ−ＡＣＫをフィードバックするために使用される対応するアップリンクサブフレームを有する。これは、リソース利用を改善し、ＦＤＤキャリアのＨＡＲＱ−ＡＣＫタイミングは変更されない。他方では、ＴＤＤサービングセルにおけるＨＡＲＱ−ＡＣＫバンドリングが低減され、ＴＤＤサービングセルのＲＴＴ遅れが短縮される。
【０１３９】
この実施形態では、基地局は、ダウンリンクサブフレームＮで、ユーザ機器ＵＥへダウンリンク制御チャネルを送信する。ダウンリンク制御チャネルは、ＵＥの第１のサービングセルにおいて伝送され、第１のサービングセルの複信モードは、時分割複信ＴＤＤであり、ダウンリンク制御チャネルのダウンリンク制御情報ＤＣＩフォーマットにおけるダウンリンク割当インジケーションＤＡＩ又は送信電力制御ＴＰＣコマンドは、物理アップリンク制御チャネルＰＵＣＣＨリソースを示すために使用され、基地局は、ＰＵＣＣＨを使用することによってＵＥによって送られ、ダウンリンク制御チャネルに対応する、ハイブリッド自動再送要求確認応答を、ＰＵＣＣＨリソースに従って、アップリンクサブフレームＮ＋４で受信する。ＰＵＣＣＨは、ＵＥの第２のサービングセルにおいて伝送され、第２のサービングセルの複信モードは、周波数分割複信ＦＤＤである。前述した方法によって、異なる複信モードのキャリアのアグリゲーション中に、どのようにしてＨＡＲＱ−ＡＣＫを送信するのかという問題が解決される。ＰＵＣＣＨは、周波数分割複信ＦＤＤキャリアにおいてフィードバックされ、これによって、ＦＤＤキャリアにおけるすべてのダウンリンクサブフレームが、ＨＡＲＱ−ＡＣＫをフィードバックするために使用される対応するアップリンクサブフレームを有するようになる。これは、リソース利用を改善し、ＦＤＤキャリアのＨＡＲＱ−ＡＣＫタイミングは変更されない。
【０１４０】
図６は、本発明に従うアップリンク制御情報送信方法の実施形態５のフローチャートである。この実施形態では、ＰＵＣＣＨは、ＵＥのプライマリサービングセル及びセカンダリサービングセルにおいて送信され得る。プライマリサービングセルが、アップリンクサブフレームに対応する場合、ＵＥは、プライマリサービングセルにおいてＰＵＣＣＨを送信し、プライマリサービングセルが、ダウンリンクサブフレームに対応する場合、ユーザ機器は、セカンダリサービングセルにおいてＰＵＣＣＨを送信する。以下は、本発明の解決策を詳細に記述する。図５に図示されるように、この実施形態において提供される方法は、以下のステップを含む。
【０１４１】
ステップ５０１：ＵＥが、ダウンリンクサブフレームＮで、ダウンリンク制御チャネルを受信する。ダウンリンク制御チャネルは、ＵＥの第１のサービングセルにおいて伝送される。
【０１４２】
このステップでは、ＵＥは、第１のサービングセルにおいて伝送されたダウンリンク制御チャネルを受信する。ダウンリンク制御チャネルは、物理ダウンリンク制御チャネルＰＤＣＣＨ、又は、拡張物理ダウンリンク制御チャネルＥＰＤＣＣＨであり、ダウンリンク制御チャネルは、第１のサービングセルにおいて伝送された物理ダウンリンク共有チャネルＰＤＳＣＨ送信を示すために使用され得るか、又は、ダウンリンクセミパーシステントスケジューリングＳＰＳリリースを示すために使用され得る。ダウンリンク制御チャネルのダウンリンク制御情報ＤＣＩフォーマットは、ＤＣＩフォーマット１、ＤＣＩフォーマット１Ａ、ＤＣＩフォーマット１Ｂ、ＤＣＩフォーマット１Ｄ、ＤＣＩフォーマット２Ａ、ＤＣＩフォーマット２Ｂ、ＤＣＩフォーマット２Ｃ、及びＤＣＩフォーマット２Ｄのうちの１つ又は複数であり得る。第１のサービングセルは、ＵＥに対応するサービングセルである。
【０１４３】
このステップはさらに、ＵＥの第２のサービングセルにおいて伝送されたＰＤＳＣＨを、ＵＥによって、ダウンリンクサブフレームＮで受信するステップを含み得る。
【０１４４】
ステップ５０２：ＵＥは、ダウンリンク制御チャネルのＤＣＩフォーマットに従って、物理アップリンク制御チャネルＰＵＣＣＨリソースを決定する。
【０１４５】
このステップでは、ＵＥは、ステップ５０１において第１のサービングセルにおいて伝送されたダウンリンク制御チャネルのＤＣＩフォーマットに従って、物理アップリンク制御チャネルＰＵＣＣＨリソースを決定する。
【０１４６】
さらに、ダウンリンク制御チャネルに対応するハイブリッド自動再送要求確認応答が、ＵＥの第２のサービングセルにおいて伝送される場合、ＵＥは、ダウンリンク制御チャネルのダウンリンク制御情報ＤＣＩフォーマットにおける送信電力制御ＴＰＣコマンドフィールドに従って、物理アップリンク制御チャネルＰＵＣＣＨリソースを決定する。
【０１４７】
ステップ５０３：ＵＥは、ダウンリンク制御チャネルのＤＣＩフォーマットに従って、物理アップリンク制御チャネルＰＵＣＣＨの送信電力を決定する。
【０１４８】
このステップにおいて、ＵＥは、ステップ１において第１のサービングセルにおいて伝送されたダウンリンク制御チャネルのＤＣＩフォーマットに従って、物理アップリンク制御チャネルＰＵＣＣＨの送信電力を決定する。
【０１４９】
さらに、ダウンリンク制御チャネルに対応するハイブリッド自動再送要求確認応答が、第１のサービングセルにおいて伝送された場合、ＵＥが、ダウンリンク制御チャネルのダウンリンク制御情報ＤＣＩフォーマットにおける送信電力制御ＴＰＣコマンドフィールドに従って、ＰＵＣＣＨの送信電力を決定する。
【０１５０】
第１のサービングセルと第２のサービングセルとの両方が、ＵＥに対応するサービングセルであり、第１のサービングセルの複信モードは、第２のサービングセルの複信モードとは異なる。１つのアップリンクサブフレームのために、ステップ５０２又はステップ５０３のうちのいずれかが存在する。
【０１５１】
この実施形態では、第１のサービングセルが、ＵＥのプライマリサービングセルであり、第１のサービングセルの複信モードが、時分割複信ＴＤＤである場合、第２のサービングセルの複信モードは、周波数分割複信ＦＤＤであり、第２のサービングセルは、ＵＥの、最も小さなセルインデクスを有する、ＦＤＤセカンダリサービングセルである。或いは、第１のサービングセルが、ＵＥのプライマリサービングセルであり、第１のサービングセルの複信モードが、時分割複信ＴＤＤである場合、第２のサービングセルの複信モードは、周波数分割複信ＦＤＤであり、第２のサービングセルは、ＰＵＣＣＨを送信するために使用され、より高いレイヤシグナリングによって示される、セカンダリサービングセルである。すなわち、より高いレイヤシグナリングは、ユーザ機器のセカンダリサービングセルのうちのどのセカンダリサービングセルが、第２のサービングセルであるかを示すために使用され得る。
【０１５２】
ステップ５０４：ＵＥは、ダウンリンク制御チャネルに対応するハイブリッド自動再送要求確認応答を、ＰＵＣＣＨリソース又はＰＵＣＣＨの送信電力に従って、ＰＵＣＣＨを使用することによって、基地局へ送信する。
【０１５３】
ダウンリンク制御チャネルが、物理ダウンリンク共有チャネルＰＤＳＣＨ送信を示すために使用される場合、ダウンリンク制御チャネルに対応するハイブリッド自動再送要求確認応答は、特に、ダウンリンク制御チャネルに対応するＰＤＳＣＨのハイブリッド自動再送要求確認応答であり、ダウンリンク制御チャネルが、ダウンリンクセミパーシステントスケジューリングＳＰＳリリースを示すために使用される場合、ダウンリンク制御チャネルに対応するハイブリッド自動再送要求確認応答は、特に、ダウンリンクセミパーシステントスケジューリングＳＰＳリリースを示すダウンリンク制御チャネルに対応するハイブリッド自動再送要求確認応答である。
【０１５４】
この実施形態において提供される解決策では、ユーザ機器ＵＥは、ダウンリンクサブフレームＮでダウンリンク制御チャネルを受信する。ダウンリンク制御チャネルは、ＵＥの第１のサービングセルにおいて伝送され、ダウンリンク制御チャネルは、物理ダウンリンク制御チャネルＰＤＣＣＨ、又は、拡張物理ダウンリンク制御チャネルＥＰＤＣＣＨである。ダウンリンク制御チャネルに対応するハイブリッド自動再送要求確認応答が、ＵＥの第２のサービングセルにおいて伝送される場合、ＵＥは、ダウンリンク制御チャネルのダウンリンク制御情報ＤＣＩフォーマットにおける送信電力制御ＴＰＣコマンドフィールドに従って、物理アップリンク制御チャネルＰＵＣＣＨリソースを決定し、ダウンリンク制御チャネルに対応するハイブリッド自動再送要求確認応答が、第１のサービングセルにおいて伝送される場合、ＵＥは、ダウンリンク制御チャネルのダウンリンク制御情報ＤＣＩフォーマットにおける送信電力制御ＴＰＣコマンドフィールドに従って、ＰＵＣＣＨの送信電力を決定し、第１のサービングセルの複信モードは、第２のサービングセルの複信モードとは異なり、ＵＥは、ダウンリンク制御チャネルに対応するハイブリッド自動再送要求確認応答を、ＰＵＣＣＨリソース又はＰＵＣＣＨの送信電力に従ってＰＵＣＣＨを使用することによって送信する。前述した方法によって、異なる複信モードのキャリアのアグリゲーション中に、どのようにしてＨＡＲＱ−ＡＣＫを送信するのかという問題が解決され、同時に、ＦＤＤキャリアとＴＤＤキャリアとをアグリゲートするシナリオにおいて、どのようにしてＨＡＲＱ−ＡＣＫを送信するのかという問題が解決される。これによって、ＦＤＤキャリアにおけるすべてのダウンリンクサブフレームが、ＨＡＲＱ−ＡＣＫをフィードバックするために使用される対応するアップリンクサブフレームを有するようになる。これは、リソース利用を改善する。そして、ＦＤＤキャリアのＨＡＲＱ−ＡＣＫタイミングは変更されない。
【０１５５】
図７は、本発明に従うアップリンク制御情報送信方法の実施形態６のフローチャートである。実施形態５は、ＵＥの観点からアップリンク制御情報送信方法を記述しており、この実施形態は、基地局の観点からの説明を与える。図７に図示されるように、この実施形態において提供される方法は、以下のステップを含む。
【０１５６】
ステップ６０１：基地局が、ダウンリンクサブフレームＮでユーザ機器ＵＥへダウンリンク制御チャネルを送信する。ダウンリンクチャネルは、ＵＥの第１のサービングセルにおいて伝送される。
【０１５７】
基地局は、第１のサービングセルにおけるＵＥへダウンリンク制御チャネルを送信する。ダウンリンク制御チャネルは、物理ダウンリンク制御チャネルＰＤＣＣＨ、又は、拡張物理ダウンリンク制御チャネルＥＰＤＣＣＨであり、ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用され、第１のサービングセルは、ユーザ機器に対応するサービングセルである。ダウンリンク制御チャネルのダウンリンク制御情報ＤＣＩフォーマットは、ＤＣＩフォーマット１、ＤＣＩフォーマット１Ａ、ＤＣＩフォーマット１Ｂ、ＤＣＩフォーマット１Ｄ、ＤＣＩフォーマット２Ａ、ＤＣＩフォーマット２Ｂ、ＤＣＩフォーマット２Ｃ、及びＤＣＩフォーマット２Ｄのうちの１つ又は複数であり得る。
【０１５８】
ステップ６０２：基地局は、ダウンリンク制御チャネルのＤＣＩフォーマットを使用することによって、物理アップリンク制御チャネルＰＵＣＣＨリソースを示す。
【０１５９】
ステップ６０２では、基地局は、ステップ６０１におけるダウンリンク制御チャネルのＤＣＩフォーマットを使用することによって、物理アップリンク制御チャネルＰＵＣＣＨリソースを示す。
【０１６０】
ダウンリンク制御チャネルに対応するハイブリッド自動再送要求確認応答が、ＵＥの第２のサービングセルにおいて伝送される場合、基地局は、ダウンリンク制御チャネルのダウンリンク制御情報ＤＣＩフォーマットにおける送信電力制御ＴＰＣコマンドフィールドを使用することによって、物理アップリンク制御チャネルＰＵＣＣＨリソースを示す。
【０１６１】
ステップ６０３：基地局は、ダウンリンク制御チャネルのＤＣＩフォーマットを使用することによって、物理アップリンク制御チャネルＰＵＣＣＨの送信電力を示す。
【０１６２】
ステップ６０３では、基地局は、ステップ６０１におけるダウンリンク制御チャネルのＤＣＩフォーマットを使用することによって、物理アップリンク制御チャネルＰＵＣＣＨの送信電力を示す。
【０１６３】
ダウンリンク制御チャネルに対応するハイブリッド自動再送要求確認応答が、第１のサービングセルにおいて伝送された場合、基地局は、ダウンリンク制御チャネルのダウンリンク制御情報ＤＣＩフォーマットにおける送信電力制御ＴＰＣコマンドフィールドを使用することによって、ＰＵＣＣＨの送信電力を示す。
【０１６４】
この実施形態では、第１のサービングセルと第２のサービングセルとの両方が、ＵＥに対応するサービングセルであり、第１のサービングセルの複信モードは、第２のサービングセルの複信モードとは異なる。第１のサービングセルが、ＵＥのプライマリサービングセルであり、第１のサービングセルの複信モードが、時分割複信ＴＤＤである場合、第２のサービングセルの複信モードは、周波数分割複信ＦＤＤであり、第２のサービングセルは、ＵＥの、最も小さなセルインデクスを有する、ＦＤＤセカンダリサービングセルである。第１のサービングセルが、ＵＥのプライマリサービングセルであり、第１のサービングセルの複信モードが、時分割複信ＴＤＤである場合、第２のサービングセルの複信モードは、周波数分割複信ＦＤＤであり、第２のサービングセルは、ＰＵＣＣＨを送信するために使用され、ＵＥのセカンダリサービングセルにおいてより高いレイヤシグナリングによって示される、セカンダリサービングセルであるか、又は、第２のサービングセルは、ＰＵＣＣＨを送信するために使用され、基地局によって示されるセカンダリサービングセルである。
【０１６５】
ステップ６０４：基地局は、ＵＥによって送られ、ダウンリンク制御チャネルに対応するハイブリッド自動再送要求確認応答を、ＰＵＣＣＨリソースに従って受信する。
【０１６６】
ダウンリンク制御チャネルが、物理ダウンリンク共有チャネルＰＤＳＣＨ送信を示すために使用される場合、ダウンリンク制御チャネルに対応するハイブリッド自動再送要求確認応答は、特に、ダウンリンク制御チャネルに対応するＰＤＳＣＨのハイブリッド自動再送要求確認応答であり、ダウンリンク制御チャネルが、ダウンリンクセミパーシステントスケジューリングＳＰＳリリースを示すために使用される場合、ダウンリンク制御チャネルに対応するハイブリッド自動再送要求確認応答は、特に、ダウンリンクセミパーシステントスケジューリングＳＰＳリリースを示すダウンリンク制御チャネルに対応するハイブリッド自動再送要求確認応答である。
【０１６７】
この実施形態において提供される方法によって、異なる複信モードのキャリアのアグリゲーション中に、どのようにしてＨＡＲＱ−ＡＣＫを送信するのかという問題が解決され、同時に、ＦＤＤキャリアとＴＤＤキャリアとをアグリゲートするシナリオにおいて、どのようにしてＨＡＲＱ−ＡＣＫを送信するのかという問題が解決される。これによって、ＦＤＤキャリアにおけるすべてのダウンリンクサブフレームが、ＨＡＲＱ−ＡＣＫをフィードバックするために使用される対応するアップリンクサブフレームを有するようになる。これは、リソース利用を改善する。そして、ＦＤＤキャリアのＨＡＲＱ−ＡＣＫタイミングは変更されない。
【０１６８】
図８は、本発明に従うユーザ機器の実施形態１の概略構成図である。図８に図示されるように、この実施形態において提供されるユーザ機器は、受信モジュール７１及び送信モジュール７２を含む。
受信モジュール７１は、基地局によって送られたダウンリンク制御チャネルを、ダウンリンクサブフレームＮで受信するように構成され、ダウンリンク制御チャネルは、ＵＥの第１のサービングセルにおいて伝送され、
送信モジュール７２は、ダウンリンク制御チャネルに対応するハイブリッド自動再送要求確認応答を、物理アップリンク制御チャネルＰＵＣＣＨを使用することによって、アップリンクサブフレームＮ＋４で基地局へ送信するように構成され、アップリンクサブフレームＮ＋４が、第１のアップリンクサブフレームセットに属する場合、ＰＵＣＣＨは、ＵＥの第２のサービングセルにおいて伝送され、アップリンクサブフレームＮ＋４が、第２のアップリンクサブフレームセットに属する場合、ＰＵＣＣＨは、第１のサービングセルにおいて伝送され、第１のサービングセルの複信モードは、第２のサービングセルの複信モードとは異なり、第１のアップリンクサブフレームセットに含まれたアップリンクサブフレームの量と、第２のアップリンクサブフレームセットに含まれたアップリンクサブフレームの量との合計が、無線フレームにおけるサブフレームの量に等しく、第１のアップリンクサブフレームセットに含まれたアップリンクサブフレームと、第２のアップリンクサブフレームセットに含まれたアップリンクサブフレームとは、無線フレームにおける異なるサブフレームに対応する。
【０１６９】
この実施形態では、ダウンリンク制御チャネルが、物理ダウンリンク制御チャネルＰＤＣＣＨ、又は、拡張物理ダウンリンク制御チャネルＥＰＤＣＣＨである場合、ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用される。ダウンリンク制御チャネルが、ＰＤＳＣＨ送信を示すために使用される場合、ダウンリンク制御チャネルに対応するハイブリッド自動再送要求確認応答は、特に、ダウンリンク制御チャネルに対応するＰＤＳＣＨのハイブリッド自動再送要求確認応答であり、ダウンリンク制御チャネルが、ＳＰＳリリースを示すために使用される場合、ダウンリンク制御チャネルに対応するハイブリッド自動再送要求確認応答は、特に、ＳＰＳリリースを示すダウンリンク制御チャネルに対応するハイブリッド自動再送要求確認応答である。
【０１７０】
この実施形態では、第１のサービングセルと第２のサービングセルとの両方が、ＵＥにサービスを提供するが、第１のサービングセルの複信モードは、第２のサービングセルの複信モードとは異なる。第１のサービングセルの複信モードが、時分割複信ＴＤＤであり、第２のサービングセルの複信モードが、周波数分割複信ＦＤＤである場合、第２のアップリンクサブフレームセットに含まれたアップリンクサブフレームは、第１のサービングセルの、無線フレームにおける、アップリンクサブフレームに対応し、第１のアップリンクサブフレームセットに含まれたアップリンクサブフレームは、無線フレームにおける、第１のアップリンクサブフレームセットに含まれたアップリンクサブフレームを除く、他のアップリンクサブフレームに対応する。第１のサービングセルの複信モードがＦＤＤであり、第２のサービングセルの複信モードがＴＤＤである場合、第１のアップリンクサブフレームセットに含まれたアップリンクサブフレームは、第１のサービングセルの、無線フレームにおける、アップリンクサブフレームに対応し、第２のアップリンクサブフレームセットに含まれたアップリンクサブフレームは、無線フレームにおける、第１のアップリンクサブフレームセットに含まれたアップリンクサブフレームを除く、他のアップリンクサブフレームに対応する。
【０１７１】
さらに、この実施形態において提供されるユーザ機器はさらに、ＰＵＣＣＨのＰＵＣＣＨリソース及び／又はＰＵＣＣＨ送信電力を取得するように構成された取得モジュールを含み得る。特に、アップリンクサブフレームＮ＋４が、第１のアップリンクサブフレームセットに属する場合、取得モジュールは特に、ダウンリンク制御チャネルのダウンリンク制御情報ＤＣＩフォーマットにおける送信電力制御ＴＰＣコマンドフィールドに従って、ＰＵＣＣＨリソースを決定するように構成される。アップリンクサブフレームＮ＋４が、第２のアップリンクサブフレームセットに属する場合、取得モジュールは特に、ダウンリンク制御チャネルのダウンリンク制御情報ＤＣＩフォーマットにおける送信電力制御ＴＰＣコマンドフィールドに従って、ＰＵＣＣＨ送信電力を決定するように構成される。
【０１７２】
この実施形態において提供されるユーザ機器は、方法実施形態１において図示される技術的解決策を実行するように構成され得る。特定の実施方式及び技術的効果は、この方法のものに類似しており、本明細書では、詳細は再度記述されない。
【０１７３】
図９は、本発明に従う基地局の実施形態１の概略構成図である。図９に図示されるように、この実施形態において提供される基地局は、送信モジュール８１と受信モジュール８２とを含み、
送信モジュール８１は、ダウンリンクサブフレームＮで、ユーザ機器ＵＥへダウンリンク制御チャネルを送信するように構成され、ダウンリンク制御チャネルは、ＵＥの第１のサービングセルにおいて伝送され、
受信モジュール８２は、物理アップリンク制御チャネルＰＵＣＣＨを使用することによってＵＥによって送られ、ダウンリンク制御チャネルに対応するハイブリッド自動再送要求確認応答を、アップリンクサブフレームＮ＋４で受信するように構成され、アップリンクサブフレームＮ＋４が、第１のアップリンクサブフレームセットに属する場合、ＰＵＣＣＨは、ＵＥの第２のサービングセルにおいて伝送され、アップリンクサブフレームＮ＋４が、第２のアップリンクサブフレームセットに属する場合、ＰＵＣＣＨは、第１のサービングセルにおいて伝送され、第１のサービングセルの複信モードは、第２のサービングセルの複信モードとは異なり、第１のアップリンクサブフレームセットに含まれたアップリンクサブフレームの量と、第２のアップリンクサブフレームセットに含まれたアップリンクサブフレームの量との合計が、無線フレームにおけるサブフレームの量に等しく、第１のアップリンクサブフレームセットに含まれたアップリンクサブフレーム、及び第２のアップリンクサブフレームセットに含まれたアップリンクサブフレームは、無線フレームにおける異なるサブフレームに対応する。
【０１７４】
この実施形態では、ダウンリンク制御チャネルは、物理ダウンリンク制御チャネルＰＤＣＣＨ、又は、拡張物理ダウンリンク制御チャネルＥＰＤＣＣＨであり、ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用される。ダウンリンク制御チャネルが、ＰＤＳＣＨ送信を示すために使用される場合、ダウンリンク制御チャネルに対応するハイブリッド自動再送要求確認応答は、特に、ダウンリンク制御チャネルに対応するＰＤＳＣＨのハイブリッド自動再送要求確認応答であり、ダウンリンク制御チャネルが、ＳＰＳリリースを示すために使用される場合、ダウンリンク制御チャネルに対応するハイブリッド自動再送要求確認応答は、特に、ＳＰＳリリースを示すダウンリンク制御チャネルに対応するハイブリッド自動再送要求確認応答である。
【０１７５】
この実施形態では、第１のサービングセルの複信モードは、第２のサービングセルの複信モードとは異なる。第１のサービングセルの複信モードが、時分割複信ＴＤＤであり、第２のサービングセルの複信モードが、周波数分割複信ＦＤＤである場合、第２のアップリンクサブフレームセットに含まれたアップリンクサブフレームは、第１のサービングセルの、無線フレームにおける、アップリンクサブフレームに対応し、第１のアップリンクサブフレームセットに含まれたアップリンクサブフレームは、無線フレームにおける、第２のアップリンクサブフレームセットに含まれたアップリンクサブフレームを除く、他のアップリンクサブフレームに対応する。第１のサービングセルの複信モードがＦＤＤであり、第２のサービングセルの複信モードがＴＤＤである場合、第１のアップリンクサブフレームセットに含まれたアップリンクサブフレームは、第１のサービングセルの、無線フレームにおける、アップリンクサブフレームに対応し、第２のアップリンクサブフレームセットに含まれたアップリンクサブフレームは、無線フレームにおける、第１のアップリンクサブフレームセットに含まれたアップリンクサブフレームを除く、他のアップリンクサブフレームに対応する。
【０１７６】
この実施形態において提供される基地局は、方法実施形態２における技術的解決策を実行するように構成され得る。特定の実施方式及び技術的効果は、この方法のものに類似しており、本明細書では、詳細は再度記述されない。
【０１７７】
図１０は、本発明に従うユーザ機器の実施形態２の概略構成図である。図１０に図示するように、この実施形態において提供されるユーザ機器は、受信モジュール９１と送信モジュール９２とを含み、
受信モジュール９１は、ダウンリンクサブフレームＮでダウンリンク制御チャネルを受信するように構成され、ダウンリンク制御チャネルは、ＵＥの第１のサービングセルにおいて伝送され、第１のサービングセルの複信モードは、時分割複信ＴＤＤであり、
送信モジュール９２は、物理アップリンク制御チャネルＰＵＣＣＨを使用することによって、ダウンリンク制御チャネルに対応するハイブリッド自動再送要求確認応答を、アップリンクサブフレームＮ＋４で送信するように構成され、ＰＵＣＣＨはＵＥの第２のサービングセルにおいて伝送され、第２のサービングセルの複信モードは、周波数分割複信ＦＤＤである。
【０１７８】
この実施形態では、ダウンリンク制御チャネルは、物理ダウンリンク制御チャネルＰＤＣＣＨ、又は、拡張物理ダウンリンク制御チャネルＥＰＤＣＣＨであり、ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用される。ダウンリンク制御チャネルが、ＰＤＳＣＨ送信を示すために使用される場合、ダウンリンク制御チャネルに対応するハイブリッド自動再送要求確認応答は、特に、ダウンリンク制御チャネルに対応するＰＤＳＣＨのハイブリッド自動再送要求確認応答であり、ダウンリンク制御チャネルが、ＳＰＳリリースを示すために使用される場合、ダウンリンク制御チャネルに対応するハイブリッド自動再送要求確認応答は、特に、ＳＰＳリリースを示すダウンリンク制御チャネルに対応するハイブリッド自動再送要求確認応答である。
【０１７９】
さらに、この実施形態におけるユーザ機器はさらに、ＰＵＣＣＨのＰＵＣＣＨリソースを取得するように構成された取得モジュールを含み得る。取得モジュールは特に、ダウンリンク制御チャネルのダウンリンク制御情報ＤＣＩフォーマットにおけるダウンリンク割当インジケーションＤＡＩ又は送信電力制御ＴＰＣコマンドに従って、ＰＵＣＣＨリソースを決定するように構成される。
【０１８０】
この実施形態では、第１のサービングセルは、ＵＥのプライマリサービングセルであり得る。そして、第２のサービングセルは、ＵＥのセカンダリサービングセルである。第２のサービングセルは特に、ＵＥの、最も小さなセルインデクスを有する、ＦＤＤセカンダリサービングセルであり得るか、又は、第２のサービングセルは、より高いレイヤシグナリングによって示される、ＰＵＣＣＨを送信するために使用される、セカンダリサービングセルである。
【０１８１】
この実施形態において提供されるユーザ機器は、方法実施形態３における技術的解決策を実行するように構成され得る。特定の実施方式及び技術的効果は、この方法のものに類似しており、本明細書では、詳細は再度記述されない。
【０１８２】
図１１は、本発明に従う基地局の実施形態２の概略構成図である。図１１に図示されるように、この実施形態において提供される基地局は、送信モジュール１１と受信モジュール１２とを含み、
送信モジュール１１は、ダウンリンクサブフレームＮで、ユーザ機器ＵＥへダウンリンク制御チャネルを送信するように構成され、ダウンリンク制御チャネルは、ＵＥの第１のサービングセルにおいて伝送され、第１のサービングセルの複信モードは、時分割複信ＴＤＤであり、ダウンリンク制御チャネルのダウンリンク制御情報ＤＣＩフォーマットにおけるダウンリンク割当インジケーションＤＡＩ又は送信電力制御ＴＰＣコマンドは、物理アップリンク制御チャネルＰＵＣＣＨリソースを示すために使用され、
受信モジュール１２は、ＰＵＣＣＨを使用することによってＵＥによって送られ、ダウンリンク制御チャネルに対応するハイブリッド自動再送要求確認応答を、ＰＵＣＣＨリソースに従って、アップリンクサブフレームＮ＋４で受信するように構成され、ＰＵＣＣＨはＵＥの第２のサービングセルにおいて伝送され、第２のサービングセルの複信モードは、周波数分割複信ＦＤＤである。
【０１８３】
この実施形態では、ダウンリンク制御チャネルは、物理ダウンリンク制御チャネルＰＤＣＣＨ、又は、拡張物理ダウンリンク制御チャネルＥＰＤＣＣＨであり、ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用される。ダウンリンク制御チャネルが、ＰＤＳＣＨ送信を示すために使用される場合、ダウンリンク制御チャネルに対応するハイブリッド自動再送要求確認応答は、特に、ダウンリンク制御チャネルに対応するＰＤＳＣＨのハイブリッド自動再送要求確認応答であり、ダウンリンク制御チャネルが、ＳＰＳリリースを示すために使用される場合、ダウンリンク制御チャネルに対応するハイブリッド自動再送要求確認応答は、特に、ＳＰＳリリースを示すダウンリンク制御チャネルに対応するハイブリッド自動再送要求確認応答である。
【０１８４】
この実施形態では、第１のサービングセルは、ＵＥのプライマリサービングセルであり得る。そして、第２のサービングセルは、ＵＥのセカンダリサービングセルである。特に、第２のサービングセルは、特に、ＵＥの、最も小さなセルインデクスを有する、ＦＤＤセカンダリサービングセルであり得るか、又は、第２のサービングセルは、より高いレイヤシグナリングを使用することによって基地局によって示される、ＰＵＣＣＨを送信するために使用される、セカンダリサービングセルである。
【０１８５】
この実施形態において提供される基地局は、方法実施形態４における技術的解決策を実行するように構成され得る。特定の実施方式及び技術的効果は、この方法のものに類似しており、本明細書では、詳細は再度記述されない。
【０１８６】
図１２は、本発明に従うユーザ機器の実施形態３の概略構成図である。図１２に図示されるように、この実施形態におけるユーザ機器は、受信モジュール２１、決定モジュール２２、及び送信モジュール２３を含み、
受信モジュール２１は、ダウンリンクサブフレームＮでダウンリンク制御チャネルを受信するように構成され、ダウンリンク制御チャネルは、ＵＥの第１のサービングセルにおいて伝送され、ダウンリンク制御チャネルは、物理ダウンリンク制御チャネルＰＤＣＣＨ、又は、拡張物理ダウンリンク制御チャネルＥＰＤＣＣＨであり、
決定モジュール２２は、ダウンリンク制御チャネルに対応するハイブリッド自動再送要求確認応答が、ＵＥの第２のサービングセルにおいて伝送された場合、ＵＥによって、ダウンリンク制御チャネルのダウンリンク制御情報ＤＣＩフォーマットにおける送信電力制御ＴＰＣコマンドフィールドに従って、物理アップリンク制御チャネルＰＵＣＣＨリソースを決定し、ダウンリンク制御チャネルに対応するハイブリッド自動再送要求確認応答が、第１のサービングセルにおいて伝送された場合、ＵＥによって、ダウンリンク制御チャネルのダウンリンク制御情報ＤＣＩフォーマットにおける送信電力制御ＴＰＣコマンドフィールドに従って、ＰＵＣＣＨの送信電力を決定するように構成され、第１のサービングセルの複信モードは、第２のサービングセルの複信モードとは異なり、
送信モジュール２３は、ダウンリンク制御チャネルに対応するハイブリッド自動再送要求確認応答を、ＰＵＣＣＨリソース又はＰＵＣＣＨの送信電力に従って、ＰＵＣＣＨを使用することによって送信するように構成される。
【０１８７】
この実施形態では、ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用される。ダウンリンク制御チャネルが、ＰＤＳＣＨ送信を示すために使用される場合、ダウンリンク制御チャネルに対応するハイブリッド自動再送要求確認応答は、特に、ダウンリンク制御チャネルに対応するＰＤＳＣＨのハイブリッド自動再送要求確認応答であり、ダウンリンク制御チャネルが、ＳＰＳリリースを示すために使用される場合、ダウンリンク制御チャネルに対応するハイブリッド自動再送要求確認応答は、特に、ＳＰＳリリースを示すダウンリンク制御チャネルに対応するハイブリッド自動再送要求確認応答である。
【０１８８】
この実施形態では、第１のサービングセルは、ＵＥのプライマリサービングセルであり得る。そして、第１のサービングセルの複信モードは、時分割複信ＴＤＤであり、第２のサービングセルの複信モードは、周波数分割複信ＦＤＤであり、第２のサービングセルは、ＵＥの、最も小さなセルインデクスを有する、ＦＤＤセカンダリサービングセルである。
【０１８９】
或いは、第１のサービングセルが、ＵＥのプライマリサービングセルであり、第１のサービングセルの複信モードが、時分割複信ＴＤＤである場合、第２のサービングセルの複信モードは、周波数分割複信ＦＤＤであり、第２のサービングセルは、より高いレイヤシグナリングによって示される、ＰＵＣＣＨを送信するために使用される、セカンダリサービングセルである。
【０１９０】
この実施形態において提供されるユーザ機器は、方法実施形態５における技術的解決策を実行するように構成され得る。特定の実施方式及び技術的効果は、この方法のものに類似しており、本明細書では、詳細は再度記述されない。
【０１９１】
図１３は、本発明に従う基地局の実施形態３の概略構成図である。図１３に図示されるように、この実施形態において提供される基地局は、送信モジュール３１、インジケーションモジュール３２、及び受信モジュール３３を含み、
送信モジュール３１は、ダウンリンクサブフレームＮで、ユーザ機器ＵＥへダウンリンク制御チャネルを送信するように構成され、ダウンリンクチャネルは、ＵＥの第１のサービングセルにおいて伝送され、ダウンリンク制御チャネルは、物理ダウンリンク制御チャネルＰＤＣＣＨ、又は、拡張物理ダウンリンク制御チャネルＥＰＤＣＣＨであり、
インジケーションモジュール３２は、ダウンリンク制御チャネルに対応するハイブリッド自動再送要求確認応答が、ＵＥの第２のサービングセルにおいて伝送された場合、ダウンリンク制御チャネルのダウンリンク制御情報ＤＣＩフォーマットにおける送信電力制御ＴＰＣコマンドフィールドを使用することによって、物理アップリンク制御チャネルＰＵＣＣＨリソースを示し、ダウンリンク制御チャネルに対応するハイブリッド自動再送要求確認応答が、第１のサービングセルにおいて伝送された場合、ダウンリンク制御チャネルのダウンリンク制御情報ＤＣＩフォーマットにおける送信電力制御ＴＰＣコマンドフィールドを使用することによって、ＰＵＣＣＨの送信電力を示すように構成され、第１のサービングセルの複信モードは、第２のサービングセルの複信モードとは異なり、
受信モジュール３３は、ＵＥによって送られ、ダウンリンク制御チャネルに対応するハイブリッド自動再送要求確認応答を、ＰＵＣＣＨリソースに従って受信するように構成される。
【０１９２】
ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用される。
【０１９３】
ダウンリンク制御チャネルが、物理ダウンリンク共有チャネルＰＤＳＣＨ送信を示すために使用される場合、ダウンリンク制御チャネルに対応するハイブリッド自動再送要求確認応答は、特に、ダウンリンク制御チャネルに対応するＰＤＳＣＨのハイブリッド自動再送要求確認応答であり、ダウンリンク制御チャネルが、ダウンリンクセミパーシステントスケジューリングＳＰＳリリースを示すために使用される場合、ダウンリンク制御チャネルに対応するハイブリッド自動再送要求確認応答は、特に、ダウンリンクセミパーシステントスケジューリングＳＰＳリリースを示すダウンリンク制御チャネルに対応するハイブリッド自動再送要求確認応答である。
【０１９４】
この実施形態では、第１のサービングセルは、ＵＥのプライマリサービングセルであり得、第１のサービングセルの複信モードは、時分割複信ＴＤＤであり、第２のサービングセルの複信モードは、周波数分割複信ＦＤＤであり、第２のサービングセルは、ＵＥの、最も小さなセルインデクスを有する、ＦＤＤセカンダリサービングセルである。或いは、第１のサービングセルが、ＵＥのプライマリサービングセルであり、第１のサービングセルの複信モードが、時分割複信ＴＤＤである場合、第２のサービングセルの複信モードは、周波数分割複信ＦＤＤであり、第２のサービングセルは、より高いレイヤシグナリングによって示される、ＰＵＣＣＨを送信するために使用される、セカンダリサービングセルである。
【０１９５】
この実施形態において提供される基地局は、方法実施形態６における技術的解決策を実行するように構成され得る。特定の実施方式及び技術的効果は、この方法のものに類似しており、本明細書では、詳細は再度記述されない。
【０１９６】
図１４は、本発明に従うアップリンク制御情報送信方法の実施形態７のフローチャートである。図１４に図示されるように、この実施形態において提供される方法は、以下のステップを含む。
【０１９７】
ステップ１４０１：ＵＥは、ＵＥの第１のサービングセルにおいて伝送されたダウンリンク制御チャネルを受信する。ダウンリンク制御チャネルは、ＵＥの第２のサービングセルにおいて伝送されたＰＤＳＣＨ送信を示すために使用され、第１のサービングセルの複信モードは、時分割複信ＴＤＤであり、第２のサービングセルの複信モードは、周波数分割複信ＦＤＤである。
【０１９８】
異なる複信モードのキャリアのアグリゲーション中に、ユーザ機器のために、キャリア間スケジューリングが設定されたのであれば、ＦＤＤサービングセルにおいて伝送されたＰＤＳＣＨに対応するダウンリンク制御チャネルが、ＴＤＤサービングセルにおいて伝送されることが生じ得る。
【０１９９】
このステップでは、第２のサービングセルのＨＡＲＱ−ＡＣＫタイミングが、第１のサービングセルのＨＡＲＱ−ＡＣＫタイミングに従って実行される場合、第２のサービングセルにおける多数のダウンリンクサブフレームに対応するＨＡＲＱ−ＡＣＫが、第１のサービングセルに対応する１つのアップリンクサブフレームでフィードバックされる。このケースでは、ステップ１４０１で受信されたダウンリンク制御チャネルは、多数のダウンリンクサブフレームで受信されたダウンリンク制御チャネルを含み得る。受信された第１のダウンリンク制御チャネルのＤＣＩフォーマットにおけるＤＡＩは１に等しく、受信された第２のダウンリンク制御チャネルのＤＣＩフォーマットにおけるＤＡＩは２に等しいという具合である。
【０２００】
このステップにおいて、第２のサービングセルのＨＡＲＱ−ＡＣＫタイミングが、第２のサービングセルのＨＡＲＱ−ＡＣＫタイミングに従って、すなわち、ＦＤＤサービングセルのＨＡＲＱ−ＡＣＫタイミングに従って、実行される場合、ステップ１４０１において受信されたダウンリンク制御チャネルは、１つのダウンリンクサブフレームにおいて受信されたダウンリンク制御チャネルのみに対応する。
【０２０１】
このステップにおけるダウンリンク制御チャネルは、ＰＤＣＣＨ又はＥＰＤＣＣＨであり得る。
【０２０２】
ステップ１４０２：ＵＥは、物理アップリンク制御チャネルＰＵＣＣＨリソースを決定する。
【０２０３】
このように、ＵＥは、以下のいくつかの方式で、ＰＵＣＣＨリソースを決定し得る。
【０２０４】
方式１：ＵＥは、第１のサービングセルにおいて伝送されたダウンリンク制御チャネルのＤＣＩフォーマットにおけるＴＰＣコマンドフィールドに従って、ＰＵＣＣＨリソースを決定する。
【０２０５】
特に、ＵＥは、第１のサービングセルにおいて伝送されたダウンリンク制御チャネルの、ＤＡＩが１に等しい、ＤＣＩフォーマットにおけるＴＰＣコマンドフィールドに従って、ＰＵＣＣＨリソースを決定する。ＰＵＣＣＨリソースに対応するＰＲＢは、ＵＥの第２のサービングセルに位置する。
【０２０６】
方式１では、ステップ１４０２はさらに、ＵＥによって、ＰＵＣＣＨの送信電力を決定するステップを含み得る。特に、ＵＥは、第１のサービングセルにおいて伝送されたダウンリンク制御チャネルの、ＤＡＩが１よりも大きい、ＤＣＩフォーマットにおけるＴＰＣコマンドフィールドに従って、ＰＵＣＣＨの送信電力を決定する。
【０２０７】
方式１は、第１のサービングセルのＨＡＲＱ−ＡＣＫタイミングに従って、第２のサービングセルのＨＡＲＱ−ＡＣＫタイミングが実行されるケースに適用可能である。
【０２０８】
方式１では、ＰＵＣＣＨリソースは、ＤＣＩフォーマットにおけるＴＰＣを使用することによって示され、ＰＵＣＣＨリソースは、動的な表示によって示され得、ユーザは、ＰＵＣＣＨリソースを再使用し得る。その結果、ＰＵＣＣＨリソースの利用を改善する。
【０２０９】
方式２：ＵＥは、より高いレイヤシグナリングに従って、ＰＵＣＣＨリソースを決定する。
【０２１０】
方式２では、ＵＥは、より高いレイヤシグナリングに従って、ＰＵＣＣＨリソースを決定する、すなわち、ＰＵＣＣＨリソースは、より高いレイヤシグナリングを使用することによって示される。より高いレイヤシグナリングは、無線リソース制御（Ｒａｄｉｏ  Ｒｅｓｏｕｒｃｅ  Ｃｏｎｔｒｏｌ，略してＲＲＣ）シグナリングであり得る。このケースでは、ＰＵＣＣＨリソースは、半静的に確保される。
【０２１１】
方式２では、ステップ１４０２はさらに、ＵＥによって、ＰＵＣＣＨの送信電力を決定するステップを含み得る。特に、ＵＥは、第１のサービングセルにおいて伝送されたダウンリンク制御チャネルのＤＣＩフォーマットにおけるＴＰＣコマンドフィールドに従って、ＰＵＣＣＨの送信電力を決定する。
【０２１２】
方式２では、ＰＵＣＣＨリソースが、半静的に確保される。これによって、方式２は、いずれのシナリオにも適用可能となり、ＰＵＣＣＨリソースのＴＰＣが常に取得され得る。その結果、電力制御効率を改善する。
【０２１３】
方式３：ＵＥは、第１のサービングセルにおいて伝送されたダウンリンク制御チャネルのＤＣＩフォーマットにおける、あらかじめ定義されたフィールドに従って、ＰＵＣＣＨリソースを決定する。
【０２１４】
方式３では、あらかじめ定義されたフィールドは、ＤＣＩフォーマットに追加された新たなフィールドであり得る。このフィールドは、２ビット情報に相当する。
【０２１５】
方式３では、ステップ１４０２はさらに、ＵＥによって、ＰＵＣＣＨの送信電力を決定するステップを含み得る。特に、ＵＥは、第１のサービングセルにおいて伝送されたダウンリンク制御チャネルのＤＣＩフォーマットにおけるＴＰＣコマンドフィールドに従って、ＰＵＣＣＨの送信電力を決定する。
【０２１６】
方式３では、ＰＵＣＣＨリソースは、ＤＣＩフォーマットにおけるＴＰＣを使用することによって示され、ＰＵＣＣＨリソースは、動的な表示によって示され得る。そして、ユーザは、ＰＵＣＣＨリソースを再使用し得る。その結果、ＰＵＣＣＨリソースの利用を改善する。その間、方式３は、いずれのシナリオにも適用可能である。
【０２１７】
方式４：ＵＥは、第１のサービングセルにおいて伝送されたダウンリンク制御チャネルのＤＣＩフォーマットにおけるＨＡＲＱ−ＡＣＫリソースオフセット（ｒｅｓｏｕｒｃｅ  ｏｆｆｓｅｔ）フィールドに従って、ＰＵＣＣＨリソースを決定する。
【０２１８】
方式４は、ダウンリンク制御チャネルがＥＰＤＣＣＨであるケースに適用可能である。方法４では、ステップ１４０２はさらに、ＵＥによって、ＰＵＣＣＨの送信電力を決定するステップを含み得る。特に、ＵＥは、第１のサービングセルにおいて伝送されたダウンリンク制御チャネルのＤＣＩフォーマットにおけるＴＰＣコマンドフィールドに従って、ＰＵＣＣＨの送信電力を決定する。
【０２１９】
方式４では、ＰＵＣＣＨリソースは、ＤＣＩフォーマットにおけるＴＰＣを使用することにより示され、ＰＵＣＣＨリソースは、動的な表示によって示され得る。そして、ユーザは、ＰＵＣＣＨリソースを再使用し得る。その結果、ＰＵＣＣＨリソースの利用を改善する。
【０２２０】
ステップ１４０３：ＵＥは、ＵＥの第２のサービングセルにおいて伝送されたＰＵＣＣＨを使用することによって、ＰＵＣＣＨリソースに従って、ＰＤＳＣＨのＨＡＲＱ−ＡＣＫを送信する。
【０２２１】
このステップでは、ＵＥは、ＵＥの第２のサービングセルにおいて伝送されたＰＵＣＣＨを使用することによって、ＰＵＣＣＨリソースに従って、ＰＤＳＣＨのＨＡＲＱ−ＡＣＫを送信する。すなわち、ＵＥの第２のサービングセルにおいて伝送されたＰＵＣＣＨを使用することによって、ＰＵＣＣＨリソースに従って、ステップ１４０１におけるＰＤＳＣＨのＨＡＲＱ−ＡＣＫを送信する。
【０２２２】
このステップはさらに、ＵＥの第２のサービングセルにおいて伝送されたＰＵＣＣＨを使用することによって、ＰＵＣＣＨリソース及びＰＵＣＣＨ送信電力に従って、ＰＤＳＣＨのＨＡＲＱ−ＡＣＫを、ＵＥによって送信するステップであり得る。
【０２２３】
本発明のこの実施形態は、異なる複信モードのキャリアのアグリゲーション中に、どのようにしてＨＡＲＱ−ＡＣＫを送信するのかという問題を解決し、同時に、キャリア間スケジューリングのケースにおいて、ＰＵＣＣＨリソースをどのようにして示すのかという問題を解決する。たとえば、異なる複信モードのキャリアのアグリゲーション中に、キャリア間スケジューリングが設定され、そして、ＰＤＳＣＨに対応するダウンリンク制御チャネルを伝送するサービングセルが、ＰＤＳＣＨに対応するＨＡＲＱ−ＡＣＫを伝送するサービングセルとは異なる場合、ＵＥは、ダウンリンク制御チャネルのリソースに従って、ＰＵＣＣＨリソースを暗黙的に計算することはできない。したがって、ＰＵＣＣＨリソースをどのようにして示すのかが解決される必要がある。
【０２２４】
図１５は、本発明に従うアップリンク制御情報送信方法の実施形態８のフローチャートである。この実施形態は、基地局の観点から実施形態７における方法を記述する。図１５に図示されるように、この実施形態において提供される方法は、以下のステップを含む。
【０２２５】
ステップ１５０１：基地局は、ダウンリンク制御チャネルを、ＵＥの第１のサービングセルにおいて、ＵＥへ送り、ダウンリンク制御チャネルは、ＵＥの第２のサービングセルにおいて伝送されたＰＤＳＣＨ送信を示すために使用され、第１のサービングセルの複信モードは、時分割複信ＴＤＤであり、第２のサービングセルの複信モードは、周波数分割複信ＦＤＤである。
【０２２６】
このステップでは、第２のサービングセルのＨＡＲＱ−ＡＣＫタイミングが、第１のサービングセルのＨＡＲＱ−ＡＣＫタイミングに従って実行される場合、第２のサービングセルにおける多数のダウンリンクサブフレームに対応するＨＡＲＱ−ＡＣＫが、第１のサービングセルに対応する１つのアップリンクサブフレームでフィードバックされる。このケースでは、ステップ１５０１において、基地局は、多数のダウンリンクサブフレームで、ＵＥの第１のサービングセルにおけるＵＥへ、ダウンリンク制御チャネルを送信する。送られた第１のダウンリンク制御チャネルのＤＣＩフォーマットにおけるＤＡＩは、１に等しく、送られた第２のダウンリンク制御チャネルのＤＣＩフォーマットにおけるＤＡＩは、２に等しいという具合である。
【０２２７】
このステップでは、第２のサービングセルのＨＡＲＱ−ＡＣＫタイミングが、第２のサービングセルのＨＡＲＱ−ＡＣＫタイミングに従って、すなわち、ＦＤＤサービングセルのＨＡＲＱ−ＡＣＫタイミングに従って、実行された場合、ステップ１５０１において、ＵＥの第１のサービングセルにおけるＵＥへ、基地局によって送られたダウンリンク制御チャネルは、１つのダウンリンクサブフレームで受信されたダウンリンク制御チャネルのみに対応する。
【０２２８】
このステップの他の記述のために、実施形態７におけるステップ１４０１の記述を参照し、本明細書では、詳細は再度記述されない。
【０２２９】
ステップ１５０２：基地局は、物理アップリンク制御チャネルＰＵＣＣＨリソースを示す。
【０２３０】
このように、基地局は、以下のいくつかの方式で、ＰＵＣＣＨリソースを示し得る。
【０２３１】
方式１：基地局は、第１のサービングセルにおいて伝送されたダウンリンク制御チャネルのＤＣＩフォーマットにおけるＴＰＣコマンドフィールドを使用することによって、ＰＵＣＣＨリソースを示す。
【０２３２】
特に、基地局は、第１のサービングセルにおいて伝送されたダウンリンク制御チャネルの、ＤＡＩが１に等しい、ＤＣＩフォーマットにおけるＴＰＣコマンドフィールドを使用することによって、ＰＵＣＣＨリソースを示す。ＰＵＣＣＨリソースに対応するＰＲＢは、ＵＥの第２のサービングセル上に位置する。
【０２３３】
方式１では、ステップ１５０２はさらに、基地局によって、ＰＵＣＣＨの送信電力を示すステップを含み得る。特に、基地局は、第１のサービングセルにおいて伝送されたダウンリンク制御チャネルの、ＤＡＩが１よりも大きい、ＤＣＩフォーマットにおけるＴＰＣコマンドフィールドを使用することによって、ＰＵＣＣＨの送信電力を示す。
【０２３４】
方式１は、第１のサービングセルのＨＡＲＱ−ＡＣＫタイミングに従って、第２のサービングセルのＨＡＲＱ−ＡＣＫタイミングが実行されるケースに適用可能である。
【０２３５】
方式１では、ＰＵＣＣＨリソースは、ＤＣＩフォーマットにおけるＴＰＣを使用することによって示され、ＰＵＣＣＨリソースは、動的な表示によって示され得、ユーザは、ＰＵＣＣＨリソースを再使用し得る。その結果、ＰＵＣＣＨリソースの利用を改善する。
【０２３６】
方式２：基地局は、より高いレイヤシグナリングを使用することによって、ＰＵＣＣＨリソースを示す。
【０２３７】
方式２では、基地局は、より高いレイヤシグナリングを使用することによってＰＵＣＣＨリソースを示す。より高いレイヤシグナリングは、無線リソース制御ＲＲＣシグナリングであり得る。このケースでは、ＰＵＣＣＨリソースは、半静的に確保される。
【０２３８】
方式２では、ステップ１５０２はさらに、基地局によって、ＰＵＣＣＨの送信電力を示すステップを含み得る。特に、基地局は、第１のサービングセルにおいて伝送されたダウンリンク制御チャネルのＤＣＩフォーマットにおけるＴＰＣコマンドフィールドを使用することによって、ＰＵＣＣＨの送信電力を示す。
【０２３９】
方式２では、ＰＵＣＣＨリソースは、半静的に確保される。これによって、方式２は、いずれのシナリオにも適用可能となり、ＰＵＣＣＨリソースのＴＰＣが常に取得され得、その結果、電力制御効率を改善する。
【０２４０】
方式３：基地局は、第１のサービングセルにおいて伝送されたダウンリンク制御チャネルのＤＣＩフォーマットにおけるあらかじめ定義されたフィールドを使用することによって、ＰＵＣＣＨリソースを示す。
【０２４１】
方式３では、あらかじめ定義されたフィールドは、ＤＣＩフォーマットに追加された新たなフィールドであり得る。このフィールドは、２ビット情報に相当する。
【０２４２】
方式３では、ステップ１５０２はさらに、基地局によって、ＰＵＣＣＨの送信電力を示すステップを含み得る。特に、基地局は、第１のサービングセルにおいて伝送されたダウンリンク制御チャネルのＤＣＩフォーマットにおけるＴＰＣコマンドフィールドを使用することによって、ＰＵＣＣＨの送信電力を示す。
【０２４３】
方式３では、ＰＵＣＣＨリソースは、ＤＣＩフォーマットにおけるＴＰＣを使用することによって示され、ＰＵＣＣＨリソースは、動的な表示によって示され得、ユーザは、ＰＵＣＣＨリソースを再使用し得る。その結果、ＰＵＣＣＨリソースの利用を改善する。その間、方式３は、いずれのシナリオにも適用可能である。
【０２４４】
方式４：基地局は、第１のサービングセルにおいて伝送されたダウンリンク制御チャネルのＤＣＩフォーマットにおけるＨＡＲＱ−ＡＣＫリソースオフセット（ｒｅｓｏｕｒｃｅ  ｏｆｆｓｅｔ）フィールドを使用することによって、ＰＵＣＣＨリソースを示す。
【０２４５】
方式４は、ダウンリンク制御チャネルがＥＰＤＣＣＨであるケースに適用可能である。方式４では、ステップ１５０２はさらに、基地局によって、ＰＵＣＣＨの送信電力を示すステップを含み得る。特に、基地局は、第１のサービングセルにおいて伝送されたダウンリンク制御チャネルのＤＣＩフォーマットにおけるＴＰＣコマンドフィールドを使用することによって、ＰＵＣＣＨの送信電力を示す。
【０２４６】
方式４では、ＰＵＣＣＨリソースは、ＤＣＩフォーマットにおけるＴＰＣを使用することによって示され、ＰＵＣＣＨリソースは、動的な表示によって示され得、ユーザは、ＰＵＣＣＨリソースを再使用し得る。その結果、ＰＵＣＣＨリソースの利用を改善する。
【０２４７】
ステップ１５０３：基地局は、ＵＥの第２のサービングセルにおいて伝送されたＰＵＣＣＨを使用することによって、ＵＥによって送られた、ＰＤＳＣＨのＨＡＲＱ−ＡＣＫを、ＰＵＣＣＨリソースに従って受信する。
【０２４８】
このステップにおいて、基地局は、ＵＥの第２のサービングセルにおいて伝送されたＰＵＣＣＨを使用することによって、ＵＥによって送られた、ＰＤＳＣＨのＨＡＲＱ−ＡＣＫを、ＰＵＣＣＨリソースに従って受信する。すなわち、ステップ１５０１において、ＵＥの第２のサービングセルにおいて伝送されたＰＵＣＣＨを使用することによって、ＵＥによって送られた、ＰＤＳＣＨのＨＡＲＱ−ＡＣＫを受信する。
【０２４９】
本発明のこの実施形態は、異なる複信モードのキャリアのアグリゲーション中に、ＨＡＲＱ−ＡＣＫをどのようにして送信するのかという問題を解決し、同時に、キャリア間スケジューリングのケースにおいて、ＰＵＣＣＨリソースをどのようにして示すのかという問題を解決する。たとえば、異なる複信モードのキャリアのアグリゲーション中に、キャリア間スケジューリングが設定され、そして、ＰＤＳＣＨに対応するダウンリンク制御チャネルを伝送するサービングセルが、ＰＤＳＣＨに対応するＨＡＲＱ−ＡＣＫを伝送するサービングセルとは異なる場合、ＵＥは、ダウンリンク制御チャネルのリソースに従って、ＰＵＣＣＨリソースを暗黙的に計算することはできない。したがって、ＰＵＣＣＨリソースをどのようにして示すのかが解決される必要がある。
【０２５０】
図１６は、本発明に従うアップリンク制御情報送信方法の実施形態９のフローチャートである。これは、ＦＤＤキャリアが、ＴＤＤキャリアにおいてキャリア間スケジューリングを実行し、ＴＤＤキャリアのＨＡＲＱ−ＡＣＫがＴＤＤキャリアで伝送されるシナリオに適用可能である。図１６に図示されるように、この実施形態において提供される方法は、以下のステップを含む。
【０２５１】
ステップ１６０１：ＵＥは、ＵＥの第１のサービングセルにおいて伝送されたダウンリンク制御チャネルを受信する。ダウンリンク制御チャネルは、ＵＥの第２のサービングセルにおいて伝送されたＰＤＳＣＨ送信を示すために使用され、第１のサービングセルの複信モードは、周波数分割複信ＦＤＤであり、第２のサービングセルの複信モードは、時分割複信ＴＤＤである。
【０２５２】
このステップでは、第２のサービングセルのＨＡＲＱ−ＡＣＫタイミングは、第２のサービングセルのＨＡＲＱ−ＡＣＫタイミングに従って、又は、ＰＵＣＣＨを伝送するサービングセルのＨＡＲＱ−ＡＣＫタイミングに従って、実行される。第２のサービングセルのＨＡＲＱ−ＡＣＫタイミングが、第２のサービングセルのＨＡＲＱ−ＡＣＫタイミング、又は、ＰＵＣＣＨを伝送するサービングセルのＨＡＲＱ−ＡＣＫタイミング、を使用するかに関わらず、ＨＡＲＱ−ＡＣＫタイミングは、ＴＤＤタイミングである。したがって、第２のサービングセルにおける多数のダウンリンクサブフレームに対応するＨＡＲＱ−ＡＣＫが、１つのアップリンクサブフレームでフィードバックされる。このケースでは、ステップ１６０１で受信されたダウンリンク制御チャネルは、多数のダウンリンクサブフレームで受信されたダウンリンク制御チャネルを含み得る。受信された第１のダウンリンク制御チャネルのＤＣＩフォーマットにおけるＤＡＩは、１に等しく、受信された第２のダウンリンク制御チャネルのＤＣＩフォーマットにおけるＤＡＩは、２に等しいという具合である。
【０２５３】
他の説明は、ステップ１４０１のものと同じであり、本明細書では、詳細は再度記載されない。
【０２５４】
ステップ１６０２：ＵＥは、物理アップリンク制御チャネルＰＵＣＣＨリソースを決定する。
【０２５５】
このステップは、実施形態７におけるステップ１４０２と同じであり、本明細書では、詳細は再度記載されない。しかしながら、この実施形態では、４つの方式のうち、方式１が典型的な方式である。
【０２５６】
ステップ１６０３：ＵＥは、ＵＥの第２のサービングセルにおいて伝送されたＰＵＣＣＨを使用することによって、ＰＵＣＣＨリソースに従って、ＰＤＳＣＨのＨＡＲＱ−ＡＣＫを送信する。
【０２５７】
このステップは、実施形態７におけるステップ１４０３と同じであり、本明細書では、詳細は再度記載されない。
【０２５８】
本発明のこの実施形態は、異なる複信モードのキャリアのアグリゲーション中に、ＨＡＲＱ−ＡＣＫをどのようにして送信するのかという問題を解決し、同時に、キャリア間スケジューリングのケースにおいて、ＰＵＣＣＨリソースをどのようにして示すのかという問題を解決する。たとえば、異なる複信モードのキャリアのアグリゲーション中に、キャリア間スケジューリングが設定され、ＰＤＳＣＨに対応するダウンリンク制御チャネルを伝送するサービングセルが、ＰＤＳＣＨに対応するＨＡＲＱ−ＡＣＫを伝送するサービングセルとは異なる場合、ＵＥは、ダウンリンク制御チャネルのリソースに従ってＰＵＣＣＨリソースを暗黙的に計算することができない。したがって、ＰＵＣＣＨリソースをどのようにして示すのかを解決する必要がある。
【０２５９】
図１７は、本発明に従うアップリンク制御情報送信方法の実施形態１０のフローチャートである。この実施形態は、基地局の観点から実施形態９における方法を記述する。図１７に図示されるように、この実施形態において提供される方法は、以下のステップを含む。
【０２６０】
ステップ１７０１：基地局は、ＵＥの第１のサービングセルにおいて、ＵＥへダウンリンク制御チャネルを送信する。ダウンリンク制御チャネルは、ＵＥの第２のサービングセルにおいて伝送されるＰＤＳＣＨ送信を示すために使用され、第１のサービングセルの複信モードは、周波数分割複信ＦＤＤであり、第２のサービングセルの複信モードは、時分割複信ＴＤＤである。
【０２６１】
このステップでは、第２のサービングセルのＨＡＲＱ−ＡＣＫタイミングは、第２のサービングセルのＨＡＲＱ−ＡＣＫタイミングに従って、又は、ＰＵＣＣＨを伝送するサービングセルのＨＡＲＱ−ＡＣＫタイミングに従って、実行される。第２のサービングセルのＨＡＲＱ−ＡＣＫタイミングが、第２のサービングセルのＨＡＲＱ−ＡＣＫタイミング、又は、ＰＵＣＣＨを伝送するサービングセルのＨＡＲＱ−ＡＣＫタイミング、を使用するかに関わらず、ＨＡＲＱ−ＡＣＫタイミングは、ＴＤＤタイミングである。したがって、第２のサービングセルにおける多数のダウンリンクサブフレームに対応するＨＡＲＱ−ＡＣＫが、１つのアップリンクサブフレームでフィードバックされる。このケースでは、基地局は、ステップ１７０１において、多数のダウンリンクサブフレームで、ＵＥの第１のサービングセルにおけるＵＥへダウンリンク制御チャネルを送信する。受信された第１のダウンリンク制御チャネルのＤＣＩフォーマットにおけるＤＡＩは１に等しく、受信された第２のダウンリンク制御チャネルのＤＣＩフォーマットにおけるＤＡＩは１に等しいという具合である。
【０２６２】
ステップ１７０２：基地局は、物理アップリンク制御チャネルＰＵＣＣＨリソースを示す。
【０２６３】
このステップは、実施形態８におけるステップ１５０２と同じであり、本明細書では、詳細は再度記載されない。この実施形態では、４つの方式のうち、方式１が典型的な方法である。
【０２６４】
ステップ１７０３：基地局は、ＰＤＳＣＨの、ＵＥの第２のサービングセルにおいて伝送されたＰＵＣＣＨを使用することによって、ＵＥによって送信されたＨＡＲＱ−ＡＣＫを、ＰＵＣＣＨリソースに従って受信する。
【０２６５】
このステップは実施形態８におけるステップ１５０３と同じであり、本明細書では、詳細は再度記載されない。
【０２６６】
本発明のこの実施形態は、異なる複信モードのキャリアのアグリゲーション中、ＨＡＲＱ−ＡＣＫをどのようにして送信するのかという問題を解決し、同時に、キャリア間スケジューリングのケースにおいてＰＵＣＣＨリソースをどのようにして示すのかという問題を解決する。たとえば、異なる複信モードのキャリアのアグリゲーション中に、キャリア間スケジューリングが設定され、そして、ＰＤＳＣＨに対応するダウンリンク制御チャネルを伝送するサービングセルが、ＰＤＳＣＨに対応するＨＡＲＱ−ＡＣＫを伝送するサービングセルとは異なる場合、ＵＥは、ダウンリンク制御チャネルのリソースに従って、ＰＵＣＣＨリソースを暗黙的に計算することができない。したがって、ＰＵＣＣＨリソースをどのようにして示すのかを解決する必要がある。
【０２６７】
図１８は、本発明に従うアップリンク制御情報送信方法の実施形態１１のフローチャートである。図１８に図示されるように、異なる複信モードのアグリゲーション、及び／又は、基地局間のアグリゲーション、のシナリオにおけるアップリンク制御情報送信のために、アップリンク制御情報送信方法は、特に、以下のステップを含み得る。
【０２６８】
ステップ１８０１：ユーザ機器が、物理アップリンク制御チャネル構成情報を受信する。
【０２６９】
このステップでは、ユーザ機器は、物理アップリンク制御チャネルＰＵＣＣＨ構成情報を受信し、ユーザ機器は、ＰＵＣＣＨ構成情報に従って、アップリンク制御情報を送信し得る。
【０２７０】
特に、ＰＵＣＣＨ構成情報は、物理アップリンク制御チャネルを伝送するサービングセルを示すインジケーション情報を含み得る。インジケーション情報は、ＰＵＣＣＨを伝送するサービングセルのセルインデクスであり得る。物理アップリンク制御チャネルを伝送するサービングセルを示すインジケーション情報は、ＰＵＣＣＨを送信するＮ個のサービングセルを示す。Ｎは、１よりも大きくてよく、このケースでは、インジケーション情報は、ＵＥに対して、多数のサービングセルにおいてＰＵＣＣＨを送信するように指示する。このケースでは、ＰＵＣＣＨ構成情報が、ＰＵＣＣＨを送信するＮ個のサービングセルを示す情報を含んでいないのであれば、ＵＥは、プライマリキャリアにおいてのみＰＵＣＣＨを送信する。Ｎはまた、１に等しくてもよく、このケースでは、ＰＵＣＣＨを送信するサービングセルは、ユーザ機器のプライマリサービングセルである。
【０２７１】
さらに、ＰＵＣＣＨ構成情報はさらに、ＰＵＣＣＨを送信するＮ個のサービングセルのうちの各サービングセルに対応するサービングセルセットにおけるサービングセルを示すインジケーション情報を含み得る。インジケーション情報は、サービングセルセットにおけるサービングセルのセルインデクスであり得る。インジケーション情報は、たとえばＨＡＲＱ−ＡＣＫのように、アップリンク制御情報が、ＰＵＣＣＨを送信する各サービングセルにおいて伝送される必要のあるサービングセルを示し得る。サービングセルセットは、多数のサービングセルを含み得る。そして、サービングセルセットが、１つのサービングセルしか含んでいない場合、サービングセルセットにおけるサービングセルは、ＰＵＣＣＨを送信するサービングセルと同じである。
【０２７２】
さらに、ＰＵＣＣＨ構成情報はさらに、ＰＵＣＣＨを送信するＮ個のサービングセルの各サービングセルに対応するＰＵＣＣＨフォーマットを含み得る。このフォーマットは、ＰＵＣＣＨフォーマット１ａ、ＰＵＣＣＨフォーマット１ｂ、チャネル選択、及びＰＵＣＣＨフォーマット３のうちの１つであり得る。
【０２７３】
ステップ１８０２：ユーザ機器は、物理アップリンク制御チャネル構成情報に従って、物理アップリンク制御チャネルを伝送するサービングセルを決定する。
【０２７４】
特に、ユーザ機器は、物理アップリンク制御チャネルを伝送するサービングセルを、物理アップリンク制御チャネル構成情報における物理アップリンク制御チャネルを伝送するサービングセルを示すインジケーション情報に従って決定し得る。
【０２７５】
このステップはさらに、ＰＵＣＣＨを送信する各サービングセルに対応するサービングセルセットにおけるサービングセルを、ＰＵＣＣＨ設定情報に従って、ＵＥによって決定するステップ、すなわち、たとえばＨＡＲＱ−ＡＣＫのように、アップリンク制御情報が、各ＰＵＣＣＨで伝送されるサービングセルを決定するステップ、を含み得る。
【０２７６】
ステップ１８０３：ユーザ機器は、物理アップリンク制御チャネルを伝送するサービングセルにおいて、物理アップリンク制御チャネルを使用することによって、アップリンク制御情報を送信する。
【０２７７】
このステップでは、ユーザ機器は、ＰＵＣＣＨを伝送する各サービングセルにおいて、対応するＰＵＣＣＨを使用することによって、対応するアップリンク制御情報を送信する。たとえば、アップリンク制御情報は、ＨＡＲＱ−ＡＣＫである。
【０２７８】
この実施形態は、アップリンク制御情報送信方法を提供する。それは、異なる複信モードのアグリゲーション、及び／又は、基地局間のアグリゲーションのシナリオにおいて、アップリンク制御情報をどのようにして送信するのかという問題を解決する。この方法では、基地局は、ＰＵＣＣＨを送信するサービングセルを、実際のシナリオに従って、フレキシブルに設定し得る。これによって、各サービングセルのＨＡＲＱ−ＡＣＫタイミングが再使用され得、標準的な作業は導入されなくなる。したがって、この方法は、基地局間のキャリアアグリゲーションに適用可能である。
【０２７９】
図１９は、本発明に従うアップリンク制御情報送信方法の実施形態１２のフローチャートである。この実施形態は、基地局の観点から実施形態１１に対応する方法を記述する。図１９に図示されるように、異なる複信モードのアグリゲーション、及び／又は、基地局間のアグリゲーションのシナリオにおけるアップリンク制御情報送信のために、この送信方法は、特に、以下のステップを含み得る。
【０２８０】
ステップ１９０１：基地局は、ユーザ機器へ、物理アップリンク制御チャネル構成情報を送信する。
【０２８１】
このステップでは、基地局は、物理アップリンク制御チャネル構成情報をユーザ機器へ送信する。これによって、ユーザ機器は、物理アップリンク制御チャネル構成情報に従って、アップリンク制御情報を送信することができるようになる。
【０２８２】
ＰＵＣＣＨ構成情報の他の説明に関しては、前述した実施形態におけるステップ１８０１の説明を参照されたい。詳細は本明細書では再度記述されない。
【０２８３】
ステップ１９０２：基地局は、ユーザ機器によって送られたアップリンク制御情報を、アップリンク制御チャネルを伝送するサービングセルにおいてアップリンク制御チャネルを使用することによって受信する。
【０２８４】
このステップでは、ユーザ機器は、ＰＵＣＣＨを伝送する各サービングセルにおける対応するＰＵＣＣＨを使用することによって、対応するアップリンク制御情報を送信する。たとえば、アップリンク制御情報は、ＨＡＲＱ−ＡＣＫである。
【０２８５】
この実施形態は、アップリンク制御情報送信方法を提供する。これは、異なる複信モードのアグリゲーション、及び／又は、基地局間のアグリゲーションのシナリオにおいて、アップリンク制御情報をどのようにして送信するのかという問題を解決する。この方法では、基地局は、ＰＵＣＣＨを送信するサービングセルを、実際のシナリオに従って、フレキシブルに設定し得る。これによって、各サービングセルのＨＡＲＱ−ＡＣＫタイミングが再使用され得、標準的なフレキシビリティは導入されないようになる。したがって、この方法は、基地局間のキャリアアグリゲーションに適用可能である。
【０２８６】
図２０は、本発明に従うアップリンク制御情報送信方法の実施形態１３のフローチャートである。図２０に図示されるように、異なる複信モードのアグリゲーション、及び／又は、基地局間のアグリゲーションのシナリオにおけるアップリンク制御情報送信のために、アップリンク制御情報送信方法は特に、以下のステップを含み得る。
【０２８７】
ステップ２００１：ユーザ機器が、物理アップリンク制御チャネル構成情報を受信する。
【０２８８】
このステップにおいて、ユーザ機器は、物理アップリンク制御チャネルＰＵＣＣＨ構成情報を受信し、ユーザ機器は、ＰＵＣＣＨ構成情報に従ってアップリンク制御情報を送信し得る。
【０２８９】
特に、ＰＵＣＣＨ構成情報は、第１の物理アップリンク制御チャネルを伝送するサービングセルを示すインジケーション情報を含み得る。インジケーション情報は、第１の物理アップリンク制御チャネルを伝送するサービングセルのセルインデクスであり得る。第１の物理アップリンク制御チャネルを伝送するサービングセルは、ユーザ機器のセカンダリサービングセルであり得る。さらに、第１の物理アップリンク制御チャネルを伝送するサービングセルを示すインジケーション情報に従って、ユーザ機器の第１の物理アップリンク制御チャネル及び第２の物理アップリンク制御チャネルが、ユーザ機器のアップリンク制御情報をともに送信するために使用されることが設定され得る。たとえば、このケースでは、ユーザ機器の第２の物理アップリンク制御チャネルは、ユーザ機器のプライマリサービングセルにおいて送信された物理アップリンク制御チャネルである。第１の物理アップリンク制御チャネルが、ＰＵＣＣＨ構成情報に従って設定されると、ユーザ機器は、第１の物理アップリンク制御チャネル及び第２の物理アップリンク制御チャネルを使用することによって、アップリンク制御情報を送信する。ユーザ機器のプライマリサービングセル上でのみＰＵＣＣＨが送信されるケースと比較して、この方式では、各サービングセルのＨＡＲＱ−ＡＣＫタイミングは変更されないことがあり得る。ＰＵＣＣＨ構成情報が、第１の物理アップリンク制御チャネルの構成情報を含んでいないのであれば、ユーザ機器は、プライマリサービングセルのみにおいてアップリンク制御情報を送信する。ユーザ機器は、以下のように、第１の物理アップリンク制御チャネル及び第２の物理アップリンク制御チャネルを使用することによって、アップリンク制御情報を送信し得る。プライマリサービングセルが、アップリンクサブフレームに対応していれば、ユーザ機器は、第２の物理アップリンク制御チャネルでアップリンク制御情報を送信し、対応していない場合には、ユーザ機器は、第１の物理アップリンク制御チャネルでアップリンク制御情報を送信する。
【０２９０】
ＰＵＣＣＨ構成情報はさらに、第１の物理アップリンク制御チャネルのフォーマットを示すインジケーション情報を含み得る。第１の物理アップリンク制御チャネルのフォーマットは、ＰＵＣＣＨフォーマット１ａ、ＰＵＣＣＨフォーマット１ｂ、チャネル選択、及びＰＵＣＣＨフォーマット３のうちの１つであり得る。
【０２９１】
ステップ２００２：ユーザ機器は、物理アップリンク制御チャネル構成情報に従って、第１の物理アップリンク制御チャネルを伝送するサービングセルを決定する。
【０２９２】
このステップでは、ユーザ機器は、ステップ２００１で受信された物理アップリンク制御チャネル構成情報に従って、第１の物理アップリンク制御チャネルを伝送するサービングセルを決定する。
【０２９３】
特に、ユーザ機器は、物理アップリンク制御チャネル構成情報における第１の物理アップリンク制御チャネルを伝送するサービングセルを示すインジケーション情報に従って、第１の物理アップリンク制御チャネルを伝送するサービングセルを決定し得る。さらに、ユーザ機器は、物理アップリンク制御チャネル構成情報における第１のアップリンク制御チャネルを伝送するサービングサービングセルのセルインデクスに従って、第１の物理アップリンク制御チャネルを伝送するサービングセルを決定し得る。第１の物理アップリンク制御チャネルを伝送するサービングセルは、ユーザ機器のセカンダリサービングセルである。
【０２９４】
ステップ２００３：ユーザ機器は、第１の物理アップリンク制御チャネルを伝送するサービングセルにおいて、第１の物理アップリンク制御チャネルを使用することによって、アップリンク制御情報を送信する。
【０２９５】
このステップは、プライマリサービングセルが、アップリンクサブフレームに対応する場合、ユーザ機器は、第２の物理アップリンク制御チャネルでアップリンク制御情報を送信し、対応していない場合には、ユーザ機器は、第１の物理アップリンク制御チャネルでアップリンク制御情報を送信することであり得る。
【０２９６】
このステップにおけるアップリンク制御情報（Ｕｐｌｉｎｋ  Ｃｏｎｔｒｏｌ  Ｉｎｆｏｒｍａｔｉｏｎ，略してＵＣＩ）は、ハイブリッド自動再送要求確認応答ＨＡＲＱ−ＡＣＫ、チャネル状態情報（Ｃｈａｎｎｅｌ  Ｓｔａｔｅ  Ｉｎｆｏｒｍａｔｉｏｎ，略してＣＳＩ）、スケジューリング要求（Ｓｃｈｅｄｕｌｉｎｇ  Ｒｅｑｕｅｓｔ，略してＳＲ）等であり得ることに留意されたい。第１のアップリンク制御情報のタイプは、第２のアップリンク制御情報のタイプと同じ又は異なり得る。
【０２９７】
この実施形態は、アップリンク制御情報送信方法を提供する。これは、異なる複信モードのアグリゲーション、及び／又は、基地局間のアグリゲーションのシナリオにおいて、アップリンク制御情報をどのようにして送信するのかという問題を解決する。
【０２９８】
図２１は、本発明に従うアップリンク制御情報送信方法の実施形態１４のフローチャートである。図２１に図示されるように、異なる複信モードのアグリゲーション、及び／又は、基地局間のアグリゲーションのシナリオにおけるアップリンク制御情報送信のために、アップリンク制御情報送信方法は、特に、以下のステップを含み得る。
【０２９９】
ステップ２１０１：基地局が、ユーザ機器へ、物理アップリンク制御チャネル構成情報を送信する。物理アップリンク制御チャネル構成情報は、第１の物理アップリンク制御チャネルを伝送するサービングセルを示すインジケーション情報を含み、サービングセルは、ユーザ機器に対応するサービングセルである。
【０３００】
このステップでは、基地局は、ユーザ機器へ物理アップリンク制御チャネル構成情報を送り、これによって、ユーザ機器は、物理アップリンク制御チャネル構成情報に従って、アップリンク制御情報を送信することができるようになる。
【０３０１】
特に、第１の物理アップリンク制御チャネルを伝送するサービングセルを示すインジケーション情報は、第１の物理アップリンク制御チャネルを伝送するサービングセルのセルインデクスであり得る。そして、第１の物理アップリンク制御チャネルを伝送するサービングセルは、ユーザ機器のセカンダリサービングセルであり得る。
【０３０２】
ＰＵＣＣＨ構成情報の他の説明については、ステップ２００１の説明を参照されたい。そして、詳細は本明細書では再度記述されない。
【０３０３】
ステップ２１０２：基地局は、ユーザ機器によって送られたアップリンク制御情報を、第１の物理アップリンク制御チャネルを伝送するサービングセルにおいて、第１の物理アップリンク制御チャネルを使用することによって、受信する。
【０３０４】
このステップは、プライマリサービングセルが、アップリンクサブフレームに対応する場合、基地局によって、第２の物理アップリンク制御チャネルにおいてアップリンク制御情報を受信し、対応しない場合には、基地局によって、第１の物理アップリンク制御チャネルにおいてアップリンク制御情報を受信することであり得る。
【０３０５】
このステップにおけるアップリンク制御情報ＵＣＩは、ハイブリッド自動再送要求確認応答ＨＡＲＱ−ＡＣＫ、チャネル状態情報ＣＳＩ、スケジューリング要求等であり得ることに留意されたい。第１のアップリンク制御情報のタイプは、第２のアップリンク制御情報のタイプと同じか、又は、異なり得る。
【０３０６】
この実施形態は、アップリンク制御情報送信方法を提供する。これは、異なる複信モードのアグリゲーション、及び／又は、基地局間のアグリゲーションのシナリオにおいて、アップリンク制御情報をどのようにして送信するのかという問題を解決する。
【０３０７】
図２２は、本発明に従うユーザ機器の実施形態４の概略構成図である。図２２に図示されるように、この実施形態において提供されるユーザ機器は、受信モジュール２２１、決定モジュール２２２、及び送信モジュール２２３を含み、
受信モジュール２２１は、ＵＥの第１のサービングセルにおいて伝送されたダウンリンク制御チャネルを受信するように構成され、ダウンリンク制御チャネルは、ＵＥの第２のサービングセルにおいて伝送されたＰＤＳＣＨ送信を示すために使用され、第１のサービングセルの複信モードは、時分割複信ＴＤＤであり、第２のサービングセルの複信モードは、周波数分割複信ＦＤＤであり、
決定モジュール２２２は、物理アップリンク制御チャネルＰＵＣＣＨリソースを決定するように構成され、
送信モジュール２２３は、ＵＥの第２のサービングセルにおいて伝送されたＰＵＣＣＨを使用することによって、ＰＵＣＣＨリソースに従って、ＰＤＳＣＨのＨＡＲＱ−ＡＣＫを送信するように構成される。
【０３０８】
オプションで、決定モジュール２２２は特に、第１のサービングセルにおいて伝送されたダウンリンク制御チャネルのＤＣＩフォーマットにおけるＴＰＣコマンドフィールドに従って、ＰＵＣＣＨリソースを決定するように構成される。
【０３０９】
オプションで、決定モジュール２２２は特に、より高いレイヤシグナリングに従って、ＰＵＣＣＨリソースを決定するように構成される。
【０３１０】
オプションで、決定モジュール２２２は特に、第１のサービングセルにおいて伝送されたダウンリンク制御チャネルのＤＣＩフォーマットにおけるあらかじめ定義されたフィールドに従って、ＰＵＣＣＨリソースを決定するように構成される。
【０３１１】
オプションで、決定モジュール２２２は特に、第１のサービングセルにおいて伝送されたダウンリンク制御チャネルのＤＣＩフォーマットにおけるＨＡＲＱ−ＡＣＫリソースオフセットフィールドに従って、ＰＵＣＣＨリソースを決定するように構成される。
【０３１２】
この実施形態では、ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用される。ダウンリンク制御チャネルが、物理ダウンリンク共有チャネルＰＤＳＣＨ送信を示すために使用される場合、ダウンリンク制御チャネルに対応するハイブリッド自動再送要求確認応答は特に、ダウンリンク制御チャネルに対応するＰＤＳＣＨのハイブリッド自動再送要求確認応答であり、ダウンリンク制御チャネルが、ダウンリンクセミパーシステントスケジューリングＳＰＳリリースを示すために使用される場合、ダウンリンク制御チャネルに対応するハイブリッド自動再送要求確認応答は、特に、ダウンリンクセミパーシステントスケジューリングＳＰＳリリースを示すダウンリンク制御チャネルに対応するハイブリッド自動再送要求確認応答である。
【０３１３】
この実施形態では、第１のサービングセルは、ＵＥのプライマリサービングセルであり得、第１のサービングセルの複信モードは、時分割複信ＴＤＤであり、第２のサービングセルの複信モードは、周波数分割複信ＦＤＤであり、第２のサービングセルは、より高いレイヤシグナリングによって示され、ＰＵＣＣＨを送信するために使用される、セカンダリサービングセルであるか、又は、第２のサービングセルは、ＵＥの、最も小さなセルインデクスを有する、セカンダリサービングセルである。
【０３１４】
この実施形態において提供されるユーザ機器は、方法実施形態７において提供される技術的解決策を実行するように構成され得る。特定の実施方式及び技術的効果は、この方法のものに類似しており、本明細書では、詳細は再度記述されない。
【０３１５】
図２３に図示されるように、この実施形態において提供される基地局は、送信モジュール２３１、インジケーションモジュール２３２、及び受信モジュール２３３を含み、
送信モジュール２３１は、ＵＥの第１のサービングセルにおいて、ＵＥへダウンリンク制御チャネルを送信するように構成され、ダウンリンク制御チャネルは、ＵＥの第２のサービングセルにおいて伝送されたＰＤＳＣＨ送信を示すために使用され、第１のサービングセルの複信モードは、時分割複信ＴＤＤであり、第２のサービングセルの複信モードは、周波数分割複信ＦＤＤであり、
インジケーションモジュール２３２は、物理アップリンク制御チャネルＰＵＣＣＨリソースを示すように構成され、
受信モジュール２３３は、ＵＥの第２のサービングセルにおいて伝送されたＰＵＣＣＨを使用することによってＵＥによって送られた、ＰＤＳＣＨのＨＡＲＱ−ＡＣＫを、ＰＵＣＣＨリソースに従って受信するように構成される。
【０３１６】
オプションで、インジケーションモジュール２３２は特に、第１のサービングセルにおいて伝送されたダウンリンク制御チャネルのＤＣＩフォーマットにおけるＴＰＣコマンドフィールドを使用することによって、ＰＵＣＣＨリソースを示すように構成される。
【０３１７】
オプションで、インジケーションモジュール２３２は特に、より高いレイヤシグナリングを使用することによって、ＰＵＣＣＨリソースを示すように構成される。
【０３１８】
オプションで、インジケーションモジュール２３２は特に、第１のサービングセルにおいて伝送されたダウンリンク制御チャネルのＤＣＩフォーマットにおけるあらかじめ定義されたフィールドを使用することによって、ＰＵＣＣＨリソースを示すように構成される。
【０３１９】
オプションで、インジケーションモジュール２３２は特に、第１のサービングセルにおいて伝送されたダウンリンク制御チャネルのＤＣＩフォーマットにおけるＨＡＲＱ−ＡＣＫリソースオフセットフィールドを使用することによって、ＰＵＣＣＨリソースを示すように構成される。
【０３２０】
この実施形態では、ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用される。ダウンリンク制御チャネルが、物理ダウンリンク共有チャネルＰＤＳＣＨ送信を示すために使用される場合、ダウンリンク制御チャネルに対応するハイブリッド自動再送要求確認応答は特に、ダウンリンク制御チャネルに対応するＰＤＳＣＨのハイブリッド自動再送要求確認応答であり、ダウンリンク制御チャネルが、ダウンリンクセミパーシステントスケジューリングＳＰＳリリースを示すために使用される場合、ダウンリンク制御チャネルに対応するハイブリッド自動再送要求確認応答は、特に、ダウンリンクセミパーシステントスケジューリングＳＰＳリリースを示すダウンリンク制御チャネルに対応するハイブリッド自動再送要求確認応答である。
【０３２１】
この実施形態では、第１のサービングセルは、ＵＥのプライマリサービングセルであり得、第１のサービングセルの複信モードは、時分割複信ＴＤＤであり、第２のサービングセルの複信モードは、周波数分割複信ＦＤＤであり、第２のサービングセルは、より高いレイヤシグナリングによって示され、ＰＵＣＣＨを送信するために使用される、セカンダリサービングセルであるか、又は、第２のサービングセルは、ＵＥの、最も小さなセルインデクスを有する、セカンダリサービングセルである。
【０３２２】
この実施形態において提供される基地局は、方法実施形態８において提供される技術的解決策を実行するように構成され得る。特定の実施方式及び技術的効果は、この方法のものに類似しており、本明細書では、詳細は再度記述されない。
【０３２３】
図２４は、本発明に従うユーザ機器の実施形態５の概略構成図である。図２４に図示されるように、この実施形態において提供されるユーザ機器は、受信モジュール２４１、決定モジュール２４２、及び送信モジュール２４３を含み、
受信モジュール２４１は、ＵＥの第１のサービングセルにおいて伝送されたダウンリンク制御チャネルを受信するように構成され、ダウンリンク制御チャネルは、ＵＥの第２のサービングセルにおいて伝送されたＰＤＳＣＨ送信を示すために使用され、第１のサービングセルの複信モードは、時分割複信ＴＤＤであり、第２のサービングセルの複信モードは、周波数分割複信ＦＤＤであり、
決定モジュール２４２は、物理アップリンク制御チャネルＰＵＣＣＨリソースを決定するように構成され、
送信モジュール２４３は、ＵＥの第２のサービングセルにおいて伝送されたＰＵＣＣＨを使用することによって、ＰＵＣＣＨリソースに従って、ＰＤＳＣＨのＨＡＲＱ−ＡＣＫを送信するように構成される。
【０３２４】
オプションで、決定モジュール２４２は特に、第１のサービングセルにおいて伝送されたダウンリンク制御チャネルのＤＣＩフォーマットにおけるＴＰＣコマンドフィールドに従って、ＰＵＣＣＨリソースを決定するように構成される。
【０３２５】
オプションで、決定モジュール２４２は特に、より高いレイヤシグナリングに従ってＰＵＣＣＨリソースを決定するように構成される。
【０３２６】
オプションで、決定モジュール２４２は特に、第１のサービングセルにおいて伝送されたダウンリンク制御チャネルのＤＣＩフォーマットにおけるあらかじめ定義されたフィールドに従って、ＰＵＣＣＨリソースを決定するように構成される。
【０３２７】
オプションで、決定モジュール２４２は特に、第１のサービングセルにおいて伝送されたダウンリンク制御チャネルのＤＣＩフォーマットにおけるＨＡＲＱ−ＡＣＫリソースオフセットフィールドに従って、ＰＵＣＣＨリソースを決定するように構成される。
【０３２８】
この実施形態において提供されるユーザ機器は、方法実施形態９において提供される技術的解決策を実行するように構成され得る。特定の実施方式及び技術的効果は、この方法のものに類似しており、本明細書では、詳細は再度記述されない。
【０３２９】
図２５は、本発明に従う基地局の実施形態５の概略構成図である。図２５に図示されるように、この実施形態において提供される基地局は、送信モジュール２５１、インジケーションモジュール２５２、及び受信モジュール２５３を含み、
送信モジュール２５１は、ＵＥの第１のサービングセルにおいて、ＵＥへダウンリンク制御チャネルを送信するように構成され、ダウンリンク制御チャネルは、ＵＥの第２のサービングセルにおいて伝送されたＰＤＳＣＨ送信を示すために使用され、第１のサービングセルの複信モードは、時分割複信ＴＤＤであり、第２のサービングセルの複信モードは、周波数分割複信ＦＤＤであり、
インジケーションモジュール２５２は、物理アップリンク制御チャネルＰＵＣＣＨリソースを示すように構成され、
受信モジュール２５３は、ＰＤＳＣＨの、ＵＥの第２のサービングセルにおいて伝送されたＰＵＣＣＨを使用することによってＵＥによって送られたＨＡＲＱ−ＡＣＫを、ＰＵＣＣＨリソースに従って受信するように構成される。
【０３３０】
オプションで、インジケーションモジュール２３２は特に、第１のサービングセルにおいて伝送されたダウンリンク制御チャネルのＤＣＩフォーマットにおけるＴＰＣコマンドフィールドを使用することによって、ＰＵＣＣＨリソースを示すように構成される。
【０３３１】
オプションで、インジケーションモジュール２５２は特に、より高いレイヤシグナリングを使用することによって、ＰＵＣＣＨリソースを示すように構成される。
【０３３２】
オプションで、インジケーションモジュール２５２は特に、第１のサービングセルにおいて伝送されたダウンリンク制御チャネルのＤＣＩフォーマットにおけるあらかじめ定義されたフィールドを使用することによって、ＰＵＣＣＨリソースを示すように構成される。
【０３３３】
オプションで、インジケーションモジュール２５２は特に、第１のサービングセルにおいて伝送されたダウンリンク制御チャネルのＤＣＩフォーマットにおけるＨＡＲＱ−ＡＣＫリソースオフセットフィールドを使用することによって、ＰＵＣＣＨリソースを示すように構成される。
【０３３４】
この実施形態では、ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用される。ダウンリンク制御チャネルが、物理ダウンリンク共有チャネルＰＤＳＣＨ送信を示すために使用される場合、ダウンリンク制御チャネルに対応するハイブリッド自動再送要求確認応答は特に、ダウンリンク制御チャネルに対応するＰＤＳＣＨのハイブリッド自動再送要求確認応答であり、ダウンリンク制御チャネルが、ダウンリンクセミパーシステントスケジューリングＳＰＳリリースを示すために使用される場合、ダウンリンク制御チャネルに対応するハイブリッド自動再送要求確認応答は、特に、ダウンリンクセミパーシステントスケジューリングＳＰＳリリースを示すダウンリンク制御チャネルに対応するハイブリッド自動再送要求確認応答である。
【０３３５】
この実施形態では、第１のサービングセルは、ＵＥのプライマリサービングセルであり得、第１のサービングセルの複信モードは、時分割複信ＴＤＤであり、第２のサービングセルの複信モードは、周波数分割複信ＦＤＤであり、第２のサービングセルは、より高いレイヤシグナリングによって示され、ＰＵＣＣＨを送信するために使用される、セカンダリサービングセルであるか、又は、第２のサービングセルは、ＵＥの、最も小さなセルインデクスを有する、セカンダリサービングセルである。
【０３３６】
この実施形態において提供される基地局は、方法実施形態１０において提供される技術的解決策を実行するように構成され得る。特定の実施方式及び技術的効果は、この方法のものに類似しており、本明細書では、詳細は再度記述されない。
【０３３７】
図２６は、本発明に従うユーザ機器の実施形態６の概略構成図である。図２６に図示されるように、この実施形態において提供されるユーザ機器は、受信モジュール２６１、決定モジュール２６２、及び送信モジュール２６３を含み、
受信モジュール２６１は、物理アップリンク制御チャネル構成情報を受信するように構成され、
決定モジュール２６２は、物理アップリンク制御チャネルを伝送するサービングセルを、物理アップリンク制御チャネル構成情報に従って決定するように構成され、
送信モジュール２６３は、物理アップリンク制御チャネルを伝送するサービングセルにおいて物理アップリンク制御チャネルを使用することによって、アップリンク制御情報を送信するように構成される。
【０３３８】
オプションで、ＰＵＣＣＨ構成情報は、物理アップリンク制御チャネルを伝送するサービングセルを示すインジケーション情報を含み得る。インジケーション情報は、ＰＵＣＣＨを伝送するサービングセルのセルインデクスであり得る。
【０３３９】
オプションで、ＰＵＣＣＨ構成情報はさらに、ＰＵＣＣＨを送信するＮ個のサービングセルの各サービングセルに対応するサービングセルセットにおけるサービングセルを示すインジケーション情報を含み得る。インジケーション情報は、サービングセルセットにおけるサービングセルのセルインデクスであり得る。インジケーション情報は、アップリンク制御情報が、ＰＵＣＣＨを送信する各サービングセルにおいて伝送される必要のある、サービングセルを示し得る。
【０３４０】
オプションで、ＰＵＣＣＨ構成情報はさらに、ＰＵＣＣＨを送信するＮ個のサービングセルの各サービングセルに対応するＰＵＣＣＨフォーマットを含み得る。
【０３４１】
この実施形態では、ユーザ機器は、物理アップリンク制御チャネルＰＵＣＣＨ構成情報を受信し、その後、ＰＵＣＣＨ構成情報に従って、アップリンク制御情報を送信する。
【０３４２】
この実施形態において提供されるユーザ機器は、方法実施形態１１において提供される技術的解決策を実行するように構成され得る。特定の実施方式及び技術的効果は、この方法のものに類似しており、本明細書では、詳細は再度記述されない。
【０３４３】
図２７は、本発明に従った基地局の実施形態６の概略構成図である。図２７に図示されるように、この実施形態において提供される基地局は、送信モジュール２７１及び受信モジュール２７２を含み、
送信モジュール２７１は、ユーザ機器へ物理アップリンク制御チャネル構成情報を送信するように構成され、
受信モジュール２７２は、ユーザ機器によって送られたアップリンク制御情報を、アップリンク制御チャネルを伝送するサービングセルにおけるアップリンク制御チャネルを使用することによって受信するように構成される。
【０３４４】
オプションで、ＰＵＣＣＨ構成情報は、物理アップリンク制御チャネルを伝送するサービングセルを示すインジケーション情報を含み得る。インジケーション情報は、ＰＵＣＣＨを伝送するサービングセルのセルインデクスであり得る。
【０３４５】
オプションで、ＰＵＣＣＨ構成情報はさらに、ＰＵＣＣＨを送信するＮ個のサービングセルの各サービングセルに対応するサービングセルセットにおけるサービングセルを示すインジケーション情報を含み得る。インジケーション情報は、サービングセルセットにおけるサービングセルのセルインデクスであり得る。そして、インジケーション情報は、アップリンク制御情報が、ＰＵＣＣＨを送信する各サービングセルにおいて伝送される必要のある、サービングセルを示し得る。
【０３４６】
オプションで、ＰＵＣＣＨ構成情報はさらに、ＰＵＣＣＨを送信するＮ個のサービングセルの各サービングセルに対応するＰＵＣＣＨフォーマットを含み得る。
【０３４７】
基地局は、ユーザ機器へ、物理アップリンク制御チャネル構成情報を送信する。これによって、ユーザ機器は、物理アップリンク制御チャネル構成情報に従って、アップリンク制御情報を送信することができるようになる。
【０３４８】
この実施形態において提供される基地局は、方法実施形態１２において提供される技術的解決策を実行するように構成され得る。特定の実施方式及び技術的効果は、この方法のものに類似しており、本明細書では、詳細は再度記述されない。
【０３４９】
図２８は、本発明に従うユーザ機器の実施形態７の概略構成図である。図２８に図示されるように、この実施形態において提供されるユーザ機器は、受信モジュール２８１、決定モジュール２８２、及び送信モジュール２８３を含み、
受信モジュール２８１は、物理アップリンク制御チャネル構成情報を受信するように構成され、
決定モジュール２８２は、第１の物理アップリンク制御チャネルを伝送するサービングセルを、物理アップリンク制御チャネル構成情報に従って決定するように構成され、
送信モジュール２８３は、第１の物理アップリンク制御チャネルを伝送するサービングセルにおける第１の物理アップリンク制御チャネルを使用することによって、アップリンク制御情報を送信するように構成される。
【０３５０】
ユーザ機器は、物理アップリンク制御チャネルＰＵＣＣＨ構成情報を受信し、ＰＵＣＣＨ構成情報に従ってアップリンク制御情報を送信する。
【０３５１】
ＰＵＣＣＨ構成情報は、第１の物理アップリンク制御チャネルを伝送するサービングセルを示すインジケーション情報を含み得る。インジケーション情報は、第１のＰＵＣＣＨを伝送するサービングセルのセルインデクスであり得る。
【０３５２】
オプションで、ＰＵＣＣＨ構成情報はさらに、ＰＵＣＣＨフォーマットのインジケーション情報を含み得る。第１の物理アップリンク制御チャネルのフォーマットは、ＰＵＣＣＨフォーマット１ａ、ＰＵＣＣＨフォーマット１ｂ、チャネル選択、及びＰＵＣＣＨフォーマット３、のうちのいずれか１つであり得る。
【０３５３】
この実施形態において提供されるユーザ機器は、方法実施形態１３において提供される技術的解決策を実行するように構成され得る。特定の実施方式及び技術的効果は、この方法のものに類似している。
【０３５４】
図２９は、本発明に従う基地局の実施形態７の概略構成図である。図２９に図示されるように、この実施形態において提供される基地局は、送信モジュール２９１及び受信モジュール２９２を含み、
送信モジュール２９１は、ユーザ機器へ物理アップリンク制御チャネル構成情報を送信するように構成され、物理アップリンク制御チャネル構成情報は、第１の物理アップリンク制御チャネルを伝送するサービングセルを示すインジケーション情報を含み、サービングセルは、ユーザ機器に対応するサービングセルであり、
受信モジュール２９２は、ユーザ機器によって送られたアップリンク制御情報を、第１の物理アップリンク制御チャネルを伝送するサービングセルにおいて第１の物理アップリンク制御チャネルを使用することによって受信するように構成される。
【０３５５】
第１の物理アップリンク制御チャネルを伝送するサービングセルを示すインジケーション情報は、第１の物理アップリンク制御チャネルを伝送するサービングセルのセルインデクスであり、第１の物理アップリンク制御チャネルを伝送するサービングセルは、ユーザ機器のセカンダリサービングセルである。
【０３５６】
ＰＵＣＣＨ構成情報は、第１の物理アップリンク制御チャネルを伝送するサービングセルを示すインジケーション情報を含み得る。インジケーション情報は、第１のＰＵＣＣＨを伝送するサービングセルのセルインデクスであり得る。
【０３５７】
オプションで、ＰＵＣＣＨ構成情報はさらに、ＰＵＣＣＨフォーマットのインジケーション情報を含み得る。第１の物理アップリンク制御チャネルのフォーマットは、ＰＵＣＣＨフォーマット１ａ、ＰＵＣＣＨフォーマット１ｂ、チャネル選択、及びＰＵＣＣＨフォーマット３、のうちのいずれか１つであり得る。
【０３５８】
この実施形態において提供される基地局は、方法実施形態１４において提供される技術的解決策を実行するように構成され得る。特定の実施方式及び技術的効果は、この方法のものに類似しており、本明細書では、詳細は再度記述されない。
【０３５９】
図３０は、本発明に従うユーザ機器の実施形態８の概略構成図である。図３０に図示されるように、この実施形態において提供されるユーザ機器ＵＥ  ３１００は、メモリ３１１及びプロセッサ３１２を含み得る。メモリ３１１は、プログラムコードのグループを記憶し、プロセッサ３１２は、メモリ３１１に記憶されたプログラムコードを起動し、以下の動作、
基地局によって送られたダウンリンク制御チャネルを、ダウンリンクサブフレームＮで受信するステップであって、ダウンリンク制御チャネルは、ＵＥの第１のサービングセルにおいて伝送される、受信するステップと、
物理アップリンク制御チャネルＰＵＣＣＨを使用することによって、アップリンクサブフレームＮ＋４で、基地局へ、ダウンリンク制御チャネルに対応するハイブリッド自動再送要求確認応答を送信するステップであって、アップリンクサブフレームＮ＋４が、第１のアップリンクサブフレームセットに属する場合、ＰＵＣＣＨは、ＵＥの第２のサービングセルにおいて伝送され、アップリンクサブフレームＮ＋４が、第２のアップリンクサブフレームセットに属する場合、ＰＵＣＣＨは、第１のサービングセルにおいて伝送され、第１のサービングセルの複信モードは、第２のサービングセルの複信モードとは異なり、第１のアップリンクサブフレームセットに含まれたアップリンクサブフレームの量と、第２のアップリンクサブフレームセットに含まれたアップリンクサブフレームの量との合計が、無線フレームにおけるサブフレームの量に等しく、第１のアップリンクサブフレームセットに含まれたアップリンクサブフレームと、第２のアップリンクサブフレームセットに含まれたアップリンクサブフレームとは、無線フレームにおける異なるサブフレームに対応する、送信するステップと、を実行するように構成される。
【０３６０】
第１のサービングセルの複信モードが、時分割複信ＴＤＤであり、第２のサービングセルの複信モードが、周波数分割複信ＦＤＤである場合、第２のアップリンクサブフレームセットに含まれたアップリンクサブフレームは、第１のサービングセルの、無線フレームにおける、アップリンクサブフレームに対応し、第１のアップリンクサブフレームセットに含まれたアップリンクサブフレームは、無線フレームにおける、第２のアップリンクサブフレームセットに含まれたアップリンクサブフレームを除く、他のアップリンクサブフレームに対応し、第１のサービングセルの複信モードがＦＤＤであり、第２のサービングセルの複信モードがＴＤＤである場合、第１のアップリンクサブフレームセットに含まれたアップリンクサブフレームは、第１のサービングセルの、無線フレームにおける、アップリンクサブフレームに対応し、第２のアップリンクサブフレームセットに含まれたアップリンクサブフレームは、無線フレームにおける、第１のアップリンクサブフレームセットに含まれたアップリンクサブフレームを除く、他のアップリンクサブフレームに対応する。
【０３６１】
この実施形態では、ダウンリンク制御チャネルは、物理ダウンリンク制御チャネルＰＤＣＣＨ、又は、拡張物理ダウンリンク制御チャネルＥＰＤＣＣＨであり、ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用される。ダウンリンク制御チャネルが、ＰＤＳＣＨ送信を示すために使用される場合、ダウンリンク制御チャネルに対応するハイブリッド自動再送要求確認応答は特に、ダウンリンク制御チャネルに対応するＰＤＳＣＨのハイブリッド自動再送要求確認応答であり、ダウンリンク制御チャネルが、ＳＰＳリリースを示すために使用される場合、ダウンリンク制御チャネルに対応するハイブリッド自動再送要求確認応答は、特に、ＳＰＳリリースを示すダウンリンク制御チャネルに対応するハイブリッド自動再送要求確認応答である。
【０３６２】
プロセッサ３１２はさらに、ＰＵＣＣＨのＰＵＣＣＨリソース及び／又はＰＵＣＣＨ送信電力を取得するように構成される。アップリンクサブフレームＮ＋４が、第１のアップリンクサブフレームセットに属する場合、プロセッサ３１２は特に、ダウンリンク制御チャネルのダウンリンク制御情報ＤＣＩフォーマットにおける送信電力制御ＴＰＣコマンドフィールドに従って、ＰＵＣＣＨリソースを決定するように構成される。アップリンクサブフレームＮ＋４が、第２のアップリンクサブフレームセットに属する場合、プロセッサ３１２は特に、ダウンリンク制御チャネルのダウンリンク制御情報ＤＣＩフォーマットにおける送信電力制御ＴＰＣコマンドフィールドに従って、ＰＵＣＣＨ送信電力を決定するように構成される。
【０３６３】
この実施形態において提供されるユーザ機器は、方法実施形態１における技術的解決策を実行するように構成され得る。特定の実施方式及び技術的効果は、この方法のものに類似しており、本明細書では、詳細は再度記述されない。
【０３６４】
図３１は、本発明に従う基地局の実施形態８の概略構成図である。図３１に図示されるように、この実施形態において提供される基地局３２００は、メモリ３２１及びプロセッサ３２２を含み得る。メモリ３２１は、プログラムコードのグループを記憶し、プロセッサ３２２は、メモリ３２１に記憶されたプログラムコードを起動し、以下の動作、
ダウンリンクサブフレームＮで、ユーザ機器ＵＥへ、ダウンリンク制御チャネルを送信するステップであって、ダウンリンク制御チャネルは、ＵＥの第１のサービングセルにおいて伝送される送信するステップと、
物理アップリンク制御チャネルＰＵＣＣＨを使用することによってＵＥによって送られ、ダウンリンク制御チャネルに対応する、ハイブリッド自動再送要求確認応答を、アップリンクサブフレームＮ＋４で受信するステップであって、アップリンクサブフレームＮ＋４が、第１のアップリンクサブフレームセットに属する場合、ＰＵＣＣＨは、ＵＥの第２のサービングセルにおいて伝送され、アップリンクサブフレームＮ＋４が、第２のアップリンクサブフレームセットに属する場合、ＰＵＣＣＨは、第１のサービングセルにおいて伝送され、第１のサービングセルの複信モードは、第２のサービングセルの複信モードとは異なり、第１のアップリンクサブフレームセットに含まれたアップリンクサブフレームの量と、第２のアップリンクサブフレームセットに含まれたアップリンクサブフレームの量との合計が、無線フレームにおけるサブフレームの量に等しく、第１のアップリンクサブフレームセットに含まれたアップリンクサブフレームと、第２のアップリンクサブフレームセットに含まれたアップリンクサブフレームとは、無線フレームにおける異なるサブフレームに対応する、受信するステップと、を実行するように構成される。
【０３６５】
第１のサービングセルの複信モードが、時分割複信ＴＤＤであり、第２のサービングセルの複信モードが、周波数分割複信ＦＤＤである場合、第２のアップリンクサブフレームセットに含まれたアップリンクサブフレームは、第１のサービングセルの、無線フレームにおける、アップリンクサブフレームに対応し、第１のアップリンクサブフレームセットに含まれたアップリンクサブフレームは、無線フレームにおける、第２のアップリンクサブフレームセットに含まれたアップリンクサブフレームを除く、他のアップリンクサブフレームに対応し、第１のサービングセルの複信モードがＦＤＤであり、第２のサービングセルの複信モードがＴＤＤである場合、第１のアップリンクサブフレームセットに含まれたアップリンクサブフレームは、第１のサービングセルの、無線フレームにおける、アップリンクサブフレームに対応し、第２のアップリンクサブフレームセットに含まれたアップリンクサブフレームは、無線フレームにおける、第１のアップリンクサブフレームセットに含まれたアップリンクサブフレームを除く、他のアップリンクサブフレームに対応する。
【０３６６】
この実施形態では、ダウンリンク制御チャネルは、物理ダウンリンク制御チャネルＰＤＣＣＨ、又は、拡張物理ダウンリンク制御チャネルＥＰＤＣＣＨであり、ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用される。ダウンリンク制御チャネルが、ＰＤＳＣＨ送信を示すために使用される場合、ダウンリンク制御チャネルに対応するハイブリッド自動再送要求確認応答は特に、ダウンリンク制御チャネルに対応するＰＤＳＣＨのハイブリッド自動再送要求確認応答であり、ダウンリンク制御チャネルが、ＳＰＳリリースを示すために使用される場合、ダウンリンク制御チャネルに対応するハイブリッド自動再送要求確認応答は、特に、ＳＰＳリリースを示すダウンリンク制御チャネルに対応するハイブリッド自動再送要求確認応答である。
【０３６７】
この実施形態において提供される基地局は、方法実施形態２において提供される技術的解決策を実行するように構成され得る。特定の実施方式及び技術的効果は、この方法のものに類似しており、本明細書では、詳細は再度記述されない。
【０３６８】
図３２は、本発明に従うユーザ機器の実施形態９の概略構成図である。図３２に図示されるように、この実施形態において提供されるユーザ機器ＵＥ  ３３００は、メモリ３３１及びプロセッサ３３２を含み得る。メモリ３３１は、プログラムコードのグループを記憶し、プロセッサ３３２は、メモリ３３１に記憶されたプログラムコードを起動し、以下の動作、
ダウンリンクサブフレームＮで、ダウンリンク制御チャネルを受信するステップであって、ダウンリンク制御チャネルは、ＵＥの第１のサービングセルにおいて伝送され、第１のサービングセルの複信モードは、時分割複信ＴＤＤである、受信するステップと、
物理アップリンク制御チャネルＰＵＣＣＨを使用することによって、ダウンリンク制御チャネルに対応するハイブリッド自動再送要求確認応答を、アップリンクサブフレームＮ＋４で送信するステップであって、ＰＵＣＣＨはＵＥの第２のサービングセルにおいて伝送され、第２のサービングセルの複信モードは、周波数分割複信ＦＤＤである、送信するステップと、を実行するように構成される。
【０３６９】
ダウンリンク制御チャネルは、物理ダウンリンク制御チャネルＰＤＣＣＨ、又は、拡張物理ダウンリンク制御チャネルＥＰＤＣＣＨであり、ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用される。ダウンリンク制御チャネルが、ＰＤＳＣＨ送信を示すために使用される場合、ダウンリンク制御チャネルに対応するハイブリッド自動再送要求確認応答は特に、ダウンリンク制御チャネルに対応するＰＤＳＣＨのハイブリッド自動再送要求確認応答であり、ダウンリンク制御チャネルが、ＳＰＳリリースを示すために使用される場合、ダウンリンク制御チャネルに対応するハイブリッド自動再送要求確認応答は、特に、ＳＰＳリリースを示すダウンリンク制御チャネルに対応するハイブリッド自動再送要求確認応答である。
【０３７０】
この実施形態では、物理アップリンク制御チャネルＰＵＣＣＨを使用することによって、ダウンリンク制御チャネルに対応するハイブリッド自動再送要求確認応答を、アップリンクサブフレームＮ＋４で送信する前に、プロセッサ３３２はさらに、ＰＵＣＣＨのＰＵＣＣＨリソースを取得するように構成される。プロセッサ３３２によって、ＰＵＣＣＨのＰＵＣＣＨリソースを取得するステップは特に、ダウンリンク制御チャネルのダウンリンク制御情報ＤＣＩフォーマットにおけるダウンリンク割当インジケーションＤＡＩ又は送信電力制御ＴＰＣコマンドに従って、ＰＵＣＣＨリソースを決定するステップである。
【０３７１】
この実施形態では、第１のサービングセルが、ＵＥのプライマリサービングセルであり、第２のサービングセルが、ＵＥのセカンダリサービングセルである。特に、第２のサービングセルは、特に、ＵＥの、最も小さなセルインデクスを有する、セカンダリサービングセルであり得るか、又は、第２のサービングセルは、より高いレイヤシグナリングによって示される、ＰＵＣＣＨを送信するために使用される、セカンダリサービングセルである。
【０３７２】
この実施形態において提供されるユーザ機器は、方法実施形態３において提供される技術的解決策を実行するように構成され得る。特定の実施方式及び技術的効果は、この方法のものに類似しており、本明細書では、詳細は再度記述されない。
【０３７３】
図３３は、本発明に従う基地局の実施形態９の概略構成図である。図３３に図示されるように、この実施形態において提供される基地局３４００は、メモリ３４１及びプロセッサ３４２を含み得る。メモリ３４１は、プログラムコードのグループを記憶し、プロセッサ３４２は、メモリ３４１に記憶されたプログラムコードを起動し、以下の動作、
ダウンリンクサブフレームＮで、ユーザ機器ＵＥへダウンリンク制御チャネルを送信するステップであって、ダウンリンク制御チャネルは、ＵＥの第１のサービングセルにおいて伝送され、第１のサービングセルの複信モードは、時分割複信ＴＤＤであり、ダウンリンク制御チャネルのダウンリンク制御情報ＤＣＩフォーマットにおけるダウンリンク割当インジケーションＤＡＩ又は送信電力制御ＴＰＣコマンドは、物理アップリンク制御チャネルＰＵＣＣＨリソースを示すために使用される、送信するステップと、
ＰＵＣＣＨを使用することによってＵＥによって送られ、ダウンリンク制御チャネルに対応する、ハイブリッド自動再送要求確認応答を、ＰＵＣＣＨリソースに従って、アップリンクサブフレームＮ＋４で受信するステップであって、ＰＵＣＣＨは、ＵＥの第２のサービングセルにおいて伝送され、第２のサービングセルの複信モードは、周波数分割複信ＦＤＤである、受信するステップと、を実行するように構成される。
【０３７４】
ダウンリンク制御チャネルは、物理ダウンリンク制御チャネルＰＤＣＣＨ、又は、拡張物理ダウンリンク制御チャネルＥＰＤＣＣＨであり、ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用される。ダウンリンク制御チャネルが、ＰＤＳＣＨ送信を示すために使用される場合、ダウンリンク制御チャネルに対応するハイブリッド自動再送要求確認応答は、特に、ダウンリンク制御チャネルに対応するＰＤＳＣＨのハイブリッド自動再送要求確認応答であり、ダウンリンク制御チャネルが、ＳＰＳリリースを示すために使用される場合、ダウンリンク制御チャネルに対応するハイブリッド自動再送要求確認応答は、特に、ＳＰＳリリースを示すダウンリンク制御チャネルに対応するハイブリッド自動再送要求確認応答である。
【０３７５】
この実施形態では、第１のサービングセルが、ＵＥのプライマリサービングセルであり、第２のサービングセルが、ＵＥのセカンダリサービングセルである。特に、第２のサービングセルは特に、ＵＥの、最も小さなセルインデクスを有する、セカンダリサービングセルであり得るか、又は、第２のサービングセルは、より高いレイヤシグナリングを使用することによって基地局によって示される、ＰＵＣＣＨを送信するために使用される、セカンダリサービングセルである。
【０３７６】
この実施形態において提供される基地局は、方法実施形態４における技術的解決策を実行するように構成され得る。特定の実施方式及び技術的効果は、この方法のものに類似しており、本明細書では、詳細は再度記述されない。
【０３７７】
図３４は、本発明に従うユーザ機器の実施形態１０の概略構成図である。図３４に図示されるように、この実施形態において提供されるユーザ機器ＵＥ  ３５００は、メモリ３５１及びプロセッサ３５２を含み得る。メモリ３５１は、プログラムコードのグループを記憶し、プロセッサ３５２は、メモリ３５１に記憶されたプログラムコードを起動し、以下の動作、
ダウンリンクサブフレームＮで、ダウンリンク制御チャネルを受信するステップであって、ダウンリンク制御チャネルは、ＵＥの第１のサービングセルにおいて伝送され、ダウンリンク制御チャネルは、物理ダウンリンク制御チャネルＰＤＣＣＨ、又は、拡張物理ダウンリンク制御チャネルＥＰＤＣＣＨである、受信するステップと、
ダウンリンク制御チャネルに対応するハイブリッド自動再送要求確認応答が、ＵＥの第２のサービングセルにおいて伝送された場合、ダウンリンク制御チャネルのダウンリンク制御情報ＤＣＩフォーマットにおける送信電力制御ＴＰＣコマンドフィールドに従って、物理アップリンク制御チャネルＰＵＣＣＨリソースを決定するステップと、
ダウンリンク制御チャネルに対応するハイブリッド自動再送要求確認応答が、第１のサービングセルにおいて伝送された場合、ダウンリンク制御チャネルのダウンリンク制御情報ＤＣＩフォーマットにおける送信電力制御ＴＰＣコマンドフィールドに従って、ＰＵＣＣＨの送信電力を決定するステップであって、第１のサービングセルの複信モードは、第２のサービングセルの複信モードとは異なる、決定するステップと、
ダウンリンク制御チャネルに対応するハイブリッド自動再送要求確認応答を、ＰＵＣＣＨリソース又はＰＵＣＣＨの送信電力に従って、ＰＵＣＣＨを使用することによって送信するステップと、を実行するように構成される。
【０３７８】
ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用される。ダウンリンク制御チャネルが、ＰＤＳＣＨ送信を示すために使用される場合、ダウンリンク制御チャネルに対応するハイブリッド自動再送要求確認応答は特に、ダウンリンク制御チャネルに対応するＰＤＳＣＨのハイブリッド自動再送要求確認応答であり、ダウンリンク制御チャネルが、ＳＰＳリリースを示すために使用される場合、ダウンリンク制御チャネルに対応するハイブリッド自動再送要求確認応答は、特に、ＳＰＳリリースを示すダウンリンク制御チャネルに対応するハイブリッド自動再送要求確認応答である。
【０３７９】
この実施形態では、第１のサービングセルは、ＵＥのプライマリサービングセルであり、第１のサービングセルの複信モードは、時分割複信ＴＤＤであり、第２のサービングセルの複信モードは、周波数分割複信ＦＤＤであり、第２のサービングセルは、ＵＥの、最も小さなセルインデクスを有する、セカンダリサービングセルである。或いは、第１のサービングセルは、ＵＥのプライマリサービングセルであり、第１のサービングセルの複信モードは、時分割複信ＴＤＤであり、第２のサービングセルの複信モードは、周波数分割複信ＦＤＤであり、第２のサービングセルは、より高いレイヤシグナリングによって示される、ＰＵＣＣＨを送信するために使用される、セカンダリサービングセルである。
【０３８０】
この実施形態において提供されるユーザ機器は、方法実施形態５における技術的解決策を実行するように構成され得る。特定の実施方式及び技術的効果は、この方法のものに類似しており、本明細書では、詳細は再度記述されない。
【０３８１】
図３５は、本発明に従う基地局の実施形態１０の概略構成図である。図３５に図示されるように、この実施形態において提供される基地局３６００は、メモリ３６１及びプロセッサ３６２を含み得る。メモリ３６１は、プログラムコードのグループを記憶し、プロセッサ３６２は、メモリ３６１に記憶されたプログラムコードを起動し、以下の動作、
ダウンリンクサブフレームＮで、ユーザ機器ＵＥへダウンリンク制御チャネルを送信するステップであって、ダウンリンクチャネルは、ＵＥの第１のサービングセルにおいて伝送され、ダウンリンク制御チャネルは、物理ダウンリンク制御チャネルＰＤＣＣＨ、又は、拡張物理ダウンリンク制御チャネルＥＰＤＣＣＨである、送信するステップと、
ダウンリンク制御チャネルに対応するハイブリッド自動再送要求確認応答が、ＵＥの第２のサービングセルにおいて伝送された場合、ダウンリンク制御チャネルのダウンリンク制御情報ＤＣＩフォーマットにおける送信電力制御ＴＰＣコマンドフィールドを使用することによって、物理アップリンク制御チャネルＰＵＣＣＨリソースを示すステップと、
ダウンリンク制御チャネルに対応するハイブリッド自動再送要求確認応答が、第１のサービングセルにおいて伝送された場合、ダウンリンク制御チャネルのダウンリンク制御情報ＤＣＩフォーマットにおける送信電力制御ＴＰＣコマンドフィールドに従って、ＰＵＣＣＨの送信電力を示すステップであって、第１のサービングセルの複信モードは、第２のサービングセルの複信モードとは異なる、示すステップと、
ＵＥによって送られ、ダウンリンク制御チャネルに対応する、ハイブリッド自動再送要求確認応答を、ＰＵＣＣＨリソースに従って受信するステップと、を実行するように構成される。
【０３８２】
ダウンリンク制御チャネルは、第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用される。ダウンリンク制御チャネルが、物理ダウンリンク共有チャネルＰＤＳＣＨ送信を示すために使用される場合、ダウンリンク制御チャネルに対応するハイブリッド自動再送要求確認応答は特に、ダウンリンク制御チャネルに対応するＰＤＳＣＨのハイブリッド自動再送要求確認応答であり、ダウンリンク制御チャネルが、ダウンリンクセミパーシステントスケジューリングＳＰＳリリースを示すために使用される場合、ダウンリンク制御チャネルに対応するハイブリッド自動再送要求確認応答は、特に、ダウンリンクセミパーシステントスケジューリングＳＰＳリリースを示すダウンリンク制御チャネルに対応するハイブリッド自動再送要求確認応答である。
【０３８３】
この実施形態では、第１のサービングセルは、ＵＥのプライマリサービングセルであり得、第１のサービングセルの複信モードは、時分割複信ＴＤＤであり、第２のサービングセルの複信モードは、周波数分割複信ＦＤＤであり、第２のサービングセルは、ＵＥの、最も小さなセルインデクスを有する、セカンダリサービングセルである。或いは、第１のサービングセルは、ＵＥのプライマリサービングセルであり、第１のサービングセルの複信モードは、時分割複信ＴＤＤであり、第２のサービングセルの複信モードは、周波数分割複信ＦＤＤであり、第２のサービングセルは、より高いレイヤシグナリングによって示され、ＰＵＣＣＨを送信するために使用される、セカンダリサービングセルである。
【０３８４】
この実施形態において提供される基地局は、方法実施形態６における技術的解決策を実行するように構成され得る。特定の実施方式及び技術的効果は、この方法のものに類似しており、本明細書では、詳細は再度記述されない。
【０３８５】
当業者であれば、方法実施形態のステップのすべて又はいくつかが、関連するハードウェアに指示するプログラムによって実施され得ることを理解するであろう。このプログラムは、コンピュータ読取可能な記憶媒体に記憶され得る。プログラムが動作している場合、方法実施形態のステップが実行される。前述した記憶媒体は、ＲＯＭ、ＲＡＭ、磁気ディスク、又は光ディスクのようなプログラムコードを記憶し得る任意の媒体を含む。
【０３８６】
最後に、前述した実施形態は単に、本発明の技術的解決策を記述するためであり、本発明を限定するためではないことが意図されていることに留意されたい。本発明は、前述した実施形態を参照して詳細に記述されているが、当業者であれば、当業者が、本発明の実施形態の技術的解決策の範囲から逸脱することなくなお、前述した実施形態において記述された技術的解決策に対する修正を行い得るか、又は、そのいくつか又はすべての技術的特徴に対する等価の置換えを行い得ることを理解されたい。
【手続補正２】
【補正対象書類名】特許請求の範囲
【補正対象項目名】全文
【補正方法】変更
【補正の内容】
【特許請求の範囲】
【請求項１】
アップリンク制御情報送信方法であって、
ダウンリンク制御チャネルを、ユーザ機器ＵＥによって、ダウンリンクサブフレームＮで受信するステップであって、前記ダウンリンク制御チャネルは、前記ＵＥの第１のサービングセルにおいて伝送され、前記第１のサービングセルの複信モードは、時分割複信ＴＤＤである、受信するステップと、
前記ダウンリンク制御チャネルに対応するハイブリッド自動再送要求確認応答を、物理アップリンク制御チャネルＰＵＣＣＨを使用することによって、アップリンクサブフレームＮ＋４で、前記ＵＥによって送信するステップであって、前記ＰＵＣＣＨは前記ＵＥの第２のサービングセルにおいて伝送され、前記第２のサービングセルの複信モードは、周波数分割複信ＦＤＤである、送信するステップと
を備える方法。
【請求項２】
前記ダウンリンク制御チャネルは、物理ダウンリンク制御チャネルＰＤＣＣＨ、又は、拡張物理ダウンリンク制御チャネルＥＰＤＣＣＨであり、前記ダウンリンク制御チャネルは、前記第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用され、
前記ダウンリンク制御チャネルが、前記ＰＤＳＣＨ送信を示すために使用される場合、前記ダウンリンク制御チャネルに対応する前記ハイブリッド自動再送要求確認応答は、特に、前記ダウンリンク制御チャネルに対応するＰＤＳＣＨのハイブリッド自動再送要求確認応答であり、前記ダウンリンク制御チャネルが、前記ＳＰＳリリースを示すために使用される場合、前記ダウンリンク制御チャネルに対応する前記ハイブリッド自動再送要求確認応答は、特に、前記ＳＰＳリリースを示すダウンリンク制御チャネルに対応するハイブリッド自動再送要求確認応答である、請求項１に記載の方法。
【請求項３】
前記ＵＥによって、物理アップリンク制御チャネルＰＵＣＣＨを使用することによって、前記ダウンリンク制御チャネルに対応するハイブリッド自動再送要求確認応答を、アップリンクサブフレームＮ＋４で前記送信するステップの前に、さらに、
前記ＵＥによって、前記ＰＵＣＣＨのＰＵＣＣＨリソースを取得するステップを備える、請求項１又は２に記載の方法。
【請求項４】
前記ＵＥによって、前記ＰＵＣＣＨのＰＵＣＣＨリソースを前記取得するステップは、
前記ＵＥによって、前記ダウンリンク制御チャネルのダウンリンク制御情報ＤＣＩフォーマットにおけるダウンリンク割当インジケーションＤＡＩ又は送信電力制御ＴＰＣコマンドに従って、前記ＰＵＣＣＨリソースを決定するステップを備える、請求項３に記載の方法。
【請求項５】
前記第１のサービングセルが、前記ＵＥのプライマリサービングセルであり、前記第２のサービングセルが、前記ＵＥのセカンダリサービングセルである、請求項１から４のいずれか一項に記載の方法。
【請求項６】
前記第２のサービングセルは、前記ＵＥの、最も小さなセルインデクスを有する、ＦＤＤセカンダリサービングセルであるか、又は、前記第２のサービングセルは、より高いレイヤシグナリングによって示される、前記ＰＵＣＣＨを送信するために使用される、セカンダリサービングセルである、請求項５に記載の方法。
【請求項７】
アップリンク制御情報送信方法であって、
基地局によって、ダウンリンクサブフレームＮで、ユーザ機器ＵＥへダウンリンク制御チャネルを送信するステップであって、前記ダウンリンク制御チャネルは、前記ＵＥの第１のサービングセルにおいて伝送され、前記第１のサービングセルの複信モードは、時分割複信ＴＤＤであり、前記ダウンリンク制御チャネルのダウンリンク制御情報ＤＣＩフォーマットにおけるダウンリンク割当インジケーションＤＡＩ又は送信電力制御ＴＰＣコマンドは、物理アップリンク制御チャネルＰＵＣＣＨリソースを示すために使用される、送信するステップと、
ＰＵＣＣＨを使用することによって前記ＵＥによって送られ、前記ダウンリンク制御チャネルに対応する、ハイブリッド自動再送要求確認応答を、前記ＰＵＣＣＨリソースに従って、アップリンクサブフレームＮ＋４で、前記基地局によって受信するステップであって、前記ＰＵＣＣＨは、前記ＵＥの第２のサービングセルにおいて伝送され、前記第２のサービングセルの複信モードは、周波数分割複信ＦＤＤである、受信するステップと
を備える方法。
【請求項８】
前記ダウンリンク制御チャネルは、物理ダウンリンク制御チャネルＰＤＣＣＨ、又は、拡張物理ダウンリンク制御チャネルＥＰＤＣＣＨであり、前記ダウンリンク制御チャネルは、前記第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用され、
前記ダウンリンク制御チャネルが、前記ＰＤＳＣＨ送信を示すために使用される場合、前記ダウンリンク制御チャネルに対応する前記ハイブリッド自動再送要求確認応答は、特に、前記ダウンリンク制御チャネルに対応するＰＤＳＣＨのハイブリッド自動再送要求確認応答であり、前記ダウンリンク制御チャネルが、前記ＳＰＳリリースを示すために使用される場合、前記ダウンリンク制御チャネルに対応する前記ハイブリッド自動再送要求確認応答は、特に、前記ＳＰＳリリースを示す前記ダウンリンク制御チャネルに対応するハイブリッド自動再送要求確認応答である、請求項７に記載の方法。
【請求項９】
前記第１のサービングセルが、前記ＵＥのプライマリサービングセルであり、前記第２のサービングセルが、前記ＵＥのセカンダリサービングセルである、請求項７又は８に記載の方法。
【請求項１０】
前記第２のサービングセルは、前記ＵＥの、最も小さなセルインデクスを有する、ＦＤＤセカンダリサービングセルであるか、又は、前記第２のサービングセルは、より高いレイヤシグナリングを使用することによって前記基地局によって示される、前記ＰＵＣＣＨを送信するために使用される、セカンダリサービングセルである、請求項９に記載の方法。
【請求項１１】
ユーザ機器ＵＥであって、
ダウンリンクサブフレームＮでダウンリンク制御チャネルを受信するように構成された受信モジュールであって、前記ダウンリンク制御チャネルは、前記ＵＥの第１のサービングセルにおいて伝送され、前記第１のサービングセルの複信モードは、時分割複信ＴＤＤである、受信モジュールと、
物理アップリンク制御チャネルＰＵＣＣＨを使用することによって、前記ダウンリンク制御チャネルに対応するハイブリッド自動再送要求確認応答を、アップリンクサブフレームＮ＋４で送信するように構成された送信モジュールであって、前記ＰＵＣＣＨは前記ＵＥの第２のサービングセルにおいて伝送され、前記第２のサービングセルの複信モードは、周波数分割複信ＦＤＤである、送信モジュールと
を備えるユーザ機器。
【請求項１２】
前記ダウンリンク制御チャネルは、物理ダウンリンク制御チャネルＰＤＣＣＨ、又は、拡張物理ダウンリンク制御チャネルＥＰＤＣＣＨであり、前記ダウンリンク制御チャネルは、前記第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用され、
前記ダウンリンク制御チャネルが、前記ＰＤＳＣＨ送信を示すために使用される場合、前記ダウンリンク制御チャネルに対応する前記ハイブリッド自動再送要求確認応答は、特に、前記ダウンリンク制御チャネルに対応するＰＤＳＣＨのハイブリッド自動再送要求確認応答であり、前記ダウンリンク制御チャネルが、前記ＳＰＳリリースを示すために使用される場合、前記ダウンリンク制御チャネルに対応する前記ハイブリッド自動再送要求確認応答は、特に、前記ＳＰＳリリースを示すダウンリンク制御チャネルに対応するハイブリッド自動再送要求確認応答である、請求項１１に記載のユーザ機器。
【請求項１３】
前記ＰＵＣＣＨのＰＵＣＣＨリソースを取得するように構成された取得モジュール
をさらに備える、請求項１１又は１２に記載のユーザ機器。
【請求項１４】
前記取得モジュールは特に、
前記ダウンリンク制御チャネルのダウンリンク制御情報ＤＣＩフォーマットにおけるダウンリンク割当インジケーションＤＡＩ又は送信電力制御ＴＰＣコマンドに従って、前記ＰＵＣＣＨリソースを決定するように構成された、請求項１３に記載のユーザ機器。
【請求項１５】
前記第１のサービングセルが、前記ＵＥのプライマリサービングセルであり、前記第２のサービングセルが、前記ＵＥのセカンダリサービングセルである、請求項１１から１４のいずれか一項に記載のユーザ機器。
【請求項１６】
前記第２のサービングセルは、前記ＵＥの、最も小さなセルインデクスを有する、ＦＤＤセカンダリサービングセルであるか、又は、前記第２のサービングセルは、より高いレイヤシグナリングによって示される、前記ＰＵＣＣＨを送信するために使用される、セカンダリサービングセルである、請求項１５に記載のユーザ機器。
【請求項１７】
基地局であって、
ダウンリンクサブフレームＮで、ユーザ機器ＵＥへダウンリンク制御チャネルを送信するように構成された送信モジュールであって、前記ダウンリンク制御チャネルは、前記ＵＥの第１のサービングセルにおいて伝送され、前記第１のサービングセルの複信モードは、時分割複信ＴＤＤであり、前記ダウンリンク制御チャネルのダウンリンク制御情報ＤＣＩフォーマットにおけるダウンリンク割当インジケーションＤＡＩ又は送信電力制御ＴＰＣコマンドは、物理アップリンク制御チャネルＰＵＣＣＨリソースを示すために使用される、送信モジュールと、
ＰＵＣＣＨを使用することによって前記ＵＥによって送られ、前記ダウンリンク制御チャネルに対応する、ハイブリッド自動再送要求確認応答を、前記ＰＵＣＣＨリソースに従って、アップリンクサブフレームＮ＋４で受信するように構成された受信モジュールであって、前記ＰＵＣＣＨは前記ＵＥの第２のサービングセルにおいて伝送され、前記第２のサービングセルの複信モードは、周波数分割複信ＦＤＤである、受信モジュールと
を備える基地局。
【請求項１８】
前記ダウンリンク制御チャネルは、物理ダウンリンク制御チャネルＰＤＣＣＨ、又は、拡張物理ダウンリンク制御チャネルＥＰＤＣＣＨであり、前記ダウンリンク制御チャネルは、前記第１のサービングセルにおいて伝送された物理ダウンリンク共有チャネルＰＤＳＣＨ送信を示すために使用されるか、又は、ダウンリンクセミパーシステントスケジューリングＳＰＳリリースを示すために使用され、
前記ダウンリンク制御チャネルが、前記ＰＤＳＣＨ送信を示すために使用される場合、前記ダウンリンク制御チャネルに対応する前記ハイブリッド自動再送要求確認応答は、特に、前記ダウンリンク制御チャネルに対応するＰＤＳＣＨのハイブリッド自動再送要求確認応答であり、前記ダウンリンク制御チャネルが、前記ＳＰＳリリースを示すために使用される場合、前記ダウンリンク制御チャネルに対応する前記ハイブリッド自動再送要求確認応答は、特に、前記ＳＰＳリリースを示す前記ダウンリンク制御チャネルに対応するハイブリッド自動再送要求確認応答である、請求項１７に記載の基地局。
【請求項１９】
前記第１のサービングセルが、前記ＵＥのプライマリサービングセルであり、前記第２のサービングセルが、前記ＵＥのセカンダリサービングセルである、請求項１７又は１８に記載の基地局。
【請求項２０】
前記第２のサービングセルは、前記ＵＥの、最も小さなセルインデクスを有する、ＦＤＤセカンダリサービングセルであるか、又は、前記第２のサービングセルは、より高いレイヤシグナリングを使用することによって前記基地局によって示される、前記ＰＵＣＣＨを送信するために使用される、セカンダリサービングセルである、請求項１９に記載の基地局。
【請求項２１】
プログラムを中に記憶したコンピュータ読取可能記憶媒体であって、前記プログラムは、コンピュータに請求項１乃至６のいずれか１項記載の方法を実行させる、コンピュータ読取可能記憶媒体。
【請求項２２】
プログラムを中に記憶したコンピュータ読取可能記憶媒体であって、前記プログラムは、コンピュータに請求項７乃至１０のいずれか１項記載の方法を実行させる、コンピュータ読取可能記憶媒体。
【請求項２３】
互いに通信するユーザ機器と基地局を備える通信システムであって、前記ユーザ機器は、請求項１乃至６のいずれか１項記載の方法を実行し、前記基地局は請求項７乃至１０のいずれか１項記載の方法を実行する、通信システム。
【手続補正３】
【補正対象書類名】図面
【補正対象項目名】図５
【補正方法】変更
【補正の内容】
【図５】
2018078638.tif 000042
【手続補正４】
【補正対象書類名】図面
【補正対象項目名】図７
【補正方法】変更
【補正の内容】
【図７】
2018078638.tif 000043
【手続補正５】
【補正対象書類名】図面
【補正対象項目名】図２７
【補正方法】変更
【補正の内容】
【図２７】
2018078638.tif 000044
【外国語明細書】
2018078638000001.pdf